(57)【要約】  本開示は、生物学的ナノ粒子の分析を行うための方法、システム、およびデバイスに関する。より具体的には、本開示は、生物学的ナノ粒子がマイクロ流体チップ内を輸送中である間に、サンプルに対して単一の生物学的ナノ粒子のサイズ判定を行うための方法、システム、およびデバイスに関する。他の態様では、本開示は、コーティングされた平面状の表面上の生物学的ナノ粒子を選択的に捕捉するための方法、システム、およびデバイスに関し、その捕捉は、遠心分離によって容易になっている。
2021521417.tif 000002
【特許請求の範囲】
【請求項１】
流体サンプル中の生物学的ナノ粒子のサイズを判定する方法であって、
少なくとも１つのマイクロ流体チャネルを含むマイクロ流体チップを提供することと、
前記流体サンプルを前記マイクロ流体チップ内に導入することであって、前記流体サンプルが、複数の生物学的ナノ粒子を含む、導入することと、
前記少なくとも１つのマイクロ流体チャネルを通して前記複数の生物学的ナノ粒子の一部分を流動させることと、
粒子単位で、前記複数の生物学的ナノ粒子の前記一部分からの少なくとも１つの生物学的ナノ粒子を前記少なくとも１つのマイクロ流体チャネル内で照明することと、
前記少なくとも１つの生物学的ナノ粒子から放出された光強度を検出することと、
前記マイクロ流体チップ内を輸送中に、前記少なくとも１つの生物学的ナノ粒子にサイズ値を割り当てることであって、前記生物学的ナノ粒子が、１μｍ未満の流体力学的直径を有する、割り当てることと、を含む、方法。
【請求項２】
前記複数の生物学的ナノ粒子の前記一部分を照明することを含む、請求項１に記載の方法。
【請求項３】
前記粒子単位で、照明される前記複数の生物学的ナノ粒子の前記一部分のうちの少なくとも９０％を前記少なくとも１つのマイクロ流体チャネル内で照明することを含む、請求項１〜２のいずれか一項に記載の方法。
【請求項４】
前記マイクロ流体チップが、複数の平行なマイクロ流体チャネルを含む、請求項１〜３のいずれか一項に記載の方法。
【請求項５】
前記複数の平行なマイクロ流体チャネルを単一の放射線源で照明することを含む、請求項４に記載の方法。
【請求項６】
前記複数の平行なマイクロ流体チャネルからの単一のマイクロ流体チャネルからの信号を検出するように構成された複数の検出器を提供することをさらに含む、請求項４〜５のいずれか一項に記載の方法。
【請求項７】
前記信号が、前記少なくとも１つの生物学的ナノ粒子から放出された前記光強度を含む、請求項６に記載の方法。
【請求項８】
検出領域内の前記少なくとも１つの生物学的ナノ粒子から放出された前記光強度を検出器で検出することをさらに含む、請求項１〜７のいずれか一項に記載の方法。
【請求項９】
前記少なくとも１つのマイクロ流体チャネルが、少なくとも１つの狭窄部を含む、請求項１〜８のいずれか一項に記載の方法。
【請求項１０】
前記検出領域が、前記少なくとも１つの狭窄部内にある、請求項９に記載の方法。
【請求項１１】
前記検出領域が、１０μｍ２未満の面積を有する、請求項８〜１０のいずれか一項に記載の方法。
【請求項１２】
前記複数の生物学的ナノ粒子の前記一部分を検出することを含む、請求項８〜１１のいずれか一項に記載の方法。
【請求項１３】
前記複数の生物学的ナノ粒子の前記一部分における前記検出された生物学的ナノ粒子のうちの９０％超が、粒子単位で前記検出領域内で検出される、請求項８〜１２のいずれか一項に記載の方法。
【請求項１４】
前記少なくとも１つの生物学的ナノ粒子から放出された前記光強度を測定することをさらに含む、請求項１〜１３のいずれか一項に記載の方法。
【請求項１５】
前記少なくとも１つの生物学的ナノ粒子から放出された前記光強度の前記測定が、タイムビンの使用を含む、請求項１４に記載の方法。
【請求項１６】
前記タイムビンが、２ｍｓ未満かつ１μｓ超の範囲を有する、請求項１５に記載の方法。
【請求項１７】
前記少なくとも１つの生物学的ナノ粒子から放出された前記光強度が、１０：１超の信号対雑音比を有する、請求項１〜１６のいずれか一項に記載の方法。
【請求項１８】
前記少なくとも１つの生物学的ナノ粒子の前記照明が、２μｍ未満のビーム幅を有する照明光源を使用することを含む、請求項１〜１７のいずれか一項に記載の方法。
【請求項１９】
前記照明光源が、１０μｍ２未満の面積を有する前記少なくとも１つのマイクロ流体チャネル内の領域を照明する、請求項１８に記載の方法。
【請求項２０】
光強度を前記検出することが、１．０以上かつ１．５以下の開口数を有する集光システムを使用することを含む、請求項１〜１９のいずれか一項に記載の方法。
【請求項２１】
輸送中の前記サイズ値の前記割り当てが、前記生物学的ナノ粒子が流動中である間に前記サイズ値を割り当てることを含む、請求項１〜２０のいずれか一項に記載の方法。
【請求項２２】
前記流動が、中断されない、請求項２１に記載の方法。
【請求項２３】
前記サイズ値が、前記光強度に従って割り当てられる、請求項１〜２２のいずれか一項に記載の方法。
【請求項２４】
前記光強度が、蛍光、散乱光、またはこれらの任意の組み合わせを含む、請求項１〜２３のいずれか一項に記載の方法。
【請求項２５】
前記生物学的ナノ粒子が、検出可能な薬剤と会合する、請求項１〜２４のいずれか一項に記載の方法。
【請求項２６】
前記検出可能な薬剤が、前記生物学的ナノ粒子の表面に付着されるか、前記検出可能な薬剤が、前記生物学的ナノ粒子の表面内にあるか、前記検出可能な薬剤が、前記生物学的ナノ粒子の内部にあるか、またはこれらの組み合わせである、請求項２５に記載の方法。
【請求項２７】
前記検出可能な薬剤が、蛍光性であるか、前記検出可能な薬剤が、発光性であるか、またはこれらの任意の組み合わせである、請求項２４〜２６のいずれか一項に記載の方法。
【請求項２８】
前記生物学的ナノ粒子が、複数の検出可能な薬剤と会合する、請求項１〜２７のいずれか一項に記載の方法。
【請求項２９】
前記複数の検出可能な薬剤のうちの少なくとも１つが、前記生物学的ナノ粒子の表面に付着されるか、前記複数の検出可能な薬剤のうちの少なくとも１つが、前記生物学的ナノ粒子の表面内にあるか、前記複数の検出可能な薬剤のうちの少なくとも１つが、前記生物学的ナノ粒子の内部にあるか、またはこれらの組み合わせである、請求項２８に記載の方法。
【請求項３０】
前記複数の検出可能な薬剤が、重なり合う発光プロファイルを有する、請求項２８〜２９のいずれか一項に記載の方法。
【請求項３１】
前記複数の検出可能な薬剤が、同じ発光プロファイルを有する、請求項３０に記載の方法。
【請求項３２】
前記発光プロファイルが、同じピーク波長を有する、請求項３０に記載の方法。
【請求項３３】
前記複数の検出可能な薬剤が、同じ検出可能な薬剤を含む、請求項２８〜３２のいずれか一項に記載の方法。
【請求項３４】
前記複数の検出可能な薬剤が、複数のタイプの検出可能な薬剤を含む、請求項２８〜３２のいずれか一項に記載の方法。
【請求項３５】
前記複数の検出可能な薬剤が、異なる発光プロファイルを有する、請求項３４に記載の方法。
【請求項３６】
前記発光プロファイルが、異なるピーク波長を有する、請求項３５に記載の方法。
【請求項３７】
前記ピーク波長が、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、または７００ナノメートル超だけ分離される、請求項３６に記載の方法。
【請求項３８】
前記複数の検出可能な薬剤が、蛍光性の検出可能な薬剤を含む、請求項２８〜３７のいずれか一項に記載の方法。
【請求項３９】
前記光強度が、前記検出可能な薬剤から放出される、請求項２４〜３８のいずれか一項に記載の方法。
【請求項４０】
前記サイズ値の前記割り当てが、測定された前記光強度の使用を含む、請求項１０〜３９のいずれか一項に記載の方法。
【請求項４１】
前記サイズ値の前記割り当てが、変調指数の使用を含む、請求項１〜３８のいずれか一項に記載の方法。
【請求項４２】
前記サイズ値の前記割り当てが、測定された前記光強度の使用と変調指数の使用とを含む、請求項１０〜３８のいずれか一項に記載の方法。
【請求項４３】
前記変調指数が、振幅変調指数である、請求項４０〜４１のいずれか一項に記載の方法。
【請求項４４】
前記変調指数が、周波数変調指数である、請求項４０〜４１のいずれか一項に記載の方法。
【請求項４５】
前記変調指数が、位相変調指数である、請求項４０〜４１のいずれか一項に記載の方法。
【請求項４６】
前記サイズ値が、相対サイズ値である、請求項１〜４５のいずれか一項に記載の方法。
【請求項４７】
前記相対サイズ値が、測定された前記光強度の差によって判定される、請求項４６に記載の方法。
【請求項４８】
測定された前記光強度を標準に対して較正することによって、前記生物学的ナノ粒子の実際のサイズ値を判定することをさらに含む、請求項４６〜４７のいずれか一項に記載の方法。
【請求項４９】
標準で前記光強度の測定値を較正することをさらに含む、請求項１〜４５のいずれか一項に記載の方法。
【請求項５０】
前記較正が、少なくとも１つの生物学的ナノ粒子を含む前記サンプルの前記導入の前に行われる、請求項４９に記載の方法。
【請求項５１】
前記サイズ値が、前記生物学的ナノ粒子の実際のサイズ値である、請求項４９〜５０のいずれか一項に記載の方法。
【請求項５２】
前記標準が、金ナノ粒子を含む、請求項４８〜５１のいずれか一項に記載の方法。
【請求項５３】
前記標準が、複数の脂質を含む、請求項４８〜５２のいずれか一項に記載の方法。
【請求項５４】
前記標準が、脂質小胞を含む、請求項４８〜５３のいずれか一項に記載の方法。
【請求項５５】
前記標準が、シリカビーズ、ポリスチレンビーズ、蛍光ビーズ、ポリマービーズ、ポリマーナノ粒子、またはこれらの組み合わせを含む、請求項４８〜５４のいずれか一項に記載の方法。
【請求項５６】
前記流体サンプルが、第２の生物学的ナノ粒子をさらに含み、前記標準が、前記第２の生物学的ナノ粒子を含む、請求項４８〜５５のいずれか一項に記載の方法。
【請求項５７】
前記標準のサイズが動的光散乱で測定される、請求項４８〜５６のいずれか一項に記載の方法。
【請求項５８】
前記サイズ値に基づいて前記生物学的ナノ粒子の前記流動を方向付けることをさらに含む、請求項１〜５７のいずれか一項に記載の方法。
【請求項５９】
前記方向付けることが、前記生物学的ナノ粒子を収集に方向付け、前記サイズ値に基づいて前記生物学的ナノ粒子の収集を生成する、請求項５８に記載の方法。
【請求項６０】
前記方向付けることに、１ｍｓ以下かかる、請求項５８〜５９のいずれか一項に記載の方法。
【請求項６１】
前記流動の前記方向付けることが、流動変位を含む、請求項５８〜６０のいずれか一項に記載の方法。
【請求項６２】
前記流動の前記方向付けることが、電気浸透流を含む、請求項５８〜６１のいずれか一項に記載の方法。
【請求項６３】
前記流動の前記方向付けることが、圧力の印加を含む、請求項５８〜６２のいずれか一項に記載の方法。
【請求項６４】
前記サイズ値を有する生物学的ナノ粒子の数を定量化することをさらに含む、請求項１〜６３のいずれか一項に記載の方法。
【請求項６５】
前記サンプルの濃度を判定することをさらに含む、請求項１〜６４のいずれか一項に記載の方法。
【請求項６６】
前記サンプルの濃度が、前記サンプルのスパイク頻度をカウントすることによって判定される、請求項６５に記載の方法。
【請求項６７】
前記サンプルの前記スパイク頻度を較正粒子標準スパイク頻度と比較することをさらに含む、請求項６６に記載の方法。
【請求項６８】
前記サンプルの濃度が、前記サンプルの前記スパイク頻度をカウントし、および前記スパイク頻度を前記サンプルの体積と比較することによって判定される、請求項６６に記載の方法。
【請求項６９】
前記サンプルの濃度が、前記サンプルの前記スパイク頻度をカウントし、前記スパイク頻度を較正粒子標準スパイク頻度と比較し、および前記サンプルの前記スパイク頻度を前記サンプルの体積と比較することによって判定される、請求項６６に記載の方法。
【請求項７０】
前記サンプルを濾過することをさらに含む、請求項１〜６９のいずれか一項に記載の方法。
【請求項７１】
前記濾過が、前記サイズ値の前記割り当ての前に行われる、請求項７０に記載の方法。
【請求項７２】
前記濾過が、デブリスを除去する、請求項７０〜７１のいずれか一項に記載の方法。
【請求項７３】
前記濾過が、クロッギングを防止する、請求項７０〜７２のいずれか一項に記載の方法。
【請求項７４】
分析のために前記生物学的ナノ粒子を収集することをさらに含む、請求項１〜７３のいずれか一項に記載の方法。
【請求項７５】
前記分析が、核酸分析を含む、請求項７４に記載の方法。
【請求項７６】
前記核酸分析が、シーケンシング、ＰＣＲ、またはデジタルＰＣＲを含む、請求項７５に記載の方法。
【請求項７７】
前記分析が、タンパク質分析を含む、請求項７４〜７６のいずれか一項に記載の方法。
【請求項７８】
前記タンパク質分析が、ＥＬＩＳＡ、デジタルＥＬＩＳＡ、または質量分析を含む、請求項７７に記載の方法。
【請求項７９】
前記分析が、脂質分析を含む、請求項７４〜７８のいずれか一項に記載の方法。
【請求項８０】
前記分析が、小分子分析を含む、請求項７４〜７９のいずれか一項に記載の方法。
【請求項８１】
前記小分子分析が、代謝産物の分析、シグナル伝達分子の分析、薬物の分析、またはこれらの組み合わせを含む、請求項８０に記載の方法。
【請求項８２】
前記分析が、質量分析を含む、請求項７４〜８１のいずれか一項に記載の方法。
【請求項８３】
前記分析が、炭水化物分析を含む、請求項７４〜８２のいずれか一項に記載の方法。
【請求項８４】
前記炭水化物分析が、質量分析、核磁気共鳴、フーリエ変換分光法、またはこれらの組み合わせを含む、請求項８３に記載の方法。
【請求項８５】
前記マイクロ流体チップが、平面デバイスであり、少なくとも１つのマイクロ流体チャネルを含む、請求項１〜８４のいずれか一項に記載の方法。
【請求項８６】
前記少なくとも１つのマイクロ流体チャネルが、最大高さ、最大幅、および／または最大断面積を有する、請求項８５に記載の方法。
【請求項８７】
前記少なくとも１つのマイクロ流体チャネルが、狭窄部を含む、請求項８５〜８６のいずれか一項に記載の方法。
【請求項８８】
前記狭窄部が、前記マイクロ流体チャネルの最大幅の２５％未満の幅を有する、請求項８７に記載の方法。
【請求項８９】
前記狭窄部が、前記マイクロ流体チャネルの最大高さの２５％未満の高さを有する、請求項８７〜８８のいずれか一項に記載の方法。
【請求項９０】
前記狭窄部が、前記マイクロ流体チャネルの最大断面積の５％未満の断面積を有する、請求項８７〜８９のいずれか一項に記載の方法。
【請求項９１】
前記最大幅が、５００μｍ未満かつ１０μｍ超の値を有する、請求項８７〜９０のいずれか一項に記載の方法。
【請求項９２】
前記最大高さが、５００μｍ未満かつ１０μｍ超の値を有する、請求項８７〜９１のいずれか一項に記載の方法。
【請求項９３】
前記最大断面積が、２５０，０００μｍ２未満かつ２５０μｍ２超の値を有する、請求項８７〜９２のいずれか一項に記載の方法。
【請求項９４】
前記少なくとも１つのマイクロ流体チャネルの少なくとも一部分が、１０μｍ未満の幅、５μｍ未満の幅、または２μｍ未満の幅を有する、請求項８５〜９３のいずれか一項に記載の方法。
【請求項９５】
前記少なくとも１つのマイクロ流体チャネルの少なくとも一部分が、１０μｍ未満の高さ、５μｍ未満の高さ、または２μｍ未満の高さを有する、請求項８５〜９４のいずれか一項に記載の方法。
【請求項９６】
前記少なくとも１つのマイクロ流体チャネルの少なくとも一部分が、１００μｍ２未満の断面積、９０μｍ２未満の断面積、８０μｍ２未満の断面積、７０μｍ２未満の断面積、６０μｍ２未満の断面積、５０μｍ２未満の断面積、４０μｍ２未満の断面積、３０μｍ２未満の断面積、２０μｍ２未満の断面積、１０μｍ２未満の断面積、５μｍ２未満の断面積、または２μｍ２未満の断面積を有する、請求項８５〜９５のいずれか一項に記載の方法。
【請求項９７】
前記マイクロ流体チップが、接合部で交差する複数のマイクロ流体チャネルを含む、請求項８５〜９６のいずれか一項に記載の方法。
【請求項９８】
１つのチャネルが、接合部で少なくとも３つの異なるマイクロ流体チャネルと交差する、請求項９７に記載の方法。
【請求項９９】
前記接合部にデッドボリュームがない、請求項９８に記載の方法。
【請求項１００】
前記光強度が、散乱光を含む、請求項１〜９９のいずれか一項に記載の方法。
【請求項１０１】
前記散乱光が、後方散乱光、側方散乱光、または前方散乱光である、請求項１００に記載の方法。
【請求項１０２】
前記光強度が、散乱光と蛍光との両方を含む、請求項１〜１００のいずれか一項に記載の方法。
【請求項１０３】
前記少なくとも１つの生物学的ナノ粒子からの前記光強度の前記検出が、前記少なくとも１つのマイクロ流体チャネル内を輸送中に検出される、請求項１〜１０２のいずれか一項に記載の方法。
【請求項１０４】
前記光強度の前記検出が、単一ナノ粒子感度を有するか、または前記光強度の前記検出が、単一分子感度を有する、請求項１０３に記載の方法。
【請求項１０５】
前記光強度の前記検出が、多数の検出可能な薬剤を含む単一の抗体を検出する、請求項１０３に記載の方法。
【請求項１０６】
前記生物学的ナノ粒子が、少なくとも１つのバイオマーカーを含む、請求項１〜１０５のいずれか一項に記載の方法。
【請求項１０７】
前記少なくとも１つのバイオマーカーの少なくとも１つのコピー数を判定することをさらに含む、請求項１０６に記載の方法。
【請求項１０８】
前記サイズ値の前記割り当てが、誘導放出抑制（ＳＴＥＤ）によって改変された光ビームを使用する、請求項１〜１０７のいずれか一項に記載の方法。
【請求項１０９】
前記生物学的ナノ粒子の前記サイズ値が、流体力学的直径である、請求項１〜１０８のいずれか一項に記載の方法。
【請求項１１０】
前記流体力学的直径が、９００ナノメートル未満、８００ナノメートル未満、７００ナノメートル未満、６００ナノメートル未満、５００ナノメートル未満、４００ナノメートル未満、３００ナノメートル未満、２００ナノメートル未満、１５０ナノメートル未満、１００ナノメートル未満、９０ナノメートル未満、８０ナノメートル未満、７０ナノメートル未満、６０ナノメートル未満、５０ナノメートル未満、４０ナノメートル未満、または３０ナノメートル未満である、請求項１０９に記載の方法。
【請求項１１１】
前記サイズ値の前記割り当てが、デューティサイクルの検出を使用する、請求項１〜１１０のいずれか一項に記載の方法。
【請求項１１２】
前記生物学的ナノ粒子が、細胞外小胞、オルガネラ、微小胞、細胞由来小胞、タンパク質凝集体、核酸凝集体、脂質凝集体、ウイルス、細菌、またはエキソソームを含む、請求項１〜１１１のいずれか一項に記載の方法。
【請求項１１３】
生物学的ナノ粒子が、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度で前記マイクロ流体チップを通過する、請求項１〜１１２のいずれか一項に記載の方法。
【請求項１１４】
前記少なくとも１つのナノ粒子を濃縮集団に選別することをさらに含む、請求項１〜１１３のいずれか一項に記載の方法。
【請求項１１５】
前記選別することが、流動変位選別を含む、請求項１１４に記載の方法。
【請求項１１６】
選別することが、音響選別または物理的障壁の使用を含まないことを条件とする、請求項１１４〜１１５のいずれか一項に記載の方法。
【請求項１１７】
前記選別することが、前記サイズ値、バイオマーカーの存在、検出された前記光強度、放出された波長、複数の放出された波長、前記生物学的ナノ粒子の識別、またはこれらの組み合わせによって判定される、請求項１１４〜１１６のいずれか一項に記載の方法。
【請求項１１８】
前記濃縮集団が、１００％未満の直径ばらつきを有する、請求項１１４〜１１７のいずれか一項に記載の方法。
【請求項１１９】
前記濃縮集団が、直径値の５００％以内、直径値の４００％以内、直径値の３００％以内、直径値の２００％以内、直径値の１００％以内、直径値の５０％以内、または直径値の２５％以内の直径範囲を有する、請求項１１４〜１１７のいずれか一項に記載の方法。
【請求項１２０】
前記濃縮集団の前記生物学的ナノ粒子のうちの８０％超が、検出可能な薬剤と会合する、請求項１１４〜１１９のいずれか一項に記載の方法。
【請求項１２１】
前記流体サンプルが、体液を含む、請求項１〜１２０のいずれか一項に記載の方法。
【請求項１２２】
前記生物学的ナノ粒子が、エキソソームである、請求項１２１に記載の方法。
【請求項１２３】
前記体液が、血清、血漿、脊髄液、またはリンパ液を含む、請求項１２１〜１２２のいずれか一項に記載の方法。
【請求項１２４】
前記生物学的ナノ粒子が、単離される、請求項１〜１２３のいずれか一項に記載の方法。
【請求項１２５】
前記生物学的ナノ粒子が、少なくとも１つのバイオマーカーと会合する、請求項１〜１２４のいずれか一項に記載の方法。
【請求項１２６】
前記生物学的ナノ粒子と会合した前記少なくとも１つのバイオマーカーを検出することと、
前記生物学的ナノ粒子にバイオマーカー値を割り当てることと、をさらに含む、請求項１２５に記載の方法。
【請求項１２７】
前記バイオマーカー値が、バイナリシステムから割り当てられる、請求項１２６に記載の方法。
【請求項１２８】
前記バイオマーカー値が、複数の値から割り当てられる、請求項１２６に記載の方法。
【請求項１２９】
前記バイオマーカーが、タンパク質バイオマーカーである、請求項１２５〜１２８のいずれか一項に記載の方法。
【請求項１３０】
前記タンパク質バイオマーカーが、テトラスパニン、熱ショックタンパク質、膜輸送体、細胞接着タンパク質、脂質結合タンパク質、膜貫通タンパク質、酵素、またはこれらの組み合わせからなる群から選択される、請求項１２９に記載の方法。
【請求項１３１】
前記バイオマーカーが、核酸バイオマーカーである、請求項１２５〜１２８のいずれか一項に記載の方法。
【請求項１３２】
前記核酸バイオマーカーが、ｍｉＲ−１４１、ｍｉＲ−３７５、ｍｉＲＮＡ−２１、ｍｉＲＮＡ−１２４６、ｍｉＲ−３２０ｃ、ｍｉＲ−６０６８、ｍｉＲ−９、ｍｉＲ−１０７、ｍｉＲＮＡ−１２８、ｍｉＲＮＡ１３４、ｍｉＲＮＡ−１３７、ｍｉＲＮＡ１２４、ｍｉＲ−２１、ｍｉＲ−１４１、ｍｉＲ−２００ａ、ｍｉＲ−２００ｂ、ｍｉＲ−２００ｃ、ｍｉＲ−２０３、ｍｉＲ−２０５、ｍｉＲ−２１４、ｍｉＲ−１７、ｍｉＲ−３ｐ、ｍｉＲ−２１、ｍｉＲ−２０ｂ、ｍｉＲ−２２３、ｍｉＲ−３０１、ｍｉＲ−１４１、ｍｉＲ−３７５、ｍｉＲ−２１、ｍｉＲ−１２４６、ｍｉＲ−２１、ｌｅｔ−７ｆ、および他のＬｅｔ−７  ｍｉＲＮＡからなる群から選択される、請求項１３１に記載の方法。
【請求項１３３】
前記サイズ値、前記バイオマーカー値、またはこれらの組み合わせに基づいて前記生物学的ナノ粒子の前記流動を方向付けることをさらに含む、請求項１２６〜１３２のいずれか一項に記載の方法。
【請求項１３４】
前記生物学的ナノ粒子を濃縮集団に選別することをさらに含み、前記選別することが、前記サイズ値、前記バイオマーカー値、またはこれらの組み合わせによって判定される、請求項１２６〜１３３のいずれか一項に記載の方法。
【請求項１３５】
前記生物学的ナノ粒子が、少なくとも１つのタグと会合する、請求項１〜１３４のいずれか一項に記載の方法。
【請求項１３６】
前記生物学的ナノ粒子と会合した前記少なくとも１つのタグを検出することと、
前記生物学的ナノ粒子にタグ値を割り当てることと、をさらに含む、請求項１３５に記載の方法。
【請求項１３７】
前記タグ値が、バイナリシステムから割り当てられる、請求項１３６に記載の方法。
【請求項１３８】
前記タグ値が、複数の値から割り当てられる、請求項１３７に記載の方法。
【請求項１３９】
前記タグが、前記生物学的ナノ粒子と会合したタンパク質マーカーに由来する信号、前記生物学的ナノ粒子の前記サイズに由来する信号、前記生物学的ナノ粒子と会合した膜色素に由来する信号、前記生物学的ナノ粒子と会合した体積色素に由来する信号、前記生物学的ナノ粒子の核酸と会合した色素に由来する信号、前記生物学的ナノ粒子の脂質と会合した色素に由来する信号、および前記生物学的ナノ粒子と会合した色素に由来する信号からなる群から選択される、請求項１３５〜１３８のいずれか一項に記載の方法。
【請求項１４０】
前記サイズ値および／または前記タグ値に基づいて前記生物学的ナノ粒子の前記流動を方向付けることをさらに含む、請求項１３６〜１３９のいずれか一項に記載の方法。
【請求項１４１】
前記生物学的ナノ粒子を濃縮集団に選別することをさらに含み、前記選別することが、前記サイズ値および／または前記タグ値によって判定される、請求項１３６〜１４０のいずれか一項に記載の方法。
【請求項１４２】
流体サンプル中の生物学的ナノ粒子のサイズを判定するためのデバイスであって、
マイクロ流体チップと、
前記生物学的ナノ粒子が前記マイクロ流体チップの少なくとも一部分を通して流動中である間に、粒子単位で生物学的ナノ粒子の存在または不在を検出するように構成された少なくとも１つの検出器と、
コンピュータであって、
前記生物学的ナノ粒子の放出された検出可能な光強度の存在または不在に基づいて生物学的ナノ粒子をランク付けすることと、
前記生物学的ナノ粒子の前記放出された検出可能な光強度に基づいて、生物学的ナノ粒子のサイズ値を測定することと、を行うためのソフトウェアを有する、コンピュータと、を含む、デバイス。
【請求項１４３】
前記マイクロ流体チップが、少なくとも１つのマイクロ流体チャネルを含む、請求項１４２に記載のデバイス。
【請求項１４４】
前記少なくとも１つのマイクロ流体チャネルが、狭窄部を含む、請求項１４３に記載のデバイス。
【請求項１４５】
探測処理用ソースをさらに含む、請求項１４４に記載のデバイス。
【請求項１４６】
前記探測処理用ソースが、電磁放射線源を含む、請求項１４５に記載のデバイス。
【請求項１４７】
前記探測処理用ソースが、固体レーザ、ダイオード励起レーザ、発光ダイオード（ＬＥＤ）、ランプ、アーク放電、磁気パルス、および自然光からなる群から選択される、請求項１４５〜１４６のいずれか一項に記載のデバイス。
【請求項１４８】
前記検出器が、蛍光、ルミネセンス光、またはこれらの任意の組み合わせを検出する、請求項１４４〜１４７のいずれか一項に記載のデバイス。
【請求項１４９】
前記検出器が、複数の異なる発光プロファイルを検出することができる、請求項１４２〜１４８のいずれか一項に記載のデバイス。
【請求項１５０】
前記検出器が、散乱光を検出することができる、請求項１４２〜１４９のいずれか一項に記載のデバイス。
【請求項１５１】
前記検出器が、単一ナノ粒子感度を有するか、前記検出器が、単一分子感度を有するか、またはこれらの任意の組み合わせである、請求項１４２〜１５０のいずれか一項に記載のデバイス。
【請求項１５２】
前記ランク付けが、前記サイズ値の前記測定に対応する、請求項１４２〜１５１のいずれか一項に記載のデバイス。
【請求項１５３】
前記サイズ値が、相対サイズ値である、請求項１４２〜１５２のいずれか一項に記載のデバイス。
【請求項１５４】
前記サイズ値が、検出された前記光強度の差によって測定される、請求項１４２〜１５３のいずれか一項に記載のデバイス。
【請求項１５５】
前記サイズ値が、検出された変調指数に基づいて測定される、請求項１４２〜１５４のいずれか一項に記載のデバイス。
【請求項１５６】
前記サイズ値が、検出された前記光強度および検出された変調指数に基づいて測定される、請求項１４２〜１５５のいずれか一項に記載のデバイス。
【請求項１５７】
前記変調指数が、振幅変調指数、周波数変調指数、位相変調指数、またはこれらの組み合わせを含む、請求項１４２〜１５６のいずれか一項に記載のデバイス。
【請求項１５８】
前記サイズ値が、実際のサイズ値である、請求項１４２〜１５２または１５４〜１５７のいずれか一項に記載のデバイス。
【請求項１５９】
生物学的ナノ粒子の前記流動を方向付けるための機構をさらに含む、請求項１４２〜１５８のいずれか一項に記載のデバイス。
【請求項１６０】
生物学的ナノ粒子の流動を方向付けるための前記機構が、１ｍｓ以下で流動を方向付けることができる、請求項１５９に記載のデバイス。
【請求項１６１】
流動を方向付けるための前記機構が、流動変位を使用する、請求項１５９〜１６０のいずれか一項に記載のデバイス。
【請求項１６２】
流動を方向付けるための前記機構が、電気浸透流、圧力の印加、またはこれらの組み合わせを使用する、請求項１５９〜１６１のいずれか一項に記載のデバイス。
【請求項１６３】
前記サイズ値を有する生物学的ナノ粒子の数を定量化するためのソフトウェアをさらに含む、請求項１５９〜１６２のいずれか一項に記載のデバイス。
【請求項１６４】
前記流体サンプルの濃度を判定するためのソフトウェアをさらに含む、請求項１５９〜１６３のいずれか一項に記載のデバイス。
【請求項１６５】
フィルタをさらに含む、請求項１４２〜１６４のいずれか一項に記載のデバイス。
【請求項１６６】
前記マイクロ流体チップが、平面デバイスであり、少なくとも１つのマイクロ流体チャネルを含む、請求項１４２〜１６５のいずれか一項に記載のデバイス。
【請求項１６７】
前記少なくとも１つのマイクロ流体チャネルの少なくとも一部分が、１０μｍ未満の幅、５μｍ未満の幅、または２μｍ未満の幅を有する、請求項１６６に記載のデバイス。
【請求項１６８】
前記少なくとも１つのマイクロ流体チャネルの少なくとも一部分が、１０μｍ未満の高さ、５μｍ未満の高さ、または２μｍ未満の高さを有する、請求項１６６〜１６７のいずれか一項に記載のデバイス。
【請求項１６９】
前記少なくとも１つのマイクロ流体チャネルの少なくとも一部分が、１００μｍ２未満の断面積、９０μｍ２未満の断面積、８０μｍ２未満の断面積、７０μｍ２未満の断面積、６０μｍ２未満の断面積、５０μｍ２未満の断面積、４０μｍ２未満の断面積、３０μｍ２未満の断面積、２０μｍ２未満の断面積、１０μｍ２未満の断面積、５μｍ２未満の断面積、または２μｍ２未満の断面積を有する、請求項１６６〜１６８のいずれか一項に記載のデバイス。
【請求項１７０】
バイオマーカーの少なくとも１つのコピー数を判定するためのソフトウェアをさらに含む、請求項１４２〜１６９のいずれか一項に記載のデバイス。
【請求項１７１】
前記探測処理用ソースが、誘導放出抑制（ＳＴＥＤ）によって改変される、請求項１４２〜１７０のいずれか一項に記載のデバイス。
【請求項１７２】
前記検出、前記ランク付け、および前記測定が、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度で行われる、請求項１４２〜１７１のいずれか一項に記載のデバイス。
【請求項１７３】
前記速度が、毎時５００万粒子超である、請求項１７２に記載のデバイス。
【請求項１７４】
前記マイクロ流体チップが、２つ以上のマイクロ流体チャネルを含み、流動を方向付けるための前記機構が、生物学的ナノ粒子を前記２つ以上のマイクロ流体チャネルの各々に選別することができる、請求項１４２〜１７３のいずれか一項に記載のデバイス。
【請求項１７５】
前記選別することが、濃縮集団を生成する、請求項１７４に記載のデバイス。
【請求項１７６】
前記生物学的ナノ粒子を選別するためのソフトウェアをさらに含む、請求項１４２〜１７５のいずれか一項に記載のデバイス。
【請求項１７７】
前記選別することが、前記サイズ値に依存する、請求項１７６に記載のデバイス。
【請求項１７８】
前記選別することが、前記ランク付けすることに依存する、請求項１７６〜１７７のいずれか一項に記載のデバイス。
【請求項１７９】
コーティングされた平面状の表面上で生物学的ナノ粒子を捕捉するための方法であって、
コーティングを有する少なくとも１つの平面状の表面を提供することであって、前記コーティングが、
非特異的吸着抵抗材料と、
複数の捕捉分子と、を含む、提供することと、
複数の生物学的ナノ粒子を含む流体サンプルを前記コーティングと接触させることと、
前記生物学的ナノ粒子と前記コーティングとの接触を容易にするために、前記少なくとも１つの平面状の表面と接触している前記流体サンプルを遠心分離することと、
前記複数の捕捉分子のうちの少なくともいくつかで前記複数のナノ粒子のうちの少なくともいくつかを捕捉することと、を含む、方法。
【請求項１８０】
前記流体サンプルの少なくとも一部分が、１０ｍｍ未満、９ｍｍ未満、５ｍｍ未満、１ｍｍ未満、９００μｍ未満、８００μｍ未満、７００μｍ未満、６００μｍ未満、５００μｍ未満、４００μｍ未満、３００μｍ未満、２００μｍ未満、または１００μｍ未満の層厚を有する、請求項１７９に記載の方法。
【請求項１８１】
前記少なくとも１つの平面状の表面が、ガラスを含む、請求項１７９〜１８０のいずれか一項に記載の方法。
【請求項１８２】
前記流体サンプルを蒸発防止層で覆うことをさらに含む、請求項１７９〜１８１のいずれか一項に記載の方法。
【請求項１８３】
前記蒸発防止層が、テープである、請求項１８２に記載の方法。
【請求項１８４】
前記蒸発防止層が、鉱油である、請求項１８２に記載の方法。
【請求項１８５】
前記流体サンプルを濾過することをさらに含む、請求項１７９〜１８４のいずれか一項に記載の方法。
【請求項１８６】
前記濾過工程が前記接触工程の前に行われる、請求項１８５に記載の方法。
【請求項１８７】
前記濾過が、遠心力によって駆動される、請求項１８５〜１８６のいずれか一項に記載の方法。
【請求項１８８】
前記少なくとも１つの平面状の表面を分析することをさらに含む、請求項１７９〜１８７のいずれか一項に記載の方法。
【請求項１８９】
前記分析が、前記コーティングと会合した前記生物学的ナノ粒子の数をカウントすることを含む、請求項１８８に記載の方法。
【請求項１９０】
前記分析が、前記コーティングと会合した前記生物学的ナノ粒子からの放出された光強度を測定することを含む、請求項１８８〜１８９のいずれか一項に記載の方法。
【請求項１９１】
前記分析が、前記コーティングと会合した前記生物学的ナノ粒子を撮像することを含む、請求項１８８〜１９０のいずれか一項に記載の方法。
【請求項１９２】
前記非特異的吸着抵抗材料が、ポリエチレングリコールを含む、請求項１７９〜１９１のいずれか一項に記載の方法。
【請求項１９３】
前記非特異的吸着抵抗材料が、双性イオン表面を含む、請求項１７９〜１９２のいずれか一項に記載の方法。
【請求項１９４】
前記双性イオン表面が、カルボキシベタインを含む、請求項１９３に記載の方法。
【請求項１９５】
前記非特異的吸着抵抗材料が、ウシ血清アルブミンを含む、請求項１７９〜１９４のいずれか一項に記載の方法。
【請求項１９６】
前記複数の捕捉分子が、抗体を含む、請求項１７９〜１９５のいずれか一項に記載の方法。
【請求項１９７】
前記抗体が、ビオチン化されている、請求項１９６に記載の方法。
【請求項１９８】
前記複数の捕捉分子が、ビオチンまたはストレプトアビジンを含む、請求項１７９〜１９７のいずれか一項に記載の方法。
【請求項１９９】
前記複数の捕捉分子が、核酸を含む、請求項１７９〜１９８のいずれか一項に記載の方法。
【請求項２００】
前記複数の生物学的ナノ粒子が、細胞外小胞、オルガネラ、微小胞、細胞由来小胞、タンパク質凝集体、核酸凝集体、脂質凝集体、ウイルス、細菌、エキソソーム、またはこれらの組み合わせを含む、請求項１７９〜１９９のいずれか一項に記載の方法。
【請求項２０１】
前記複数の生物学的ナノ粒子が、エキソソームを含む、請求項１７９〜１９９のいずれか一項に記載の方法。
【請求項２０２】
前記少なくとも１つの平面状の表面が、０．１ｍｍ〜１００ｃｍ、０．１ｍｍ〜２０ｃｍ、１ｍｍ〜２０ｃｍ、５ｍｍ〜１０ｃｍ、１ｍｍ〜５ｃｍ、１０ｍｍ〜１０ｃｍ、５ｍｍ〜５ｃｍ、または１ｃｍ〜５０ｃｍの直径を有する、請求項１７５〜２０１のいずれか一項に記載の方法。
【請求項２０３】
前記少なくとも１つの平面状の表面が、１ｃｍ超の直径を有する、請求項１７９〜２０１のいずれか一項に記載の方法。
【請求項２０４】
前記少なくとも１つの平面状の表面が、１ｃｍ〜１００ｃｍ、１ｍｍ〜１ｃｍ、１ｍｍ〜２０ｃｍ、５ｍｍ〜２０ｃｍ、１０ｍｍ〜２０ｃｍ、１００ｍｍ〜２０ｃｍ、１ｃｍ〜２０ｃｍ、または１ｃｍ〜５０ｃｍの幅を有する、請求項１７９〜２０１のいずれか一項に記載の方法。
【請求項２０５】
前記少なくとも１つの平面状の表面が、０．１ｍｍ〜１００ｃｍ、１ｍｍ〜２０ｃｍ、１ｍｍ〜１０ｃｍ、５ｍｍ〜２０ｃｍ，１０ｍｍ〜２０ｃｍ、１００ｍｍ〜２０ｃｍ、１ｃｍ〜２０ｃｍ、または１ｃｍ〜５０ｃｍの長さを有する、請求項１７９〜２０１または２０４のいずれか一項に記載の方法。
【請求項２０６】
前記少なくとも１つの平面状の表面が表面積を有し、前記表面積が、２００ｃｍ２〜１００ｃｍ２であるか、前記表面積が、１５０ｃｍ２〜８０ｃｍ２であるか、前記表面積が、１５０ｃｍ２〜１ｃｍ２であるか、前記表面積が、２００ｃｍ２〜１ｍｍ２であるか、前記表面積が、１２０ｃｍ２〜１ｍｍ２であるか、前記表面積が、８０ｃｍ２〜１ｍｍ２であるか、前記表面積が、５０ｃｍ２〜１ｍｍ２であるか、前記表面積が、２０ｃｍ２〜１ｍｍ２であるか、前記表面積が、１ｃｍ２〜１ｍｍ２であるか、前記表面積が、７５ｍｍ２〜１ｍｍ２であるか、前記表面積が、５０ｍｍ２〜１ｍｍ２であるか、前記表面積が、２５ｍｍ２〜１ｍｍ２であるか、または前記表面積が、１０ｍｍ２〜１ｍｍ２である、請求項１７９〜２０１のいずれか一項に記載の方法。
【請求項２０７】
検出可能な薬剤を前記複数のナノ粒子のうちの少なくとも１つと会合させることをさらに含む、請求項１７９〜２０６のいずれか一項に記載の方法。
【請求項２０８】
前記検出可能な薬剤が、蛍光標識抗体、蛍光標識タンパク質、蛍光標識核酸、蛍光標識脂質、膜色素、蛍光発生色素、色素、ポリマードット、およびこれらの組み合わせからなる群から選択される、請求項２０７に記載の方法。
【請求項２０９】
複数の区画を含む収容デバイスを提供することをさらに含み、前記複数の区画のうちの少なくとも１つが前記少なくとも１つの平面状の表面および前記流体サンプルを含む、請求項１７９〜２０８のいずれか一項に記載の方法。
【請求項２１０】
前記収容デバイスが、ウェルプレートである、請求項２０９に記載の方法。
【請求項２１１】
前記複数の区画が、ウェルを含む、請求項２０９〜２１０のいずれか一項に記載の方法。
【請求項２１２】
前記収容デバイスが、マイクロ流体チップである、請求項２０９に記載の方法。
【請求項２１３】
前記複数の区画が、マイクロ流体チャネルを含む、請求項２０９〜２１２のいずれか一項に記載の方法。
【請求項２１４】
前記収容デバイスが、ブロックであり、前記複数の区画が、複数の穴を含む、請求項２０９に記載の方法。
【請求項２１５】
前記収容デバイスを前記少なくとも１つの平面状の表面に取り付けることをさらに含む、請求項２０９〜２１４のいずれか一項に記載の方法。
【請求項２１６】
前記収容デバイスが、上部デバイスに取り付けられている、請求項２０９〜２１５のいずれか一項に記載の方法。
【請求項２１７】
前記上部デバイスが、フィルタを含む、請求項２１６に記載の方法。
【請求項２１８】
前記上部デバイスが、マイクロ流体デバイスを含む、請求項２１６〜２１７のいずれか一項に記載の方法。
【請求項２１９】
前記上部デバイスが、マルチウェルプレートを含む、請求項２１６〜２１８のいずれか一項に記載の方法。
【請求項２２０】
前記少なくとも１つの平面状の表面を前記収容デバイスから除去することをさらに含む、請求項２０９〜２１９のいずれか一項に記載の方法。
【請求項２２１】
前記除去することが、前記捕捉することの後に行われる、請求項２２０に記載の方法。
【請求項２２２】
前記遠心分離が一定期間行われ、前記コーティングと会合した前記生物学的ナノ粒子の数が、前記遠心分離の工程を省略した比較実験よりも少なくとも１００％超であり、前記比較流体サンプルが、同じ期間、前記コーティングと接触する、請求項１７９〜２２１のいずれか一項に記載の方法。
【請求項２２３】
前記期間が、１時間未満、３０分未満、１５分未満、１０分未満、５分未満、または１分未満である、請求項２２２に記載の方法。
【請求項２２４】
前記複数のナノ粒子のうちの少なくとも１０％が、前記コーティングで捕捉される、請求項１７９〜２２３のいずれか一項に記載の方法。
【請求項２２５】
前記コーティングされた平面状の表面の安定性を増加させることをさらに含む、請求項１７９〜２２４のいずれか一項に記載の方法。
【請求項２２６】
前記安定性の前記増加が、凍結乾燥を含む、請求項２２５に記載の方法。
【請求項２２７】
前記安定性の前記増加が、前記コーティングと会合した前記複数の捕捉分子のうちの少なくともいくつかによる前記複数のナノ粒子のうちの少なくともいくつかの前記捕捉の前に生じる、請求項２２５〜２２６のいずれか一項に記載の方法。
【請求項２２８】
前記少なくとも１つの平面状の表面が、顕微鏡検査と適合性である、請求項１７９〜２２７のいずれか一項に記載の方法。
【請求項２２９】
前記少なくとも１つの平面状の表面が、カバースリップを含む、請求項１７９〜２２８のいずれか一項に記載の方法。
【請求項２３０】
前記遠心力が、前記平面状の表面のうちの複数に同時に加えられる、請求項１７９〜２２９のいずれか一項に記載の方法。
【請求項２３１】
前記複数の捕捉分子が、連結部分を介して前記平面状の表面に付着される、請求項１７９〜２３０のいずれか一項に記載の方法。
【請求項２３２】
前記連結部分を切断することをさらに含む、請求項２３１に記載の方法。
【請求項２３３】
前記複数の生物学的ナノ粒子のうちの少なくともいくつかを前記コーティングから脱離させることをさらに含む、請求項１７９〜２３２のいずれか一項に記載の方法。
【請求項２３４】
前記脱離させることが、ビオチンでの溶出を含む、請求項２３３に記載の方法。
【請求項２３５】
前記脱離した生物学的ナノ粒子が、構造的に損傷していない、請求項２３３〜２３４のいずれか一項に記載の方法。
【請求項２３６】
前記脱離した生物学的ナノ粒子が、溶解され、溶解物が、分析のために収集される、請求項２３３〜２３４のいずれか一項に記載の方法。
【請求項２３７】
前記分析が、核酸分析、シーケンシング、ポリメラーゼ連鎖反応、タンパク質分析、ＥＬＩＳＡ、質量分析、炭水化物分析、小分子分析、薬物分析、および脂質分析からなる群から選択される、請求項２３６に記載の方法。
【請求項２３８】
前記複数の捕捉分子のうちの前記少なくともいくつかによって捕捉されなかった前記流体サンプルのうちの少なくともいくつかを除去するために前記平面状の表面を洗浄することをさらに含む、請求項１７９〜２３７に記載の方法。
【請求項２３９】
前記コーティングで捕捉された前記複数のナノ粒子のうちの前記少なくともいくつかが、撮像される、請求項１７９〜２３８のいずれか一項に記載の方法。
【請求項２４０】
前記撮像することが、蛍光顕微鏡法を含む、請求項２３９に記載の方法。
【請求項２４１】
前記蛍光顕微鏡法が、超解像撮像である、請求項２４０に記載の方法。
【請求項２４２】
前記蛍光顕微鏡法が、前記生物学的ナノ粒子と会合した少なくとも１つの膜色素を使用する、請求項２４０〜２４１のいずれか一項に記載の方法。
【請求項２４３】
前記少なくとも１つの膜色素が、ＦＭ  １４３、ＡＮＥＰＰＳ、またはこれらの組み合わせを含む、請求項２４２に記載の方法。
【請求項２４４】
前記撮像することが、原子間力顕微鏡法を含む、請求項２３９〜２４３のいずれか一項に記載の方法。
【請求項２４５】
前記撮像することが、透過型電子顕微鏡法を含む、請求項２３９〜２４４のいずれか一項に記載の方法。
【請求項２４６】
前記撮像することが、情報のセットを提供する、請求項２３９〜２４５のいずれか一項に記載の方法。
【請求項２４７】
前記情報のセットが、前記ナノ粒子上に存在する前記バイオマーカーを識別することを含む、請求項２４６に記載の方法。
【請求項２４８】
前記情報のセットが、前記ナノ粒子上に存在する前記抗体を識別することを含む、請求項２４６〜２４７のいずれか一項に記載の方法。
【請求項２４９】
前記情報のセットが、前記ナノ粒子の前記サイズを判定することを含む、請求項２４６〜２４８のいずれか一項に記載の方法。
【請求項２５０】
前記ナノ粒子の前記サイズが、相対サイズ値であり、前記相対サイズ値が、測定された光強度の差によって判定される、請求項２４９に記載の方法。
【請求項２５１】
前記測定された光強度を標準で較正して、前記ナノ粒子の前記実際のサイズ値を判定することをさらに含む、請求項２５０に記載の方法。
【請求項２５２】
前記較正が、前記光強度の前記測定することの前に行われる、請求項２５１に記載の方法。
【請求項２５３】
前記ナノ粒子のサイズが、前記生物学的ナノ粒子の実際のサイズ値である、請求項２５１〜２５２に記載の方法。
【請求項２５４】
前記標準が、金ナノ粒子を含む、請求項２５０〜２５３のいずれか一項に記載の方法。
【請求項２５５】
前記標準が、複数の脂質を含む、請求項２５０〜２５４のいずれか一項に記載の方法。
【請求項２５６】
前記標準が、脂質小胞を含む、請求項２５０〜２５５のいずれか一項に記載の方法。
【請求項２５７】
前記標準が、シリカビーズ、ポリスチレンビーズ、シリコーンビーズ、ポリマービーズ、ポリマーナノ粒子、またはこれらの組み合わせを含む、請求項２５０〜２５６のいずれか一項に記載の方法。
【請求項２５８】
前記流体サンプルが、第２の生物学的ナノ粒子をさらに含み、前記標準が、前記第２の生物学的ナノ粒子を含む、請求項２５０〜２５７のいずれか一項に記載の方法。
【請求項２５９】
前記標準の前記サイズが、動的光散乱で測定される、請求項２５０〜２５８のいずれか一項に記載の方法。
【請求項２６０】
前記測定された光強度が、単一ナノ粒子感度を有する、請求項２５０〜２５９のいずれか一項に記載の方法。
【請求項２６１】
前記測定された光強度が、単一分子感度を有する、請求項２５０〜２５９のいずれか一項に記載の方法。
【請求項２６２】
前記測定された光強度が、多数の検出可能な薬剤を含む単一の抗体を検出する、請求項２５０〜２５９のいずれか一項に記載の方法。
【請求項２６３】
前記情報のセットが、前記サンプルの濃度を識別することを含む、請求項２４６〜２６２のいずれか一項に記載の方法。
【請求項２６４】
前記情報のセットが、生体分子の前記コピー数を識別することを含む、請求項２４６〜２６３のいずれか一項に記載の方法。
【請求項２６５】
前記生物学的ナノ粒子が、少なくとも１つのバイオマーカーを含む、請求項１７９〜２６４のいずれか一項に記載の方法。
【請求項２６６】
前記生物学的ナノ粒子が、複数の検出可能な薬剤と会合する、請求項２６５に記載の方法。
【請求項２６７】
前記複数の検出可能な薬剤のうちの少なくとも１つが、前記生物学的ナノ粒子の前記表面に付着されるか、前記複数の検出可能な薬剤のうちの少なくとも１つが、前記生物学的ナノ粒子の前記表面内にあるか、前記複数の検出可能な薬剤のうちの少なくとも１つが、前記生物学的ナノ粒子の前記内部にあるか、またはこれらの組み合わせである、請求項２６６に記載の方法。
【請求項２６８】
前記複数の検出可能な薬剤が、複数のタイプの検出可能な薬剤を含む、請求項２６６〜２６７のいずれか一項に記載の方法。
【請求項２６９】
前記複数の検出可能な薬剤が、異なる発光プロファイルを有する、請求項２６８に記載の方法。
【請求項２７０】
前記発光プロファイルが、異なるピーク波長を有する、請求項２６９に記載の方法。
【請求項２７１】
前記ピーク波長が、１０ナノメートルよりも大きく、２０ナノメートルよりも大きく、３０ナノメートルよりも大きく、４０ナノメートルよりも大きく、５０ナノメートルよりも大きく、７５ナノメートルよりも大きく、１００ナノメートルよりも大きく、１２０ナノメートルよりも大きく、１４０ナノメートルよりも大きく、１６０ナノメートルよりも大きく、１８０ナノメートルよりも大きく、２００ナノメートルよりも大きく、３００ナノメートルよりも大きく、４００ナノメートルよりも大きく、５００ナノメートルよりも大きく、６００ナノメートルよりも大きく、または７００ナノメートルよりも大きく分離される、請求項２７０に記載の方法。
【請求項２７２】
前記複数の検出可能な薬剤が、共局在する、請求項２６６〜２７１のいずれか一項に記載の方法。
【請求項２７３】
共局在した検出可能な薬剤の存在が、情報のセットを提供する、請求項２７２に記載の方法。
【請求項２７４】
前記情報のセットが、前記少なくとも１つのバイオマーカーの存在、前記少なくとも１つのバイオマーカーの不在、またはこれらの組み合わせを含む、請求項２７３に記載の方法。
【請求項２７５】
前記少なくとも１つの平面状の表面が、半透明である、請求項１７９〜２７４のいずれか一項に記載の方法。
【請求項２７６】
前記少なくとも１つの平面状の表面が、透明である、請求項１７９〜２７５のいずれか一項に記載の方法。
【請求項２７７】
ナノ粒子を捕捉するためのキットであって、
コーティングを有する少なくとも１つの平面状の表面であって、前記コーティングが、
非特異的吸着抵抗材料と、
複数の捕捉分子と、を含む、少なくとも１つの平面状の表面と、
複数の区画を含む収容デバイスであって、遠心分離と適合性である、収容デバイスと、を含む、キット。
【請求項２７８】
前記収容デバイスが、ウェルプレートである、請求項２７７に記載のキット。
【請求項２７９】
前記複数の区画が、ウェルを含む、請求項２７７〜２７８のいずれか一項に記載のキット。
【請求項２８０】
前記収容デバイスが、マイクロ流体チップである、請求項２７７に記載のキット。
【請求項２８１】
前記複数の区画が、マイクロ流体チャネルを含む、請求項２７７〜２８０のいずれか一項に記載のキット。
【請求項２８２】
前記収容デバイスが、ブロックであり、前記複数の区画が、複数の穴を含む、請求項２７７に記載のキット。
【請求項２８３】
前記少なくとも１つの平面状の表面が、ガラスを含む、請求項２７７〜２８２のいずれか一項に記載のキット。
【請求項２８４】
前記非特異的吸着抵抗材料が、ポリエチレングリコールを含む、請求項２７７〜２８３のいずれか一項に記載のキット。
【請求項２８５】
前記非特異的吸着抵抗材料が、双性イオン表面を含む、請求項２７７〜２８４のいずれか一項に記載のキット。
【請求項２８６】
前記双性イオン表面が、カルボキシベタインを含む、請求項２８５に記載のキット。
【請求項２８７】
前記非特異的吸着抵抗材料が、ウシ血清アルブミンを含む、請求項２７７〜２８６のいずれか一項に記載のキット。
【請求項２８８】
前記複数の捕捉分子が、抗体を含む、請求項２７７〜２８７のいずれか一項に記載のキット。
【請求項２８９】
前記抗体が、ビオチン化されている、請求項２８８に記載のキット。
【請求項２９０】
前記複数の捕捉分子が、ビオチンまたはストレプトアビジンを含む、請求項２７７〜２８９のいずれか一項に記載のキット。
【請求項２９１】
前記複数の捕捉分子が、核酸を含む、請求項２７７〜２９０のいずれか一項に記載のキット。
【請求項２９２】
複数の生物学的ナノ粒子をさらに含み、前記複数の生物学的ナノ粒子が、細胞外小胞、オルガネラ、微小胞、細胞由来小胞、タンパク質凝集体、核酸凝集体、脂質凝集体、ウイルス、細菌、エキソソーム、またはこれらの組み合わせを含む、請求項２７７〜２９１のいずれか一項に記載のキット。
【請求項２９３】
説明書をさらに含む、請求項２７７〜２９２のいずれか一項に記載のキット。
【請求項２９４】
検出可能な薬剤をさらに含む、請求項２７７〜２９３のいずれか一項に記載のキット。
【請求項２９５】
前記検出可能な薬剤が、蛍光性である、請求項２９４に記載のキット。
【請求項２９６】
前記検出可能な薬剤が、発光性である、請求項２９４に記載のキット。
【請求項２９７】
前記検出可能な薬剤が、蛍光標識抗体、蛍光標識タンパク質、蛍光標識核酸、蛍光標識脂質、膜色素、蛍光発生色素、色素、ポリマードット、およびこれらの組み合わせからなる群から選択される、請求項２９４〜２９５のいずれか一項に記載のキット。
【請求項２９８】
前記キットが、複数の検出可能な薬剤を含む、請求項２９４〜２９７のいずれか一項に記載のキット。
【請求項２９９】
前記複数の検出可能な薬剤が、重なり合う発光プロファイルを有する、請求項２９８に記載のキット。
【請求項３００】
前記複数の検出可能な薬剤が、同じ発光プロファイルを有する、請求項２９９に記載のキット。
【請求項３０１】
前記発光プロファイルが、同じピーク波長を有する、請求項３００に記載のキット。
【請求項３０２】
前記複数の検出可能な薬剤が、同じ検出可能な薬剤を含む、請求項２９８〜３０１のいずれか一項に記載のキット。
【請求項３０３】
前記複数の検出可能な薬剤が、複数のタイプの検出可能な薬剤を含む、請求項２９８〜３０２のいずれか一項に記載のキット。
【請求項３０４】
前記複数の検出可能な薬剤が、異なる発光プロファイルを有する、請求項３０３に記載のキット。
【請求項３０５】
前記発光プロファイルが、異なるピーク波長を有する、請求項３０４に記載のキット。
【請求項３０６】
前記ピーク波長が、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、または７００ナノメートル超だけ分離される、請求項３０５に記載のキット。
【請求項３０７】
較正するための標準をさらに含む、請求項２７７〜３０６のいずれか一項に記載のキット。
【請求項３０８】
前記標準が、金ナノ粒子を含む、請求項３０７に記載のキット。
【請求項３０９】
前記標準が、複数の脂質を含む、請求項３０７〜３０８のいずれか一項に記載のキット。
【請求項３１０】
前記標準が、脂質小胞を含む、請求項３０７〜３０９のいずれか一項に記載のキット。
【請求項３１１】
前記標準が、シリカビーズ、ポリスチレンビーズ、シリコーンビーズ、ポリマービーズ、ポリマーナノ粒子、またはこれらの組み合わせを含む、請求項３０７〜３１０のいずれか一項に記載のキット。
【発明の詳細な説明】
【技術分野】
【０００１】
関連出願の相互参照
本出願は、２０１８年４月１３日に出願された米国仮特許出願第６２／６５７，２７８号の利益を主張し、この出願はすべての目的のために参照によりその全体が本明細書に組み込まれる。
【背景技術】
【０００２】
マイクロ流体力学は、生物分析研究の重要な構成要素となっている。成功したマイクロ流体バイオ分析アプリケーションとして、ＤＮＡのシーケンシングおよびフラグメントサイジング、ＰＣＲ増幅、タンパク質分析、イムノアッセイ、および細胞選別および操作が挙げられる。これらの例のいくつかは、少量のサンプルおよび試薬、ならびにマイクロスケールの流体フローのユニークな物理特性を利用して、新しい研究を可能にする。準ナノスケールマイクロ流体法は、細胞内オルガネラ、高分子複合体、および他のナノスケール材料の研究に特に適している。
【０００３】
慣用的なフローサイトメータおよび選別機は、癌の診断およびモニタリングと、ウイルスと細胞との相互作用の検査と、を含む、広範な生物学的研究および臨床応用における細胞選別に使用されてきた。従来のフローサイトメータに対する低コストで使い捨ての代替手段として微細加工されたフローサイトメータが登場し、蛍光ビーズおよび大腸菌細胞などの物体の選別に適用されると、より高い感度を示すことができる。これらの微細加工されたサイトメータの感度は、細胞内オルガネラなどのナノスケールシステムの分析および／または選別には依然として不十分なままである可能性があり、必要な、選別の速度およびスループット、または情報コンテンツ（例えば、サイズ情報）が不足する可能性がある。
【０００４】
細胞内オルガネラおよび他の生物学的ナノ粒子のさらなる分析が、例えば、超遠心分離を使用した生体ナノ粒子の凝縮により実現されている。ただし、この凝縮には長時間（通常、４〜５時間）が必要になる可能性があり、２００，０００倍の重力ほどの遠心力を伴う特殊かつ高価な機器を使用することが多く、凝縮プロセスにおける特異性の欠如に起因して、汚染された凝縮物が頻繁に生じる。生体ナノ粒子のよりよく特定された捕捉および分離は、例えば、ストレプトアビジンまたは抗体を使用する捕捉コーティングでコーティングされたビーズを使用して実現される場合がある。ただし、このような方法でも、サンプルの汚染または不良特性をもたらす可能性があり、捕捉されたナノ粒子の下流分析では、ビーズからの放出が必要になる場合があり、収量の低下、生体ナノ粒子の損傷、結果の精度の低下につながる可能性がある。さらに、ビーズを使用する生物学的ナノ粒子の捕捉により、高価な機器、頻繁な手動操作、高度な技術的スキル、および／または長いインキュベーション期間の使用が必要となる可能性がある。
【発明の概要】
【課題を解決するための手段】
【０００５】
本開示は、生物学的ナノ粒子の分析を行うための方法、システム、およびデバイスを提供する。
【０００６】
この要約は、以下の詳細な説明にさらに記載される概念の選択を、簡略化した形式で紹介するために提供される。この要約は、特許請求される主題の主要な特徴を特定することを意図しておらず、また、特許請求される主題の範囲を判定する際の補助として使用されることも意図していない。
【０００７】
様々な態様では、本開示は、流体サンプル中の生物学的ナノ粒子のサイズを判定するための方法を提供し、この方法は、少なくとも１つのマイクロ流体チャネルを含むマイクロ流体チップを提供することと、流体サンプルをマイクロ流体チップ内に導入することであって、流体サンプルが、複数の生物学的ナノ粒子を含む、導入することと、少なくとも１つのマイクロ流体チャネルを通して複数の生物学的ナノ粒子の一部分を流動させることと、粒子単位で、複数の生物学的ナノ粒子の一部分からの少なくとも１つの生物学的ナノ粒子を少なくとも１つのマイクロ流体チャネル内で照明することと、少なくとも１つの生物学的ナノ粒子から放出された光強度を検出することと、マイクロ流体チップ内を輸送中に、少なくとも１つの生物学的ナノ粒子にサイズ値を割り当てることであって、生物学的ナノ粒子が、１μｍ未満の流体力学的直径を有する、割り当てることと、を含む。特定の態様では、方法は、複数の生物学的ナノ粒子の一部分を照明することを含む。いくつかの態様では、方法は、粒子単位で、照明される複数の生物学的ナノ粒子の一部分のうちの少なくとも９０％を少なくとも１つのマイクロ流体チャネル内で照明することを含む。
【０００８】
いくつかの態様では、マイクロ流体チップは、複数の平行なマイクロ流体チャネルを含む。いくつかの態様では、方法は、複数の平行なマイクロ流体チャネルを単一の放射線源で照明することを含む。いくつかの態様では、方法は、複数の平行なマイクロ流体チャネルからの単一のマイクロ流体チャネルからの信号を検出するように構成された複数の検出器を提供することを含む。いくつかの態様では、信号は、少なくとも１つの生物学的ナノ粒子から放出された光強度を含む。いくつかの態様では、方法は、検出領域内の少なくとも１つの生物学的ナノ粒子から放出された光強度を検出器で検出することを含む。
【０００９】
いくつかの態様では、少なくとも１つのマイクロ流体チャネルは、少なくとも１つの狭窄部を含む。いくつかの態様では、検出領域は、少なくとも１つの狭窄部内にある。いくつかの態様では、検出領域は、１０μｍ２未満の面積を有する。いくつかの態様では、方法は、複数の生物学的ナノ粒子の一部分を検出することを含む。いくつかの態様では、複数の生物学的ナノ粒子の一部分における検出される生物学的ナノ粒子のうちの９０％超は、粒子単位で検出領域内で検出される。
【００１０】
いくつかの態様では、方法は、少なくとも１つの生物学的ナノ粒子から放出された光強度を測定することを含む。いくつかの態様では、少なくとも１つの生物学的ナノ粒子から放出された光強度の測定は、タイムビンの使用を含む。いくつかの態様では、タイムビンは、２ｍｓ未満かつ１μｓ超の範囲を有する。いくつかの態様では、少なくとも１つの生物学的ナノ粒子から放出された光強度は、１０：１超の信号対雑音比を有する。
【００１１】
いくつかの態様では、少なくとも１つの生物学的ナノ粒子の照明は、２μｍ未満のビーム幅を有する照明光源を使用することを含む。いくつかの態様では、照明光源は、１０μｍ２未満の面積を有する少なくとも１つのマイクロ流体チャネル内の領域を照明する。
【００１２】
いくつかの態様では、光強度を検出することは、１．０以上かつ１．５以下の開口数を有する集光システムを使用することを含む。
【００１３】
いくつかの態様では、輸送中のサイズ値の割り当ては、生物学的ナノ粒子が流動中である間にサイズ値を割り当てることを含む。いくつかの態様では、流動は中断されない。
【００１４】
いくつかの態様では、サイズ値は光強度に従って割り当てられる。いくつかの態様では、光強度は、蛍光、散乱光、またはこれらの任意の組み合わせを含む。いくつかの態様では、生物学的ナノ粒子は、検出可能な薬剤と会合する。いくつかの態様では、検出可能な薬剤は、生物学的ナノ粒子の表面に付着されるか、検出可能な薬剤は、生物学的ナノ粒子の表面内にあるか、検出可能な薬剤は、生物学的ナノ粒子の内部にあるか、またはこれらの組み合わせである。いくつかの態様では、検出可能な薬剤は蛍光性であるか、検出可能な薬剤は発光性であるか、またはこれらの任意の組み合わせである。いくつかの態様では、生物学的ナノ粒子は、複数の検出可能な薬剤と会合する。いくつかの態様では、複数の検出可能な薬剤のうちの少なくとも１つは、生物学的ナノ粒子の表面に付着されるか、複数の検出可能な薬剤のうちの少なくとも１つは、生物学的ナノ粒子の表面内にあるか、複数の検出可能な薬剤のうちの少なくとも１つは、生物学的ナノ粒子の内部にあるか、またはこれらの組み合わせである。いくつかの態様では、複数の検出可能な薬剤は、重なり合う発光プロファイルを有する。いくつかの態様では、複数の検出可能な薬剤は、同じ発光プロファイルを有する。いくつかの態様では、発光プロファイルは、同じピーク波長を有する。いくつかの態様では、複数の検出可能な薬剤は、同じ検出可能な薬剤を含む。いくつかの態様では、複数の検出可能な薬剤は、複数のタイプの検出可能な薬剤を含む。
【００１５】
特定の態様では、複数の検出可能な薬剤は、異なる発光プロファイルを有する。いくつかの態様では、発光プロファイルは、異なるピーク波長を有する。いくつかの態様では、ピーク波長は、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、または７００ナノメートル超だけ分離される。
【００１６】
いくつかの態様では、複数の検出可能な薬剤は、蛍光性の検出可能な薬剤を含む。いくつかの態様では、光強度は、検出可能な薬剤から放出される。いくつかの態様では、サイズ値の割り当ては、測定された光強度の使用を含む。いくつかの態様では、サイズ値の割り当ては、変調指数の使用を含む。いくつかの態様では、サイズ値の割り当ては、測定された光強度の使用と変調指数の使用とを含む。いくつかの態様では、変調指数は、振幅変調指数である。いくつかの態様では、変調指数は、周波数変調指数である。いくつかの態様では、変調指数は、位相変調指数である。
【００１７】
いくつかの態様では、サイズ値は、相対サイズ値である。いくつかの態様では、相対サイズ値は、測定された光強度の差によって判定される。
【００１８】
いくつかの態様では、方法は、測定された光強度を標準に対して較正することにより、生物学的ナノ粒子の実際のサイズ値を判定することを含む。いくつかの態様では、方法は、光強度の測定値を標準で較正することを含む。いくつかの態様では、較正は、少なくとも１つの生物学的ナノ粒子を含むサンプルの導入前に行われる。いくつかの態様では、サイズ値は、生物学的ナノ粒子の実際のサイズ値である。いくつかの態様では、標準は、金ナノ粒子を含む。いくつかの態様では、標準は、複数の脂質を含む。いくつかの提要では、標準が、脂質小胞を含む。いくつかの態様では、標準は、シリカビーズ、ポリスチレンビーズ、蛍光ビーズ、ポリマービーズ、ポリマーナノ粒子、またはこれらの組み合わせを含む。いくつかの態様では、流体サンプルは、第２の生物学的ナノ粒子をさらに含み、標準は、第２の生物学的ナノ粒子を含む。いくつかの態様では、標準のサイズは、動的光散乱で測定される。
【００１９】
様々な態様では、方法は、サイズ値に基づいて生物学的ナノ粒子の流動を方向付けることを含む。いくつかの態様では、方向付けは、生物学的ナノ粒子を収集に方向付け、サイズ値に基づいて生物学的ナノ粒子の収集を生成する。いくつかの態様では、方向付けに、１ｍｓ以下かかる。いくつかの態様では、流動の方向付けは、流動変位を含む。いくつかの態様では、流動の方向付けは、電気浸透流を含む。いくつかの態様では、流動の方向付けは、圧力の印加を含む。
【００２０】
いくつかの態様では、方法は、サイズ値を有する生物学的ナノ粒子の数を定量化することを含む。いくつかの態様では、方法は、サンプルの濃度を判定することを含む。いくつかの態様では、サンプルの濃度は、サンプルのスパイク頻度をカウントすることによって判定される。いくつかの態様では、方法は、サンプルのスパイク頻度を較正粒子標準スパイク頻度と比較することを含む。いくつかの態様では、サンプルの濃度は、サンプルのスパイク頻度をカウントし、およびサンプルのスパイク頻度をサンプルの体積と比較することによって、判定される。いくつかの態様では、サンプルの濃度は、サンプルのスパイク頻度をカウントし、サンプルのスパイク頻度を較正粒子標準スパイク頻度と比較し、およびサンプルのスパイク頻度をサンプルの体積と比較することによって、判定される。
【００２１】
いくつかの態様では、方法は、サンプルを濾過することを含む。いくつかの態様では、濾過は、サイズ値の割り当ての前に行われる。いくつかの態様では、濾過は、デブリスを除去する。いくつかの態様では、濾過は、クロッギングを防止する。
【００２２】
いくつかの態様では、方法は、分析のために生物学的ナノ粒子を収集することを含む。いくつかの態様では、分析は、核酸分析を含む。いくつかの態様では、核酸分析は、シーケンシング、ＰＣＲ、またはデジタルＰＣＲを含む。いくつかの態様では、分析は、タンパク質分析を含む。いくつかの態様では、タンパク質分析は、ＥＬＩＳＡ、デジタルＥＬＩＳＡ、または質量分析を含む。いくつかの態様では、分析は、脂質分析を含む。いくつかの態様では、分析は、小分子分析を含む。いくつかの態様では、小分子分析は、代謝産物の分析、シグナル伝達分子の分析、薬物の分析、またはこれらの組み合わせを含む。いくつかの態様では、分析は、質量分析を含む。いくつかの態様では、分析は、炭水化物分析を含む。いくつかの態様では、炭水化物分析は、質量分析、核磁気共鳴、フーリエ変換分光法、またはこれらの組み合わせを含む。
【００２３】
いくつかの態様では、マイクロ流体チップは、平面デバイスであり、少なくとも１つのマイクロ流体チャネルを含む。いくつかの態様では、少なくとも１つのマイクロ流体チャネルは、最大高さ、最大幅、および／または最大断面積を有する。いくつかの態様では、少なくとも１つのマイクロ流体チャネルは、狭窄部を含む。いくつかの態様では、狭窄部は、マイクロ流体チャネルの最大幅の２５％未満の幅を有する。いくつかの態様では、狭窄部は、マイクロ流体チャネルの最大高さの２５％未満の高さを有する。いくつかの態様では、狭窄部は、マイクロ流体チャネルの最大断面積の５％未満の断面積を有する。いくつかの態様では、最大幅は、５００μｍ未満かつ１０μｍ超の値を有する。いくつかの態様では、最大高さは、５００μｍ未満かつ１０μｍ超の値を有する。いくつかの態様では、最大断面積は、２５０，０００μｍ２未満かつ２５０μｍ２超の値を有する。いくつかの態様では、少なくとも１つのマイクロ流体チャネルの少なくとも一部分は、１０μｍ未満の幅、５μｍ未満の幅、または２μｍ未満の幅を有する。いくつかの態様では、少なくとも１つのマイクロ流体チャネルの少なくとも一部分は、１０μｍ未満の高さ、５μｍ未満の高さ、または２μｍ未満の高さを有する。いくつかの態様では、少なくとも１つのマイクロ流体チャネルの少なくとも一部分は、１００μｍ２未満の断面積、９０μｍ２未満の断面積、８０μｍ２未満の断面積、７０μｍ２未満の断面積、６０μｍ２未満の断面積、５０μｍ２未満の断面積、４０μｍ２未満の断面積、３０μｍ２未満の断面積、２０μｍ２未満の断面積、１０μｍ２未満の断面積、５μｍ２未満の断面積、または２μｍ２未満の断面積を有する。
【００２４】
いくつかの態様では、マイクロ流体チップは、接合部で交差する複数のマイクロ流体チャネルを含む。いくつかの態様では、１つのチャネルは、接合部で少なくとも３つの異なるマイクロ流体チャネルと交差する。いくつかの態様では、交差部にデッドボリュームがない。
【００２５】
いくつかの態様では、光強度は、散乱光を含む。いくつかの態様では、散乱光は、後方散乱光、側方散乱光、または前方散乱光である。いくつかの態様では、光強度は、散乱光と蛍光との両方を含む。
【００２６】
いくつかの態様では、少なくとも１つの生物学的ナノ粒子からの光強度の検出は、少なくとも１つのマイクロ流体チャネル内を輸送中に検出される。いくつかの態様では、光強度の検出は、単一ナノ粒子感度を有するか、または光強度の検出が、単一分子感度を有する。いくつかの態様では、光強度の検出は、多数の検出可能な薬剤を含む単一の抗体を検出する。
【００２７】
いくつかの態様では、生物学的ナノ粒子は、少なくとも１つのバイオマーカーを含む。いくつかの態様では、方法は、少なくとも１つのバイオマーカーの少なくとも１つのコピー数を判定することを含む。
【００２８】
いくつかの態様では、サイズ値の割り当ては、誘導放出抑制（ＳＴＥＤ）によって改変された光ビームを使用する。いくつかの態様では、生物学的ナノ粒子のサイズ値は、流体力学的直径である。いくつかの態様では、流体力学的直径は、９００ナノメートル未満、８００ナノメートル未満、７００ナノメートル未満、６００ナノメートル未満、５００ナノメートル未満、４００ナノメートル未満、３００ナノメートル未満、２００ナノメートル未満、１５０ナノメートル未満、１００ナノメートル未満、９０ナノメートル未満、８０ナノメートル未満、７０ナノメートル未満、６０ナノメートル未満、５０ナノメートル未満、４０ナノメートル未満、または３０ナノメートル未満である。いくつかの態様では、サイズ値の割り当ては、デューティサイクルの検出を使用する。
【００２９】
いくつかの態様では、生物学的ナノ粒子は、細胞外小胞、オルガネラ、微小胞、細胞由来小胞、タンパク質凝集体、核酸凝集体、脂質凝集体、ウイルス、細菌、またはエキソソームを含む。いくつかの態様では、生物学的ナノ粒子は、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度でマイクロ流体チップを通過する。
【００３０】
いくつかの態様では、方法は、少なくとも１つのナノ粒子を濃縮集団に選別することを含む。いくつかの態様では、選別することは、流動変位選別を含む。いくつかの態様では、選別することは、音響選別または物理的障壁の使用を含まない。いくつかの態様では、選別することは、サイズ値、バイオマーカーの存在、検出された光強度、放出された波長、複数の放出された波長、生物学的ナノ粒子の識別、またはこれらの組み合わせによって判定される。いくつかの態様では、濃縮集団は、１００％未満の直径ばらつきを有する。いくつかの態様では、濃縮集団は、直径値の５００％以内、直径値の４００％以内、直径値の３００％以内、直径値の２００％以内、直径値の１００％以内、直径値の５０％以内、または直径値の２５％以内の直径範囲を有する。いくつかの態様では、濃縮集団の生物学的ナノ粒子のうちの８０％超は、検出可能な薬剤と会合する。
【００３１】
いくつかの態様では、流体サンプルは、体液を含む。いくつかの態様では、生物学的ナノ粒子は、エキソソームである。いくつかの態様では、体液は、血清、血漿、脊髄液、またはリンパ液を含む。いくつかの態様では、生物学的ナノ粒子は、単離される。いくつかの態様では、生物学的ナノ粒子は、少なくとも１つのバイオマーカーと会合する。
【００３２】
いくつかの態様では、方法は、生物学的ナノ粒子と会合した少なくとも１つのバイオマーカーを検出することと、生物学的ナノ粒子にバイオマーカー値を割り当てることと、をさらに含む。いくつかの態様では、バイオマーカー値は、バイナリシステムから割り当てられる。いくつかの態様では、バイオマーカー値は、複数の値から割り当てられる。いくつかの態様では、バイオマーカーは、タンパク質バイオマーカーである。いくつかの態様では、タンパク質バイオマーカーは、テトラスパニン、熱ショックタンパク質、膜輸送体、細胞接着タンパク質、脂質結合タンパク質、膜貫通タンパク質、酵素、またはこれらの組み合わせからなる群から選択される。いくつかの態様では、バイオマーカーは、核酸バイオマーカーである。いくつかの態様では、核酸バイオマーカーは、ｍｉＲ−１４１、ｍｉＲ−３７５、ｍｉＲＮＡ−２１、ｍｉＲＮＡ−１２４６、ｍｉＲ−３２０ｃ、ｍｉＲ−６０６８、ｍｉＲ−９、ｍｉＲ−１０７、ｍｉＲＮＡ−１２８、ｍｉＲＮＡ１３４、ｍｉＲＮＡ−１３７、ｍｉＲＮＡ１２４、ｍｉＲ−２１、ｍｉＲ−１４１、ｍｉＲ−２００ａ、ｍｉＲ−２００ｂ、ｍｉＲ−２００ｃ、ｍｉＲ−２０３、ｍｉＲ−２０５、ｍｉＲ−２１４、ｍｉＲ−１７、ｍｉＲ−３ｐ、ｍｉＲ−２１、ｍｉＲ−２０ｂ、ｍｉＲ−２２３、ｍｉＲ−３０１、ｍｉＲ−１４１、ｍｉＲ−３７５、ｍｉＲ−２１、ｍｉＲ−１２４６、ｍｉＲ−２１、ｌｅｔ−７ｆ、および他のＬｅｔ−７  ｍｉＲＮＡからなる群から選択される。
【００３３】
いくつかの態様では、方法は、サイズ値、バイオマーカー値、またはこれらの組み合わせに基づいて生物学的ナノ粒子の流動を方向付けることをさらに含む。いくつかの態様では、方法は、生物学的ナノ粒子を濃縮集団に選別することをさらに含み、選別することは、サイズ値、バイオマーカー値、またはこれらの組み合わせによって判定される。
【００３４】
いくつかの態様では、生物学的ナノ粒子が、少なくとも１つのタグと会合する。いくつかの態様では、方法は、生物学的ナノ粒子と会合した少なくとも１つのタグを検出することと、生物学的ナノ粒子にタグ値を割り当てることと、をさらに含む。いくつかの態様では、タグ値は、バイナリシステムから割り当てられる。いくつかの態様では、タグ値は、複数の値から割り当てられる。いくつかの態様では、タグは、生物学的ナノ粒子と会合したタンパク質マーカーに由来する信号、生物学的ナノ粒子のサイズに由来する信号、生物学的ナノ粒子と会合した膜色素に由来する信号、生物学的ナノ粒子と会合した体積色素に由来する信号、生物学的ナノ粒子の核酸と会合した色素に由来する信号、生物学的ナノ粒子の脂質と会合した色素に由来する信号、および生物学的ナノ粒子と会合した色素に由来する信号からなる群から選択される。いくつかの態様では、方法は、サイズ値および／またはタグ値に基づいて生物学的ナノ粒子の流動を方向付けることをさらに含む。いくつかの態様では、方法は、生物学的ナノ粒子を濃縮集団に選別することをさらに含み、選別することは、サイズ値および／またはタグ値によって判定される。
【００３５】
様々な態様において、本開示は、流体サンプル中の生物学的ナノ粒子のサイズを判定するためのデバイスを提供し、このデバイスは、マイクロ流体チップと、生物学的ナノ粒子がマイクロ流体チップの少なくとも一部分を通して流動中である間に、粒子単位で生物学的ナノ粒子の存在または不在を検出するように構成された少なくとも１つの検出器と、生物学的ナノ粒子の放出された検出可能な光強度の存在または不在に基づいて生物学的ナノ粒子をランク付けすることと、生物学的ナノ粒子の放出された検出可能な光強度に基づいて、生物学的ナノ粒子のサイズ値を測定することと、を行うためのソフトウェアを有する、コンピュータと、を含む。
【００３６】
いくつかの態様では、マイクロ流体チップは、少なくとも１つのマイクロ流体チャネルを含む。いくつかの態様では、少なくとも１つのマイクロ流体チャネルは、狭窄部を含む。いくつかの態様では、デバイスは、探測処理用ソースをさらに含む。いくつかの態様では、探測処理用ソースは、電磁放射線源を含む。いくつかの態様では、探測処理用ソースは、固体レーザ、ダイオード励起レーザ、発光ダイオード（ＬＥＤ）、ランプ、アーク放電、磁気パルス、および自然光からなる群から選択される。いくつかの態様では、検出器は、蛍光、ルミネセンス光、またはそれらの任意の組み合わせを検出する。いくつかの態様では、検出器は、複数の異なる発光プロファイルを検出し得る。いくつかの態様では、検出器は、散乱光を検出し得る。いくつかの態様では、検出器は、単一ナノ粒子感度を有し、検出器は、単一分子感度、またはそれらの任意の組み合わせを有する。
【００３７】
いくつかの態様では、ランク付けは、サイズ値の測定に対応する。いくつかの態様では、サイズ値は、相対サイズ値である。いくつかの態様では、サイズ値は、検出された光強度の差によって測定される。いくつかの態様では、サイズ値は、検出された変調指数に基づいて測定される。いくつかの態様では、サイズ値は、検出された光強度および検出された変調指数に基づいて測定される。いくつかの態様では、変調指数は、振幅変調指数、周波数変調指数、位相変調指数、またはこれらの組み合わせを含む。いくつかの態様では、サイズ値は、実際のサイズ値である。
【００３８】
いくつかの態様では、デバイスは、生物学的ナノ粒子の流動を方向付けるための機構をさらに含む。いくつかの態様では、生物学的ナノ粒子の流動を方向付けるための機構は、１ｍｓ以下で流動を方向付け得る。いくつかの態様では、流動を方向付けるための機構は、流動変位を使用する。いくつかの態様では、流動を方向付けるための機構は、電気浸透流、圧力の印加、またはこれらの組み合わせを使用する。いくつかの態様では、デバイスは、サイズ値を有する生物学的ナノ粒子の数を定量化するためのソフトウェアをさらに含む。いくつかの態様では、デバイスは、流体サンプルの濃度を判定するためのソフトウェアをさらに含む。
【００３９】
いくつかの態様では、デバイスは、フィルタをさらに含む。いくつかの態様では、マイクロ流体チップは平面デバイスであり、少なくとも１つのマイクロ流体チャネルを含む。いくつかの態様では、少なくとも１つのマイクロ流体チャネルの少なくとも一部分は、１０μｍ未満の幅、５μｍ未満の幅、または２μｍ未満の幅を有する。いくつかの態様では、少なくとも１つのマイクロ流体チャネルの少なくとも一部分は、１０μｍ未満の高さ、５μｍ未満の高さ、または２μｍ未満の高さを有する。いくつかの態様では、少なくとも１つのマイクロ流体チャネルの少なくとも一部分は、１００μｍ２未満の断面積、９０μｍ２未満の断面積、８０μｍ２未満の断面積、７０μｍ２未満の断面積、６０μｍ２未満の断面積、５０μｍ２未満の断面積、４０μｍ２未満の断面積、３０μｍ２未満の断面積、２０μｍ２未満の断面積、１０μｍ２未満の断面積、５μｍ２未満の断面積、または２μｍ２未満の断面積を有する。
【００４０】
いくつかの態様では、デバイスは、バイオマーカーの少なくとも１つのコピー数を判定するためのソフトウェアをさらに含む。いくつかの態様では、探測処理用ソースは、誘導放出抑制（ＳＴＥＤ）によって改変される。いくつかの態様では、検出、ランク付け、および測定は、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度で行われる。いくつかの態様では、速度は、毎時５００万粒子超である。
【００４１】
いくつかの態様では、デバイスは、２つ以上のマイクロ流体チャネルを含み、流動を方向付けるための機構は、生物学的ナノ粒子を２つ以上のマイクロ流体チャネルの各々に選別し得る。いくつかの態様では、選別することにより、濃縮集団が生成される。いくつかの態様では、デバイスは、生物学的ナノ粒子を選別するためのソフトウェアをさらに含む。いくつかの態様では、選別することは、サイズ値に依存する。いくつかの態様では、選別することは、ランク付けに依存する。
【００４２】
様々な態様において、本開示は、コーティングされた平面状の表面上に生物学的ナノ粒子を捕捉するための方法を提供し、この方法は、コーティングを有する少なくとも１つの平面状の表面を提供することであって、コーティングは、非特異的吸着抵抗材料と、複数の捕捉分子と、を含む、提供することと、複数の生物学的ナノ粒子を含む流体サンプルをコーティングと接触させることと、生物学的ナノ粒子とコーティングとの接触を容易にするために、少なくとも１つの平面状の表面と接触している流体サンプルを遠心分離することと、複数の捕捉分子のうちの少なくともいくつかで複数のナノ粒子のうちの少なくともいくつかを捕捉することと、を含む。
【００４３】
いくつかの態様では、流体サンプルの少なくとも一部分は、１０ｍｍ未満、９ｍｍ未満、５ｍｍ未満、１ｍｍ未満、９００μｍ未満、８００μｍ未満、７００μｍ未満、６００μｍ未満、５００μｍ未満、４００μｍ未満、３００μｍ未満、２００μｍ未満、または１００μｍ未満の層厚を有する。いくつかの態様では、少なくとも１つの平面状の表面は、ガラスを含む。いくつかの態様では、方法は、流体サンプルを蒸発防止層で覆うことをさらに含む。いくつかの態様では、蒸発防止層は、テープである。いくつかの態様では、蒸発防止層は、鉱油である。
【００４４】
いくつかの態様では、方法は、流体サンプルを濾過することをさらに含む。いくつかの態様では、濾過工程は、接触工程の前に行われる。いくつかの態様では、濾過は、遠心力によって駆動される。
【００４５】
いくつかの態様では、方法は、少なくとも１つの平面状の表面を分析することをさらに含む。いくつかの態様では、分析は、コーティングと会合した生物学的ナノ粒子の数をカウントすることを含む。いくつかの態様では、分析は、コーティングと会合した生物学的ナノ粒子からの放出された光強度を測定することを含む。いくつかの態様では、分析は、コーティングと会合した生物学的ナノ粒子を撮像することを含む。いくつかの態様では、非特異的吸着抵抗材料は、ポリエチレングリコールを含む。いくつかの態様では、非特異的吸着抵抗材料は、双性イオン表面を含む。いくつかの態様では、双性イオン表面は、カルボキシベタインを含む。いくつかの態様では、非特異的吸着抵抗材料は、ウシ血清アルブミンを含む。
【００４６】
いくつかの態様では、複数の捕捉分子は、抗体を含む。いくつかの態様では、抗体は、ビオチン化されている。いくつかの態様では、複数の捕捉分子は、ビオチンまたはストレプトアビジンを含む。いくつかの態様では、複数の捕捉分子は、核酸を含む。いくつかの態様では、複数の生物学的ナノ粒子は、細胞外小胞、オルガネラ、微小胞、細胞由来小胞、タンパク質凝集体、核酸凝集体、脂質凝集体、ウイルス、細菌、エキソソーム、またはこれらの組み合わせを含む。いくつかの態様では、複数の生物学的ナノ粒子は、エキソソームを含む。
【００４７】
特定の態様では、少なくとも１つの平面状の表面は、０．１ｍｍ〜１００ｃｍ、０．１ｍｍ〜２０ｃｍ、１ｍｍ〜２０ｃｍ、５ｍｍ〜１０ｃｍ、１ｍｍ〜５ｃｍ、１０ｍｍ〜１０ｃｍ、５ｍｍ〜５ｃｍ、または１ｃｍ〜５０ｃｍの直径を有する。いくつかの態様では、少なくとも１つの平面状の表面は、１ｃｍ超の直径を有する。いくつかの態様では、少なくとも１つの平面状の表面は、１ｃｍ〜１００ｃｍ、１ｍｍ〜１ｃｍ、１ｍｍ〜２０ｃｍ、５ｍｍ〜２０ｃｍ、１０ｍｍ〜２０ｃｍ、１００ｍｍ〜２０ｃｍ、１ｃｍ〜２０ｃｍ、または１ｃｍ〜５０ｃｍの幅を有する。いくつかの態様では、少なくとも１つの平面状の表面は、０．１ｍｍ〜１００ｃｍ、１ｍｍ〜２０ｃｍ、１ｍｍ〜１０ｃｍ、５ｍｍ〜２０ｃｍ，１０ｍｍ〜２０ｃｍ、１００ｍｍ〜２０ｃｍ、１ｃｍ〜２０ｃｍ、または１ｃｍ〜５０ｃｍの長さを有する。いくつかの態様では、少なくとも１つの平面状の表面は表面積を有し、表面積は、２００ｃｍ２〜１００ｃｍ２であるか、表面積は、１５０ｃｍ２〜８０ｃｍ２であるか、表面積は、１５０ｃｍ２〜１ｃｍ２であるか、表面積は、２００ｃｍ２〜１ｍｍ２であるか、表面積は、１２０ｃｍ２〜１ｍｍ２であるか、表面積は、８０ｃｍ２〜１ｍｍ２であるか、表面積は、５０ｃｍ２〜１ｍｍ２であるか、表面積は、２０ｃｍ２〜１ｍｍ２であるか、表面積は、１ｃｍ２〜１ｍｍ２であるか、表面積は、７５ｍｍ２〜１ｍｍ２であるか、表面積は、５０ｍｍ２〜１ｍｍ２であるか、表面積は、２５ｍｍ２〜１ｍｍ２であるか、または表面積は、１０ｍｍ２〜１ｍｍ２である。
【００４８】
いくつかの態様では、方法は、検出可能な薬剤を複数のナノ粒子のうちの少なくとも１つと会合させることをさらに含む。いくつかの態様では、検出可能な薬剤は、蛍光標識抗体、蛍光標識タンパク質、蛍光標識核酸、蛍光標識脂質、膜色素、蛍光発生色素、色素、ポリマードット、およびこれらの組み合わせからなる群から選択される。
【００４９】
特定の態様では、方法は、複数の区画を含む収容デバイスを提供することをさらに含み、複数の区画のうちの少なくとも１つは、少なくとも１つの平面状の表面および流体サンプルを含む。いくつかの態様では、収容デバイスは、ウェルプレートである。いくつかの態様では、複数の区画は、ウェルを含む。いくつかの態様では、収容デバイスは、マイクロ流体チップである。いくつかの態様では、複数の区画は、マイクロ流体チャネルを含む。いくつかの態様では、収容デバイスは、ブロックであり、複数の区画は、複数の穴を含む。
【００５０】
いくつかの態様では、方法は、収容デバイスを少なくとも１つの平面状の表面に取り付けることをさらに含む。いくつかの態様では、収容デバイスは、上部デバイスに取り付けられている。いくつかの態様では、上部デバイスは、フィルタを含む。いくつかの態様では、上部デバイスは、マイクロ流体デバイスを含む。いくつかの態様では、上部デバイスは、マルチウェルプレートを含む。
【００５１】
いくつかの態様では、方法は、少なくとも１つの平面状の表面を収容デバイスから除去することをさらに含む。いくつかの態様では、除去は、捕捉後に行われる。いくつかの態様では、遠心分離は一定期間行われ、コーティングと会合した生物学的ナノ粒子の数は、遠心分離の工程を省略した比較実験よりも少なくとも１００％超であり、比較流体サンプルは、同じ期間、コーティングと接触する。いくつかの態様では、期間は、１時間未満、３０分未満、１５分未満、１０分未満、５分未満、または１分未満である。
【００５２】
いくつかの態様では、複数のナノ粒子のうちの少なくとも１０％は、コーティングで捕捉される。
【００５３】
いくつかの態様では、方法は、コーティングされた平面状の表面の安定性を増加させることをさらに含む。いくつかの態様では、安定性の増加は、凍結乾燥を含む。いくつかの態様では、安定性の増加は、コーティングと会合した複数の捕捉分子のうちの少なくともいくつかによる複数のナノ粒子のうちの少なくともいくつかの捕捉の前に生じる。
【００５４】
いくつかの態様では、少なくとも１つの平面状の表面は、顕微鏡検査と適合性である。いくつかの態様では、少なくとも１つの平面状の表面は、カバースリップを含む。いくつかの態様では、遠心力は、複数の平面状の表面に同時に加えられる。
【００５５】
いくつかの態様では、複数の捕捉分子は、連結部分を介して平面状の表面に付着される。いくつかの態様では、方法は、連結部分を切断することをさらに含む。いくつかの態様では、方法は、複数の生物学的ナノ粒子の少なくともいくつかをコーティングから脱離させることをさらに含む。いくつかの態様では、脱離は、ビオチンでの溶出を含む。いくつかの態様では、脱離した生物学的ナノ粒子は、構造的に損傷していない。いくつかの態様では、脱離した生物学的ナノ粒子は溶解され、溶解物は、分析のために収集される。いくつかの態様では、分析は、核酸分析、シーケンシング、ポリメラーゼ連鎖反応、タンパク質分析、ＥＬＩＳＡ、質量分析、炭水化物分析、小分子分析、薬物分析、および脂質分析からなる群から選択される。
【００５６】
いくつかの態様では、方法は、複数の捕捉分子のうちの少なくともいくつかによって捕捉されなかった流体サンプルのうちの少なくともいくつかを除去するために平面状の表面を洗浄することをさらに含む。いくつかの態様では、コーティングで捕捉された複数のナノ粒子のうちの少なくともいくつかが撮像される。いくつかの態様では、撮像は、蛍光顕微鏡法を含む。いくつかの態様では、蛍光顕微鏡法は、超解像撮像である。いくつかの態様では、蛍光顕微鏡法は、生物学的ナノ粒子と会合した少なくとも１つの膜色素を使用する。いくつかの態様では、少なくとも１つの膜色素は、ＦＭ  １４３、ＡＮＥＰＰＳ、またはこれらの組み合わせを含む。いくつかの態様では、撮像は、原子間力顕微鏡法を含む。いくつかの態様では、撮像は、透過型電子顕微鏡法を含む。いくつかの態様では、撮像は、情報のセットを提供する。いくつかの態様では、情報のセットは、ナノ粒子上に存在するバイオマーカーを識別することを含む。いくつかの態様では、情報のセットは、ナノ粒子上に存在する抗体を識別することを含む。いくつかの態様では、情報のセットは、ナノ粒子のサイズを判定することを含む。
【００５７】
特定の態様では、ナノ粒子のサイズは、相対サイズ値であり、相対サイズ値は、測定された光強度の差によって判定される。いくつかの態様では、方法は、測定された光強度を標準で較正して、ナノ粒子の実際のサイズ値を判定することをさらに含む。いくつかの態様では、光強度の測定の前に較正が行われる。いくつかの態様では、ナノ粒子のサイズは、生物学的ナノ粒子の実際のサイズ値である。いくつかの態様では、標準は、金ナノ粒子を含む。いくつかの態様では、標準は、複数の脂質を含む。いくつかの提要では、標準は、脂質小胞を含む。いくつかの態様では、標準は、シリカビーズ、ポリスチレンビーズ、シリコーンビーズ、ポリマービーズ、ポリマーナノ粒子、またはこれらの組み合わせを含む。
【００５８】
いくつかの態様では、流体サンプルは、第２の生物学的ナノ粒子をさらに含み、標準は、第２の生物学的ナノ粒子を含む。いくつかの態様では、標準のサイズは、動的光散乱で測定される。いくつかの態様では、測定される光強度は、単一ナノ粒子感度を有する。いくつかの態様では、測定される光強度は、単一分子感度を有する。いくつかの態様では、測定される光強度は、多数の検出可能な薬剤を含む単一の抗体を検出する。
【００５９】
いくつかの態様では、情報のセットは、サンプルの濃度を識別することを含む。いくつかの態様では、情報のセットは、生体分子のコピー数を識別することを含む。いくつかの態様では、生物学的ナノ粒子は、少なくとも１つのバイオマーカーを含む。いくつかの態様では、生物学的ナノ粒子は、複数の検出可能な薬剤と会合する。いくつかの態様では、複数の検出可能な薬剤のうちの少なくとも１つは、生物学的ナノ粒子の表面に付着されるか、複数の検出可能な薬剤のうちの少なくとも１つは、生物学的ナノ粒子の表面内にあるか、複数の検出可能な薬剤のうちの少なくとも１つは、生物学的ナノ粒子の内部にあるか、またはこれらの組み合わせである。いくつかの態様では、複数の検出可能な薬剤は、複数のタイプの検出可能な薬剤を含む。いくつかの態様では、複数の検出可能な薬剤は、異なる発光プロファイルを有する。いくつかの態様では、発光プロファイルは、異なるピーク波長を有する。いくつかの態様では、ピーク波長は、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、または７００ナノメートル超だけ分離される。いくつかの態様では、複数の検出可能な薬剤は、共局在する。いくつかの態様では、共局在した検出可能な薬剤の存在は、情報のセットを提供する。いくつかの態様では、情報のセットは、少なくとも１つのバイオマーカーの存在、少なくとも１つのバイオマーカーの不在、またはこれらの組み合わせを含む。
【００６０】
いくつかの態様では、少なくとも１つの平面状の表面は、半透明である。いくつかの態様では、少なくとも１つの平面状の表面は、透明である。
【００６１】
様々な態様において、本開示は、ナノ粒子を捕捉するためのキットを提供し、キットは、コーティングを有する少なくとも１つの平面状の表面であって、コーティングが、非特異的吸着抵抗材料と、複数の捕捉分子と、を含む、少なくとも１つの平面状の表面と、複数の区画を含む収容デバイスであって、遠心分離と適合性である、収容デバイスと、を含む。
【００６２】
いくつかの態様では、収容デバイスは、ウェルプレートである。いくつかの態様では、複数の区画は、ウェルを含む。いくつかの態様では、収容デバイスは、マイクロ流体チップである。いくつかの態様では、複数の区画は、マイクロ流体チャネルを含む。いくつかの態様では、収容デバイスは、ブロックであり、複数の区画が、複数の穴を含む。いくつかの態様では、少なくとも１つの平面状の表面は、ガラスを含む。いくつかの態様では、非特異的吸着抵抗材料は、ポリエチレングリコールを含む。いくつかの態様では、非特異的吸着抵抗材料は、双性イオン表面を含む。いくつかの態様では、双性イオン表面は、カルボキシベタインを含む。いくつかの態様では、非特異的吸着抵抗材料は、ウシ血清アルブミンを含む。
【００６３】
いくつかの態様では、複数の捕捉分子は、抗体を含む。いくつかの態様では、抗体はビオチン化されている。いくつかの態様では、複数の捕捉分子は、ビオチンまたはストレプトアビジンを含む。いくつかの態様では、複数の捕捉分子は核酸を含む。
【００６４】
いくつかの態様では、キットは、複数の生物学的ナノ粒子をさらに含み、複数の生物学的ナノ粒子は、細胞外小胞、オルガネラ、微小胞、細胞由来小胞、タンパク質凝集体、核酸凝集体、脂質凝集体、ウイルス、細菌、エキソソーム、またはこれらの組み合わせを含む。
【００６５】
いくつかの態様では、キットは、説明書をさらに含む。いくつかの態様では、キットは、検出可能な薬剤をさらに含む。いくつかの態様では、検出可能な薬剤は、蛍光性である。いくつかの態様では、検出可能な薬剤は、発光性である。いくつかの態様では、検出可能な薬剤は、蛍光標識抗体、蛍光標識タンパク質、蛍光標識核酸、蛍光標識脂質、膜色素、蛍光発生色素、色素、ポリマードット、およびこれらの組み合わせからなる群から選択される。
【００６６】
いくつかの態様では、キットは、複数の検出可能な薬剤をさらに含む。いくつかの態様では、複数の検出可能な薬剤は、重なり合う発光プロファイルを有する。いくつかの態様では、複数の検出可能な薬剤は、同じ発光プロファイルを有する。いくつかの態様では、発光プロファイルは、同じピーク波長を有する。いくつかの態様では、複数の検出可能な薬剤は、同じ検出可能な薬剤を含む。いくつかの態様では、複数の検出可能な薬剤は、複数のタイプの検出可能な薬剤を含む。いくつかの態様では、複数の検出可能な薬剤は、異なる発光プロファイルを有する。いくつかの態様では、発光プロファイルは、異なるピーク波長を有する。いくつかの態様では、ピーク波長は、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、または７００ナノメートル超だけ分離される。
【００６７】
いくつかの態様では、キットは、較正するための標準をさらに含む。いくつかの態様では、標準は、金ナノ粒子を含む。いくつかの態様では、標準は、複数の脂質を含む。いくつかの提要では、標準は、脂質小胞を含む。いくつかの態様では、標準は、シリカビーズ、ポリスチレンビーズ、シリコーンビーズ、ポリマービーズ、ポリマーナノ粒子、またはこれらの組み合わせを含む。
【００６８】
参照による組み込み
本明細書で言及されるすべての刊行物、特許、および特許出願は、各個々の刊行物、特許、または特許出願が参照により組み込まれると具体的かつ独立して示された場合と同じ程度まで参照により本明細書に組み込まれる。
【００６９】
本発明の新規の特徴は、特に添付の特許請求の範囲に記載される。本発明の特徴および利点のさらなる理解は、本発明の原理が利用される例証的実施形態について記載する以下の発明を実施するための形態および添付の図面を参照することによって得られるであろう。
【図面の簡単な説明】
【００７０】
【図１】散乱光を検出するように構成された装置を描示する。
【図２Ａ】マイクロ流体チャネル、ナノ粒子が流動中である注入口、狭窄部、および排出口を含む装置を描示する。
【図２Ｂ】マイクロ流体チップの平面にナノ粒子を絞り込むための２つの流動絞り込みチャネルを有するマイクロ流体チップを含む装置を描示する。
【図２Ｃ】マイクロ流体チップの平面に、およびマイクロ流体チップの平面に直交して、の両方でナノ粒子を絞り込む４つの流動絞り込みチャネルを有するマイクロ流体チップを備える装置を描示する。
【図３Ａ】表面膜色素を使用する生物学的ナノ粒子サイズ判定を描示する。図３Ａは、生物学的ナノ粒子の表面と会合した色素を有する生物学的ナノ粒子を描示する。
【図３Ｂ】図３Ｂは、表面色素から放出される強度が、表面積に比例し得ることを示す。
【図３Ｃ】図３Ｃは、標準の基準サイズ分布を描示する。
【図３Ｄ】図３Ｄは、強度分布を有する未補正のヒストグラムを描示する。
【図３Ｅ】図３Ｅは、基準サイズ分布が重ね合わされたヒストグラムを描示する。
【図４Ａ】体積色素を使用する生物学的ナノ粒子サイズ判定を描示する。図４Ａは、生物学的ナノ粒子によって封止された体積色素を有する生物学的ナノ粒子を描示する。
【図４Ｂ】図４Ｂは、体積色素から放出される強度が、生物学的ナノ粒子の体積に比例し得ることを示す。
【図４Ｃ】図４Ｃは、標準の基準サイズ分布を描示する。
【図４Ｄ】図４Ｄは、強度分布を有する未補正のヒストグラムを描示する。
【図４Ｅ】図４Ｅは、基準サイズ分布が重ね合わされたヒストグラムを示す。
【図５Ａ】体積色素および表面膜色素を使用する生物学的ナノ粒子サイズ判定を描示する。図５Ａは、生物学的ナノ粒子によって封止された体積色素と、生物学的ナノ粒子の表面と会合した色素と、を有する生物学的ナノ粒子を描示する。
【図５Ｂ】図５Ｂは、体積色素および表面色素から放出される強度が、生物学的ナノ粒子の表面積および体積に比例し得ることを示す。
【図６】デューティサイクルを使用することによって生物学的ナノ粒子サイズを判定するために使用され得る２つの検出ビームを描示する。
【図７】蛍光色素と会合した生物学的ナノ粒子が検出ビームを通過して励起されたときに検出される強度放出出力を描示する。
【図８】デューティサイクルを使用して生物学的ナノ粒子のサイズを判定し得ることを示す。
【図９】デューティサイクルをナノ粒子サイズと相関させるための式を生成し得ることを示す。
【図１０】実効励起の細い領域を生成するためにＳＴＥＤビームによって改変された励起ビームを描示する。
【図１１】実効励起の２つの細い領域を生成するためにＳＴＥＤビームによって改変された２つの励起ビームを描示する。
【図１２】２つの励起ビームを通過するナノ粒子とゼロ長とを描示する。
【図１３】関心のナノ粒子でサンプルを選別および濃縮するために使用され得る、指向性流動を制御するための装置を描示する。
【図１４】コーティングされた平面状の表面を有する生物学的ナノ粒子を捕捉するための装置を描示する。
【図１５Ａ】遠心分離の有無による、コーティングされた平面状の表面上に捕捉された生物学的ナノ粒子の比較を描示する。図１５Ａは、コーティングされた平面状の表面上に視覚化された生物学的ナノ粒子を描示する。
【図１５Ｂ】図１５Ｂは、遠心分離の有無による、コーティングされた平面状の表面上に捕捉された生物学的ナノ粒子の数の比較を描示する。
【図１６】生物学的ナノ粒子を選別し得るマイクロ流体チップを描示する。
【図１７Ａ】単一色素分子感度を有するマイクロ流体チップおよび光学装置を描示し、検出された光信号を異なる測定間で正規化するために内部較正（Ａｕナノ粒子）を利用する。図１７Ａは、内部較正として使用するため、および／または検出された光信号を正規化するために、Ａｕナノ粒子からの後方散乱光を検出し得るマイクロ流体チップおよび光学装置を描示する。
【図１７Ｂ】図１７Ｂは、検出された蛍光が単一色素分子感度を有することを実証する信号トレースを示す。
【図１８】測定間で強度を較正するための内部標準としてＡｕナノ粒子を使用して達成された個々のナノ粒子上の生体分子のコピー数をカウントした結果を示す。
【図１９】単一分子感度検出を可能にするために使用される器具の光学レイアウトの概略図を描示する。
【図２０Ａ】異なる色の抗体を使用して、個々の小胞上の異なるタンパク質バイオマーカーの共局在判定を描示する。図２０Ａは、ＶＧｌｕｔ１（タンパク質Ａ）に対するＡｌｅｘａ５６１タグ付き抗体と結合した小胞からの検出された光子スパイクを示す信号時間トレースを描示する。
【図２０Ｂ】図２０Ｂは、ＶＡＴＰａｓｅ（タンパク質Ｂ）に対するＡｌｅｘａ６４７タグ付き抗体と結合した小胞からの検出された光子スパイクを示す信号時間トレースを描示する。
【図２０Ｃ】図２０Ｃは、同じ小胞上のタンパク質Ａ（図２０Ａ）とタンパク質Ｂ（図２０Ｂ）との間の共局在の相互相関解析を描示する。
【図２１Ａ】小胞上の異なるタンパク質に特異的に結合する異なる色の抗体を、膜の存在および／または小胞のサイズを報告する膜色素と共に使用する、個々の小胞の異なるタンパク質バイオマーカーの共局在判定を描示する。図２１Ａは、膜色素ＡＮＥＰＰＳで標識された小胞からの検出された光子スパイクを示す信号時間トレースを描示する。
【図２１Ｂ】図２１Ｂは、ＣＤ６３に対するＡｌｅｘａ６４７タグ付き抗体と結合した小胞からの検出された光子スパイクを示す例示的な信号時間トレースを描示する。
【図２１Ｃ】図２１Ｃは、同じ小胞上の膜小胞ＡＮＥＰＰＳと抗ＣＤ６３蛍光抗体との間の共局在の相互相関解析を示す。
【図２１Ｄ】図２１Ｄは、単一の遊離蛍光抗体の、および膜色素との共局在に基づいて小胞に結合した抗体の、蛍光強度分布を描示する。
【図２２Ａ】小胞上の異なるタンパク質に特異的に結合する異なる色の抗体を、小胞の、損傷していない膜結合ボリュームおよび／またはサイズの存在を報告する体積色素と共に使用する、個々の小胞上の異なるタンパク質バイオマーカーの共局在を描示する。図２２Ａは、体積色素オレゴングリーンジアセテートで標識された小胞からの検出された光子スパイクを示す信号時間トレースを描示する。
【図２２Ｂ】図２２Ｂは、ＳＶ２Ａに対するＡｌｅｘａ６４７タグ付き抗体と結合した小胞からの検出された光子スパイクを示す信号時間トレースを描示する。
【図２２Ｃ】図２２Ｃは、同じ小胞上の体積色素オレゴングリーンと抗ＳＶ２Ａ蛍光抗体との間の共局在の相互相関解析を描示し、共局在率は６８％と計算される。
【図２３Ａ】金ナノ粒子からの後方散乱光を内部標準として使用する信号強度較正を描示する。図２３Ａは、膜色素ＡＮＥＰＰＳで標識されたエキソソームからの検出された光子スパイクを示す信号時間トレースを描示する。
【図２３Ｂ】図２３Ｂは、金ナノ粒子からの検出された光子スパイクを示す信号時間トレースを描示する。
【図２３Ｃ】図２３Ｃは、膜色素標識小胞からの例示的な信号強度ヒストグラム（ｎ＝６３６イベント）を描示する。
【図２３Ｄ】図２３Ｄは、同じ実験で同時に膜色素標識されたエキソソームと共に測定された、金ナノ粒子からの例示的な信号強度ヒストグラム（ｎ＝５３８イベント）を示す。
【図２４Ａ】エキソソーム上でのサイズ依存的なタンパク質発現を示す蛍光画像を描示する。図２４Ａは、膜色素ＡＮＥＰＰＳの蛍光強度を描示する。
【図２４Ｂ】図２４Ｂは、大きな小胞（１）、中程度の小胞（２）、および小さな小胞（３）の例を示す差し込み図を描示する。
【図２４Ｃ】図２４Ｃは、エキソソーム上の測定された蛍光強度の違いによって反映されるように、Ａｌｅｘａ６４７タグ付き抗体の共局在および相対コピー数を示す。
【発明を実施するための形態】
【００７１】
本開示は、生物学的ナノ粒子の分析を行うための方法、システム、およびデバイスに関する。より具体的には、いくつかの態様では、本開示は、生物学的ナノ粒子が輸送中である間にサンプルに対して単一の生物学的ナノ粒子サイズ判定を行うための方法、システム、およびデバイスに関する。他の態様では、本開示は、コーティングされた平面状の表面上の生物学的ナノ粒子を選択的に捕捉するための方法、システム、およびデバイスに関し、捕捉することは、遠心分離によって容易になっている。
【００７２】
生物学的ナノ粒子の識別のための重要なアプリケーションは、関心のナノ粒子の選別または濃縮である。体液は、豊富な生物学的ナノ粒子を含み、多様性に富む。多くの生物学的ナノ粒子は、生物医学的用途に有用であるか、疾患のバイオマーカーとして機能するか、または疾患の識別を支援する。生物学的ナノ粒子は、希少である場合があり、ナノ粒子を含む体液は、低濃度でそれらを発現することが多く、流体は、他の生物学的構造またはデブリスをさらに含む。関心の生物学的ナノ粒子の単離、精製、または濃縮は、生物医学的処置を支援することができ、加えて、生物学的ナノ粒子の局所濃度を増加させることができる。マイクロ流体デバイスの使用は、効率を増大させることができ、および／または関心の生物学的ナノ粒子の単離、精製、または濃縮を容易にすることができる。生物学的ナノ粒子をサイズで分類することができるため、ナノ粒子サイズの迅速な識別には多大な利益がある。
【００７３】
希少な生物学的ナノ粒子の捕捉または単離は、研究、ナノ粒子識別、および医学的処置を支援することができる。関心のナノ粒子は低濃度で発現することが多いため、それらの捕捉を増加させる方法があれば有益となる。捕捉材料でコーティングされたビーズは、関心の粒子を単離するために使用されている（例えば、Ｌｅｅ、Ｎａｎｏ  Ｌｅｔｔ、２０１４、１４（１）、ｐｐ１−５を参照）が、小さな生物学的ナノ粒子は、容易に分析することができず、またビーズ上では、ナノ粒子に損傷を与え、および収率を低下させ得る開裂工程を必要とする。ビーズを使用することはまた、非特異的結合に関連付けられた問題点を招く可能性があり、その結果、サンプルの純度が不十分になる可能性があり、および／または回収効率の低下を招く可能性がある。体液中の生物学的ナノ粒子の濃度が低いと、従来の手段を使用した捕捉および単離において、捕捉が遅くなるか、または収量が低下し、および／または純度が低下する結果となる可能性がある。加えて、ビーズを使用すると、非特異的結合から生じる問題を生じやすくなり、「汚損」サンプルが結果として得られる可能性がある。生物学的ナノ粒子の捕捉または単離を支援し、かつそのための時間を短縮する方法があれば、病院および研究室の環境に有益である。
【００７４】
上記を考慮すると、生物学的ナノ粒子が、例えばマイクロ流体チップ内を輸送中である間に、生物学的ナノ粒子のサイズを迅速に判定する必要がある。関心の生物学的ナノ粒子の識別、特徴付け、単離、または濃縮がさらに必要である。ほとんどの生物学的ナノ粒子が低濃度であることに起因して、加えて、高い回収効率、純度、および感度を提供し、かつさらなる処理を必要とせずに容易に分析することもできる様式で、ナノ粒子をすばやく捕捉する必要がある。本開示は、これらの要求以上のものを提供する。
【００７５】
輸送中の生物学的ナノ粒子サイズ判定の装置および方法
いくつかの実施形態では、本開示は、迅速および多用途であり、かつナノ粒子が輸送中である間に実施することができる生物学的ナノ粒子の判定（識別とも呼ばれる）、操作、および分析のための方法、システム、デバイス、および装置を提供する。いくつかの実施形態では、本開示の方法、システム、デバイス、および装置は、輸送中の生物学的ナノ粒子の操作、検出、分析、判定、および／または識別を容易にすることができるマイクロ流体チップを含む。マイクロ流体チップは、少量の流体サンプルを処理するために使用することができ、従来のマクロスケールデバイスに対する利点を提供することができる（例えば、マイクロ流体チップは、わずかな量の流体サンプルしか必要とせず、必要な試薬が少なく、処理時間が短く、マクロスケールデバイスと比較して効率が向上する）。マイクロ流体チップは、平面デバイスであるため、高開口数を有する対物レンズ、レンズ、または集光システムの使用を可能にして、集光を強化することにより輸送中の生体ナノ粒子の検出、分析、および／または識別を容易にすることによって、生体ナノ粒子の検出および分析を容易にすることができる。マイクロ流体チップは平面デバイスであり、顕微鏡のセットアップとのマイクロ流体チップの適合性を高める。マイクロ流体チップは、加えて、デッドボリュームを有さない相互接続された流体ネットワークを設計および生成することを可能にすることができ、このことは、ひいては、生体ナノ粒子の検出および操作（例えば、３つ以上の流体チャネルの接合部での流動変位を使用する選別）を容易にすることができる。デッドボリュームは、流路の外側にあるマイクロ流体チップ内のボリュームの一部分である（例えば、サンプルナノ粒子を搬送する可能性のある液体が入って拡散して、精度を低下させる可能性があるボリューム）。マイクロ流体チップは、マイクロファブリケーションの方法により、非球形または非正方形（例えば、長方形）である断面を有するチャネルを作成することを可能にすることができ、輸送中の生物学的ナノ粒子の検出、分析、判定、および／または識別を容易にすることができる。マイクロ流体チップは、チャネルの長さに沿って異なる幅または高さのチャネル（例えば、チャネルの幅および／または高さの狭窄部または段階的変化）の作成を容易にして、輸送中の生物学的ナノ粒子の操作、検出、分析、判定、および／または識別を容易にすることができる。マイクロ流体チップは、高効率の集光システム（例えば、最大の集光および／または最小の歪みのための適切なカバースリップ厚さおよび屈折率）との適合性を高めて、輸送中の生物学的ナノ粒子の操作、検出、分析、判定、および／または識別を容易にするように、所望の厚さであると共に所望の材料特性（例えば、屈折率）を有するカバースリップに結合することによって、形成することができる。マイクロ流体チップは、生体ナノ粒子の操作、単離、選別、および／または輸送のための魅力的で多用途のプラットフォームを提供する。
【００７６】
特定の態様では、マイクロ流体デバイスのマイクロ流体チャネルを通って移動するナノ粒子は、赤外線、可視光、およびマイクロ波放射を含む放射に曝露され得る。生物学的ナノ粒子を放射に曝露することの影響は、ナノ粒子によって、またはナノ粒子と会合した分子によって放出される、結果として生じる光強度である。ナノ粒子によって放出された光の強度を測定することにより、ナノ粒子のサイズ値の対応する測定値が提供される。サイズ値は、相対サイズ値であり得るか、または実際のサイズ値であり得る。生体ナノ粒子がマイクロ流体デバイスを通して流動中である間に放出された光の強度を測定するこの方法は、上記のナノ粒子が輸送中である間にナノ粒子にサイズ値を割り当てることを可能にする。いくつかの実施形態では、生物学的ナノ粒子がマイクロ流体チップの少なくとも一部分を通して流動中である間に、粒子単位で生物学的ナノ粒子の存在または不在を検出するように、検出器を構成し得る。いくつかの実施形態では、マイクロ流体チップは、マイクロ流体チャネルを含み、生物学的ナノ粒子は、マイクロ流体チャネルを通して流動中である。いくつかの実施形態では、マイクロ流体チャネルは、狭窄部を含み、生物学的ナノ粒子は、狭窄部を通して流動中である。この方法は、少なくとも、マイクロ流体デバイスの使用により高いスループットおよび頻度でイベントを検出および／または選別する驚くほど効率的な分析を提供するため、従来のナノ粒子サイズ判定に予期しない利益を提供する。マイクロ流体チップのコンパクトなサイズは、従来の実験室のセットアップをサポートし得なかった多くの設定で、本開示の方法、装置、システム、およびデバイスの使用を可能にし、マイクロ流体デバイスを使用して得られるデータの精度は、従来のマクロスケールデバイスを単純にスケールダウンすることによる場合に予測されるものよりも高い。流動中のナノ粒子サイズ値の判定により、従来の方法で利用された生体ナノ粒子の捕捉および下流での脱離の必要がなくてすむ。本開示の方法は、多様な装置およびシステムに適用することができる。
【００７７】
一定の実施形態では、生体ナノ粒子が流動中である間に、生物学的ナノ粒子にサイズ値が割り当てられる。「流動中」および「輸送中」という用語は、本明細書では互換的に使用される。一定の実施形態では、流動は中断されない。「中断されない流動」、「連続的に流動中で」という用語、およびそれらの変形は、本明細書では互換的に使用される。「中断されない流動」という用語（およびその変形）は、流動が１秒を超えて停止されないような流動の状態を指す。特定の態様では、流動は指向的に特定され得る。
【００７８】
本明細書で使用される場合、「割り当て」という用語は、割り当ての生物学的ナノ粒子対象への生物学的ナノ粒子分類の定量的特性、定性的特性、または重要性を指定することを指す。一実施形態では、生物学的ナノ粒子にサイズ値を割り当て得る。本明細書で使用される場合、「サイズ値」という用語は、相対サイズ値または実際のサイズ値を指す。サイズ値は、直線距離の真のまたは相対的な測定値を提供する。一定の実施形態では、割り当ては、割り当てアルゴリズムを表すコンピュータおよびソフトウェアによって実行される。
【００７９】
本明細書で使用される場合、「ランク付け」という用語は、分類によってナノ粒子の定量的特性、定性的特性、または重要性を評価することを指す。一実施形態では、生物学的ナノ粒子は、ヌル（例えば、ナノ粒子が検出可能な閾値未満の放出強度を有するとき）、または非ゼロ（例えば、ナノ粒子が検出されるとき）のいずれかにランク付けされてもよい。いくつかの実施形態では、ランク付けは、バイナリである。例えば、閾値を上回る検出された光強度を有する各ナノ粒子には値１が割り当てられる一方、閾値を上回る検出された光強度を有さない各測定サンプルには値０が割り当てられ、これによりバイナリランク付けが形成される。他の実施形態では、ナノ粒子は、例えば、ナノ粒子の同一性、検出可能な特性の存在、特徴的な特徴の存在などと相関する追加のカテゴリに従ってランク付けされてもよい。ランク付けには、いくつかの所定の定量的または定性的カテゴリのうちの１つに対応する任意の数を割り当てられてもよい。他の実施形態では、ランク付けは非バイナリであり、例えば、値は、生物学的ナノ粒子から測定された、放出された光強度の量に基づいて割り当てられる。一定の実施形態では、ランク付けは、ランク付けアルゴリズムを表すコンピュータおよびソフトウェアによって実行される。
【００８０】
本明細書で使用される場合、「検出可能な特性」は、生物学的ナノ粒子に関連付けられた観測可能な特性、例えば、生物学的ナノ粒子に関連付けられているか、またはナノ粒子に本来的である、光活性、電気活性、生物活性、または磁気特性を指す。一定の実施形態では、「検出可能な特徴」は、生物学的ナノ粒子と検出可能な薬剤またはバイオマーカーとの会合を含む。
【００８１】
光活性特性の例として、例えば、生体粒子モルフォロジー（粒子サイズ、内部細胞内構造）、蛍光、発光、免疫蛍光、などによって通常誘起される光学的強度（光学反射、散乱、偏向、透過、吸光度、または放出）の変更が挙げられる。光活性特性の検出は、例えば、ナノ粒子上の、ナノ粒子内の、またはナノ粒子と会合した、サイズ、質量、表面積、体積、タンパク質含有量、膜面積、脂質含有量、酵素含有量、代謝産物含有量、炭水化物含有量、核酸含有量、タンパク質同一性、または核酸同一性を報告し得る。
【００８２】
本明細書で使用される場合、「生物学的ナノ粒子」、「生体ナノ粒子」、および「生体粒子」という用語は、互換的に使用される。「ナノ粒子」という一般的な用語は、生物学的ナノ粒子を指す。「生物学的ナノ粒子」という用語は、１μｍ未満の流体力学的直径を有する生物学的ユニットを指す。生物学的ナノ粒子の非限定的な例は、エキソソームである。
【００８３】
マイクロ流体デバイス
いくつかの態様では、本開示は、マイクロ流体チップの使用を提供する。マイクロ流体チップは、基板（例えば、シリコン、ガラス、セラミック、プラスチック、オルガノシリコン、石英、またはこれらの組み合わせ）から形成されてもよく、流体が通って流動するマイクロ流体チャネルのネットワークを含んでもよい。マイクロ流体デバイスを使用して、微量の流体サンプルを処理し、従来のマクロスケールデバイスに対する利点を提供することができる（例えば、必要な流体サンプルの量が大幅に少なく、必要な試薬の使用量が少なく、マクロスケールデバイスと比較して処理時間が短縮される）。マイクロ流体チップは、生体ナノ粒子の操作、単離、選別、および／または輸送のための魅力的で多用途のプラットフォームを提供する。マイクロ流体チャネルのアレイをパターン化してマイクロ流体デバイス内に統合することができる容易さにより、これらのマイクロ流体デバイスは、生物学的ナノ粒子を伴うアプリケーションに対する魅力的なプラットフォームになる。マイクロ流体チップは平面デバイスであるため、高開口数を有する対物レンズ、レンズ、または集光システムの使用を可能にし、このことは、集光を強化し、したがって、輸送中の生体ナノ粒子の検出、分析、判定、および／または識別を容易にすることによって、生体ナノ粒子の検出および分析を容易にすることができる。
【００８４】
マイクロ流体チップは、平面デバイスであるため、顕微鏡セットアップとのマイクロ流体チップの適合性を高めることもできる。マイクロ流体チップは、加えて、デッドボリュームを有さない相互接続された流体ネットワークを設計および生成することを可能にすることができ、このことは、ひいては、生体ナノ粒子の検出および操作（例えば、３つ以上の流体チャネルの接合部での流動変位を使用する選別）を容易にすることができる。マイクロ流体チップは、マイクロファブリケーションの方法により、非球形または非正方形（例えば、長方形）である断面を有するチャネルを作成することを可能にすることができ、輸送中の生物学的ナノ粒子の検出、分析、判定、および／または識別を容易にすることができる。マイクロ流体チップは、チャネルの長さに沿って異なる幅または高さのチャネル（例えば、チャネルの幅および／または高さの狭窄部または段階的変化）の作成を容易にして、輸送中の生物学的ナノ粒子の操作、検出、分析、判定、および／または識別を容易にすることができる。マイクロ流体チップは、高効率の集光システム（例えば、最大の集光および／または最小の歪みのための適切なカバースリップ厚さおよび屈折率を必要とする高開口数対物レンズ）との適合性を高めて、輸送中の生物学的ナノ粒子の操作、検出、分析、判定、および／または識別を容易にするように、所望の厚さであると共に所望の材料特性（例えば、屈折率）を有するカバースリップに結合することによって、形成することができる。マイクロ流体チップおよびマイクロ流体チップを使用する装置は、多数の生物学的ナノ粒子を、迅速な様式で、輸送、組み合わせ、分離、選別、および／またはそれ以外の方法で操作することを可能にする。本明細書で使用される場合、「マイクロ流体チップ」、「マイクロ流体デバイス」、および「マイクロ流体チャネルデバイス」という用語は、互換的に使用され得る。
【００８５】
いくつかの実施形態では、マイクロ流体チップは、注入口と、排出口と、ナノ粒子を検出するための検出ビームを使用して分析され得るマイクロ流体チャネルと、を含む（例えば、図２Ａを参照）。一定の実施形態では、マイクロ流体チップは、注入口と、排出口と、ナノ粒子を検出するための検出ビームを使用して分析され得るマイクロ流体チャネルと、マイクロ流体チップの平面にナノ粒子を絞り込むための２つの流動絞り込みチャネルと、を含む（例えば、図２Ｂを参照）。いくつかの実施形態では、マイクロ流体チップは、注入口と、排出口と、ナノ粒子を検出するための検出ビームを使用して分析され得るマイクロ流体チャネルと、マイクロ流体チップの平面におよびマイクロ流体チップの平面に直交しての両方でナノ粒子を絞り込むための４つの流動絞り込みチャネルと、を含む（例えば、図２Ｃを参照）。
【００８６】
一定の実施形態では、マイクロ流体チップは、入力チャネル、第１の出力チャネル、第２の出力チャネル、および指向性流動チャネルを含む。いくつかの実施形態では、マイクロ流体チップは、バルブをさらに含み、バルブは、マイクロ流体チップから分離可能である。いくつかの実施形態では、指向性流動チャネル内の第１の流体の流動が調節され、指向性流動チャネル内の第１の流体の流動は、第２の流体の流動を、第１のチャネルから第１の出力チャネル、第２の出力チャネル、またはこれらの組み合わせに方向付ける。一定の実施形態では、検出器は、生物学的ナノ粒子から放出された信号を検出するように構成されており、プロセッサは、生物学的ナノ粒子に値を割り当て、流動調節機構を動作させるように構成される。いくつかの態様では、流動調節機構は、電気作動機構である。
【００８７】
マイクロ流体チップは、効率的な能動選別スキームとその後の精製（例えば、精製チャンバ）スキームとを提供するように製造され得る。マイクロ流体チップは、シリコンマスター上の２つの層で構成され得、ポリマー基板への一工程成形で製造され得る。マイクロ流体チップは、ガラス基板またはポリマー基板への結合で仕上げ処理され得る。
【００８８】
いくつかの態様では、シリコンマスターは、フォトリソグラフィープロセスを使用して製造され得る。これらの仕様は、標準ソフトウェア（例えば、ＡｕｔｏＣＡＤ、Ａｕｔｏｄｅｓｋ、Ｓａｎ  Ｒａｆａｅｌ、ＣＡ）を使用して設計され得、クロムマスク上に書き込まれ得る。これらの場合、ポジレジストリソグラフィーおよびディープリアクティブイオンエッチング（ＤＲＩＥ）を使用して、第１の層を形成し得る。いくつかの態様では、ポジフォトレジスト（例えば、ＡＺ１５１２）は、ＤＲＩＥプロセスを含み得るプロセスによって達成される。ＤＲＩＥプロセスは、様々な仕様に好適な深さ（例えば、２〜５μｍ）を達成することができる。
【００８９】
いくつかの態様では、マイクロ流体チップ仕様の第２の層は、ネガフォトレジスト（例えば、マサチューセッツ州ニュートンのＭｉｃｒｏＣｈｅｍ製のＳＵ−８−３０５０）を使用して製造され得、仕様の高さが制御され得る（例えば、５０μｍ）。マスターは、例えば、トリデカフルオロ−１，１，２，２−テトラヒドロオクチル−１−トリクロロシラン（ミズーリ州セントルイスのＳｉｇｍａ−Ａｌｄｒｉｃｈ）を使用してシラン処理され得る。シラン処理されたマスターとシリコンウエハとは、未硬化のＰＤＭＳでコーティングされ、ベークされ得る（例えば、７０℃で２時間）。いくつかの態様では、所望のマイクロ仕様を有するＰＤＭＳのピースをシリコンマスターから剥がし、次に、プラズマ酸化の標準プロセスを使用してカバーガラスのピースと結合して、マイクロ流体チップの製造を完了し得る。
【００９０】
いくつかの態様では、本明細書で提供されるマイクロ流体チップは、ポリマー材料（ポリジメチルシロキサン（ＰＤＭＳ）、ポリウレタン−メタクリレート（ＰＵＭＡ）、ポリメチルメタクリレート（ＰＭＭＡ）、ポリエチレン、ポリエステル（ＰＥＴ）、ポリテトラフルオロエチレン（ＰＴＦＥ）、ポリカーボネート、パリレン、ポリ塩化ビニル、フルオロエチルプロピレン、レキサン、ポリスチレン、環状オレフィンポリマー、環状オレフィンコポリマー、ポリウレタン、ポリエステルカーボネート、ポリプロピレン、ポリブチレン、ポリアクリレート、ポリカプロラクトン、ポリケトン、ポリフタルアミド、酢酸セルロース、ポリアクリロニトリル、ポリスルホン、エポキシポリマー、熱可塑性樹脂、フルオロポリマー、およびポリフッ化ビニリデン、ポリアミド、ポリイミド）、無機材料（ガラス、石英、シリコン、ＧａＡｓ、窒化シリコン）、溶融シリカ、セラミック、ガラス（有機）、および／または他の材料とこれらの組み合わせを含むがこれらに限定されない材料から製造された壁によって閉囲された流動チャネルまたはチャンバを含み得る。
【００９１】
いくつかの態様では、壁材料は、多孔質膜、ウールの織繊維または不織繊維（布またはメッシュなど）、金属（例えば、ステンレス鋼またはモネル）、ガラス、紙、または合成繊維（例えば、ナイロン、ポリプロピレン、ポリカーボネート、パリレン、および様々なポリエステル）、焼結ステンレス鋼などの金属、およびアルミナ、シリカ、またはカーボンなどの多孔質無機材料で製造され得る。
【００９２】
いくつかの実施形態では、マイクロ流体チップは、少なくとも第１の入力チャネルおよび少なくとも２つの出口チャネルを含む。
【００９３】
一定の実施形態では、マイクロ流体チップが提供され、複数のマイクロ流体チャネルを含む。いくつかの実施形態では、マイクロ流体チップは、ランク付けに基づいて生物学的ナノ粒子をチャネリングするためのチャネルを含んでもよい。一定の実施形態では、マイクロ流体チップは、サイズ値に基づいて生物学的ナノ粒子をチャネリングするためのチャネルを含んでもよい。いくつかの実施形態では、デバイスは、生体粒子の指向性を有する流動を追跡および操作するための電極をさらに含んでもよい。
【００９４】
一定の実施形態では、本明細書で提供されるマイクロ流体チップは、１つ以上の入力流動チャネル（すなわち、生体ナノ粒子を検出ボリュームに運ぶチャネル）および１つ以上の出力チャネル（すなわち、生物学的ナノ粒子を検出ボリュームから運び去るチャネル）を含む、複数の流動チャネルを含んでもよい。いくつかの実施形態では、本明細書で提供される装置は、少なくとも約１、２、３、４、５、６、７、８、９、１０、１１、１２、１３、１４、１５、１６、１７、１８、１９、２０、２５、３０、３５、４０、４５、５０、６０、７０、８０、９０、１００、またはそれより多くの入力チャネルと、少なくとも約１、２、３、４、５、６、７、８、９、１０、１１、１２、１３、１４、１５、１６、１７、１８、１９、２０、２５、３０、３５、４０、４５、５０、６０、７０、８０、９０、１００、またはより多くの出力チャンネルと、の組み合わせを含んでもよい。一定の実施形態では、複数の流動チャネルは、並列構成をなす。
【００９５】
一定の実施形態では、マイクロ流体チップは、局所速度を変更するための追加の流体を注入するために主チャネルに接続する多数の流動チャネルを含んでもよい。
【００９６】
マイクロ流体チップのチャネルは、接合部で交差してもよい。いくつかの態様では、１つのチャネルが、接合部で別のチャネルと交差する。いくつかの態様では、１つのチャネルが、接合部で複数の異なるチャネルと交差する。いくつかの態様では、１つのチャネルが、接合部で少なくとも１、２、３、４、５、６、７、８、９、１０、１１、１２、１３、１４、１５、１６、１７、１８、１９、２０、２５、３０、３５、４０、４５、５０、５５、６０、６５、７０、７５、８０、８５、９０、９５、または１００の異なるチャネルと交差する。いくつかの態様では、複数のチャネルが、接合部で異なるチャネルと交差する。いくつかの態様では、少なくとも１、２、３、４、５、６、７、８、９、１０、１１、１２、１３、１４、１５、１６、１７、１８、１９、２０、２５、３０、３５、４０、４５、５０、５５、６０、６５、７０、７５、８０、８５、９０、９５、または１００の異なるチャネルが、接合部で１つの異なるチャネルと交差する。一定の実施形態では、接合部にデッドボリュームが全くない。
【００９７】
マイクロ流体チップのチャネルは、接合部で交差しなくてもよい。いくつかの態様では、１つのチャネルが、接合部ではないマイクロ流体チップ上の場所で異なるチャネルと交差する。いくつかの態様では、１つのチャネルが、接合部ではないマイクロ流体チップ上の場所で、複数の異なるチャネルと交差する。いくつかの態様では、１つのチャネルが、接合部ではないマイクロ流体チップ上の場所で、少なくとも１、２、３、４、５、６、７、８、９、１０、１１、１２、１３、１４、１５、１６、１７、１８、１９、２０、２５、３０、３５、４０、４５、５０、５５、６０、６５、７０、７５、８０、８５、９０、９５、または１００の異なるチャネルと交差する。いくつかの態様では、接合部ではないマイクロ流体チップ上の場所で、複数のチャネルが異なるチャネルと交差する。いくつかの態様では、少なくとも１、２、３、４、５、６、７、８、９、１０、１１、１２、１３、１４、１５、１６、１７、１８、１９、２０、２５、３０、３５、４０、４５、５０、５５、６０、６５、７０、７５、８０、８５、９０、９５、または１００の異なるチャネルが、接合部ではないマイクロ流体チップ上の場所で１つの異なるチャネルと交差する。
【００９８】
一定の実施形態では、マイクロ流体デバイスは、平面デバイスであり、高開口数検出または撮像の使用を可能にする。平面マイクロ流体デバイスは、非平面システム（例えば、円筒内面および／または外面が円筒レンズとして作用し、したがって、光の集束および／または信号の収集の両方に歪みを引き起こし得る毛細管）の分析中に存在することが多い、画像歪みもしくは集光歪みまたは収差（例えば、球面収差または色収差）を防止する。高開口数の対物レンズを使用できることで、また集光効率が最大化される。さらに、平面マイクロ流体デバイスは、非平面システムを使用して検出または撮像するときに観測される同じ距離制約を受けない。加えて、平面マイクロ流体デバイスは、他のシステムの材料制約を有さず（例えば、平面マイクロ流体デバイスは、特定の厚さ、屈折率、および光学特性を有するカバースリップを含み得る）、その効果は、非平面システムを使用して検出または撮像するときに観察される。一定の実施形態では、検出、撮像、またはこれらの組み合わせは、落射照明を含み、１．０より大きい開口数を有する集光システムを用いる。いくつかの実施形態では、マイクロ流体デバイスを使用する検出または撮像は、０．８以上、０．９以上、１．０以上、１．１以上、１．２以上、１．３以上、または１．４以上の開口数を有する集光システムを用いる。いくつかの実施形態では、マイクロ流体デバイスを使用する検出または撮像は、０．８以上かつ１．５以下、０．９以上かつ１．５以下、１．０以上かつ１．５以下、１．１以上かつ１．５以下、１．２以上かつ１．５以下、１．３以上かつ１．５以下、または１．４以上かつ１．５以下の開口数を有する集光システムを用いる。好ましい実施形態では、平面マイクロ流体デバイスは、１．２以上の開口数を有する集光システムを使用して撮像し得る。
【００９９】
いくつかの実施形態では、マイクロ流体チップは、平面デバイスであり、少なくとも１つのマイクロ流体チャネルを含む。いくつかの実施形態では、少なくとも１つのマイクロ流体チャネルのうちの少なくとも一部分は、５００μｍ未満の幅、４００μｍ未満の幅、３００μｍ未満の幅、２００μｍ未満の幅、１００μｍの幅、７５μｍ未満の幅、５０μｍ未満の幅、４０μｍ未満の幅、３０μｍ未満の幅、２５μｍ未満の幅、２０μｍ未満の幅、１５μｍ未満の幅、１０μｍ未満の幅、５μｍ未満の幅、２μｍ未満の幅、１μｍ未満の幅、９００ｎｍ未満の幅、８５０ｎｍ未満の幅、８００ｎｍ未満の幅、７５０ｎｍ未満の幅、７００ｎｍ未満の幅、６５０ｎｍ未満の幅、６００ｎｍ未満の幅、５５０ｎｍ未満の幅、または５００ｎｍ未満の幅を有する。いくつかの実施形態では、少なくとも１つのマイクロ流体チャネルは、５００μｍ未満、４００μｍ未満、３００μｍ未満、２００μｍ未満、１００μｍ未満、７５μｍ未満、５０μｍ未満、４０μｍ未満、３０μｍ未満、２５μｍ未満、２０μｍ未満、１５μｍ未満、１０μｍ未満、５μｍ未満、２μｍ未満、１μｍ未満、９００ｎｍ未満、８５０ｎｍ未満、８００ｎｍ未満、７５０ｎｍ未満、７００ｎｍ未満、６５０ｎｍ未満、６００ｎｍ未満、５５０ｎｍ未満、または５００ｎｍ未満の最大幅を有する。好ましい実施形態では、少なくとも１つのマイクロ流体チャネルの少なくとも一部分は、１０μｍ未満の幅、５μｍ未満の幅、または２μｍ未満の幅を有する。好ましい実施形態では、少なくとも１つのマイクロ流体チャネルの少なくとも一部分は、１μｍ〜１０μｍの幅を有する。
【０１００】
いくつかの実施形態では、少なくとも１つのマイクロ流体チャネルの少なくとも一部分は、５００μｍ未満の高さ、４００μｍ未満の高さ、３００μｍ未満の高さ、２００μｍ未満の高さ、１５０μｍ未満の高さ、１２５μｍ未満の高さ、１００μｍ未満の高さ、７５μｍ未満の高さ、５０μｍ未満の高さ、４０μｍ未満の高さ、３０μｍ未満の高さ、２５μｍ未満の高さ、２０μｍ未満の高さ、１５μｍ未満の高さ、１０μｍ未満の高さ、５μｍ未満の高さ、２μｍ未満の高さ、または１μｍ未満の高さを有する。いくつかの実施形態では、少なくとも１つのマイクロ流体チャネルは、５００μｍ未満、４００μｍ未満、３００μｍ未満、２００μｍ未満、１５０μｍ未満、１２５μｍ未満、１００μｍ未満、７５μｍ未満、５０μｍ未満、４０μｍ未満、３０μｍ未満、２５μｍ未満、２０μｍ未満、１５μｍ未満、１０μｍ未満、５μｍ未満、２μｍ未満、または１μｍ未満の最大高さを有する。好ましい実施形態では、少なくとも１つのマイクロ流体チャネルの少なくとも一部分は、１０μｍ未満の高さ、５μｍ未満の高さ、または２μｍ未満の高さを有する。好ましい実施形態では、少なくとも１つのマイクロ流体チャネルの少なくとも一部分は、１μｍ〜１０μｍの高さを有する。
【０１０１】
いくつかの実施形態では、少なくとも１つのマイクロ流体チャネルは、狭窄部を含む。いくつかの実施形態では、少なくとも１つのマイクロ流体チャネルは、複数の狭窄部を含む。いくつかの実施形態では、マイクロ流体チップは、複数のマイクロ流体チャネルを含み、その少なくとも一部分は、狭窄部を含む。いくつかの実施形態では、マイクロ流体チップは、各々が狭窄部を含む複数のマイクロ流体チャネルを含む。狭窄部は、マイクロ流体チャネルの他の部分よりも狭い（すなわち、狭窄された）マイクロ流体チャネルの一部分である。流体サンプルは、狭窄部を通して流動することができる。一定の実施形態では、狭窄部は、マイクロ流体チャネルの最も狭い領域を含む。
【０１０２】
いくつかの実施形態では、狭窄部は、マイクロ流体チャネルの最も広い部分（すなわち、最大幅）よりも小さい幅を有する。一定の実施形態では、狭窄部は、マイクロ流体チャネルの最も広い部分に対して幅を有する。いくつかの実施形態では、狭窄部は、マイクロ流体チャネルの最大幅の５０％未満、４５％未満、４０％未満、３５％未満、３０％未満、２５％未満、２０％未満、１５％未満、１４％未満、１３％未満、１２％未満、１１％未満、１０％未満、９％未満、８％未満、７％未満、６％未満、５％未満、４％未満、３％未満、２％未満、または１％未満の幅を有する。非限定的な例として、１００μｍの最大幅を有するマイクロ流体チャネルは、最大幅の値の２５％未満（すなわち、２５μｍ未満）である狭窄部を有し得る。好ましい実施形態では、狭窄部は、マイクロ流体チャネルの最大幅の幅の１０％未満の幅を有する。
【０１０３】
いくつかの実施形態では、マイクロ流体チャネルの最大幅は、９００μｍ未満かつ０．１μｍ超、８００μｍ未満かつ０．５μｍ超、７００μｍ未満かつ１μｍ超、６００μｍ未満かつ５μｍ超、５００μｍ未満かつ１０μｍ超、１，０００μｍ未満かつ１０μｍ超、９００μｍ未満かつ１０μｍ超、８００μｍ未満かつ１０μｍ超、７００μｍ未満かつ１０μｍ超、６００μｍ未満かつ１０μｍ超、５００μｍ未満かつ１０μｍ超、４００μｍ未満かつ１０μｍ超、３００μｍ未満かつ１０μｍ超、５００μｍ未満かつ０．１μｍ超、５００μｍ未満かつ１μｍ超、５００μｍ未満かつ２μｍ超、５００μｍ未満かつ５μｍ超、８００μｍ未満かつ０．１超、７００μｍ未満かつ０．１超、６００μｍ未満かつ０．１超、５００μｍ未満かつ０．１超、４００μｍ未満かつ０．１超、または３００μｍ未満かつ０．１超の値を有する。好ましい実施形態では、マイクロ流体チャネルの最大幅は、５００μｍ未満かつ１０μｍ超の値を有する。
【０１０４】
いくつかの実施形態では、狭窄部は、マイクロ流体チャネルの平均幅よりも小さい幅を有する。一定の実施形態では、狭窄部は、マイクロ流体チャネルの平均幅に対して幅を有する。いくつかの実施形態では、狭窄部は、マイクロ流体チャネルの平均幅の５０％未満、４５％未満、４０％未満、３５％未満、３０％未満、２５％未満、２０％未満、１５％未満、１４％未満、１３％未満、１２％未満、１１％未満、１０％未満、９％未満、８％未満、７％未満、６％未満、５％未満、４％未満、３％未満、２％未満、または１％未満の幅を有する。
【０１０５】
いくつかの実施形態では、マイクロ流体チャネルの平均幅は、９００μｍ未満かつ０．１μｍ超、８００μｍ未満かつ０．５μｍ超、７００μｍ未満かつ１μｍ超、６００μｍ未満かつ５μｍ超、５００μｍ未満かつ１０μｍ超、１，０００μｍ未満かつ１０μｍ超、９００μｍ未満かつ１０μｍ超、８００μｍ未満かつ１０μｍ超、７００μｍ未満かつ１０μｍ超、６００μｍ未満かつ１０μｍ超、５００μｍ未満かつ１０μｍ超、４００μｍ未満かつ１０μｍ超、３００μｍ未満かつ１０μｍ超、５００μｍ未満かつ０．１μｍ超、５００μｍ未満かつ１μｍ超、５００μｍ未満かつ２μｍ超、５００μｍ未満かつ５μｍ超、８００μｍ未満かつ０．１超、７００μｍ未満かつ０．１超、６００μｍ未満かつ０．１超、５００μｍ未満かつ０．１超、４００μｍ未満かつ０．１超、または３００μｍ未満かつ０．１超の値を有する。好ましい実施形態では、マイクロ流体チャネルの平均幅は、５００μｍ未満かつ１０μｍ超の値を有する。
【０１０６】
いくつかの実施形態では、狭窄部は、マイクロ流体チャネルの最も大きい高さ値（すなわち、最大高さ）よりも低い高さを有する。一定の実施形態では、狭窄部は、マイクロ流体チャネルの最大高さに対して高さを有する。いくつかの実施形態では、狭窄部は、マイクロ流体チャネルの最大高さの５０％未満、４５％未満、４０％未満、３５％未満、３０％未満、２５％未満、２０％未満、１５％未満、１４％未満、１３％未満、１２％未満、１１％未満、１０％未満、９％未満、８％未満、７％未満、６％未満、５％未満、４％未満、３％未満、２％未満、または１％未満の高さを有する。非限定的な例として、２０μｍの最大高さを有するマイクロ流体チャネルは、最大高さの値の１０％未満（すなわち、２μｍ未満）である狭窄部を有し得る。好ましい実施形態では、狭窄部は、マイクロ流体チャネルの最大高さの２５％未満の高さを有する。
【０１０７】
いくつかの実施形態では、マイクロ流体チャネルの最大高さは、９００μｍ未満かつ０．１μｍ超、８００μｍ未満かつ０．５μｍ超、７００μｍ未満かつ１μｍ超、６００μｍ未満かつ５μｍ超、５００μｍ未満かつ１０μｍ超、１，０００μｍ未満かつ１０μｍ超、９００μｍ未満かつ１０μｍ超、８００μｍ未満かつ１０μｍ超、７００μｍ未満かつ１０μｍ超、６００μｍ未満かつ１０μｍ超、５００μｍ未満かつ１０μｍ超、４００μｍ未満かつ１０μｍ超、３００μｍ未満かつ１０μｍ超、５００μｍ未満かつ０．１μｍ超、５００μｍ未満かつ１μｍ超、５００μｍ未満かつ２μｍ超、５００μｍ未満かつ５μｍ超、８００μｍ未満かつ０．１超、７００μｍ未満かつ０．１超、６００μｍ未満かつ０．１超、５００μｍ未満かつ０．１超、４００μｍ未満かつ０．１超、または３００μｍ未満かつ０．１超の値を有する。好ましい実施形態では、マイクロ流体チャネルの最大高さは、５００μｍ未満かつ１０μｍ超の値を有する。
【０１０８】
いくつかの実施形態では、狭窄部は、マイクロ流体チャネルの平均高さよりも低い高さを有する。一定の実施形態では、狭窄部は、マイクロ流体チャネルの平均高さに対して高さを有する。いくつかの実施形態では、狭窄部は、マイクロ流体チャネルの平均高さの５０％未満、４５％未満、４０％未満、３５％未満、３０％未満、２５％未満、２０％未満、１５％未満、１４％未満、１３％未満、１２％未満、１１％未満、１０％未満、９％未満、８％未満、７％未満、６％未満、５％未満、４％未満、３％未満、２％未満、または１％未満の高さを有する。
【０１０９】
いくつかの実施形態では、マイクロ流体チャネルの平均高さは、９００μｍ未満かつ０．１μｍ超、８００μｍ未満かつ０．５μｍ超、７００μｍ未満かつ１μｍ超、６００μｍ未満かつ５μｍ超、５００μｍ未満かつ１０μｍ超、１，０００μｍ未満かつ１０μｍ超、９００μｍ未満かつ１０μｍ超、８００μｍ未満かつ１０μｍ超、７００μｍ未満かつ１０μｍ超、６００μｍ未満かつ１０μｍ超、５００μｍ未満かつ１０μｍ超、４００μｍ未満かつ１０μｍ超、３００μｍ未満かつ１０μｍ超、５００μｍ未満かつ０．１μｍ超、５００μｍ未満かつ１μｍ超、５００μｍ未満かつ２μｍ超、５００μｍ未満かつ５μｍ超、８００μｍ未満かつ０．１超、７００μｍ未満かつ０．１超、６００μｍ未満かつ０．１超、５００μｍ未満かつ０．１超、４００μｍ未満かつ０．１超、または３００μｍ未満かつ０．１超の値を有する。好ましい実施形態では、マイクロ流体チャネルの平均高さは、５００μｍ未満かつ１０μｍ超の値を有する。
【０１１０】
いくつかの実施形態では、狭窄部は、マイクロ流体チャネルの最も大きい断面積（すなわち、最大断面積）よりも小さい断面積を有する。一定の実施形態では、狭窄部は、マイクロ流体チャネルの最大断面積に対して断面積を有する。いくつかの実施形態では、狭窄部は、マイクロ流体チャネルの最大断面積の５０％未満、４５％未満、４０％未満、３５％未満、３０％未満、２５％未満、２４％未満、２３％未満、２２％未満、２１％未満、２０％未満、１９％未満、１８％未満、１７％未満、１６％未満、１５％未満、１４％未満、１３％未満、１２％未満、１１％未満、１０％未満、９％未満、８％未満、７％未満、６％未満、５％未満、４％未満、３％未満、２％未満、１％未満、０．５％未満、０．２％未満、０．１％未満、０．０５％未満、０．０２％未満、０．０１％未満、０．００５％未満、０．００２％未満、０．００１％未満の断面積を有する。非限定的な例として、２００μｍ２の最大断面積を有するマイクロ流体チャネルは、最大断面積の値の１０％未満（すなわち、２０μｍ２未満）である狭窄部を有し得る。好ましい実施形態では、狭窄部は、マイクロ流体チャネルの最大断面積の１０％〜０．０１％の断面積を有する。
【０１１１】
いくつかの実施形態では、マイクロ流体チャネルの最大断面積は１，０００，０００μｍ２未満かつ１０μｍ２超、７５０，０００μｍ２未満かつ２５μｍ２超、５００，０００μｍ２未満かつ１００μｍ２超、２５０，０００μｍ２未満かつ２５０μｍ２超、９００，０００μｍ２未満かつ１００μｍ２超、８００，０００μｍ２未満かつ１００μｍ２超、７００，０００μｍ２未満かつ１００μｍ２超、６００，０００μｍ２未満かつ１００μｍ２超、４００，０００μｍ２未満かつ１００μｍ２超、３００，０００μｍ２未満かつ１００μｍ２超、２００，０００μｍ２未満かつ１００μｍ２超、１００，０００μｍ２未満かつ１００μｍ２超、５０，０００μｍ２未満かつ１００μｍ２超、２５，０００μｍ２未満かつ１００μｍ２超、１０，０００μｍ２未満かつ１００μｍ２超、１，０００μｍ２未満かつ１００μｍ２超、２，０００，０００μｍ２未満かつ２５０μｍ２超、１，０００，０００μｍ２未満かつ２５０μｍ２超、９００，０００μｍ２未満かつ２５０μｍ２超、８００，０００μｍ２未満かつ２５０μｍ２超、７００，０００μｍ２未満かつ２５０μｍ２超、６００，０００μｍ２未満かつ２５０μｍ２超、４００，０００μｍ２未満かつ２５０μｍ２超、３００，０００μｍ２未満かつ２５０μｍ２超、２００，０００μｍ２未満かつ２５０μｍ２超、１００，０００μｍ２未満かつ２５０μｍ２超、５０，０００μｍ２未満かつ２５０μｍ２超、２５，０００μｍ２未満かつ２５０μｍ２超、１０，０００μｍ２未満かつ２５０μｍ２超、または１，０００μｍ２未満かつ２５０μｍ２超の値を有する。好ましい実施形態では、マイクロ流体チャネルの最大断面積は、２５０，０００μｍ２未満かつ２５０μｍ２超の値を有する。
【０１１２】
いくつかの実施形態では、狭窄部は、マイクロ流体チャネルの平均断面積よりも小さい断面積を有する。一定の実施形態では、狭窄部は、マイクロ流体チャネルの平均断面積に対して断面積を有する。いくつかの実施形態では、狭窄部は、マイクロ流体チャネルの平均断面積の５０％未満、４５％未満、４０％未満、３５％未満、３０％未満、２５％未満、２４％未満、２３％未満、２２％未満、２１％未満、２０％未満、１９％未満、１８％未満、１７％未満、１６％未満、１５％未満、１４％未満、１３％未満、１２％未満、１１％未満、１０％未満、９％未満、８％未満、７％未満、６％未満、５％未満、４％未満、３％未満、２％未満、１％未満、０．５％未満、０．２％未満、０．１％未満、０．０５％未満、０．０２％未満、０．０１％未満、０．００５％未満、０．００２％未満、０．００１％未満の断面積を有する。
【０１１３】
いくつかの実施形態では、マイクロ流体チャネルの平均断面積は１，０００，０００μｍ２未満かつ１０μｍ２超、７５０，０００μｍ２未満かつ２５μｍ２超、５００，０００μｍ２未満かつ１００μｍ２超、２５０，０００μｍ２未満かつ２５０μｍ２超、９００，０００μｍ２未満かつ１００μｍ２超、８００，０００μｍ２未満かつ１００μｍ２超、７００，０００μｍ２未満かつ１００μｍ２超、６００，０００μｍ２未満かつ１００μｍ２超、４００，０００μｍ２未満かつ１００μｍ２超、３００，０００μｍ２未満かつ１００μｍ２超、２００，０００μｍ２未満かつ１００μｍ２超、１００，０００μｍ２未満かつ１００μｍ２超、５０，０００μｍ２未満かつ１００μｍ２超、２５，０００μｍ２未満かつ１００μｍ２超、１０，０００μｍ２未満かつ１００μｍ２超、１，０００μｍ２未満かつ１００μｍ２超、２，０００，０００μｍ２未満かつ２５０μｍ２超、１，０００，０００μｍ２未満かつ２５０μｍ２超、９００，０００μｍ２未満かつ２５０μｍ２超、８００，０００μｍ２未満かつ２５０μｍ２超、７００，０００μｍ２未満かつ２５０μｍ２超、６００，０００μｍ２未満かつ２５０μｍ２超、４００，０００μｍ２未満かつ２５０μｍ２超、３００，０００μｍ２未満かつ２５０μｍ２超、２００，０００μｍ２未満かつ２５０μｍ２超、１００，０００μｍ２未満かつ２５０μｍ２超、５０，０００μｍ２未満かつ２５０μｍ２超、２５，０００μｍ２未満かつ２５０μｍ２超、１０，０００μｍ２未満かつ２５０μｍ２超、または１，０００μｍ２未満かつ２５０μｍ２超の値を有する。好ましい実施形態では、マイクロ流体チャネルの平均断面積は、２５０，０００μｍ２未満かつ２５０μｍ２超の値を有する。
【０１１４】
いくつかの実施形態では、狭窄部は、１０μｍ未満の高さ、９μｍ未満の高さ、８μｍ未満の高さ、７μｍ未満の高さ、６μｍ未満の高さ、５μｍ未満の高さ、４μｍ未満の高さ、３μｍ未満の高さ、２μｍ未満の高さ、または１μｍ未満の高さを有する。いくつかの実施形態では、狭窄部は、１０μｍ未満の幅、９μｍ未満の幅、８μｍ未満の幅、７μｍ未満の幅、６μｍ未満の幅、５μｍ未満の幅、４μｍ未満の幅、３μｍ未満の幅、２μｍ未満の幅、または１μｍ未満の幅を有する。
【０１１５】
いくつかの実施形態では、少なくとも１つのマイクロ流体チャネルは、１、２、３、４、５、６、７、８、９、１０、または１０超の狭窄部を含む。いくつかの実施形態では、マイクロ流体チップは、複数のマイクロ流体チャネルを含み、その少なくとも一部分は各々、１、２、３、４、５、６、７、８、９、１０、または１０超の狭窄部を含む。いくつかの実施形態では、マイクロ流体チップは、複数のマイクロ流体チャネルを含み、その大部分は各々、１、２、３、４、５、６、７、８、９、１０、または１０超の狭窄部を含む。いくつかの実施形態では、マイクロ流体チップは、複数のマイクロ流体チャネルを含み、その各々は、１、２、３、４、５、６、７、８、９、１０、または１０超の狭窄部を含む。いくつかの実施形態では、少なくとも１つの狭窄部を含むマイクロ流体チャネルは、狭窄部の寸法を有する別のマイクロ流体チャネルと比較して、サンプルがマイクロ流体チャネルを通して流動するときに背圧の増大を回避することができる。
【０１１６】
いくつかの実施形態では、少なくとも１つのマイクロ流体チャネルの少なくとも一部分は、１０，０００μｍ２未満の断面積、５，０００μｍ２未満の断面積、３，０００μｍ２未満の断面積、１，０００μｍ２未満の断面積、８００μｍ２未満の断面積、６００μｍ２未満の断面積、４００μｍ２未満の断面積、２００μｍ２未満の断面積、または１００μｍ２未満の断面積を有する。好ましい実施形態では、少なくとも１つのマイクロ流体チャネルの少なくとも一部分は、１００μｍ２未満の断面積、９０μｍ２未満の断面積、８０μｍ２未満の断面積、７０μｍ２未満の断面積、６０μｍ２未満の断面積、５０μｍ２未満の断面積、４０μｍ２未満の断面積、３０μｍ２未満の断面積、２０μｍ２未満の断面積、１０μｍ２未満の断面積、５μｍ２未満の断面積、２μｍ２未満の断面積、または１μｍ２未満の断面積を有する。いくつかの実施形態では、少なくとも１つのマイクロ流体チャネルは、２５０，０００μｍ２未満、１００，０００μｍ２未満、５０，０００μｍ２未満、２５，０００μｍ２未満、１０，０００μｍ２未満、５，０００μｍ２未満、３，０００μｍ２未満、１，０００μｍ２未満、８００μｍ２未満、６００μｍ２未満、４００μｍ２未満、２００μｍ２未満、または１００μｍ２未満の最大断面積を有する。いくつかの実施形態では、少なくとも１つのマイクロ流体チャネルは、１００μｍ２未満、９０μｍ２未満、８０μｍ２未満、７０μｍ２未満、６０μｍ２未満、５０μｍ２未満、４０μｍ２未満、３０μｍ２未満、２０μｍ２未満、１０μｍ２未満、５μｍ２未満、２μｍ２未満、または１μｍ２未満の最大断面積を有する。好ましい実施形態では、少なくとも１つのマイクロ流体チャネルの少なくとも一部分は、１μｍ２〜１００μｍ２の断面積を有する。いくつかの実施形態では、少なくとも１つのマイクロ流体チャネルは、１００μｍ２〜１０，０００μｍ２の最大断面積を有する。
【０１１７】
一定の実施形態では、少なくとも１つのマイクロ流体チャネルの少なくとも一部分は、その幅または高さの少なくとも１つの不連続な変化を含む（例えば、微細加工の技術を使用して達成された）。本明細書で使用されるマイクロ流体チップは、高さまたは幅の連続的な変化を含むマイクロ流体チャネルとは対照的に、高さまたは幅の少なくとも１つのステップ勾配またはステップ変化を有するマイクロ流体チャネルを含み得る。高さまたは幅の連続的な変化を含むチャネルは、例えばガラス管を含むデバイスにおいて一般的であり、加熱された管を引っ張ることによって達成することができる。特有の実施形態では、少なくとも１つのマイクロ流体チャネルの少なくとも一部分は、互いに独立して変化する高さと幅を有する。高さおよびの独立した変化は、例えばガラス管とは対照的であり、高さを減少させる加工には、対応する幅の減少が伴う（例えば、融点近くで加熱されたガラス管の引張および薄肉化）。
【０１１８】
一定の実施形態では、本明細書で提供される装置は、化学的または生物学的分子で前処理された流動チャネルまたはチャンバを含んでもよい。例えば、チャネルまたはチャンバを抗凝固化合物で処理して、流体サンプル中の生物学的ナノ粒子の会合、または流体サンプル中の生体ナノ粒子の集塊または凝集を防止または低減する化合物を処理してもよい。
【０１１９】
特定の実施形態では、マイクロ流体チップは、半透明または透明の特性を含む。例えば、半透明または透明である少なくとも１つの表面を含むマイクロ流体チップに、生物学的ナノ粒子を含む流体サンプルが提供されてもよく、少なくとも１つの半透明または透明な表面は、生物学的ナノ粒子が半透明または透明である少なくとも１つの表面を通過する光強度を放出して光強度が検出されるように、探測処理ソースが生物学的ナノ粒子と相互作用することを可能にする。
【０１２０】
装置
一態様では、本開示は、流体サンプル中の生物学的ナノ粒子を検出および測定するためのデバイスを提供する。一実施形態では、デバイスは、（ａ）少なくとも第１の入力チャネルと、（ｂ）少なくとも２つの出口チャネルと、（ｃ）流体サンプル中の１つ以上の生物学的ナノ粒子を検出することができる少なくとも１つの検出器と、（ｄ）生物学的ナノ粒子の流動を方向付けるための機構と、（ｅ）生物学的ナノ粒子の存在、不在、同一性、組成、サイズ値、または発光に基づいて、または生物学的ナノ粒子に会合した検出可能な薬剤の存在、不在、同一性、組成、発光、または量に基づいて生物学的ナノ粒子に値を割り当てることができるランク付けデバイスと、を含み、コンピュータは、検出器および生物学的ナノ粒子の流動を方向付ける機構と通信状態にある。好ましい実施形態では、少なくとも第１の入力チャネルおよび少なくとも２つの出口チャネルは、マイクロ流体チップ内にある。好ましい実施形態では、生物学的ナノ粒子は、マイクロ流体チップ内を輸送中に停止せず、値の検出および／または割り当ては、生物学的ナノ粒子がマイクロ流体チップ内を輸送中である間に行われる。
【０１２１】
別の態様では、本開示は、流体サンプル中の生物学的ナノ粒子を検出するためのデバイスを提供し、上記デバイスは、（ａ）生物学的ナノ粒子の存在または不在を検出するための１つ以上の検出器と、（ｂ）放出された検出可能な光強度に基づいて生物学的ナノ粒子をランク付けするためのソフトウェアを有するコンピュータと、（ｃ）マイクロ流体チップと、を含む。一実施形態では、ランク付けは、バイナリである。他の実施形態では、ランク付けは、非バイナリである。非バイナリランク付けは、例えば、デバイスを使用して多数のタイプまたはサイズの生体ナノ粒子を検出する場合に使用されてもよい。
【０１２２】
別の態様では、本開示は、流体サンプル中の生物学的ナノ粒子のサイズを判定するためのデバイスを提供し、このデバイスは、（ａ）マイクロ流体チップと、（ｂ）生物学的ナノ粒子の存在または不在を検出するように構成された少なくとも１つの検出器と、（ｃ）（ｉ）放出された検出可能な光強度の存在または不在に基づいて生物学的ナノ粒子をランク付けすることと、（ｉｉ）生物学的ナノ粒子によって放出された光強度に基づいて生物学的ナノ粒子のサイズ値を測定することと、を行うためのソフトウェアを有する、コンピュータとを含み、検出、ランク付け、および測定は、生物学的ナノ粒子がマイクロ流体チップを通して流動中である間に行われる。
【０１２３】
本明細書で提供されるデバイスおよび装置の一定の実施形態では、デバイスは、カメラ、電子増倍管、電荷結合デバイス（ＣＣＤ）画像センサ、光電子増倍管（ＰＭＴ）、マイクロチャネルプレートＰＭＴ（ＭＣＰ）、ハイブリッドＰＭＴ検出器、アバランシェフォトダイオード（ＡＰＤ）、単一光子アバランシェダイオード（ＳＰＡＤ）、または相補型金属酸化膜半導体（ＣＭＯＳ）イメージセンサから選択される１つ以上の検出器を含む。いくつかの実施形態では、検出器は、蛍光を検出する。一定の実施形態では、検出器は、ルミネセンス光を検出する。いくつかの実施形態では、検出器は、複数の異なる発光プロファイルを検出する。いくつかの実施形態では、検出器は、散乱光を検出する。
【０１２４】
一定の実施形態では、検出器は、単一ナノ粒子感度を有する。好ましい実施形態では、検出器は、単一分子感度を有する。
【０１２５】
本明細書で提供されるデバイスおよび装置の一定の実施形態では、デバイスは、流体サンプルから１つ以上の生物学的ナノ粒子を探査するための１つ以上の光源をさらに含んでもよい。生物学的ナノ粒子を探測処理用ソースは、例えば、電磁放射線源であってもよい。特定の実施形態では、１つ以上の探測処理用ソースは、レーザ（固体、ダイオード励起、イオン、または色素）、発光ダイオード（ＬＥＤ）、ランプ、アーク放電、磁気パルス、または自然光から選択される。さらに他の実施形態では、生物学的ナノ粒子が化学発光または生物発光などの発光を呈する場合、生物学的ナノ粒子の探測用ソースは必要とされない。
【０１２６】
特定の実施形態では、探測処理用ソースは、誘導放出抑制（ＳＴＥＤ）によって改変される。
【０１２７】
一定の実施形態では、探測処理用ソースは、生物学的ナノ粒子に光強度を放出させる。好ましい実施形態では、光強度は、検出可能であり、サイズ値と関連付けられる。生物学的ナノ粒子が、本来的に発光を呈するか、または生物学的ナノ粒子が、発光を呈する検出可能な薬剤と会合した一定の実施形態では、装置は、生物学的ナノ粒子を探測処理用ソースを必要としなくてもよい。光強度信号は、信号対雑音比を有し得、信号ピークは、光強度出力のバックグラウンドノイズを超えて観察可能である。信号対雑音比が高いと、精度が上昇し、検出および測定が向上する。いくつかの実施形態では、光強度は、３：１超、４：１超、５：１超、６：１超、７：１超、８：１超、９：１超、１０：１超、１１：１超、１２：１超、１３：１超、１４：１超、１５：１超、１６：１超、１７：１超、１８：１超、１９：１超、２０：１超、３０：１超、４０：１超、５０：１超、６０：１超、超７０：１、８０：１超、９０：１超、１００：１超、１２５：１超、１５０：１超、１７５：１超、２００：１超、２５０：１超、５００：１超、または１０００：１超の信号対雑音比を有する。好ましい実施形態では、光強度は、１０：１超の信号対雑音比を有する。
【０１２８】
一定の実施形態では、生物学的ナノ粒子は、マイクロ流体チップを高速で通過する。特有の実施形態では、生物学的ナノ粒子の検出、ランク付け、および測定は、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度で行われる。好ましい実施形態では、速度は、毎時５００万ナノ粒子超である。
【０１２９】
一定の実施形態では、本明細書で提供される装置は、生体ナノ粒子への不慮の損傷を最小限に抑えるための設計特徴を有する、壁によって閉囲され、および／または基板上に微細加工された流動チャネルを含んでもよい。流動チャネルは、米国特許出願第２００７／００３７１７２号および同第２００８／０２４８４９９号に記載されているように、最小限の応力または損傷で不所望な物質またはデブリスを排除するために流体力学的に設計された特徴または濾過構造を有するチャネルをさらに含んでもよい。上述の特許出願で一次元（「１−Ｄ」）開口を有するチャネルと呼ばれるこのようなチャネルは、排除プロセス中に生体ナノ粒子にかかる流体力学的圧力を低減し、したがって溶解の確率を低減する。１−Ｄ開口を有するチャネルは、米国特許第２００８／０３１８３２４号に記載された「流出濾過」構成に従って企図的にアレイに配置されて、流動をさらに再方向付け、分割し、減衰させ、または分散させ、その結果、排除の瞬間にナノ粒子にかかる衝撃力を低減してもよい。流動チャネルを閉囲する壁は、装置が医療デバイス製造を管理する規制の遵守するものとなるように、ＰＣＴＰＣＴ／ＵＳ２００９／０２４２６に記載された手順により、ＵＶ硬化プロセスを使用して、医療デバイスグレードのポリマーである生体適合性を有する基板材料から製造されてもよい。
【０１３０】
一定の実施形態では、生物学的ナノ粒子の流動を方向付けるための機構は、電極、磁気素子、音響素子、電気作動素子、電場、または磁場を含む。いくつかの実施形態では、生体ナノ粒子の流動を方向付けるための機構は、１つ以上の電気作動バルブまたはピストンを含み、バルブまたはピストンは、第１の交差部で第１の入力チャネルおよび２つの出口チャネルと交差する少なくとも第１の指向性流動チャネル内の液体の流動を制御する。一実施形態では、ソレノイドピストンは、電気作動式ソレノイドバルブのサブコンポーネントである。別の実施形態では、ソレノイドピストンは、成形によってデバイスに組み入れられている。さらに別の実施形態では、組み入れられたソレノイドピストンは、配管を介して流体連通したソレノイドバルブによって置き換えられてもよい。特有の一実施形態では、本明細書で提供される装置は、粒子、生物学的ナノ粒子、または流体サンプルの軌道または流動を追跡および／または操作するための１つ以上の電極を含んでもよい。一定の実施形態では、電極は、誘電泳動またはエレクトロウェッティングなどの現象に基づいて、ナノ粒子の分離を強化してもよい。生物学的ナノ粒子が１００ｎｍ未満の流体力学的直径を有する実施形態では、音響素子および／またはシースフロー絞り込みは、本明細書に開示される方法および装置のための生物学的ナノ粒子の軌道を適切に操作するのに十分ではない。例えば、参照により本明細書に組み込まれている、Ｏｐｔｉｃｓ  Ｅｘｐｒｅｓｓ  Ｖｏｌ．１５、Ｉｓｓｕｅ  １０、ｐｐ．６１６７−６１７６（２００７）を参照されたい。したがって、いくつかの実施形態では、生物学的ナノ粒子の流動を方向付けるための機構は、シースフロー絞り込み、音響フロー絞り込み、またはこれらの組み合わせを排除する。いくつかの実施形態では、生物学的ナノ粒子は、方向付けられ、ただし、上記の方向付けは、音響絞り込み、シースフロー絞り込み、またはこれらの組み合わせを使用しない。
【０１３１】
いくつかの実施形態では、本明細書で提供される装置は、本来の磁性を有する生体ナノ粒子、および／または磁性粒子と会合した生体ナノ粒子を分離するための磁気素子をさらに含んでもよい。一定の実施形態では、磁性粒子は、ナノ粒子、または生物学的ナノ粒子と会合したマイクロ磁性粒子もしくはナノ磁性粒子の磁化率に基づいて、生体ナノ粒子の分離を強化してもよい。一定の実施形態では、本明細書で提供される装置は、流体圧力変化、流速変化、または電気浸透流変化を使用して、選択した粒子または細胞の軌道を操作することを含んでもよい。
【０１３２】
いくつかの実施形態では、生物学的ナノ粒子の流動を方向付けるための機構は、１０ｍｓ未満、５ｍｓ、１ｍｓ、５００μｓ、２５０μｓ未満、２００μｓ未満、１５０μｓ未満、１００μｓ未満、５０μｓ未満、４０μｓ未満、３０μｓ未満、２０μｓ未満、１０μｓ未満、または５μｓ未満で、生物学的ナノ粒子の軌道を変更するか、または他の方法で流動を方向付け得る。好ましい実施形態では、生物学的ナノ粒子の流動を方向付けるための機構は、１ｍｓ以下で流動を方向付け得る。
【０１３３】
一定の実施形態では、流動を方向付けるための機構は、流動変位を使用する。いくつかの実施形態では、流動を方向付けるための機構は、電気浸透流を使用する。いくつかの実施形態では、流動を方向付けるための機構は、圧力の印加を使用する。
【０１３４】
いくつかの実施形態では、流動を方向付けるための機構は、生物学的ナノ粒子を、マイクロ流体チップ内の複数のマイクロ流体チャネルの１つに選別することができる。一定の実施形態では、複数のマイクロ流体チャネルのうちの１つに流動を方向付けることにより、生物学的ナノ粒子の濃縮集団が生成される。
【０１３５】
一定の実施形態では、ランク付けデバイスが、コンピュータ、コントローラ、集積回路を有するチップ、回路基板、電子的要素、ソフトウェア、アルゴリズム、またはこれらの組み合わせから選択されてもよい。いくつかの実施形態では、測定デバイスが、コンピュータ、コントローラ、集積回路を有するチップ、回路基板、電子的要素、ソフトウェア、アルゴリズム、またはこれらの組み合わせから選択されてもよい。一定の実施形態では、ランク付けデバイスおよび／または測定デバイスは、割り当てデバイスを統合する。
【０１３６】
いくつかの実施形態では、ランク付けは、サイズ値の測定に対応する。一定の実施形態では、サイズ値は、相対サイズ値である。他の実施形態では、サイズ値は、真のサイズ値である。特定の実施形態では、サイズ値は、検出された光強度の差によって測定される。いくつかの実施形態では、サイズ値は、検出された変調指数に基づいて測定される。一定の実施形態では、サイズ値は、検出された光強度および検出された変調指数に基づいて測定される。変調指数は、振幅変調指数、周波数変調指数、位相変調指数、またはこれらの組み合わせを含み得る。
【０１３７】
一定の実施形態では、本明細書で提供される装置は、本明細書で提供される方法に結合される方法でアッセイ、プロセス、または試験を実行するために有用な追加の要素をさらに含んでもよい。一実施形態では、本明細書で提供される装置は、ポリメラーゼ連鎖反応（ＰＣＲ）またはリアルタイムポリメラーゼ連鎖反応（ＲＴ−ＰＣＲ）などのオンチップ細胞アッセイを実行するための１つ以上の抵抗加熱素子をさらに含んでもよい。一定の実施形態では、本明細書で提供される装置は、例えば、電気泳動または電気クロマトグラフィーなどのオンチップ化学アッセイを実施するために、１つ以上の電極をさらに含んでもよい。
【０１３８】
いくつかの実施形態では、本明細書で提供される装置は、フィルタをさらに含んでもよい。特定の実施形態では、フィルタ素子は、マイクロポスト、マイクロインパクタ、マイクロシーブ、生体ナノ粒子より大きい開口を有するチャネル、生体ナノ粒子はフィルタを自由に通過し得るが、流体サンプル中のより大きな物質またはデブリスはフィルタによって阻止されるような開口を有するチャネル、マイクロビーズ、多孔質膜、壁からの突起物、接着剤コーティング、ウール、金属（例えば、ステンレス鋼またはモネル）、ガラス、紙、または化学合成物（例えば、ナイロン、ポリプロピレン、ポリカーボネート、パリレン、ポリエステル）の織繊維または不織繊維（布またはメッシュなど）、焼結ステンレス鋼もしくは他の金属、または、アルミナ、シリカ、またはカーボンなどの多孔性無機材料の形態をなしてもよい。
【０１３９】
いくつかの実施形態では、フィルタは、流体サンプルをマイクロ流体チップに導入する前に濾過が行われるように配置される。他の実施形態では、フィルタは、検出または選別の前に濾過が行われるように配置される。好ましい実施形態では、濾過は、サイズ値の割り当ての前に行われる。一定の実施形態では、本明細書に開示される方法は、流体サンプルを濾過することをさらに含む。特定の実施形態では、濾過は、サイズ値の割り当ての前に行われる。いくつかの実施形態では、濾過によりデブリスが除去される。一定の実施形態では、濾過は、クロッギングを防止する。
【０１４０】
さらに別の実施形態では、本明細書で提供される装置は、従来のフローサイトメータに結合されていてもよい。例えば、図１６は、検出可能な薬剤（１６０２）を含有する選別された生体ナノ粒子（１６６１）が（生体ナノ粒子単位で）さらに連続して検査または選別されるように、（検出領域１６２２の有無にかかわらず）従来のフローサイトメータと流体連通してもよい排出口チャネル（１６２１）を例示している。
【０１４１】
本開示のいくつかの態様では、システムはまた、顕微鏡（例えば、共焦点顕微鏡、スピニングディスク顕微鏡、多光子顕微鏡、平面照明顕微鏡、ベッセルビーム顕微鏡、微分干渉コントラスト顕微鏡、位相コントラスト顕微鏡、落射蛍光顕微鏡、透過型電子顕微鏡、またはこれらの組み合わせ）などの撮像デバイスを含む。任意で、探測処理ソースは、撮像デバイスの構成要素であり、例えば、撮像のための照明を提供する。特定の態様では、撮像デバイスは、例えば、マイクロ流体チップ内を輸送中に、生物学的ナノ粒子の画像データを取得するために使用される。任意で、画像データは、実際のサイズ値を割り当てるための基礎として使用される。いくつかの態様では、このプロセスは、手動で行われ、例えば、ユーザは、画像データを目視して指示を入力することにより、以前に相対サイズ値が割り当てられている場合がある生物学的ナノ粒子に真のサイズ値を割り当てる。他の態様では、このプロセスは、自動的に行われ、例えば、１つ以上のプロセッサがコンピュータビジョンまたは画像解析アルゴリズムを使用することなどによって画像データを解析し、ユーザ入力を必要とせずに生物学的ナノ粒子にサイズ値を割り当てる。代替の態様では、割り当ては、半自動化されており、例えば、いくつかのユーザ入力およびいくつかの自動処理を伴う。
【０１４２】
いくつかの態様では、本明細書に記載されるシステムは、１つ以上のプロセッサと、実行可能な命令が記憶されたメモリデバイスと、を含むコンピュータを含む。いくつかの態様では、このコンピュータを使用して、本明細書に記載される方法を実行する。様々な態様では、上記に例示および記載されるシステムまたは方法のうちのいずれかを実装するために、コンピュータが使用され得る。いくつかの態様では、コンピュータが、バスサブシステムを介していくつかの周辺サブシステムと通信するプロセッサを含む。これらの周辺サブシステムは、メモリサブシステムおよびファイルストレージサブシステムを含むストレージサブシステム、ユーザインターフェース入力デバイス、ユーザインターフェース出力デバイス、およびネットワークインターフェースサブシステムを含み得る。
【０１４３】
いくつかの態様では、バスサブシステムは、コンピュータの様々な構成要素およびサブシステムが意図したとおりに互いに通信できるようにするための機構を提供する。バスサブシステムは、単一のバスまたは多数のバスを含み得る。
【０１４４】
いくつかの態様では、ネットワークインターフェースサブシステムは、他のコンピュータおよびネットワークへのインターフェースを提供する。ネットワークインターフェースサブシステムは、コンピュータと他のシステムとの間でデータを送受信するためのインターフェースとして機能し得る。例えば、ネットワークインターフェースサブシステムにより、コンピュータをインターネットに接続し、かつインターネットを使用して通信を容易にできるようにし得る。
【０１４５】
いくつかの態様では、コンピュータは、キーボードと、マウス、トラックボール、タッチパッド、またはグラフィックタブレットなどのポインティングデバイスと、スキャナと、バーコードスキャナと、ディスプレイに組み込まれたタッチスクリーンと、音声認識システム、マイク、および他のタイプの入力デバイスなどのオーディオ入力デバイスと、などのユーザインターフェース入力デバイスを含む。一般に、「入力デバイス」という用語の使用は、コンピュータに情報を入力するためのすべての可能なタイプのデバイスおよび機構を含むことが意図されている。
【０１４６】
いくつかの態様では、コンピュータは、基本的なプログラミングおよびデータ構造を記憶するためのコンピュータ可読ストレージ媒体を提供するストレージサブシステムを含む。いくつかの態様では、ストレージサブシステムは、プロセッサによって実行されると、本明細書に記載される方法およびシステムの機能を提供するソフトウェア（プログラム、コードモジュール、命令）を記憶している。これらのソフトウェアモジュールまたは命令は、１つ以上のプロセッサによって実行され得る。ストレージサブシステムはまた、本開示に従って使用されたデータを記憶するためのリポジトリを提供し得る。ストレージサブシステムは、メモリサブシステムおよびファイル／ディスクストレージサブシステムを含み得る。
【０１４７】
このソフトウェアは、放出された検出可能な光強度の存在または不在に基づいて生物学的ナノ粒子をランク付けすることと、生物学的ナノ粒子によって放出された光強度に基づいて生物学的ナノ粒子のサイズ値を測定することと、を行うために使用され得る。
【０１４８】
いくつかの実施形態では、ソフトウェアは、特定のサイズ値を有する生物学的ナノ粒子の数を定量化するために使用され得る。一定の実施形態では、ソフトウェアは、流体サンプルの濃度を判定するために使用され得る。特定の実施形態では、ソフトウェアは、流体サンプル中の特定の生物学的ナノ粒子の濃度を判定するために使用され得る。
【０１４９】
いくつかの実施形態では、ソフトウェアは、生物学的ナノ粒子と会合したバイオマーカーの少なくとも１つのコピー数を判定するために使用され得る。
【０１５０】
一定の実施形態では、ソフトウェアは、生物学的ナノ粒子を選別するために使用され得る。特有の実施形態では、選別することは、サイズ値に依存する。特定の実施形態では、選別することは、ランク付けに依存する。
【０１５１】
いくつかの態様では、コンピュータは、プログラム実行中に命令およびデータを記憶するための主ランダムアクセスメモリ（ＲＡＭ）と、固定命令が記憶される読み取り専用メモリ（ＲＯＭ）と、を含むいくつかのメモリを含み得るメモリサブシステムを含む。ファイルストレージサブシステムは、プログラムおよびデータファイル用の非一過性の永続的（不揮発性）ストレージを提供し、ハードディスクドライブ、関連付けられたリムーバブルメディアを伴うソリッドステートドライブ、コンパクトディスク読み取り専用メモリ（ＣＤ−ＲＯＭ）ドライブ、光学式ドライブ、リムーバブルメディアカートリッジ、および他の同様のストレージ媒体を含み得る。
【０１５２】
コンピュータは、パーソナルコンピュータ、ポータブルコンピュータ、タブレット、スマートフォン、ワークステーション、ネットワークコンピュータ、メインフレーム、キオスク、サーバ、または、フィールドプログラマブルゲートアレイ（ＦＰＧＡ）などの任意の他のデータ処理システムを含む様々なタイプのものであり得る。コンピュータおよびネットワークの絶えず変化する性質に起因して、本明細書に包含されるコンピュータの説明は、コンピュータの態様を例示する目的のための特定の例としてのみ意図されている。本明細書に記載されるシステムよりも多いまたは少ない構成要素を有する多くの他の構成が可能である。
【０１５３】
生物学的ナノ粒子の検出
いくつかの態様では、本開示は、流体サンプル中の生物学的ナノ粒子のサイズを検出する方法を提供し、この方法は、（ａ）マイクロ流体チップを提供することと、（ｂ）流体サンプルをマイクロ流体チップ内に導入することであって、流体サンプルが、少なくとも１つの生物学的ナノ粒子を含む、導入することと、（ｃ）生物学的ナノ粒子からの光強度を測定することと、（ｄ）マイクロ流体チップ内を輸送中に、生物学的ナノ粒子にサイズ値を割り当てることと、を含み、生物学的ナノ粒子は、１μｍ未満の流体力学的直径を有する。特定の態様では、マイクロ流体チップは、複数のマイクロ流体チャネルを含む。特有の実施形態では、マイクロ流体チップは、流動を方向付けるための機構を含み、生物学的ナノ粒子を濃縮および単離するために使用される。いくつかの実施形態では、流体サンプルは、複数の生物学的ナノ粒子を含む。一定の実施形態では、複数の生物学的ナノ粒子の一部分が、マイクロ流体チップ内に導入される。いくつかの実施形態では、複数の生物学的ナノ粒子の一部分が、マイクロ流体チャネルを通して流動する。
【０１５４】
特定の態様では、本開示の方法は、流動方向の制御をさらに提供する。いくつかの実施形態では、指向性を有する流動は、生物学的ナノ粒子のランク付けに応じて制御される。一定の実施形態では、流動方向は、生体粒子によって放出された光強度の検出に応答して制御される。特有の実施形態では、ナノ粒子の流動または収集は、生物学的ナノ粒子に割り当てられたサイズ値に基づいて方向付けられる。別の特有の実施形態では、ナノ粒子の流動または収集は、生物学的ナノ粒子と会合したマーカーの検出に基づいて方向付けられる。さらに別の特有の実施形態では、ナノ粒子の流動または収集は、生物学的ナノ粒子に割り当てられたサイズ値と生物学的ナノ粒子と会合したマーカーの検出との両方に基づいて方向付けられる。一定の実施形態では、方法は、同様のランク付けを有するナノ粒子を収集することによって生体粒子を凝縮することを含んでもよい。特有の実施形態では、方法は、流動を方向付けるための機構を使用して流動方向を制御することを含んでもよい。
【０１５５】
一態様では、本開示は、流体サンプル中の生物学的ナノ粒子を検出するための方法を提供し、この方法は、（ａ）生物学的ナノ粒子から放出された光強度を測定する工程と、（ｂ）輸送中の生物学的ナノ粒子にサイズ値を割り当てる工程であって、サイズ値が、検出された、放出された光強度に基づく、割り当てる工程と、を含む。一定の実施形態では、生物学的ナノ粒子は、１μｍ未満の流体力学的直径を有する。特有の実施形態では、測定は、生物学的ナノ粒子がマイクロ流体チップ内に位置する間に行われる。任意で、割り当ては、生物学的ナノ粒子がマイクロ流体チップ内に位置する間に行われる。好ましくは、測定および／または割り当ては、生物学的ナノ粒子がマイクロ流体チップを通した流動中である間に行われる。
【０１５６】
いくつかの実施形態では、生物学的ナノ粒子は、検出可能な薬剤と会合する。一定の実施形態では、検出可能な薬剤は、発光色素、蛍光色素、蛍光標識抗体、蛍光標識タンパク質、蛍光標識核酸、蛍光標識脂質、蛍光標識炭水化物、蛍光標識小分子、膜色素、蛍光発生色素、色素、ポリマードット、酵素の蛍光発生基質、またはこれらの組み合わせである。いくつかの実施形態では、検出可能な薬剤は、蛍光性である。他の実施形態では、検出可能な薬剤は、発光性である。本明細書で使用される場合、「会合する」は、共有および／または非共有相互作用を介した相互作用を含む。例えば、検出可能な薬剤は、生物学的ナノ粒子に共有結合され得る。あるいは、検出可能な薬剤は、例えば、生物学的ナノ粒子の膜に埋め込まれ得る。特定の実施形態では、検出可能な薬剤は、ファンデルワールス力または静電力などの非共有相互作用を介して、生物学的ナノ粒子の膜に埋め込まれ得る。
【０１５７】
特有の実施形態では、検出可能な薬剤は、生物学的ナノ粒子の表面と会合する。いくつかの実施形態において、検出可能な薬剤は、生物学的ナノ粒子の表面に共有結合および／または非共有結合で付着され得る。他の実施形態において、検出可能な薬剤は、生物学的ナノ粒子の表面内に埋め込まれ得る。特有の実施形態では、検出可能な薬剤は、生物学的ナノ粒子の表面、例えば、エキソソームの脂質層中に埋め込まれた膜色素によって囲まれる。生物学的ナノ粒子の表面と会合した検出可能な薬剤の関係は、生体ナノ粒子のサイズに関する情報を提供する。例えば、大きい表面積を有する生物学的ナノ粒子は、多数の検出可能な薬剤と会合することとなる一方、小さい表面積を有する生物学的ナノ粒子は、より少数の検出可能な薬剤と会合することとなる。生物学的ナノ粒子表面と会合した検出可能な薬剤の数の関係は、光強度とナノ粒子表面積との間の相関を提供する。このように、放出された光強度の量は、生物学的ナノ粒子のサイズに対応し、具体的には、生物学的ナノ粒子の表面積に対応する。
【０１５８】
他の実施形態では、検出可能な薬剤は、生物学的ナノ粒子の内部と会合する。いくつかの実施形態では、検出可能な薬剤は、生物学的ナノ粒子の表面とは会合せず、生物学的ナノ粒子内に埋め込まれるか、またはそうでなければ、生物学的ナノ粒子によって囲まれる。特有の実施形態では、検出可能な薬剤は、生物学的ナノ粒子によって包含されるが、内部表面、例えば、エキソソームの脂質膜と内部で会合しないエキソソーム内で自由に浮遊する色素とは会合しない。内部の検出可能な薬剤は、本明細書では「体積色素」とも呼ばれる。生物学的ナノ粒子によって囲まれた体積色素の関係は、生体ナノ粒子のサイズに関する情報を提供する。例えば、大きい体積を有する生物学的ナノ粒子は、多数の体積色素を含むこととなる一方、小さい体積を有する生物学的ナノ粒子は、より少ない体積色素を含むこととなる。生物学的ナノ粒子内の体積色素数の関係は、光強度とナノ粒子体積間の相関関係を提供する。このように、放出された光強度の量は、生物学的ナノ粒子のサイズに対応し、具体的には、生物学的ナノ粒子の体積に対応する。
【０１５９】
いくつかの実施形態では、生物学的ナノ粒子は、表面と会合した体積色素と、検出可能な薬剤と、の両方を含む。体積色素と、表面と会合した検出可能な薬剤と、の両方を含むナノ粒子は、生物学的ナノ粒子の表面積と体積との両方に関する情報を提供することができる。いくつかの実施形態では、体積色素が検出可能な薬剤と、表面積が検出可能な薬剤と、は同じである。他の実施形態では、体積色素が検出可能な薬剤と、表面積が検出可能な薬剤と、は異なる。一定の実施形態では、体積色素は、検出または単離された生物学的ナノ粒子の同一性またはタイプに関する情報を提供することができる。いくつかの実施形態では、蛍光発生基質である体積色素の使用は、検出または単離された生物学的ナノ粒子の同一性またはタイプに関する情報を提供することができる。特有の実施形態では、エキソソームなどの生物学的ナノ粒子に特異的な酵素の蛍光基質である体積色素の使用は、検出または単離された生物学的ナノ粒子の同一性またはタイプに関する情報をさらに提供することができる。
【０１６０】
一定の実施形態では、生物学的ナノ粒子は、非球状である。いくつかの実施形態では、生物学的ナノ粒子の形状についての情報は、生物学的ナノ粒子に関連付けられた信号の比率を分析することによって抽出され得る。特有の実施形態では、表面膜色素および体積色素を含む生物学的ナノ粒子は、放出比率を提供する。特有の実施形態では、表面膜色素および体積色素を含む生物学的ナノ粒子は、表面対体積比率を提供する。一定の実施形態では、表面膜色素と体積色素との比率は、生物学的ナノ粒子の形状についての情報を提供する。
【０１６１】
いくつかの実施形態では、検出可能な薬剤は、生物学的ナノ粒子と会合した１つ以上の結合標的に特異的に結合する。特定の態様では、結合標的は、タンパク質などのポリペプチドであり、検出可能な薬剤は、標的ポリペプチドに特異的に結合する蛍光標識抗体である。
【０１６２】
一定の実施形態では、生物学的ナノ粒子は、複数の検出可能な薬剤を含む。いくつかの実施形態では、複数の検出可能な薬剤は、発光色素、蛍光色素、蛍光標識抗体、蛍光標識タンパク質、蛍光標識核酸、蛍光標識脂質、蛍光標識炭水化物、蛍光標識小分子、膜色素、蛍光発生色素、色素、ポリマードット、酵素の蛍光発生基質、またはこれらの組み合わせである。一定の実施形態では、複数の検出可能な薬剤のうちの少なくとも１つは、生物学的ナノ粒子の表面と会合する。いくつかの実施形態では、複数の検出可能な薬剤は、体積色素を含む。特有の実施形態では、複数の検出可能な薬剤は、生物学的ナノ粒子の表面と会合した少なくとも１つの検出可能な薬剤を含み、さらに体積色素を含む。本明細書で使用される場合、「複数の検出可能な薬剤」という用語は、生物学的ナノ粒子と会合した複数の検出可能な薬剤を指す。
【０１６３】
いくつかの実施形態では、複数の検出可能な薬剤は、重なり合う発光プロファイルを有する。一定の実施形態では、複数の検出可能な薬剤は、重なり合う発光プロファイルおよび吸収プロファイルを有する。一定の実施形態では、検出可能な薬剤は、同じ発光プロファイルを有する。一定の実施形態では、検出可能な薬剤は、同じ発光プロファイルおよび吸収プロファイルを有する。特有の実施形態では、検出可能な薬剤は、同じピーク波長を有する発光プロファイルを有する。いくつかの実施形態では、複数の検出可能な薬剤は、同じ検出可能な薬剤を含む。非限定的な例として、生物学的ナノ粒子は、表面と会合した複数の検出可能な薬剤と会合してもよく、はすべての検出可能な薬剤、同じである（例えば、同じ発光プロファイルおよび吸収プロファイルとピーク波長とを有する）。
【０１６４】
一定の実施形態では、複数の検出可能な薬剤は、複数のタイプの検出可能な薬剤を含む。いくつかの実施形態では、検出可能な薬剤は、異なる発光プロファイルを有する。一定の実施形態では、検出可能な薬剤は、異なるピーク波長を有する発光プロファイルを有する。特有の実施形態では、ピーク波長が、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、７００ナノメートル超だけ、または８００ナノメートル超だけ分離され得る。いくつかの実施形態では、検出可能な薬剤は、異なる吸収プロファイルを有する。一定の実施形態では、検出可能な薬剤は、異なるピーク波長を有する吸収プロファイルを有する。特有の実施形態では、ピーク波長が、１０ナノメートル超だけ、２０ナノメートル超だけ、３０ナノメートル超だけ、４０ナノメートル超だけ、５０ナノメートル超だけ、７５ナノメートル超だけ、１００ナノメートル超だけ、１２０ナノメートル超だけ、１４０ナノメートル超だけ、１６０ナノメートル超だけ、１８０ナノメートル超だけ、２００ナノメートル超だけ、３００ナノメートル超だけ、４００ナノメートル超だけ、５００ナノメートル超だけ、６００ナノメートル超だけ、７００ナノメートル超だけ、または８００ナノメートル超だけ分離され得る。いくつかの実施形態では、検出可能な薬剤は、異なる発光プロファイルおよび吸収プロファイルを有する。非限定的な例として、生物学的ナノ粒子は、表面と会合した複数の検出可能な薬剤と会合してもよく、すべての、表面が検出可能な薬剤は、同じであり（例えば、同じ発光プロファイルおよび吸収プロファイルとピーク波長とを有する）、生物学的ナノ粒子は、複数の体積色素をさらに含んでもよく、複数の体積色素は、同じ発光プロファイルおよびピーク波長を有するが、表面色素のピーク波長は、体積色素のピーク波長とは異なる。このような生物学的ナノ粒子は、体積色素の放出された光強度と表面色素の放出された光強度との両方を使用して、生体ナノ粒子のサイズに関する情報を提供することができ、これにより、サイズ判定の精度が上昇する場合がある。第２の非限定的な例として、生物学的ナノ粒子は、表面と会合した複数の検出可能な薬剤と会合してもよく、複数の検出可能な薬剤のうちのいくつかは同じであり（例えば、同じ発光プロファイルおよび吸収プロファイルとピーク波長とを有する）、複数の検出可能な薬剤のうちの少なくとも１つは異なる（例えば、重なり合わないピーク波長を有する）。このような例では、異なる複数の検出可能な薬剤のうちの少なくとも１つは、例えば、生体ナノ粒子表面上の特異的なタンパク質と会合してもよい。この第２の非限定的な例では、会合した検出可能な薬剤は、生物学的ナノ粒子のサイズ、ならびにナノ粒子の同一性および／または生物学的ナノ粒子の表面タンパク質構成に関する情報を提供することができる。
【０１６５】
一定の実施形態では、複数の検出可能な薬剤は、複数の検出可能な薬剤のグループを含み得、グループの各々は、特性を共有する。いくつかの実施形態では、複数の検出可能な薬剤は、１個の検出可能な薬剤グループ、２個の検出可能な薬剤グループ、３個の検出可能な薬剤グループ、４個の検出可能な薬剤グループ、５個の検出可能な薬剤グループ、６個の検出可能な薬剤グループ、７個の検出可能な薬剤グループ、８個の検出可能な薬剤グループ、９個の検出可能な薬剤グループ、１０個の検出可能な薬剤グループ、または１０個を超える検出可能な薬剤グループを含む。検出可能な薬剤グループの各々は、同じ発光プロファイルおよび吸収プロファイルとピーク波長とを有する複数の検出可能な薬剤を含み得る。検出可能な薬剤グループの各々は、同じである複数の検出可能な薬剤を含み得る。非限定的な例として、生物学的ナノ粒子は、表面と会合した複数の検出可能な薬剤を含む第１の検出可能な薬剤グループと会合してもよく、すべての、表面が検出可能な薬剤は、同じであり（例えば、同じ発光プロファイルおよび吸収プロファイルとピーク波長とを有する）、生物学的ナノ粒子は、複数の体積色素を含む第２の検出可能な薬剤グループをさらに含んでもよく、すべての体積色素は、同じ発光プロファイルおよび吸収プロファイルとピーク波長とを有し、第１の検出可能な薬剤グループおよび第２の検出可能な薬剤グループのピーク波長は、異なり得る。このような生物学的ナノ粒子は、第１の検出可能な薬剤グループの放出された光強度と第２の検出可能な薬剤グループの放出された光強度との両方を使用して生体ナノ粒子のサイズに関する情報を提供することができ、これにより、サイズ判定の精度が上昇する場合がある。別の非限定的な例として、生物学的ナノ粒子は、表面と会合した複数の検出可能な薬剤を含む第１の検出可能な薬剤グループ、生体ナノ粒子上の特異的なタンパク質と会合した複数の検出可能な薬剤を含む第２の検出可能な薬剤グループ、生体ナノ粒子上の異なる特異的なタンパク質と会合した複数の検出可能な薬剤を含む第３の検出可能な薬剤グループ、および複数の体積色素を含む第４の検出可能な薬剤グループと会合してもよく、これは、組み合わせで、生体ナノ粒子の、正確なサイズ情報および同一性、またはタンパク質構成の両方を提供することができる。
【０１６６】
いくつかの実施形態では、生物学的ナノ粒子の存在または不在を検出するように構成された検出器が使用される。一定の実施形態では、検出器を使用して、生体ナノ粒子によって放出された光強度を測定する。特有の実施形態では、生物学的ナノ粒子によって放出された光は、検出器によって検出される。一定の実施形態では、生物学的ナノ粒子と会合した検出可能な薬剤によって放出された光は、検出器によって検出される。
【０１６７】
特定の態様では、検出器は、カメラ、電子増倍管、電荷結合デバイス（ＣＣＤ）イメージセンサ、光電子増倍管（ＰＭＴ）、マイクロチャネルプレートＰＭＴ（ＭＣＰ）、ハイブリッドＰＭＴ検出器、アバランシェフォトダイオード（ＡＰＤ）、単一光子アバランシェダイオード（ＳＰＡＤ）、シリコン光電子増倍管（ＳｉＰＭ）、および相補型金属酸化膜半導体（ＣＭＯＳ）イメージセンサからなる群から選択される。
【０１６８】
いくつかの実施形態では、放出された光は、ルミネセンス光を含む。一定の実施形態では、放出された光は、蛍光を含む。いくつかの実施形態では、放出された光は、散乱光を含む。特有の実施形態では、放出された光は、ルミネセンス光、蛍光、散乱光、またはこれらの組み合わせを含む。
【０１６９】
検出器によって検出された、放出された光は、光強度の測定値を提供する。特定の態様では、生物学的ナノ粒子にサイズ値を割り当てることは、測定された光強度の使用を含む。非限定的な例として、第２の生体ナノ粒子からの第２の光強度よりも２倍大きい第１の光強度を有する第１の生体ナノ粒子は、相対サイズ差を観測者に知らせ、第１の生体ナノ粒子は第２の生体ナノ粒子よりも大きい。いくつかの態様では、測定された光強度は、蛍光を含む。一定の実施形態では、測定された光強度は、ルミネセンスを含む。いくつかの実施形態では、測定された光強度は、散乱光を含む。
【０１７０】
一定の実施形態では、生物学的ナノ粒子からの光の放出を活性化するように構成された流体サンプルを探測処理用ソース。流体サンプルを探測処理するためのソースは、電磁放射線源であってもよい。一定の実施形態では、流体サンプルを探測処理するためのソースは、レーザ（固体、ダイオード励起、イオン、または色素）、発光ダイオード（ＬＥＤ）、ランプ、アーク放電、磁気パルス、または自然光を含む。流体サンプルを探測処理するためのソースは、生物学的ナノ粒子によって放出される光の強度を増加させるように調整されてもよい。非限定的な例として、レーザ波長は、生物学的ナノ粒子と会合した、蛍光が検出可能な薬剤のλａｂｓと同じ値を有するように選択されてもよく、検出器は、検出可能な薬剤によって放出された蛍光λｅｍを検出するように較正されてもよい。探査および検出用ソースのこのような選択は、好ましい光強度の放出および検出を提供する。いくつかの実施形態では、探測処理用ソースは、蛍光強度を活性化する。一定の実施形態では、探測処理用ソースは、散乱光強度を活性化する。特有の実施形態では、探測処理用ソースは、後方散乱光強度、側方散乱光強度、前方散乱光強度、またはこれらの組み合わせを活性化する。特有の実施形態では、探測処理用ソースは、散乱光強度と蛍光強度との両方を活性化する。非限定的な例として、流体サンプルを探査するためにレーザが使用されてもよく、通過するナノ粒子は、散乱光を放出してもよく、ナノ粒子と会合した検出可能な薬剤は、蛍光を放出してもよい。散乱光および蛍光の強度の測定値は、生物学的ナノ粒子に関連するパラメータを知らせる。放出された光がルミネセンス光を含む実施形態では、探測処理用ソースは、必要とされなくてもよい。
【０１７１】
特定の態様では、探測処理用ソースは、電磁放射線源（例えば、光源）である。いくつかの実施形態では、電磁放射線源は、レーザ、ランプ（例えば、水銀ランプ、ハロゲンランプ、メタルハライドランプ、または他の好適なランプ）、ＬＥＤ、またはこれらの組み合わせを含む。いくつかの実施形態では、探測用ソースは、落射照明を含む。いくつかの実施形態では、探測処理用ソースは、ライン共焦点検出（ＬＣＤ）、ライン照明（例えば、アレイ検出器と共に使用するための）、またはこれらの組み合わせを含む。一定の実施形態では、探測処理用ソースからの照明は、マイクロ流体チャネルの幅と交差するラインの形態をなす（例えば、ＬＣＤまたはライン照明を使用して）。非限定的な例として、探測処理用ソースは、ライン共焦点検出を使用し得る。いくつかの態様では、光源によって放出されるピーク波長は、約２００ｎｍ〜約３００ｎｍ、約２５０ｎｍ〜約３５０ｎｍ、約３００ｎｍ〜約４００ｎｍ、約３５０ｎｍ〜約４５０ｎｍ、約４００ｎｍ〜約５００ｎｍ、約４５０ｎｍ〜約５５０ｎｍ、約５００ｎｍ〜約６００ｎｍ、約５５０ｎｍ〜約６５０ｎｍ、約６００ｎｍ〜約７００ｎｍ、約６５０ｎｍ〜約７５０ｎｍ、約７００ｎｍ〜約８００ｎｍ、約７５０ｎｍ〜約８５０ｎｍ、約８００ｎｍ〜約９００ｎｍ、約８５０ｎｍ〜約９５０ｎｍ、または約９００ｎｍ〜約１０００ｎｍである。いくつかの態様では、別個のピーク波長を有する２つ以上の光源が使用され得る。いくつかの態様では、光源によって放出された光は、光フィルタリング装置によってフィルタリングされる。いくつかの態様では、光フィルタリング装置は、フィルタ、例えば、一定の範囲内にある光の波長のみが生物学的ナノ粒子に向けて通過することを可能にするバンドパスフィルタを含む。いくつかの態様では、光フィルタリング装置は、一定の範囲内にある光波長のみを生体ナノ粒子に向けて方向付けすることを可能にするように、光を別個のスペクトル成分に分離することができる多色鏡を含む。いくつかの態様では、光フィルタリング装置を通過する最長波長は、３００ｎｍ未満、４００ｎｍ未満、５００ｎｍ未満、６００ｎｍ未満、７００ｎｍ未満、８００ｎｍ未満、９００ｎｍ未満、または１０００ｎｍ未満である。いくつかの態様では、光フィルタリング装置を通過する最短波長は、２００ｎｍ超、３００ｎｍ超、４００ｎｍ超、５００ｎｍ超、６００ｎｍ超、７００ｎｍ超、８００ｎｍ超、または９００ｎｍ超である。
【０１７２】
いくつかの実施形態では、探測処理用ソースは、１０μｍ未満、９μｍ未満、８μｍ未満、７μｍ未満、６μｍ未満、５．０μｍ未満、４．５μｍ未満、４．０μｍ、３．５μｍ未満、３．０μｍ未満、２．５μｍ未満、２．０μｍ未満、１．５μｍ未満、１．０μｍ未満、９５０ｎｍ未満、９００ｎｍ未満、８５０ｎｍ未満、８００ｎｍ未満、７５０ｎｍ未満、７００ｎｍ未満、６５０ｎｍ未満、６００ｎｍ未満、５５０ｎｍ未満、５００ｎｍ未満、４５０ｎｍ未満、４００ｎｍ未満、３５０ｎｍ未満、または３００ｎｍ未満のビーム幅を有する。いくつかの実施形態では、探測処理用ソースは、１０μｍ未満、９μｍ未満、８μｍ未満、７μｍ未満、６μｍ未満、５．０μｍ未満、４．５μｍ未満、４．０μｍ未満、３．５μｍ未満、３．０μｍ未満、２．５μｍ未満、２．０μｍ未満、１．５μｍ未満、１．０μｍ未満、９５０ｎｍ未満、９００ｎｍ未満、８５０ｎｍ未満、８００ｎｍ未満、７５０ｎｍ未満、７００ｎｍ未満、６５０ｎｍ未満、６００ｎｍ未満、５５０ｎｍ未満、５００ｎｍ未満、４５０ｎｍ未満、４００ｎｍ未満、３５０ｎｍ未満、または３００ｎｍ未満の幅を有する光ビームである。一定の実施形態では、探測処理用ソースは、０．５μｍ以上かつ２μｍ以下のビーム幅を有する。いくつかの実施形態では、探測処理用ソースは、０．１μｍ超かつ２０μｍ未満、０．１μｍ超かつ１０μｍ未満、０．１μｍ超かつ９μｍ未満、０．１μｍ超かつ８μｍ未満、０．１μｍ超かつ７μｍ未満、０．１μｍ超かつ６μｍ未満、０．１μｍ超かつ５μｍ未満、０．１μｍ超かつ４μｍ未満、０．１μｍ超かつ３μｍ未満、０．１μｍ超かつ２μｍ未満、０．２μｍ超かつ１０μｍ未満、０．２μｍ超かつ５μｍ未満、０．２μｍ超かつ４μｍ未満、０．２μｍ超かつ３μｍ未満、０．２μｍ超かつ２μｍ未満、０．３μｍ超かつ５μｍ未満、０．３μｍ超かつ４μｍ未満、０．３μｍ超かつ３μｍ未満、０．３μｍ超かつ２μｍ未満、０．４μｍ超かつ５μｍ未満、０．４μｍ超かつ４μｍ未満、０．４μｍ超かつ３μｍ未満、０．４μｍ超かつ２μｍ未満、０．５μｍ超かつ５μｍ未満、０．５μｍ超かつ４μｍ未満、０．５μｍ超かつ３μｍ未満、または０．５μｍ超かつ２μｍ未満のビーム幅を有する。
【０１７３】
いくつかの実施形態では、少なくとも１つの生物学的ナノ粒子の探測処理用ソース（「照明用光源」または「照明光源」）は、２μｍ未満のビーム幅を有する照明光源を使用することを含む。いくつかの実施形態では、照明光源は、マイクロ流体チャネル内の検出の場所で２μｍ未満のビーム幅を有する。
【０１７４】
測定可能な光強度が、放出された光強度（例えば、発光ピーク強度または発光強度範囲）、発光波長（例えば、発光ピーク波長もしくは発光波長範囲）、発光寿命、励起波長（例えば、励起ピーク波長または励起波長範囲）、吸収波長（例えば、吸収ピーク波長または吸収波長範囲）、またはスペクトル強度であってもよい。放出された光強度を検出することは、発光強度（例えば、発光ピーク強度または発光強度範囲）、発光波長（例えば、発光ピーク波長または発光波長範囲）、発光寿命、励起波長（例えば、励起ピーク波長または励起波長範囲）、吸収波長（例えば、吸収ピーク波長または吸収波長範囲）スペクトル強度、またはそれらの任意の組み合わせを測定することを含み得る。いくつかの事例では、スペクトル強度は、例えば、複数の発光ピーク強度、発光ピーク波長、発光強度範囲、発光波長範囲、発光波長スペクトル、励起ピーク波長、励起波長範囲、吸収ピーク波長、または吸収波長範囲の比率を含み得る。例えば、複数の検出可能な薬剤を生物学的ナノ粒子のスペクトル強度を検出または測定することは、２つ以上の波長（例えば、２つ以上の、波長の範囲内）でプローブによって生成された検出可能な薬剤の発光強度を検出または測定することと、任意で、強度が検出または測定された２つ以上の波長で強度（例えば、強度範囲）の比率を計算することと、を含み得る。
【０１７５】
いくつかの実施形態では、放出された光強度は、２００ｎｍ、３００ｎｍ、４００ｎｍ、５００ｎｍ、６００ｎｍ、７００ｎｍ、８００ｎｍ、９００ｎｍ、１０００ｎｍのうちの少なくとも１つの波長を含むか、またはそれらのいずれか２つの値によって定義される範囲内の、波長または波長の範囲を含み得る。光の検出可能な放出またはその任意の態様（例えば、発光ピーク強度、発光強度範囲、発光ピーク波長、発光波長範囲、励起ピーク波長、励起波長範囲、吸収ピーク波長、吸収波長範囲、発光寿命、またはスペクトル強度）を使用して、標的生体ナノ粒子の存在または不在を判定し得る。結果として、本明細書に記載される方法およびシステムを使用して、流体サンプル中の１つ以上の別個の標的生物学的ナノ粒子の存在または不在の判定、測定、または表示を容易にすることができるか、または流体サンプル中の生物学的ナノ粒子と会合した１つ以上の検出可能な薬剤の存在または不在の判定または表示を容易にすることができる。
【０１７６】
様々なタイプの検出可能な薬剤が、本開示の方法およびシステムでの使用に好適である。いくつかの態様では、検出可能な薬剤は、１つ以上の発色団（例えば、フルオロフォア）を含む。本明細書に記載される発色団を使用して、様々な機構に従って蛍光発光を生成することができる。いくつかの実施形態では、検出可能な薬剤を第１の光学的状態から第２の光学的状態に変換することは、１つ以上の発色団のフォースター共鳴エネルギー転移（ＦＲＥＴ）ベースの消光、または１つ以上の発色団のＦＲＥＴベースの消光の除去を含む。一定の実施形態において、光エネルギーの適用は、発色団と相互作用する実体における組成変化および／または構造変化を誘発する。例えば、いくつかの態様では、検出可能な薬剤は、光エネルギーへの曝露時に異なる組成物および／または構造に（例えば、可逆的または不可逆的に）変換される少なくとも１つのフォトクロミック分子を含む。任意で、フォトクロミック分子は、分子のコンフォメーションに応じて発色団の蛍光を制御可能に消光し、それによって光学マーカーの光学的状態に変化をもたらすフォトクロミック消光剤である。フォトクロミック分子の例として、アゾベンゼン、スチルベン、アゾスチルベン、ジアリールエテン、キノン、ニトロン、フルギド、またはこれらの誘導体もしくは組み合わせが挙げられるが、これらに限定されない。１，２−ビス（２，４−ジメチル−５−フェニル−３−チエニル）−３，３，４，４，５，５、−ヘキサフルオロ−１−シクロペンテン（ＢＴＥ）は、本明細書に提示される様々な態様による使用に好適なであるジアリールエテンの例である。いくつかの態様では、ＢＴＥは、他のタイプのフォトクロミック分子と比較して、向上したフォトスイッチング動態、熱安定性、および疲労耐性を呈する。
【０１７７】
いくつかの実施形態では、発色団の光学特性を変更する光エネルギーに曝露されると、発色団自体が構造および／または組成において変化を受ける。例えば、いくつかの態様では、検出可能な薬剤は、光エネルギーの適用時に第１の光学的状態（例えば、比較的低い蛍光を呈するか、または全く蛍光を呈さない）から第２の光学的状態（例えば、比較的高い蛍光を呈する）に不可逆的に変換される少なくとも１つの光活性化可能な発色団を含む。光活性化可能な発色団の例として、光活性化可能な緑色蛍光タンパク質（ＰＡ−ＧＦＰ）、ＰＡ−ＣＦＰ２、ＰＡ−ｍＲＦＰ１、ＰＡ−ｍＣｈｅｒｒｙ１、Ｐｈａｍｒｅｔ、ケージ化蛍光色素（例えば、５−カルボキシメトキシ−２−ニトロベンジル（ＣＭＮＢ）−ケージ化フルオレセイン、ＣＭＮＢ−ケージ化カルボキシルフルオレセイン）、またはこれらの組み合わせもしくは誘導体が挙げられるが、これらに限定されない。いくつかの態様では、光活性化可能な蛍光タンパク質は、遺伝的にコードされ、かつ生物学的ナノ粒子を発現することができる。
【０１７８】
いくつかの態様では、検出可能な薬剤は、第１の光学的状態（例えば、比較的低い蛍光を呈するか、または全く蛍光を呈さない）と第２の光学的状態（例えば、比較的高い蛍光を呈する）との間で可逆的に変換可能である少なくとも１つのフォトスイッチ可能な発色団を含む。特定の態様では、フォトスイッチ可能な発色団は、第１の光エネルギー（例えば、第１の波長の光）に曝露されると第１の光学的状態から第２の光学的状態に、および第２の異なる光エネルギー（例えば、第２の波長の光）に露光されると第２の光学的状態から第１の光学的状態に、変換される。任意で、フォトスイッチ可能な発色団は、最小の光退色で、または光退色なしで、例えば少なくとも３回、５回、１０回、２０回、５０回、またはそれより多く、２つの光学的状態間で可逆的に多数回切り替わることができる。フォトスイッチ可能な発色団の例として、Ｄｒｏｎｐａ、ｒｓＦａｓｔＬｉｍｅ、Ｐａｄｒｏｎ、ｂｓＤｒｏｎｐａ、Ｅ２ＧＦＰ、ｒｓＣｈｅｒｒｙ、ｒｓＣｈｅｒｒｙＲｅｖ、またはこれらの組み合わせもしくは誘導体が挙げられるが、これらに限定されない。他の態様では、検出可能な薬剤は、本明細書にさらに記載されるように、少なくとも１つのフォトスイッチ可能な発色性ポリマー粒子を含む。
【０１７９】
一定の実施形態では、発色団は、ＳＹＢＲグリーン、エバグリーン、ＳＹＴＯ−９、ＳＹＴＯ−８２、フルオレセイン、ＦＩＴＣ、ＦＡＭ、ローダミン、ＨＥＸ、ＶＩＣ、ＪＯＥ、ＴＥＴ、ＴＡＭＲＡ、ＲＯＸ、ＴＲＩＴＣ、テキサスレッド、ＧＦＰ、フィコエリトリン（ＰＥ）、Ｃｙ３、Ｃｙ３．５、Ｃｙ５、Ｃｙ５．５、ＰＥ−Ｃｙ５、カルセイン、ＢＯＤＩＰＹ、Ａｌｅｘａ  Ｆｌｕｏｒ、ＤｙＬｉｇｈｔ  Ｆｌｕｏｒ、ＡＴＴＯ、Ｑｕａｓａｒ、Ｃａｌ  Ｆｌｕｏｒ、ＴＹＥ、Ｑｄｏｔ、Ｃｙ、ＳＹＳＴＯ、この誘導体、発色性ポリマー、半導体ポリマー、半導体ポリマードット、およびこれらの組み合わせからなる群から選択される。
【０１８０】
半導体ポリマーの様々なタイプおよび組成が、本開示の態様による使用に適用可能である。発色団ポリマーは、ホモポリマーまたはヘテロポリマーであり得る。例えば、いくつかの半導体ポリマーが、本開示による発色団ポリマー粒子における使用に好適である。半導体ポリマーの例として、ポリ（９，９−ジヘキシルフルオレニル−２，７−ジイル）（ＰＤＨＦ）およびポリ（９，９−ジオクチルフルオレニル−２，７−ジイル）（ＰＦＯ）を含むがこれらに限定されないポリフルオレン含有ポリマー、ポリ［｛９，９−ジオクチル−２，７−ジビニレン−フルオレニレン｝−アルト−コ−｛２−メトキシ−５−（２−エチルヘキシルオキシ）−１，４−フェニレン｝］（ＰＦＰＶ）、ポリ［（９，９−ジオクチルフルオレニル−２，７−ジイル）−コ−（１，４−ベンゾ−｛２，１，３｝−チアジアゾール）］（ＰＦＢＴ）、ポリ［（９，９−ジオクチルフルオレニル−２，７−ジイル）−コ−（４，７−ジ−２−チエニル−２，１，３−ベンゾチアジアゾール）］（ＰＦＴＢＴ）、およびポリ［（９，９−ジオクチルフルオレニル−２，７−ジイル）−コ−（４，７−ジ−２−チエニル−２，１，３−ベンゾチアジアゾール）］（ＰＦ−０．１ＴＢＴ）を含むがこれらに限定されないフルオレン含有コポリマー、ポリ［２−メトキシ−５−（２−エチルヘキシルオキシ）−１，４−フェニレンビニレン］（ＭＥＨ−ＰＰＶ）およびポリ［２−メトキシ−５−（２−エチルヘキシルオキシ）−１，４−（１−シアノビニレン−１，４−フェニレン）］（ＣＮ−ＰＰＶ）を含むがこれらに限定されないフェニレンビニレン含有ポリマー、ポリ（２，５−ジ（３’，７’−ジメチルオクチル）フェニレン−１，４−エチニレン（ＰＰＥ）を含むがこれに限定されないフェニレンエチニレン含有ポリマー、またはこれらの組み合わせが挙げられるが、これらに限定されない。一定の実施形態において、半導体ポリマーは、ポリフルオレン単量体、フルオレン単量体、フェニレンビニレン単量体、フェニレンエチニレン単量体、これらの任意の誘導体、またはこれらの組み合わせを含むポリマーを含み得るが、これらに限定されない。いくつかの実施形態では、半導体ポリマーは、ポリフルオレン、ポリフルオレン誘導体、フルオレン、フルオレン誘導体、フェニレンビニレン、フェニレンビニレン誘導体、フェニレンエチニレン、フェニレンエチニレン誘導体、またはこれらの組み合わせを含む。
【０１８１】
多種多様の発色団ポリマー構造が、本開示の様々な態様による使用に好適である。いくつかの態様では、発色団ポリマーは、線状ポリマーである。他の態様では、発色団ポリマーは、分岐ポリマーである。特定の態様では、発色団ポリマーは、デンドリマーである。特定の態様では、発色団ポリマーは、ブラシポリマーである。特定の態様では、発色団ポリマーは、スターポリマーである。
【０１８２】
いくつかの態様では、本明細書に記載される発色団ポリマー粒子は、ポリ（アクリル酸−ｂ−アクリルアミド、ポリ（アクリル酸−ｂ−メタクリル酸メチル）、ポリ（アクリル酸−ｂ−Ｎ−イソプロピルアクリルアミド）、ポリ（ｎ−ブチルアクリル酸−ｂ−アクリル酸）、ポリ（アクリル酸ナトリウム−ｂ−メタクリル酸メチル）、ポリ（メタクリル酸−ｂ−メタクリル酸ネオペンチル）、ポリ（メタクリル酸メチル−ｂ−アクリル酸）、ポリ（メタクリル酸メチル−ｂ−メタクリル酸）、ポリ（メタクリル酸メチル−ｂ−Ｎ，Ｎ−ジメチルアクリルアミド）、ポリ（メタクリル酸メチル−ｂ−アクリル酸ナトリウム）、ポリ（メタクリル酸メチル−ｂ−メタクリル酸ナトリウム）、ポリ（メタクリル酸ネオペンチル−ｂ−メタクリル酸）、ポリ（ｔ−メタクリル酸ブチル−ｂ−エチレンオキシド）、ポリ（２−アクリルアミド−２−メチルプロパンスルホン酸−ｂ−アクリル酸））などのポリ（（メタ）アクリル酸）系コポリマー、ポリ（ブタジエン（１，２付加）−ｂ−エチレンオキシド）、ポリ（ブタジエン（１，２付加）−ｂ−メチルアクリル酸、ポリ（ブタジエン（１，４付加）−ｂ−アクリル酸）、ポリ（ブタジエン（１，４付加）−ｂ−エチレンオキシド、ポリ（ブタジエン（１，４付加）−ｂ−アクリル酸ナトリウム）、ポリ（ブタジエン（１，４付加）−ｂ−Ｎ−メチル４−ビニルピリジニウムヨウ化物）、ポリ（イソプレン−ｂ−エチレンオキシド）、ポリ（イソプレン−ｂ−エチレンオキシド）、およびポリ（イソプレン−ｂ−Ｎ−メチル２−ビニルピリジニウムヨウ化物）などのポリジエン系コポリマー、ポリ（エチレンオキシド−ｂ−アクリル酸）、ポリ（エチレンオキシド−ｂ−アクリルアミド）、ポリ（エチレンオキシド−ｂ−ブチレンオキシド）、ポリ（エチレンオキシド−ｂ−ｃ−カプロラクトン）、ポリ（エチレンオキシド−ｂ−ラクチド）、ポリ（エチレンオキシド−ｂ−ラクチド）、ポリ（エチレンオキシド−ｂ−メタクリル酸）、ポリ（エチレンオキシド−ｂ−アクリル酸メチル）、ポリ（エチレンオキシド−ｂ−Ｎ−イソプロピルアクリルアミド）、ポリ（エチレンオキシド−ｂ−メタクリル酸メチル）、ポリ（エチレンオキシド−ｂ−メタクリル酸ニトロベンジル）、ポリ（エチレンオキシド−ｂ−Ｎ，Ｎ−メタクリル酸ジメチルアミノエチル）、ポリ（エチレンオキシド−ｂ−プロピレンオキシド）、ポリ（エチレンオキシド−ｂ−ｔ−アクリル酸ブチル）、ポリ（エチレンオキシド−ｂ−ｔ−メタクリル酸ブチル）、ポリ（エチレンオキシド−ｂ−メタクリル酸テトラヒドロフルフリル）、ポリ（エチレンオキシド−ｂ−２−エチルオキサゾリン）、ポリ（エチレンオキシド−ｂ−２−メタクリル酸ヒドロキシエチル）、ポリ（エチレンオキシド−ｂ−２−メチルオキサゾリン）などのポリ（エチレンオキシド）系コポリマー、ポリ（イソブチレン−ｂ−アクリル酸）、ポリ（イソブチレン−ｂ−エチレンオキシド）、ポリ（イソブチレン−ｂ−メタクリル酸）などのポリイソブチレン系コポリマー、ポリ（スチレン−ｂ−アクリルアミド）、ポリ（スチレン−ｂ−アクリル酸）、ポリ（スチレン−ｂ−アクリル酸セシウム）、ポリ（スチレン−ｂ−エチレンオキシド）、ブロック接合部で酸開裂可能なポリ（スチレン−ｂ−エチレンオキシド）、ポリ（スチレン−ｂ−メタクリル酸）、ポリ（４−スチレンスルホン酸−ｂ−エチレンオキシド）、ポリ（スチレンスルホン酸−ｂ−メチルブチレン）、ポリ（スチレン−ｂ−Ｎ，Ｎ−ジメチルアクリルアミド）、ポリ（スチレン−ｂ−Ｎ−イソプロピルアクリルアミド）、ポリ（スチレン−ｂ−Ｎ−メチル２−ビニルピリジニウムヨウ化物）、ポリ（スチレン−ｂ−Ｎ−メチル−４−ビニルピリジニウムヨウ化物）、ポリ（スチレン−ｂ−プロピルアクリル酸）、ポリ（スチレン−ｂ−アクリル酸ナトリウム）、ポリ（スチレン−ｂ−メタクリル酸ナトリウム）、ポリｐ−クロロメチルスチレン−ｂ−アクリルアミド）、ポリ（スチレン−コ−ｐ−クロロメチルスチレン−ｂ−アクリルアミド）、ポリ（スチレン−コ−ｐ−クロロメチルスチレン−ｂ−アクリル酸）、ポリ（スチレン−ｂ−メチルブチレン−コ−スルホン酸イソプレン）などのポリスチレン系コポリマー、ポリ（ジメチルシロキサン−ｂ−アクリル酸）、ポリ（ジメチルシロキサン−ｂ−エチレンオキシド）、ポリ（ジメチルシロキサン−ｂ−メタクリル酸）などのポリシロキサン系コポリマー、ポリ（フェロセニルジメチルシラン−ｂ−エチレンオキシド）などのポリ（フェロセニルジメチルシラン）系コポリマー、ポリ（２−ビニルナフタレン−ｂ−アクリル酸）などのポリ（２−ビニルナフタレン）系コポリマー、ポリ（２−ビニルピリジン−ｂ−エチレンオキシド）、ポリ（２−ビニルピリジン−ｂ−メチルアクリル酸）、ポリ（Ｎ−メチル２−ビニルピリジニウムヨウ化物−ｂ−エチレンオキシド）、ポリ（Ｎ−メチル４−ビニルピリジニウムヨウ化物−ｂ−メタクリル酸メチル）、ポリ（４−ビニルピリジン−ｂ−エチレンオキシド）ＰＥＯ末端官能性ＯＨ）などのポリ（ビニルピリジンおよびＮ−メチルビニルピリジニウムヨウ化物）系コポリマー、およびポリ（ビニルピロリドン−ｂ−Ｄ／Ｌ−ラクチド）などのポリ（ビニルピロリドン）系コポリマーを含むが、これらに限定されない、１つ以上の官能化単量体単位を有するコポリマーを含有する。
【０１８３】
特定の態様では、発色性ポリマー粒子は、半導体ポリマーのブレンドを含む。ブレンドは、ホモポリマー、コポリマー、およびオリゴマーの組み合わせを含み得る。発色団ポリマーを形成するために使用されるポリマーブレンドは、結果として生じたポリマー粒子の特性を調節するために、例えば、ポリマー粒子の所望の励起または発光スペクトルを達成するために選択されてもよい。
【０１８４】
さらに、検出可能な薬剤は、例えば、分析される生物学的ナノ粒子中に存在する関心の分子（例えば、核酸またはバイオマーカー）であり得る。あるいは、検出可能な薬剤は、生体ナノ粒子と会合する関心の分子（例えば、核酸分子またはバイオマーカー）と会合する分子であり得、それにより、ナノ粒子を検出することが可能になる。いくつかの態様では、検出可能な薬剤は、蛍光性であり、したがって、当該技術分野で知られている蛍光に基づく検出法によって検出することができる。ただし、他の検出法（例えば、吸光度、化学発光、濁度、および／または散乱）を使用して、生物学的ナノ粒子を分析することができる。本開示に好適な様々な検出可能な薬剤が当該技術分野で一般に周知であり、例えば、Ｔｈｅ  Ｍｏｌｅｃｕｌａｒ  Ｐｒｏｂｅｓ  Ｈａｎｄｂｏｏｋ，１１ｔｈ  Ｅｄｉｔｉｏｎ（２０１０）で見つけることができる。
【０１８５】
本明細書に記載される検出方法を使用して、生物学的ナノ粒子を、検出可能な薬剤との会合または会合の欠如について分析することができる。ある濃度の生物学的ナノ粒子の所与のサンプルについて、生物学的ナノ粒子のうちのいくつかは検出可能な薬剤を含み得、いくつかは含まない場合がある。一般に、流体力学的半径が大きい生物学的ナノ粒子は、流体力学的半径が小さい生物学的ナノ粒子と比較すると、検出可能な薬剤の数が多い。したがって、流体力学的半径が大きい生物学的ナノ粒子は、流体力学的半径が小さい生物学的ナノ粒子と比較すると、一般に、より高い強度の光を放出する。
【０１８６】
本明細書で提供される特有の実施形態では、生物学的ナノ粒子からの光強度の検出は、ナノ粒子がマイクロ流体チップ内を輸送中である間に行われる。特有の実施形態では、生物学的ナノ粒子は、マイクロ流体チップ内を輸送中である間に検出され、輸送は、中断されない流動を含む。
【０１８７】
本明細書に記載される検出方法を使用して、生物学的ナノ粒子、検出可能な薬剤、タグなどを特異的に検出してもよい。いくつかの実施形態では、光強度の検出、測定、または検出および測定は、単一ナノ粒子感度を有する。例えば、たとえ流体サンプルが複数の生物学的ナノ粒子を含む場合でも、マイクロ流体チップ内を輸送中に単一の生物学的ナノ粒子が検出されてもよい。いくつかの実施形態では、たとえ他の同様の生物学的ナノ粒子が存在しても、単一の生物学的ナノ粒子が検出されてもよい。本明細書で使用される場合、「単一ナノ粒子感度」は、個々の生物学的ナノ粒子の検出を指す。
【０１８８】
個々の生物学的ナノ粒子の照明は、複数の生物学的ナノ粒子を含む流体サンプル中にあり、かつ複数のうちの他の生物学的ナノ粒子のいずれもが不在で照明される生物学的ナノ粒子を指し得る。個々の生物学的ナノ粒子の照明は、照明領域にランダムに共局在する２つ以上の生物学的ナノ粒子（すなわち、偶然に照明領域内に存在する２つ以上の生物学的ナノ粒子）の照明とは別個である。個々の生物学的ナノ粒子の照明は、生物学的ナノ粒子の凝集物（すなわち、２つ以上の生物学的ナノ粒子）の照明とは別個である。非限定的な例として、個々の生物学的ナノ粒子が、光ビームを通過し得、したがって照明される。個々の生物学的ナノ粒子は、複数のうちの他の生物学的ナノ粒子のいずれもが不在で光ビームを通過し得、したがって個々の生物学的ナノ粒子は、単独で照明される。いくつかの実施形態では、個々の生物学的ナノ粒子は、流体サンプル中に存在する他の生物学的ナノ粒子のいずれもが不在で光源によって探査され得る単数のナノ粒子である（例えば、所与の光ビーム幅について、ビームには単一の生物学的ナノ粒子が存在するため、複数のうちの他の生物学的ナノ粒子のいずれもが不在でビームを照明できるようになる。
【０１８９】
個々の生物学的ナノ粒子からの光強度の検出は、複数の生物学的ナノ粒子を含む流体サンプル中にあり、かつ複数のうちの他の生物学的ナノ粒子のいずれもが不在で検出される生物学的ナノ粒子を指し得る。個々の生物学的ナノ粒子の検出は、生物学的ナノ粒子の凝集物（すなわち、互いに付着した２つ以上の生物学的ナノ粒子）の検出とは別個である。非限定的な例として、個々の生物学的ナノ粒子が、光ビームを通過し、測定される光強度を結果として生じ得る。個々の生物学的ナノ粒子は、複数のうちの他の生物学的ナノ粒子のいずれもが不在で光ビームを通過し、したがって個々の生物学的ナノ粒子は、単独で検出され得る。いくつかの実施形態では、個々の生物学的ナノ粒子は、流体サンプル中に存在するその他の生物学的ナノ粒子のいずれもが不在で光源によって探査され得る単数のナノ粒子である（例えば、所与の光ビーム幅について、ビームには単一の生物学的ナノ粒子が存在するため、複数のうちの他の生物学的ナノ粒子のいずれもが不在でビームを検出することが可能になる）。
【０１９０】
いくつかの実施形態では、複数の生物学的ナノ粒子の複数の生物学的ナノ粒子の少なくとも一部分が、照明される（すなわち、照明される生物学的ナノ粒子である）。非限定的な例として、照明光源からのビームを通過する生物学的ナノ粒子が、照明される生物学的ナノ粒子であり得る。いくつかの実施形態では、複数の検出される生物学的ナノ粒子の生物学的ナノ粒子の大半が、複数のうちの他の生物学的ナノ粒子のいずれもが不在で照明される。一定の実施形態では、照明される生物学的ナノ粒子の大半が、個々に照明される（すなわち、個々の生物学的ナノ粒子として測定される）。いくつかの実施形態では、複数の生物学的ナノ粒子中の照明される生物学的ナノ粒子のうちの１０％超、２０％超、３０％超、４０％超、５０％超、５５％超、６０％超、６５％超、７０％超、７５％超、８０％超、８５％超、９０％超、９５％超、９６％超、９７％超、９８％超、または９９％超が、個々に照明される。好ましい実施形態では、複数の生物学的ナノ粒子中の照明される生物学的ナノ粒子のうちの９０％超が、個々に照明される。
【０１９１】
いくつかの実施形態では、複数の生物学的ナノ粒子の複数の生物学的ナノ粒子の少なくとも一部分が、検出される（すなわち、検出される生物学的ナノ粒子である）。非限定的な例として、検出領域を通過する生物学的ナノ粒子は、検出される生物学的ナノ粒子であり得る。いくつかの実施形態では、複数の検出される生物学的ナノ粒子の生物学的ナノ粒子の大半が、複数のうちの他の生物学的ナノ粒子のいずれもが不在で検出される。一定の実施形態では、検出される生物学的ナノ粒子の大半が、個々に検出される（すなわち、「個々に検出される」とも呼ばれる個々の生物学的ナノ粒子として検出される）。いくつかの実施形態では、複数の生物学的ナノ粒子中の検出される生物学的ナノ粒子のうちの１０％超、２０％超、３０％超、４０％超、５０％超、５５％超、６０％超、６５％超、７０％超、７５％超、８０％超、８５％超、９０％超、９５％超、９６％超、９７％超、９８％超、または９９％超が、個々に検出される。好ましい実施形態では、複数の検出される生物学的ナノ粒子中の生物学的ナノ粒子のうちの９０％超が、個々に検出される。
【０１９２】
いくつかの実施形態では、複数の生物学的ナノ粒子のうちの少なくともいくつかが、粒子単位で検出される。いくつかの実施形態では、複数の生物学的ナノ粒子のうちの少なくともいくつかが、粒子単位で照明される。粒子単位は、領域（例えば、所与の幅を有する光ビーム）を個々に（すなわち、一度に１つ）通過する複数の生物学的ナノ粒子の観測を表す。粒子単位の非限定的な例として、複数の生物学的ナノ粒子を含む流体サンプルは、複数の生物学的ナノ粒子のうちの少なくともいくつかが光ビームを個々に通過する（すなわち、複数のうちの他の生物学的ナノ粒子のいずれもが不在で）ように、マイクロ流体チャネルの狭窄部を通して流動し、かつ光ビームを通過し得る。粒子単位の生物学的ナノ粒子の別の非限定的な例として、複数の生物学的ナノ粒子を含む流体サンプルが、１つ以下の生物学的ナノ粒子が複数のうちの他の生物学的ナノ粒子と全く重なり合わずに一度に光ビームを通過するように、マイクロチャネルを流動し、かつ光ビームを通過し得る。いくつかの特有の実施形態では、生物学的ナノ粒子の大半が、１つ以下の生物学的ナノ粒子が複数のうちの他の生物学的ナノ粒子と重なり合わずに一度に光ビームを通過するように、光ビームを通過する。いくつかの実施形態では、複数の照明される生物学的ナノ粒子中の生物学的ナノ粒子のうちの１０％超、２０％超、３０％超、４０％超、５０％超、５５％超、６０％超、６５％超、７０％超、７５％超、８０％超、８５％超、９０％超、９５％超、９６％超、９７％超、９８％超、または９９％超が、粒子単位で照明される。好ましい実施形態では、複数の生物学的ナノ粒子中の照明される生物学的ナノ粒子のうちの９０％超が、粒子単位で照明される。いくつかの実施形態では、複数の検出される生物学的ナノ粒子中の生物学的ナノ粒子のうちの１０％超、２０％超、３０％超、４０％超、５０％超、５５％超、６０％超、６５％超、７０％超、７５％超、８０％超、８５％超、９０％超、９５％超、９６％超、９７％超、９８％超、または９９％超が、粒子単位で検出される。好ましい実施形態では、複数の検出される生物学的ナノ粒子中の生物学的ナノ粒子のうちの９０％超が、粒子単位で検出される。
【０１９３】
いくつかの実施形態では、光強度の検出は、単一分子感度を有する。例えば、単一の生物学的ナノ粒子が、複数の検出可能な薬剤と会合してもよく、単一の検出可能な薬剤が、検出され得る。別の例として、単一の生物学的ナノ粒子が、複数の同じタイプの検出可能な薬剤と会合してもよく、複数の検出可能な薬剤の個々が、検出され得る。本明細書で使用される場合、「単一分子感度」は、個々の分子の検出を指し、個々の分子は、生物学的ナノ粒子と会合しているか、または生物学的ナノ粒子は、個々の分子を含む。単一分子検出は、点検出を含み得、検出は、空間領域（例えば、点または線）に集束され、上記の空間領域からの光の検出は、生物学的ナノ粒子の存在に対応し得る。点検出は、アバランシェフォトダイオード（ＡＰＤ）、マルチエレメントフォトダイオード、電子増倍管、光電子増倍管（ＰＭＴ）、マイクロチャネルプレートＰＭＴ（ＭＣＰ）、ハイブリッドＰＭＴ検出器、単一光子アバランシェダイオード（ＳＰＡＤ）、またはシリコン光電子増倍管（ＳｉＰＭ）などの点検出器の使用を含み得る。単一分子検出は、点照明、またはより好ましくは線照明の検出を含み得、照明光源は、空間領域（例えば、幅を照明する光のビーム、または点を照明する光のビーム）に集束され、上記の空間領域からの光の検出は、生物学的ナノ粒子の存在に対応し得る。点照明または線照明の検出は、上記でさらに開示されるように、カメラ、電子増倍管、電荷結合デバイス（ＣＣＤ）イメージセンサ、光電子増倍管（ＰＭＴ）、マイクロチャネルプレートＰＭＴ（ＭＣＰ）、ハイブリッドＰＭＴ検出器、アバランシェフォトダイオード（ＡＰＤ）、単一光子アバランシェダイオード（ＳＰＡＤ）、シリコン光電子増倍管（ＳｉＰＭ）、および相補型金属酸化膜半導体（ＣＭＯＳ）イメージセンサの使用を含み得、照明光源（すなわち、探測用ソース）は、レーザ、ランプ（例えば、水銀ランプ、ハロゲンランプ、メタルハライドランプ、または他の好適なランプ）、ＬＥＤ、またはこれらの組み合わせを含み得る。いくつかの実施形態では、検出器は、ライン共焦点検出器または撮像装置を含む。一定の実施形態では、生物学的ナノ粒子を検出することは、ライン共焦点検出または撮像を使用する。
【０１９４】
いくつかの実施形態では、空間領域からの光の検出は、少なくとも１つの検出器で領域（本明細書では「検出領域」とも呼ばれる）からの光強度を検出することを含む。いくつかの実施形態では、検出領域は、２５０μｍ２未満、２００μｍ２未満、１５０μｍ２未満、１００μｍ２未満、９０μｍ２未満、８０μｍ２未満、７０μｍ２未満、６０μｍ２未満、５０μｍ２未満、４５μｍ２未満、４０μｍ２未満、３５μｍ２未満、３０μｍ２未満、２５μｍ２未満、２０μｍ２未満、１９μｍ２未満、１８μｍ２未満、１７μｍ２未満、１６μｍ２未満、１５μｍ２未満、１４μｍ２未満、１３μｍ２未満、１２μｍ２未満、１１μｍ２未満、１０μｍ２未満、９μｍ２未満、８μｍ２未満、７μｍ２未満、６μｍ２未満、５μｍ２未満、４μｍ２未満、３μｍ２未満、２μｍ２未満、または１μｍ２未満の面積を有する。好ましい実施形態では、検出領域は、１μｍ２以上かつ１０μｍ２以下の面積を有する。いくつかの実施形態では、検出領域は、０．１μｍ２以上かつ５０μｍ２以下、０．２μｍ２以上かつ４５μｍ２以下、０．３μｍ２以上かつ４０μｍ２以下、０．４μｍ２以上かつ３５μｍ２以下、０．５μｍ２以上かつ３０μｍ２以下、０．６μｍ２以上かつ２５μｍ２以下、０．７μｍ２以上かつ２０μｍ２以下、０．８μｍ２以上かつ１５μｍ２以下、０．９μｍ２以上かつ１２．５μｍ２以下、１μｍ２以上かつ１０μｍ２以下の面積を有する。いくつかの実施形態では、検出領域は、少なくとも１つのマイクロ流体チャネルと重なり合い、交差し、および／または少なくとも１つのマイクロ流体チャネル内にある。いくつかの実施形態では、検出領域は、少なくとも１つのマイクロ流体チャネルの狭窄部と重なり合い、交差し、および／または少なくとも１つのマイクロ流体チャネル内にある。
【０１９５】
いくつかの実施形態では、少なくとも１つの探測処理用ソースは、ある領域（本明細書では「照明領域」とも呼ばれる）を探査する。いくつかの実施形態では、照明光源は照明領域を照明する。いくつかの実施形態では、照明領域は、２５０μｍ２未満、２００μｍ２未満、１５０μｍ２未満、１００μｍ２未満、９０μｍ２未満、８０μｍ２未満、７０μｍ２未満、６０μｍ２未満、５０μｍ２未満、４５μｍ２未満、４０μｍ２未満、３５μｍ２未満、３０μｍ２未満、２５μｍ２未満、２０μｍ２未満、１９μｍ２未満、１８μｍ２未満、１７μｍ２未満、１６μｍ２未満、１５μｍ２未満、１４μｍ２未満、１３μｍ２未満、１２μｍ２未満、１１μｍ２未満、１０μｍ２未満、９μｍ２未満、８μｍ２未満、７μｍ２未満、６μｍ２未満、５μｍ２未満、４μｍ２未満、３μｍ２未満、２μｍ２未満、または１μｍ２未満の面積を有する。好ましい実施形態では、照明領域は、１μｍ２以上かつ１００μｍ２以下の面積を有する。いくつかの実施形態では、照明領域は、０．１μｍ２以上かつ５００μｍ２以下、０．２μｍ２以上かつ４５０μｍ２以下、０．３μｍ２以上かつ４００μｍ２以下、０．４μｍ２以上かつ３５０μｍ２以下、０．５μｍ２以上かつ３００μｍ２以下、０．６μｍ２以上かつ２５０μｍ２以下、０．７μｍ２以上かつ２００μｍ２以下、０．８μｍ２以上かつ１５０μｍ２以下、０．９μｍ２以上かつ１２５μｍ２以下、１μｍ２以上かつ１００μｍ２以下の面積を有する。
【０１９６】
いくつかの実施形態では、光強度の検出は、タイムビンの使用を含む。生物学的ナノ粒子特性を判定するための開示される装置および方法は、短い信号積分時間または速いビンタイムで、迅速に実行され得る。ビンタイムを使用して、例えば、情報の選別を支援するために、探測蛍光の開始停止時間を評価することができる。タイムビン（本明細書では信号積分時間とも呼ばれる）は、イベントが発生する、または観測されるヒストグラムの時間範囲を開示することができる。いくつかの実施形態では、生物学的ナノ粒子の検出、測定、および／または探測は、タイムビンを使用する。いくつかの実施形態では、タイムビンは、１０ｍｓ未満、５ｍｓ未満、１ｍｓ未満、０．５ｍｓ未満、０．１ｍｓ未満、９０μｓ秒未満、８０μｓ未満、７０μｓ未満、６０μｓ未満、５０μｓ未満、４０μｓ未満、３０μｓ未満、２０μｓ未満、１０μｓ未満、５μｓ未満、または１μｓ未満の範囲を有する。いくつかの実施形態では、タイムビンは、１０ｍｓ〜０．１μｓ、５ｍｓ〜０．１μｓ、１ｍｓ〜０．１μｓ、０．５ｍｓ〜０．１μｓ、０．１ｍｓ〜０．１μｓ、９０μｓ〜０．１μｓ、８０μｓ〜０．１μｓ、７０μｓ〜０．１μｓ、６０μｓ〜０．１μｓ、５０μｓ〜０．１μｓ、４０μｓ〜０．１μｓ、３０μｓ〜０．１μｓ、２０μｓ〜０．１μｓ、１０μｓ〜０．１μｓ、５μｓ〜０．１μｓ、または１μｓ〜０．１μｓの値を有する。好ましい実施形態では、タイムビンは、１μｓ〜２ｍｓの範囲を有する。
【０１９７】
一定の実施形態では、光強度の検出は、生物学的ナノ粒子と会合した単一の抗体を検出する。特定の実施形態では、光強度の検出は、多数の検出可能な薬剤を含む単一の抗体を検出し、抗体は、生物学的ナノ粒子と会合する。いくつかの実施形態において、光強度の検出は、少なくとも１つの検出可能な薬剤と会合した単一の抗体を検出し、抗体は、生物学的ナノ粒子と会合する。
【０１９８】
粒子単位での検出
本明細書に記載されるように、複数の生物学的ナノ粒子は、粒子単位を使用して検出され得る。検出の粒子単位は、複数の生物学的ナノ粒子からの単一の生物学的ナノ粒子の検出を表す。いくつかの実施形態では、粒子単位は、単一ファイル検出を含み、複数の生物学的ナノ粒子の一部分が、マイクロ流体チャネルまたは狭窄部分（の狭窄部）マイクロ流体チャネルを通過する際に順次検出される。粒子単位は、複数の生物学的ナノ粒子の少なくともいくつかの間の物理的分離を意味する。
【０１９９】
いくつかの実施形態では、粒子単位で少なくとも１つの生物学的ナノ粒子を検出することは、個々の生物学的ナノ粒子を照明すること、個々の生物学的ナノ粒子を検出すること、またはこれらの組み合わせを含む。本明細書でさらに開示されるように、個々の生物学的ナノ粒子の検出、および／または個々の生物学的ナノ粒子を照明することは、複数の生物学的ナノ粒子を含む流体サンプル中にあるが、複数のうちの他の生物学的ナノ粒子のいずれもが不在で照明および／または検出される生物学的ナノ粒子を指し得る。個々の生物学的ナノ粒子の検出および／または照明は、生物学的ナノ粒子（すなわち、互いに付着した２つ以上の生物学的ナノ粒子）の凝集物の検出および／または照明とは別個である。非限定的な例として、個々の生物学的ナノ粒子が、光ビームを通過し得、検出される光強度が、結果として生じる。個々の生物学的ナノ粒子は、複数のうちの他の生物学的ナノ粒子のいずれもが不在で光ビームを通過し、したがって個々の生物学的ナノ粒子は、単独で検出および／または照明され得る。
【０２００】
いくつかの実施形態では、個々の生物学的ナノ粒子は、サンプルからの溶媒または流体によって囲まれる。一定の実施形態では、個々の生物学的ナノ粒子は、サンプルからの溶媒または流体によって完全に囲まれる。２つ以上の生物学的ナノ粒子の凝集物は、凝集物からの生物学的ナノ粒子の各々がサンプルからの溶媒または流体によって完全に囲まれることを妨げる。したがって、２つ以上の生物学的ナノ粒子の凝集物は、個々の生物学的ナノ粒子ではなく、個々の生物学的ナノ粒子は、２つ以上の生物学的ナノ粒子の凝集物ではない。
【０２０１】
いくつかの実施形態では、複数の生物学的ナノ粒子の一部分が、マイクロ流体チャネルを通して流動し、生物学的ナノ粒子のうちの少なくとも１つが、個々の生物学的ナノ粒子として検出される。いくつかの実施形態では、複数の生物学的ナノ粒子の一部分が、マイクロ流体チャネルの狭窄部を通して流動し、生物学的ナノ粒子のうちの少なくとも１つが、狭窄部で個々の生物学的ナノ粒子として検出される。一定の実施形態では、複数の生物学的ナノ粒子からの検出される生物学的ナノ粒子の一部分のうちの少なくとも１％が、個々の生物学的ナノ粒子として検出される。いくつかの実施形態では、複数の検出される生物学的ナノ粒子の一部分のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、個々の生物学的ナノ粒子として（粒子単位で）検出される。好ましい実施形態では、複数の生物学的ナノ粒子の一部分からの検出される生物学的ナノ粒子のうちの少なくとも９０％が、個々の生物学的ナノ粒子として検出される。
【０２０２】
いくつかの実施形態では、複数の生物学的ナノ粒子の一部分が、マイクロ流体チャネルを通して流動し、生物学的ナノ粒子のうちの少なくとも１つが、個々の生物学的ナノ粒子として照明される。いくつかの実施形態では、複数の生物学的ナノ粒子の一部分が、マイクロ流体チャネルの狭窄部を通して流動し、生物学的ナノ粒子のうちの少なくとも１つが、狭窄部で個々の生物学的ナノ粒子として照明される。一定の実施形態では、複数の照明される生物学的ナノ粒子の一部分のうちの少なくとも１％が、個々の生物学的ナノ粒子として照明される。いくつかの実施形態では、複数の照明される生物学的ナノ粒子の一部分のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、個々の生物学的ナノ粒子として（粒子単位で）照明される。好ましい実施形態では、複数の生物学的ナノ粒子の一部分からの照明される生物学的ナノ粒子のうちの少なくとも９０％が、個々の生物学的ナノ粒子として照明される。
【０２０３】
いくつかの実施形態では、複数の生物学的ナノ粒子の一部分が、マイクロ流体チャネルを通して流動し、生物学的ナノ粒子のうちの少なくとも１つが、個々の生物学的ナノ粒子として測定される。いくつかの実施形態では、複数の生物学的ナノ粒子の一部分が、マイクロ流体チャネルの狭窄部を通して流動し、生物学的ナノ粒子のうちの少なくとも１つが、狭窄部で個々の生物学的ナノ粒子として測定される。いくつかの実施形態では、検出または測定は、マイクロ流体チャネルに存在する狭窄部で行われる。一定の実施形態では、複数の測定される生物学的ナノ粒子の一部分のうちの少なくとも１％が、個々の生物学的ナノ粒子として測定される。いくつかの実施形態では、複数の測定される生物学的ナノ粒子の一部分のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、個々の生物学的ナノ粒子として（粒子単位で）測定される。好ましい実施形態では、複数の生物学的ナノ粒子の一部分からの測定される生物学的ナノ粒子のうちの少なくとも９０％が、個々の生物学的ナノ粒子として測定される。
【０２０４】
いくつかの実施形態では、複数の生物学的ナノ粒子の一部分が、マイクロ流体チャネルを通して流動し、複数の生物学的ナノ粒子間にボイドボリュームを含む。いくつかの実施形態では、複数の生物学的ナノ粒子の一部分が、マイクロ流体チャネルの狭窄部を通して流動し、複数の生物学的ナノ粒子間にボイドボリュームを含む。ボイドボリュームは、複数の生物学的ナノ粒子の一部分における個々の生物学的ナノ粒子間のボリューム（および幅を有するマイクロ流体チャネルでは、ボイド距離を表す）を表す。例えば、生物学的ナノ粒子の一部分が、互いに分離し（すなわち、凝集物ではない）、それらの間の平均ボイド距離を有し得る。ボイド距離およびボイドボリュームの値は、直接関連している。ボイドボリュームは、１つの生物学的ナノ粒子の検出および／または照明の後、かつ別の生物学的ナノ粒子の検出および／または照明の前に、マイクロ流体チャネルを通過する流体の体積を指し得る。いくつかの実施形態では、ボイドボリュームは、マイクロ流体チャネルを順次通過する生物学的ナノ粒子間の体積を指す。いくつかの実施形態では、ボイド距離は、個々の生物学的ナノ粒子間の距離を指し得る。いくつかの実施形態では、複数の生物学的ナノ粒子の一部分の間の平均ボイド距離は、複数の生物学的ナノ粒子の一部分の平均流体力学的直径の０．５倍超、１倍超、１．１倍超、１．２倍超、１．３倍超、１．４倍超、１．５倍超、１．６倍超、１．７倍超、１．８倍超、１．９倍超、２倍超、３倍超、４超倍、５倍超、６倍超、７倍超、８倍超、９倍超、１０倍超、１５倍超、２０倍超、２５倍超、５０倍超、７５倍超、１００倍超、２５０倍超、５００倍超、または１，０００倍超である。
【０２０５】
いくつかの実施形態では、平均ボイド距離は、平均して単一の個々の生物学的ナノ粒子がマイクロ流体チャネルの検出領域および／または照明領域を通過するのに十分である。一定の実施形態では、平均ボイド距離は、複数の生物学的ナノ粒子の一部分のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、粒子単位で検出領域および／または照明領域を通過するのに十分である。好ましい実施形態では、平均ボイド距離は、複数の生物学的ナノ粒子の一部分のうちの少なくとも９０％が、粒子単位で検出領域および／または照明領域を通過するのに十分である。
【０２０６】
いくつかの実施形態では、複数の生物学的ナノ粒子の一部分の間の平均距離は、検出領域、照明領域、またはこれらの組み合わせの幅よりも大きい。検出領域、照明領域、またはこれらの組み合わせは、放射線源（例えば、照明光源、したがって照明領域を形成する）によって照明され、および／または検出器で検出される（したがって、検出領域を形成する）少なくとも１つのマイクロ流体チャネルの領域を表し得る。いくつかの実施形態では、マイクロ流体チャネルは、狭窄部を含み、狭窄部は、検出領域を含む。いくつかの実施形態では、狭窄部は、検出領域である。いくつかの実施形態では、複数の生物学的ナノ粒子の一部分の間の平均距離は、検出領域の長さの０．５倍超、１倍超、１．１倍超、１．２倍超、１．３倍超、１．４倍超、１．５倍超、１．６倍超、１．７倍超、１．８倍超、１．９倍超、２倍超、３倍超、４超倍、５倍超、６倍超、７倍超、８倍超、９倍超、１０倍超、１５倍超、２０倍超、２５倍超、５０倍超、７５倍超、または１００倍超である。いくつかの実施形態では、複数の生物学的ナノ粒子の一部分の間の平均距離は、照明領域の長さの０．５倍超、１倍超、１．１倍超、１．２倍超、１．３倍超、１．４倍超、１．５倍超、１．６倍超、１．７倍超、１．８倍超、１．９倍超、２倍超、３倍超、４超倍、５倍超、６倍超、７倍超、８倍超、９倍超、１０倍超、１５倍超、２０倍超、２５倍超、５０倍超、７５倍超、または１００倍超である。非限定的な例として、照明領域は、幅を有する光のビームを含み得、複数の生物学的ナノ粒子の一部分の間の平均距離は、光のビームの幅よりも大きい。
【０２０７】
いくつかの実施形態では、複数の生物学的ナノ粒子の一部分が、複数の生物学的ナノ粒子の一部分からの個々の生物学的ナノ粒子の検出を可能にするのに十分な速度でチャネルを通して流動する。いくつかの実施形態では、複数の生物学的ナノ粒子の一部分は、毎秒３００，０００生物学的ナノ粒子未満、毎秒２００，０００生物学的ナノ粒子未満、毎秒１００，０００生物学的ナノ粒子未満、毎秒７５，０００生物学的ナノ粒子未満、毎秒５０，０００生物学的ナノ粒子未満、または毎秒２５，０００生物学的ナノ粒子未満、毎秒１５，０００生物学的ナノ粒子未満、毎秒１０，０００生物学的ナノ粒子未満、毎秒５，０００生物学的ナノ粒子未満、または毎秒１，０００生物学的ナノ粒子未満の速度でチャネルを通して流動する。好ましい実施形態では、複数の生物学的ナノ粒子の一部分は、毎秒５０，０００生物学的ナノ粒子未満の速度でチャネルを通して流動する。
【０２０８】
いくつかの実施形態では、粒子単位で複数の生物学的ナノ粒子の一部分を検出することは、生物学的ナノ粒子のうちの少なくとも２つを順次検出することを含む。複数の生物学的ナノ粒子の一部分がマイクロ流体チャネルを通して流動する際、複数の生物学的ナノ粒子は、少なくとも２つの生物学的ナノ粒子を個々に検出するのに十分な、少なくとも２つの生物学的ナノ粒子間の平均距離（例えば、上述したようなボイド距離を有する）を有し得る。いくつかの実施形態では、複数の生物学的ナノ粒子の一部分は、マイクロ流体チャネルを通して流動し、複数の生物学的ナノ粒子は、少なくとも２つの生物学的ナノ粒子を個々に検出するのに十分な、少なくとも２つの生物学的ナノ粒子間の平均距離（例えば、上述したようなボイド距離を有する）を有し得る。少なくとも２つの生物学的ナノ粒子は、マイクロ流体チャネルの検出領域および／または照明領域を一度に（すなわち、凝集し合わないで）通過することができ、したがって、順次（すなわち、次々に）照明および／または検出される。いくつかの実施形態では、複数の照明される生物学的ナノ粒子（すなわち、照明される生物学的ナノ粒子）の一部分から生物学的ナノ粒子のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、順次照明されるか、順序検出されるか、またはこれらの組み合わせである。好ましい実施形態では、複数の照明される生物学的ナノ粒子の一部分からの生物学的ナノ粒子のうちの少なくとも９０％が、順次照明されるか、順次検出されるか、またはこれらの組み合わせである。
【０２０９】
いくつかの実施形態では、方法は、複数の生物学的ナノ粒子のうちの少なくとも１つからの信号を検出することを含み、信号は、少なくとも１つの生物学的ナノ粒子からの放出を含む。いくつかの実施形態では、信号は、発光強度、発光波長、またはこれらの組み合わせを含む。信号は、バックグラウンドノイズ値を含み得る。バックグラウンドノイズは、複数の生物学的ナノ粒子のいずれもが検出されないとき（例えば、複数の生物学的ナノ粒子のいずれもが検出領域を通過しないとき）に、検出される信号を表し得る。いくつかの実施形態では、信号は、複数の生物学的ナノ粒子のうちの少なくとも１つの生物学的ナノ粒子からの放出された光強度を含み、バックグラウンドノイズは、少なくとも１つの生物学的ナノ粒子から放出された信号の不在を含む。いくつかの実施形態では、生物学的ナノ粒子が検出領域を通して流動する際、放出された光強度が、観測および検出され、生物学的ナノ粒子が検出領域から外へ流動する際、観測される光強度は、バックグラウンドノイズ値に減少する。いくつかの実施形態では、粒子単位での検出は、マイクロ流体チャネルを通して流動する第１の生物学的ナノ粒子から放出された第１の光強度を検出することであって、検出される光強度は、バックグラウンドノイズ値まで減少する、第１の光強度を検出することと、マイクロ流体チャネルを通して流動する第２の生物学的ナノ粒子から放出された第２の光強度を検出することと、を含む。一定の実施形態では、粒子単位での検出は、マイクロ流体チャネルを通して流動する第１の生物学的ナノ粒子から放出された第１の光強度を検出することであって、検出される光強度は、９０％未満、８０％未満、７０％未満、６０％未満、５０％未満、４０％未満、３０％未満、２５％未満、２０％未満、１５％未満、１０％未満、９％未満、８未満％、７％未満、６％未満、５％未満、４％未満、３％未満、２％未満、または１％未満に減少する、第１の光強度を検出することと、マイクロ流体チャネルを通して流動する第２の生物学的ナノ粒子から放出された第２の光強度を検出することと、を含む。好ましい実施形態では、粒子単位での検出は、マイクロ流体チャネル（またはマイクロ流体チャネルの狭窄部）を通して流動する第１の生物学的ナノ粒子から放出された第１の光強度を検出することであって、検出される光強度は、ピーク強度値の１０％未満に減少する、第１の光強度を検出することと、マイクロ流体チャネル（またはマイクロ流体チャネルの狭窄部）を通して流動する第２の生物学的ナノ粒子から放出された第２の光強度を検出することと、を含む。一定の実施形態では、第１の生物学的ナノ粒子の検出、それに続く光強度の減少（例えば、ピーク光強度の２０％未満に）、それに続く第２の生物学的ナノ粒子の検出は、粒子単位での複数の生物学的ナノ粒子の一部分の検出を表す。
【０２１０】
いくつかの実施形態では、粒子単位は、複数の生物学的ナノ粒子のうちの少なくともいくつかの間の物理的分離を含む。他の生物学的ナノ粒子から物理的に分離されている生物学的ナノ粒子は、複数の生物学的ナノ粒子からの他の生物学的ナノ粒子のいずれとも直接接触していない生物学的ナノ粒子である。いくつかの実施形態では、複数の生物学的ナノ粒子の一部分からの生物学的ナノ粒子のうちの少なくとも０．５％、少なくとも１％、少なくとも２％、少なくとも３％、少なくとも４％、少なくとも５％、少なくとも６％、少なくとも７％、少なくとも８％、少なくとも９％、少なくとも１０％、少なくとも１５％、少なくとも２０％、少なくとも２５％、少なくとも３０％、少なくとも３５％、少なくとも４０％、少なくとも４５％、少なくとも５０％、少なくとも５５％、少なくとも６０％、少なくとも６５％、少なくとも７０％、少なくとも７５％、少なくとも８０％、少なくとも８５％、少なくとも９０％、少なくとも９１％、少なくとも９２％、少なくとも９３％、少なくとも９４％、少なくとも９５％、少なくとも９６％、少なくとも９７％、少なくとも９８％、または少なくとも９９％が、複数の生物学的ナノ粒子の一部分における他の生物学的ナノ粒子のいずれからも物理的に分離されている。好ましい実施形態では、複数の生物学的ナノ粒子の一部分からの生物学的ナノ粒子の少なくとも９０％は、複数の生物学的ナノ粒子の一部分における他の生物学的ナノ粒子のいずれからも物理的に分離されている。
【０２１１】
いくつかの実施形態では、粒子単位での検出は、複数のマイクロ流体チャネルを含むマイクロ流体チップと、複数のマイクロ流体チャネルを照明する放射線源と、を含む装置および／またはシステムを使用する。いくつかの実施形態では、複数のマイクロ流体チャネルは、並列構成をなす。システムおよび／または装置は、放射線源を含み得、放射線源は、複数のマイクロ流体チャネルを照明する。いくつかの実施形態では、放射線源は、マイクロ流体チャネルに対して垂直な角度で複数のマイクロ流体チャネルを照明する。いくつかの実施形態では、装置および／またはシステムは、複数の検出器をさらに含み、各検出器は、単一のマイクロ流体チャネルの領域を検出するように設定される。非限定的な例として、マイクロ流体チップは、並列で１０個のマイクロ流体チャネルを含み得、放射線源は、１０個のマイクロ流体チャネルを照明し得、１０個の検出器は、１０個のマイクロ流体チャネルの各々からの信号を検出するように配列され得、各検出器は、単一のマイクロ流体チャネルと対をなす。
【０２１２】
いくつかの実施形態では、粒子単位で検出することは、複数のマイクロ流体チャネルを含むマイクロ流体チップと、複数のマイクロ流体チャネルを照明する複数の放射線源と、を含む装置および／またはシステムを使用する。いくつかの実施形態では、複数のマイクロ流体チャネルは、並列構成をなす。システムおよび／または装置は、複数の放射線源を含み得、放射線源は、複数のマイクロ流体チャネルを照明する。いくつかの実施形態では、放射線源は、マイクロ流体チャネルに対して垂直な角度で複数のマイクロ流体チャネルを照明する。いくつかの実施形態では、装置および／またはシステムは、複数の検出器をさらに含み、各検出器は、単一のマイクロ流体チャネルの領域を検出するように設定される。非限定的な例として、マイクロ流体チップは、並列で１０個のマイクロ流体チャネルを含み得、４つの放射線源は、５μｍ間隔の１０個のマイクロ流体チャネルを照明し得、１０個の検出器は、１０個のマイクロ流体チャネルの各々からの信号を検出するように配列され得、各検出器は、単一のマイクロ流体チャネルと対をなす。
【０２１３】
生物学的ナノ粒子へのサイズ値の割り当て
本明細書に記載されるように、生物学的ナノ粒子は、光強度を放出し得る。いくつかの実施形態では、探測処理用ソースは、光強度を活性化する。本開示は、生物学的ナノ粒子によって放出された光強度を検出する方法を提供する。特有の実施形態では、本開示は、生物学的ナノ粒子によって放出された光強度を測定し、および生物学的ナノ粒子にサイズ値を割り当てる方法を提供する。特有の実施形態では、サイズ値は、光強度に対応する。一定の実施形態では、サイズ値は、光強度に従って割り当てられる。
【０２１４】
特定の実施形態では、本開示は、粒子がマイクロ流体チップ内を輸送中である間に生物学的ナノ粒子からの光強度を検出することを含む方法を提供する。特定の実施形態では、マイクロ流体チップは、半透明または透明の特性を含む。例えば、半透明または透明である少なくとも１つの表面を含むマイクロ流体チップに、生物学的ナノ粒子を含む流体サンプルが提供されてもよく、少なくとも１つの半透明または透明な表面は、生物学的ナノ粒子が半透明または透明である少なくとも１つの表面を通過する光強度を放出して光強度が検出されるように、探測処理ソースが生物学的ナノ粒子と相互作用することを可能にする。特定の実施形態では、生物学的ナノ粒子からの光強度は、マイクロ流体チップ内を輸送中に検出され、輸送は、中断されない流動を含む。
【０２１５】
いくつかの実施形態では、サイズ値の割り当ては、バイナリである。特有の実施形態において、閾値を上回る光強度を放出する生体ナノ粒子に正のサイズ値が割り当てられる一方、残りの流体サンプルに負のサイズ値が割り当てられる。いくつかの実施形態では、閾値は、相対閾値である。一定の実施形態では、閾値は、１０個超の検出された光子、１００個超の検出された光子、１，０００個超の検出された光子、１０，０００個超の検出された光子、１００，０００個超の検出された光子、１，０００，０００個超の検出された光子、１０，０００，０００個超の検出された光子、または１００，０００，０００個超の検出された光子である。好ましい実施形態では、閾値は、１０個超の検出された光子である。サイズ値の割り当てがバイナリである一定の実施形態では、生物学的ナノ粒子に割り当てられるサイズ値は、ゼロまたは非ゼロのいずれかであり得る。
【０２１６】
いくつかの実施形態では、ナノ粒子には、相対的であるサイズ値が割り当てられる。特有の実施形態では、相対サイズ値は、生物学的ナノ粒子によって放出された相対光強度と相関する。非限定的な例として、大量の光強度を放出する第１の生物学的ナノ粒子には、高い相対サイズ値が割り当てられ得る一方、少量の光強度を放出する第２の生物学的ナノ粒子には、低い相対サイズ値が割り当てられ得る。いくつかの実施形態では、流体サンプルは、複数の相対サイズ値を有する生物学的ナノ粒子を含み得る。同様の強度の光を放出する生体ナノ粒子がまとめてグループ化され、かつ同じ相対サイズ値を割り当てられ得るように、相対サイズ値がビンに編成され得る。流体サンプルは、１個超のビン、２個超のビン、３個超のビン、４個超のビン、５個超のビン、６個超のビン、７個超のビン、８個超のビン、９個超のビン、１０個超のビン、１５個超のビン、２０個超のビン、２５個超のビン、３０個超のビン、４０個超のビン、５０個超のビン、６０個超のビン、７０個超のビン、８０個超のビン、９０個超のビン、１００個超のビン、２００個超のビン、３００個超のビン、５００個超のビン、１，０００個超のビン、または５，０００個超のビンを含み得る。非限定的な例として、複数の生物学的ナノ粒子を含む流体サンプルは、０の相対最小値および１．０の相対最大値を有する発光スケールと、相対発光の値に設定された５個のビンと、を有し得、第１のビンにより、０．０〜０．２の放出を有する生体ナノ粒子が割り振られ、第２のビンにより、０．２１〜０．４の放出を有するナノ粒子が割り振られ、第３のビンにより、０．４１〜０．６の放出を有するナノ粒子が割り振られ、第４のビンにより、０．６１〜０．８の放出を有するナノ粒子が割り振られ、第５のビンにより、０．８１〜１．０の放出を有するナノ粒子が割り振られる。流体サンプルの分析の結果、各検出されたナノ粒子は、その検出された発光に基づいてその対応するビンに割り当てられ、したがって、ナノ粒子に相対サイズ値が割り当てられ得る。各ビンに割り当てられたナノ粒子の数は、カウントされ得、ヒストグラムが生成され得る。このようにして、複数の生物学的ナノ粒子に相対サイズ値が割り当てられ得、各相対サイズ値が、測定された光強度の差によって判定される。
【０２１７】
いくつかの実施形態では、生物学的ナノ粒子の実際のサイズ値は、測定された光強度を標準で較正することによって判定される。いくつかの実施形態では、光強度の測定の較正は、生物学的ナノ粒子の光強度の測定前に行われ、その後、測定された光強度は、生物学的ナノ粒子の実際のサイズ値と相関する。他の実施形態では、光強度の測定の較正は、生物学的ナノ粒子の光強度の測定後に行われ、測定された光強度は、相対サイズ値と相関する。一定の実施形態では、相対サイズ値には、標準での較正後に実際のサイズ値が割り当てられ得る。いくつかの実施形態では、標準は、金ナノ粒子を含む。一定の実施形態では、標準は、複数の脂質を含む。いくつかの実施形態では、標準は、脂質小胞を含む。一定の実施形態では、標準は、シリカビーズ、ポリスチレンビーズ、シリコーンビーズ、ポリマービーズ、ポリマーナノ粒子、またはこれらの組み合わせを含む。流体サンプルが第２の生物学的ナノ粒子を含むいくつかの実施形態では、標準は、第２の生物学的ナノ粒子を含む。いくつかの実施形態では、標準は、動的光散乱を用いて測定される。
【０２１８】
標準が流体サンプルからの第２の生物学的ナノ粒子である特有の実施形態では、第２の生物学的ナノ粒子は、第１のタイプの生物学的ナノ粒子と同じである。他の実施形態では、第２の生物学的ナノ粒子は、第１の生物学的ナノ粒子とは異なる。第２の生物学的ナノ粒子の真のサイズ値は、当該技術分野で知られている手段、例えば動的光散乱またはＴＥＭ顕微鏡法を使用して判定されてもよく、第２の生物学的ナノ粒子によって放出された光強度は、第１の生物学的ナノ粒子のサイズ値を知らせることができる。いくつかの実施形態では、第２の生物学的ナノ粒子のサイズの判定は、第２の生物学的ナノ粒子からの光強度の測定前に行われる。他の実施形態では、第２の生物学的ナノ粒子のサイズの判定は、第２の生物学的ナノ粒子からの光強度の測定後に行われる。例えば、複数の生物学的ナノ粒子を含む流体サンプルの第１の部分は、本明細書でさらに開示されるように、マイクロ流体チップを通して本明細書で開示される方法を使用して処理され、相対サイズ値が割り当てられて、ヒストグラムを生成してもよい。流体サンプルの第２の部分は、動的光散乱またはＴＥＭ顕微鏡と、生物学的ナノ粒子に割り当てられた真のサイズ値と、を使用して分析され得る。次に、第２の部分は、第１の部分と同じ様式でマイクロ流体チップを通して処理されてもよく、結果として得られる真のサイズのヒストグラムを使用して、流体サンプルの第１の部分の生物学的ナノ粒子に真のサイズ値を割り当て得る。少なくともこのようにして、標準は、流体サンプルからの生物学的ナノ粒子のうちの少なくとも１つを含んでもよい。
【０２１９】
生物学的ナノ粒子によって放出される相対光強度と相関させることによってサイズ値を生体ナノ粒子に割り当てる場合、測定された光強度が、測定変動性のために、実行ごと、またはサンプルごとに変動しないことと、測定された光強度の差が、実際に生体ナノ粒子の差によって引き起こされることと、を確保することが重要である。測定された光強度は、マイクロチャネル内のレーザラインの正確なｚ位置、またはチップごとに存在し得る変動性（例えば、マイクロチャネルのフロアを形成し、かつ対物レンズと接触しているカバースリップの厚さ）、器具のドリフト（例えば、レーザまたは検出器の位置整合）、または操作条件の小さな制御されない変動（例えば、流速）を含む、制御するのが困難である多くの実験変動性の影響を受け得るため、この要件は、実際には満たすことが難しい可能性がある。これらの問題を克服するために、金ナノ粒子からの後方反射光強度または散乱光強度を使用する内部標準が用いられ得る。この操作では、金ナノ粒子が特に有利であり、それは、１）金ナノ粒子は、様々なサイズで容易に入手でき、これにより、検出チャネルでの検出される望ましい光強度に最もよく一致することとなるサイズを選択することが可能になる、２）金ナノ粒子の後方反射光強度または散乱光強度により、任意のレーザ励起波長、したがって任意のカラーチャネルでの使用が可能になる、３）金ナノ粒子は、サイズまたは直径が均一であり、これにより、検出された光強度分布を最小限に抑えることができ、したがって、内部較正を容易にし、定量化精度を向上させることができる、４）金ナノ粒子の表面は、生体ナノ粒子にまたはマイクロチャネル表面に、自己凝集したり、非特異的に付着したりしないように、ＰＥＧなどで容易に改質することができる、および５）金ナノ粒子は堅牢であり得、長期（例えば、１か月超）の保管中でも劣化または凝集しないためである。
【０２２０】
いくつかの実施形態では、生物学的ナノ粒子へのサイズ値の割り当ては、変調指数の使用を含む。特有の実施形態では、生物学的ナノ粒子へのサイズ値の割り当ては、振幅変調指数の使用を含む。別の実施形態では、生物学的ナノ粒子へのサイズ値の割り当ては、周波数変調指数の使用を含む。さらに別の実施形態では、生物学的ナノ粒子へのサイズ値の割り当ては、位相変調指数の使用を含む。変調指数の使用は、変調された光強度の放出が、変調されていないレベルの周りでどれだけ変動するかを示す。非限定的な例として、流体サンプルが、探測処理用ソースによって励起されたときに自己蛍光を発する生体粒子を含んでもよい。変調指数（例えば、振幅変調指数）の適用は、背景光強度に見合うことができ、より正確なサイズ値を提供する。
【０２２１】
一定の実施形態では、サイズ値は、値の範囲を含む。いくつかの実施形態では、値の範囲の最大値と最小値との差は、１マイクロメートル未満、５００ナノメートル、２００ナノメートル、１００ナノメートルであるか、８０ナノメートル未満であるか、５０ナノメートル未満であるか、４０ナノメートル未満であるか、３０ナノメートル未満であるか、２０ナノメートル未満であるか、１５ナノメートル未満であるか、１０ナノメートル未満であるか、または５ナノメートル未満である。例えば、４０〜１００ナノメートルの流体力学的直径範囲を含むサイズ値は、６０ナノメートルの値の範囲を有する。
【０２２２】
いくつかの実施形態では、サイズ値の割り当ては、（ａ）探測処理用ソースによる生物学的ナノ粒子の励起、および（ｂ）生物学的ナノ粒子によって放出された光強度の測定を使用する。本明細書に記載されるように、光強度は、散乱光、蛍光、ルミネセンス光、またはこれらの組み合わせを含み得る。一定の実施形態では、探測処理用ソースは、誘導放出抑制（ＳＴＥＤ）によって改変された光ビームを使用する。ＳＴＥＤの使用により、生物学的ナノ粒子にサイズ値を割り当てるときの精度の増加が提供される。一定の実施形態では、探測処理用ソースは、複数の光ビームを使用し、一定の実施形態では、複数の光ビームは、ＳＴＥＤによって改変される。
【０２２３】
一定の実施形態では、生物学的ナノ粒子のサイズ値は、流体力学的直径である。特有の実施形態では、流体力学的直径は、１０００ナノメートル未満、９００ナノメートル未満、８００ナノメートル未満、７００ナノメートル未満、６００ナノメートル未満、５００ナノメートル未満、４００ナノメートル未満、３００ナノメートル未満、２００ナノメートル未満、１５０ナノメートル未満、１００ナノメートル未満、９０ナノメートル未満、８０ナノメートル未満、７０ナノメートル未満、６０ナノメートル未満、５０ナノメートル未満、４０ナノメートル未満、または３０ナノメートル未満である。好ましい実施形態では、流体力学的直径は、１００ナノメートル未満である。一定の実施形態では、流体力学的直径は、動的光散乱（ＤＬＳ）を測定することによって判定され、測定されている生物学的ナノ粒子のサイズと同じ方法で光を拡散する剛球のサイズを指す。
【０２２４】
いくつかの実施形態では、流体力学的直径は、１，０００ナノメートル〜１０ナノメートル、９００ナノメートル〜１０ナノメートル、８００ナノメートル〜１０ナノメートル、７００ナノメートル〜１０ナノメートル、６００ナノメートル〜１０ナノメートル、５００ナノメートル〜１０ナノメートル、４００ナノメートル〜１０ナノメートル、３００ナノメートル〜１０ナノメートル、２００ナノメートル〜１０ナノメートル、１００ナノメートル〜１０ナノメートル、９０ナノメートル〜１０ナノメートル、８０ナノメートル〜１０ナノメートル、７０ナノメートル〜１０ナノメートル、６０ナノメートル〜１０ナノメートル、５０ナノメートル〜１０ナノメートル、または４０ナノメートル〜１０ナノメートルである。一定の実施形態では、流体力学的直径は、１，０００ナノメートル〜８００ナノメートル、８００ナノメートル〜６００ナノメートル、６００ナノメートル〜４００ナノメートル、４００ナノメートル〜２００ナノメートル、または２００ナノメートル〜１０ナノメートルである。好ましい実施形態では、流体力学的直径は、２００ナノメートル〜２０ナノメートルである。より好ましい実施形態では、流体力学的直径は、１００ナノメートル〜４０ナノメートルである。別段明記しない限り、２つの値に関連して使用される場合の「〜」という用語は、外縁の値を含む（例えば、４０ナノメートル〜１０ナノメートルは、１０ナノメートルおよび４０ナノメートルを含む、１０ナノメートル〜４０ナノメートルまでのすべての値を包含する）。
【０２２５】
いくつかの実施形態では、生物学的ナノ粒子へのサイズ値の割り当ては、デューティサイクルを使用する。デューティサイクルは、バイナリのオン／オフサイクルを有する検出方法として定義されてもよく、オンサイクルは、閾値を上回る生物学的ナノ粒子からの光強度の検出と相関し、オフサイクルは、閾値を上回る光強度の検出の欠如と相関する。デューティサイクルは、光強度の検出が閾値を上回って観測される期間の一部である。デューティサイクル比は、Ｄ＝（Ｔｏｎ／Ｔｔｏｔａｌ）として表すことができ、式中、Ｄは、デューティサイクル比、Ｔｏｎは、観測される光強度が閾値を上回っている時間、Ｔｔｏｔａｌは、合計測定時間である。例えば、検出の閾値を上回る光強度を放出する生物学的ナノ粒子は、探測処理用ソースを通過し得、光強度が検出されるとき、デューティはオン状態にある。ナノ粒子が探測処理用ソースの外を通過するとき、光強度は、検出の閾値を下回り、デューティはオフ状態にある。探測処理用ソースのサイズは、そのパルス幅である。一定の実施形態では、複数の探測処理用ソースを使用してデューティサイクルを計算してもよく、複数の探測処理用ソースは、空間的に分離されている。特有の実施形態では、２つの探測処理用ソースを使用してデューティサイクルを計算し得る。他の実施形態では、３つの探測処理用ソースを使用してデューティサイクルを計算し得るか、４つの探測処理用ソースを使用してデューティサイクルを計算し得るか、５つの探測処理用ソースを使用してデューティサイクルを計算し得るか、または５つより多い探測処理用ソースを使用してデューティサイクルを計算し得る。いくつかの実施形態では、複数の探測処理用ソースは、同じパルス幅を有する探測処理用ソースを含む。他の実施形態では、複数の探測処理用ソースは、異なるパルス幅を有する探測処理用ソースを含む。好ましい実施形態では、複数の探測処理用ソース間の空間的分離は、ゼロ長を含む。本明細書で使用される場合、「ゼロ長」は、生物学的ナノ粒子が通って探測処理用ソース間を移動する領域であり、閾値を上回る生体ナノ粒子によって放出される光強度は観測されない。計算されたデューティサイクル比は、探測処理用ソースを通過する生物学的ナノ粒子のサイズ値を提供することができる。一定の実施形態では、小さな生物学的ナノ粒子は、小さいデューティサイクルを有するものとなる（例えば、「オフ」状態で費やされる量の時間と比較すると、「オン」状態で費やされる量の時間は小さい）一方、大きな生物学的ナノ粒子は、大きなデューティサイクルを有するものとなる（例えば、「オン」状態で費やされる量の時間は、「オフ」状態で費やされる量の時間と比較して大きい）。デューティがオフ状態にある時間は、Ｔｏｆｆであり、これはＴｔｏｔａｌ−Ｔｏｎに等しい。他の実施形態では、Ｄの代わりに、Ｔｏｆｆ、ＴｏｎおよびＴｔｏｔａｌの異なる組み合わせ（Ｔｏｆｆ／ＴｔｏｔａｌまたはＴｏｆｆ／Ｔｏｎなど）を使用することができる。
【０２２６】
生物学的ナノ粒子の選別および分析
一態様では、本開示は、流体サンプル中の生物学的ナノ粒子を測定、検出、および／または選別するための方法および装置を提供する。一実施形態では、この方法論は、（ｉ）生物学的ナノ粒子の存在または不在を検出すること、（ｉｉ）サイズ値に従って生物学的ナノ粒子をランク付けすること、および（ｉｉｉ）割り当てられたランク付けに基づいて生物学的ナノ粒子の流動または収集を方向付けること、として特徴づけられ得る。一定の実施形態では、検出構成要素は、生物学的ナノ粒子と会合した単一の分子を検出し得る。いくつかの実施形態では、ナノ粒子のランク付けは、サイズ値以外のパラメータを含む。
【０２２７】
流体サンプル中の生物学的ナノ粒子を測定、検出、および／または選別するための方法および装置の非限定的な例を、図１６に見ることができる。いくつかが検出可能な薬剤（１６０２）と会合した複数の生物学的ナノ粒子を含む流体サンプルが、マイクロ流体チャネルによって接続された注入口および２つの排出口を含むマイクロ流体チップ（１６０３）内に導入される。生体ナノ粒子は、注入口チャネル（１６４２）を通して検出領域（１６０４）に向けて流動し、そこで検出可能な薬剤のサイズ値および生物学的ナノ粒子との会合（または会合の欠如）を判定し得る。検出可能な薬剤（１６４１）と会合した生体ナノ粒子は、正の値を与えられ、下流に移動し、そこで、濃縮コンテナまたはさらなる処理へと通じる正のマイクロ流体チャネル（１６２１）へ選別される（流動を方向付けるための機構は図示されていない）。正に選別された生体ナノ粒子（１６６１）は、正しい選別が行われたかどうかを確認し得る第２の検出領域（１６２２）を通過し得る。検出可能な薬剤（１６０１）と会合していない生物学的ナノ粒子は、負の値が割り当てられて下流に移動し、そこで負のマイクロ流体チャネル（１６１１）へ選別される。負に選別された生体ナノ粒子（１６５１）は、廃棄物コンテナに輸送され得る。
【０２２８】
本明細書で使用される場合、「流体サンプル」は、関心の生物学的ナノ粒子を含み得る任意の液体を指す。好ましい実施形態では、流体サンプルは、体液を含む。一定の実施形態では、流体サンプルは、生物学的流体サンプル、例えば、血清サンプル、血漿サンプル、唾液サンプル、尿サンプル、乳サンプル、滑液サンプル、羊水サンプル、リンパ液サンプル、脊髄液サンプルなどであってもよい。特有の実施形態では、体液は、血清、血漿、脊髄液、またはリンパ液を含む。
【０２２９】
本明細書で使用される場合、「ランク付け」という用語は、分類によって生物学的ナノ粒子の定量的特性、定性的特性、または重要性を評価することを指す。一実施形態では、生物学的ナノ粒子は、ヌル（例えば、生物学的ナノ粒子が検出されない場合）または非ゼロ（例えば、生物学的ナノ粒子が検出される場合）のいずれかにランク付けされてもよい。一実施形態では、ランク付けは、バイナリであってもよい。他の実施形態において、生物学的ナノ粒子は、例えば、生体ナノ粒子のサイズ値、ナノ粒子の同一性、生物学的ナノ粒子の検出可能な特徴、生物学的ナノ粒子と会合した検出可能な薬剤など、と相関する追加のカテゴリに従ってランク付けされてもよい。このようにして、任意の数のカテゴリが割り当てられてもよい。これらのランク付けには、多数の所定の定量的または定性的カテゴリのうちの１つに対応する任意の番号（例えば、０、１、２、３、４、５など）、または生物学的ナノ粒子の実際の値（例えば、生物学的ナノ粒子のサイズ値）に対応する番号が割り当てられてもよい。
【０２３０】
本明細書で使用される場合、「検出可能な特性」は、関心の生物学的ナノ粒子に関連付けられた特性、例えば、生体ナノ粒子に本来的である、または生物学的ナノ粒子に関連付けられた光活性、電気活性特性、生物活性特性、または磁気特性を指す。
【０２３１】
光活性特性の例として、例えば、生体ナノ粒子モルフォロジー（粒子サイズ、粒度、内部細胞内構造）、蛍光、免疫蛍光などによって通常誘起される光学的光強度（光学反射、散乱、偏向、透過、または吸収）の変更が挙げられる。
【０２３２】
生物活性特性の例として、例えば、エステラーゼ、ホスファターゼ、リパーゼ、ペルオキシダーゼ、ガラクトシダーゼなどの酵素との検出可能な相互作用、およびそれらの蛍光基質または蛍光発生基質、またはそれらの化学発光基質または化学蛍光基質が挙げられる。
【０２３３】
一定の実施形態において、生物学的ナノ粒子を検出するために使用され得る部分として、限定されないが、抗体および抗体のフラグメント、蛍光抗体、ポリマー分子、色素分子、ＤＮＡまたはＲＮＡ分子（例えば、アプタマー）、タンパク質分子、脂質分子（例えば、脂質と会合する蛍光色素）などが挙げられる。
【０２３４】
本明細書中で使用される場合、「抗体」は、抗原を特異的に拘束および認識する免疫グロブリン遺伝子またはそのフラグメント由来のフレームワーク領域を含むポリペプチドを指す。認識される免疫グロブリン遺伝子として、カッパ、ラムダ、アルファ、ガンマ、デルタ、イプシロン、ミューの定常領域遺伝子、ならびに無数の免疫グロブリン可変領域遺伝子が挙げられる。軽鎖は、カッパまたはラムダのいずれかに分類される。重鎖は、ガンマ、ミュー、アルファ、デルタ、イプシロンに分類され、これらはそれぞれ免疫グロブリンクラスＩｇＧ、ＩｇＭ、ＩｇＡ、ＩｇＤ、およびＩｇＥを定義する。典型的には、抗体の抗原結合領域は、結合の特異性および親和性において最も重要となる。抗体は、ポリクローナルまたはモノクローナルであり得、血清、ハイブリドーマに由来するか、または組換え的にクローン化され得、そしてまた、キメラ化、霊長類化、またはヒト化され得る。
【０２３５】
例示的な免疫グロブリン（抗体）構造単位は四量体を含む。各四量体は、ポリペプチド鎖の２つの同一ペアで構成され、各ペアは、１つの「軽」鎖（約２５ｋＤ）と１つの「重」鎖（約５０〜７０ｋＤ）とを有する。各鎖のＮ末端は、主に抗原認識に関与する約１００〜１１０以上のアミノ酸の可変領域を定義する。可変軽鎖（ＶＬ）および可変重鎖（ＶＨ）という用語は、それぞれこれらの軽鎖および重鎖を指す。
【０２３６】
抗体は、例えば、損傷していない免疫グロブリンとして、または様々なペプチダーゼでの消化によって生成される、いくつかのよく特徴付けられたフラグメントとして存在する。したがって、例えば、ペプシンは、ヒンジ領域のジスルフィド架橋の下方の抗体を消化して、それ自体がジスルフィド結合によってＶＨ−ＣＨ１に連結した軽鎖であるＦａｂの二量体であるＦ（ａｂ）’２を生成する。Ｆ（ａｂ）’２は、穏やかな条件下で還元されてヒンジ領域のジスルフィド架橋を破壊し、それによりＦ（ａｂ）’２二量体をＦａｂ’単量体に変換してもよい。Ｆａｂ’単量体は、本質的にヒンジ領域の一部を有するＦａｂである（Ｆｕｎｄａｍｅｎｔａｌ  Ｉｍｍｕｎｏｌｏｇｙ（Ｐａｕｌ  ｅｄ．、３ｄ  ｅｄ．１９９３）を参照）。様々な抗体フラグメントは、損傷していない抗体の消化に関して定義されるが、当業者は、そのようなフラグメントが化学的に、または組換えＤＮＡ方法論を使用することによってのいずれかでデノボ合成されてもよいことを理解するであろう。したがって、本明細書で使用される抗体という用語は、抗体全体の改変によって生成された抗体フラグメント、または組換えＤＮＡ方法論を使用してデノボ合成された抗体フラグメント（例えば、一本鎖Ｆｖ）、またはファージディスプレイライブラリを使用して識別された抗体フラグメント（例えば、ＭｃＣａｆｆｅｒｔｙ  ｅｔ  ａｌ．、Ｎａｔｕｒｅ、３４８：５５２−５５４（１９９０）を参照）。
【０２３７】
一実施形態では、抗体は、標識または検出可能な部分にコンジュゲートされる。一定の実施形態では、抗体は、生物学的ナノ粒子と会合する。特定の実施形態では、生物学的ナノ粒子は、抗体と会合し、抗体は、多数の検出可能な薬剤を含む。一定の実施形態では、生物学的ナノ粒子は、抗体と会合し、抗体は、多数の検出可能な薬剤と会合する。いくつかの実施形態では、生物学的ナノ粒子は、抗体と会合し、抗体は、少なくとも１つの検出可能な薬剤と会合する。
【０２３８】
本明細書で使用される場合、「標識」または「検出可能な部分」は、分光学的、光化学的、生化学的、免疫化学的、化学的、または他の物理的手段によって検出可能な組成物を指す。例えば、有用な標識として、限定されないが、放射性核種、蛍光色素（例えば、フルオレセイン、フルオレセインイソチオシアネート（ＦＩＴＣ）、Ｏｒｅｇｏｎ  Ｇｒｅｅｎ（登録商標）、Ａｌｅｘａ（登録商標）、ローダミン、テキサスレッド、テトラロジミンイソチオシアネート（ＴＲＩＴＣ）、Ｃｙ３、Ｃｙ５など）、蛍光マーカー（例えば、緑色蛍光タンパク質（ＧＦＰ）、フィコエリスリンなど）、腫瘍関連プロテアーゼ、酵素（例えば、ルシフェラーゼ、エステラーゼ、リパーゼ、ペルオキシダーゼ、ホスファターゼなど）、ナノ粒子、ビオチン、ジゴキシゲニンなどによって活性化される自動消光蛍光化合物が挙げられる。
【０２３９】
一定の実施形態では、検出試薬を灌流して、関心の生物学的ナノ粒子を選択的に標識してもよい。このような試薬の例として、限定されないが、蛍光性、免疫蛍光性、色素がコンジュゲートした分子（抗体、ｆａｂフラグメント、アプタマー、ポリマー、リガンド、アゴニスト、アンタゴニスト、またはこれらの組み合わせなど）の磁性化合物、電気活性化合物、生物活性化合物、または光活性化合物が挙げられる。例は、エキソソームと反応する染色剤を使用することである。他の色素の例として、フルオレセインイソチオシアネート（ＦＩＴＣ）がコンジュゲートしたマウス抗ヒト上皮抗体（ＨＥＡ）、およびフィコエリトリン（ＰＥ）がコンジュゲートした抗ＣＤ６３が挙げられる。色素がコンジュゲートした抗体の他の例として、テトラスパニン（例えば、ＣＤ９、ＣＤ６３、およびＣＤ８１）、熱ショックタンパク質（例えば、ＨＳＣ７０、およびＨＳＣ９０）、膜輸送体（例えば、ＧＴＰａｓｅ）および脂質結合タンパク質、細胞接着タンパク質、脂質結合タンパク質、膜貫通タンパク質、酵素、汎サイトケラチン抗体Ａ４５Ｂ／Ｂ３、ＡＥ１／ＡＥ３、またはＣＡＭ５．２（サイトケラチン８（ＣＫ８）、サイトケラチン１８（ＣＫ１８）、またはサイトケラチン１９（ＣＫ１９）を認識する汎サイトケラチン抗体、および乳癌抗原ＮＹ−ＢＲ−１（Ｂ７２６Ｐ、ＡＮＫＲＤ３０Ａ、アンキリンリピートドメイン３０Ａとしても知られている）に対するもの、Ｂ３０５ＤアイソフォームＡまたはＣ（Ｂ３０５Ｄ−Ａ  ｒｏ  Ｂ３０５Ｄ−Ｃ；抗原Ｂ３０５Ｄとしても知られている）、Ｈｅｒｍｅｓ抗原（Ａｎｔｉｇｅｎ  ＣＤ４４、ＰＧＰ１としても知られている）、Ｅ−ｃａｄｈｅｒｉｎ（Ｕｖｏｍｏｒｕｌｉｎ、Ｃａｄｈｅｒｉｎ−１、ＣＤＨ１としても知られている）、Ｃａｒｃｉｎｏ−ｅｍｂｒｙｏｎｉｃ抗原（ＣＥＡ；ＣＥＡＣＡＭ５またはＣａｒｃｉｎｏ−ｅｍｂｒｙｏｎｉｃ抗原関連細胞接着分子５としても知られている）、β−ヒト絨毛性ゴナドトフィン（β−ＨＣＧ；ＣＧＢ、慢性性腺刺激ホルモン、βポリペプチドとしても知られている）、カテプシン−Ｄ（ＣＴＳＤとしても知られている）、ニューロペプチドＹ受容体Ｙ３（ＮＰＹ３Ｒとしても知られている；リポ多糖関連タンパク質３、ＬＡＰ３、Ｆｕｓｉｏｎ；ケモカイン（ＣＸＣモチーフ、受容体４）；ＣＸＣＲ４）、癌遺伝子ＥＲＢＢ１（ｃ−ｅｒｂＢ−１、上皮成長因子受容体、ＥＧＦＲとしても知られている）、Ｈｅｒ−２  Ｎｅｕ（ｃ−ｅｒｂＢ−２またはＥＲＢＢ２としても知られている）、ＧＡＢＡ受容体Ａ、ｐｉ（π）ポリペプチド（ＧＡＢＡＲＡＰ、ＧＡＢＡ−Ａ受容体、ｐｉ（π）ポリペプチド（ＧＡＢＡ  Ａ（π）、γ−アミノ酪酸Ａ型受容体ｐｉ（π）サブユニット）、またはＧＡＢＲＰとしても知られている）、ｐｐＧａｌＮａｃ−Ｔ（６）（β−１−４−Ｎ−アセチル−ガラクトサミニルトランスフェラーゼ６、ＧａｌＮＡｃトランスフェラーゼ６、ＧａｌＮＡｃＴ６、ＵＤＰ−Ｎ−アセチル−ｄ−ガラクトサミン：ポリペプチドＮ−アセチルガラクトサミニルトランスフェラーゼ６、またはＧＡＬＮＴ６としても知られている）、ＣＫ７（サイトケラチン７、サルコレクチン、ＳＣＬ、ケラチン７、またはＫＲＴ７��しても知られている）、ＣＫ８（サイトケラチン８、ケラチン８、またはＫＲＴ８としても知られている）、ＣＫ１８（サイトケラチン１８、ケラチン１８、またはＫＲＴ１８としても知られている）、ＣＫ１９（サイトケラチン１９、ケラチン１９、またはＫＲＴ１９としても知られている）、ＣＫ２０（サイトケラチン２０、ケラチン２０、またはＫＲＴ２０としても知られている）、Ｍａｇｅ（メラノーマ抗原ファミリーＡサブタイプまたはＭＡＧＥ−Ａサブタイプとしても知られている）、Ｍａｇｅ３（メラノーマ抗原ファミリーＡ  ３またはＭＡＧＡ３としても知られている）、肝細胞増殖因子受容体（ＨＧＦＲ、腎細胞癌乳頭２、ＲＣＣＰ２、Ｐｒｏｔｏｏｎｃｏｇｅｎｅ  ｍｅｔ、またはＭＥＴとしても知られている）、ムチン−１（ＭＵＣ１、癌抗原１５．３、（ＣＡ１５．３）、癌抗原２７．２９（ＣＡ  ２７．２９）としても知られている）；ＣＤ２２７抗原、エピシアリン、上皮膜抗原（ＥＭＡ）、多形性上皮ムチン（ＰＥＭ）、ピーナッツ反応性尿ムチン（ＰＵＭ）、腫瘍関連糖タンパク質１２（ＴＡＧ１２））、総嚢胞性疾患流体タンパク質（ＧＣＤＦＰ−１５、プロラクチン誘発タンパク質、ＰＩＰとしても知られている）、ウロキナーゼ受容体（ｕＰＲ、ＣＤ８７抗原、プラスミノーゲン活性化受容体ウロキナーゼ型、ＰＬＡＵＲとしても知られている）、ＰＴＨｒＰ（副甲状腺ホルモン関連タンパク質；ＰＴＨＬＨとしても知られている）、ＢＳ１０６（Ｂ５１１Ｓ、小胸上皮ムチン、またはＳＢＥＭとしても知られている）、プロスタチン様リポフィリンＢ（ＬＰＢ、ＬＰＨＢ；抗原ＢＵ１０１、セクレトグロビンファミリー１−Ｄメンバー２、ＳＣＧＢ１−Ｄ２としても知られている）、マンマグロビン２（ＭＧＢ２；マンマグロビンＢ、ＭＧＢＢ、ラクリグロビン（ＬＧＢ）リポフィリンＣ（ＬＰＣ、ＬＰＨＣ）、セクレトグロビンファミリー２Ａメンバー１、またはＳＣＧＢ２Ａ１としても知られている）、マンマグロビン（ＭＧＢ；マンマグロビン１、ＭＧＢ１、マンマグロビンＡ、ＭＧＢＡ、セクレトグロビンファミリー２Ａメンバー２、またはＳＣＧＢ２Ａ２としても知られている）、乳腺セリンプロテアーゼ阻害剤（マスピン、セリン（またはシステイン）プロテイナーゼ阻害剤クレードＢ（オボアルブミン）メンバー５、またはＳＥＲＰＩＮＢ５としても知られている）、前立腺上皮特異的Ｅｔｓ転写因子（ＰＤＥＦ；無菌アルファモチーフ指向性ドメイン含有ｅｔｓ転写因子、またはＳＰＤＥＦとしても知られている）；腫瘍関連カルシウムシグナルトランスデューサー１（大腸癌抗原ＣＯ１７−１Ａ、上皮糖タンパク質２（ＥＧＰ２）、上皮糖タンパク質４０  ｋＤａ（ＥＧＰ４０）、上皮細胞接着分子（ＥｐＣＡＭ）、上皮特異抗原（ＥＳＡ））、消化管腫瘍関連抗原７３３−２（ＧＡ７３３−２）、ＫＳ１／４抗原、染色体４表面マーカー１（Ｍ４Ｓ１）の膜成分、ＭＫ−１抗原、ＭＩＣ１８抗原、ＴＲＯＰ−１抗原、またはＴＡＣＳＴＤ１としても知られている）、テロメラーゼ逆転写酵素（テロメラーゼ触媒サブユニットまたはＴＥＲＴとしても知られている）、トレフォイル因子１（乳癌エストロゲン誘導性シーケンス、ＢＣＥＩ、消化管トレフォイルタンパク質、ＧＴＦ、ｐＳ２タンパク質、またはＴＦＦ１としても知られている）；葉酸；トレフォイル因子３（腸トレフォイル因子、ＩＴＦ、ｐ１．Ｂ、またはＴＦＦ３としても知られている）、ＨＳＰＡ８、アクチン、β（ＡＣＴＢ）、グリセルアルデヒド−３−リン酸デヒドロゲナーゼ（ＧＡＰＤＨ）、エノラーゼ１、α（ＥＮＯ１）、熱ショックタンパク質９０、α（細胞質）、クラスＡメンバー１（ＨＳＰ９０ＡＡ１）、ＣＤ９抗原（ＣＤ９）、ＣＤ８１抗原（ＣＤ８１）、チロシン３−モノオキシゲナーゼ／トリプトファン５−モノオキシゲナーゼ活性化タンパク質、ゼータポリペプチド（ＹＷＨＡＺ）、またはピルビン酸キナーゼ、筋肉（ＰＫＭ２）、が挙げられるが、これらに限定されない。
【０２４０】
抗体に「特異的に（または選択的に）結合する」または「と特異的に（または選択的に）免疫反応する」という語句は、生物学的ナノ粒子について言及する場合、しばしばナノ粒子および他の生物製剤の不均一な集団における関心の生体ナノ粒子の存在を判定する結合反応を指す。したがって、指定された免疫アッセイ条件下で、指定された抗体は、バックグラウンドの少なくとも２倍、より一般的にはバックグラウンドの１０〜１００倍超、特定の生物学的ナノ粒子に結合する。このような条件下での抗体への特異的結合は、特定の生物学的ナノ粒子に対するその特異性のために選択される抗体を必要とする。例えば、選択された抗原と特異的に免疫反応性であり、かつ他のタンパク質とは免疫反応性でないポリクローナル抗体のみを取得するために、ポリクローナル抗体が選択され得る。この選択は、他の分子と交差反応する抗体を取り去ることによって達成されてもよい。
【０２４１】
本明細書で提供される方法のいくつかの実施形態では、多数のパラメータが、単一の測定で検出される。一定の実施形態では、多数のパラメータは、異なるサイズ値を含む。いくつかの実施形態では、多数のパラメータは、検出可能な薬剤の存在または不在を含む。
【０２４２】
いくつかの実施形態では、生物学的ナノ粒子のランク付けはバイナリであり、例えば、関心の生物学的ナノ粒子が検出されない場合は「０」の割り当て値が適用され、生体ナノ粒子が検出される場合は「１」の値が割り当てられる。他の実施形態では、ランク付けは非バイナリであり、例えば、値は、生物学的ナノ粒子のサイズまたは生物学的ナノ粒子の同一性に基づいて割り当てられる。一定の実施形態では、ランク付けは、ランク付けアルゴリズムを表すコンピュータおよびソフトウェアによって実行される。一定の実施形態では、測定は、コンピュータと測定アルゴリズムを表すソフトウェアとによって実行される。
【０２４３】
いくつかの実施形態では、本明細書で提供される方法は、生物学的ナノ粒子を生物学的ナノ粒子のランク付けに基づいてチャネリングする工程を、さらに含む。例えば、生物学的ナノ粒子の流動または収集は、生物学的ナノ粒子に割り当てられた値に基づいて方向付けられる。一定の実施形態では、これは、外部場の使用によって、または流動撹乱を作成することによって達成される。特有の実施形態では、これは、流動を方向付けるための機構を使用して達成される。一定の実施形態では、流動の方向付けおよび／または流動を方向付けるための機構の制御は、コンピュータと方向付けアルゴリズムを表すソフトウェアとによって実行される。
【０２４４】
一定の実施形態では、方法は、同様のランク付けを有する生物学的ナノ粒子を収集および／またはプールすることによって、関心の生物学的ナノ粒子を凝縮することを含んでもよい。特有の実施形態では、生物学的ナノ粒子の凝縮は、流動を方向付けることの結果である。例えば、関心のサイズ値を有する生物学的ナノ粒子は、特異的な流動チャネルに方向付けられてもよく、流動チャネルの端部の収集デバイスに収集されてもよく、サイズ値を有する生物学的ナノ粒子の局所濃度の増加をもたらす。
【０２４５】
別の態様では、本開示は、サンプル流体中の１つ以上の生体ナノ粒子を検出するように構成されたデバイスを提供し、上記のデバイスは、（ａ）１つ以上の生物学的ナノ粒子と会合した１つ以上の検出可能な薬剤の存在または不在を検出するように構成された１つ以上の検出器であって、上記の１つ以上の生物学的ナノ粒子のうちの少なくとも１つが多数の検出可能な薬剤を含む、１つ以上の検出器と、（ｂ）上記の１つ以上の検出可能な薬剤の存在または不在に基づいて生物学的ナノ粒子をランク付けするためのソフトウェアを有するコンピュータと、を含む。一実施形態では、ランク付けは、バイナリである。他の実施形態では、デバイスを使用して多数のタイプの生体ナノ粒子を検出し、および／またはデバイスを使用して、生物学的ナノ粒子と会合した多数のタイプの検出可能な薬剤を検出し、ランク付けは非バイナリである。
【０２４６】
別の態様では、本開示は、サンプル流体中の１つ以上の生体ナノ粒子を検出するように構成されたデバイスを提供し、上記のデバイスは、（ａ）サイズ値を含む生物学的ナノ粒子の存在または不在を検出するように構成された１つ以上の検出器と、（ｂ）サイズ値に基づいて上記の生物学的ナノ粒子をランク付けするためのソフトウェアを有するコンピュータと、を含む。一実施形態では、ランク付けは、バイナリである。他の実施形態では、デバイスを使用して多数のサイズの生体ナノ粒子を検出し、ランク付けは非バイナリである。
【０２４７】
別の実施形態では、本開示は、サンプル流体中の１つ以上の生体ナノ粒子を検出するように構成されたデバイスを提供し、上記のデバイスは、（ａ）サイズ値を含む生物学的ナノ粒子の存在または不在を検出し、および生物学的ナノ粒子と会合した１つ以上の検出可能な薬剤の存在または不在を検出するように構成された１つ以上の検出器と、（ｂ）サイズ値、および／または生物学的ナノ粒子と会合した１つ以上の検出可能な薬剤の存在または不在に基づいて上記の生物学的ナノ粒子をランク付けするためのソフトウェアを有するコンピュータと、を含む。一実施形態では、ランク付けは、バイナリである。他の実施形態では、デバイス使用して多数のサイズの生体ナノ粒子を検出し、および／またはデバイスを使用して多数のタイプの生体ナノ粒子を検出し、および／またはデバイスを使用して、生物学的ナノ粒子と会合した多数のタイプの検出可能な薬剤を検出し、ランク付けは非バイナリである。
【０２４８】
一定の実施形態では、マイクロ流体チップは、透明または半透明の材料を含む。いくつかの実施形態では、マイクロ流体チップの少なくとも一部分は、透明または半透明である。一定の実施形態では、マイクロ流体チップの少なくとも一方側は、透明または半透明である。いくつかの実施形態では、マイクロ流体チップは、透明または半透明である。特定の実施形態では、マイクロ流体チップの透明または半透明の特性により、生物学的ナノ粒子から放出された光を検出することが可能になる。
【０２４９】
一定の実施形態では、デバイスは、上記のランク付けに基づいて上記のナノ粒子をチャネリングするためのチャネルをさらに含んでもよい。特定の実施形態では、チャネルは、抗凝固化合物または抗凝集化合物、生物学的ナノ粒子の結合を優先的に防止する化合物、生体ナノ粒子の集塊を防止する化合物、またはこれらの組み合わせで処理される。
【０２５０】
一定の実施形態では、デバイスは、上記の生物学的ナノ粒子の軌道を追跡および操作するための電極をさらに含んでもよい。いくつかの実施形態では、デバイスは、付着した磁性粒子を有する生物学的ナノ粒子の分離のための磁気素子を含んでもよい。一定の実施形態では、デバイスは、生物学的ナノ粒子の軌道を追跡および操作するための音響素子を含んでもよい。
【０２５１】
一定の実施形態では、生物学的ナノ粒子をさらに操作または分析してもよい。例えば、生物学的ナノ粒子は、従来のフローサイトメトリーを介してさらに分割または選別されてもよいか、または、関心の生体ナノ粒子を分析して、核酸分析、タンパク質分析、脂質分析、小分子分析、炭水化物分析、またはこれらの組み合わせなどのさらなる情報を提供してもよい。各生体ナノ粒子内の内容物を、ＤＮＡ、ＲＮＡ、ＤＮＡ配列、代謝産物、脂質、炭水化物、タンパク質の含有量などについて個別に分析してもよい。例えば、マイクロＲＮＡ（ｍｉＲＮＡまたはｍｉＲ−）などのエキソソーム核酸を、様々な腫瘍の診断に適用してもよい。例えば、血清中のエキソソームｍｉＲＮＡ  ｍｉＲ−１４１およびｍｉＲ−３７５のレベルの上昇を、前立腺癌の進行と相関させてもよく、エキソソームｍｉＲＮＡ−２１およびｍｉＲＮＡ−１２４６のレベルの上昇を、食道癌と相関させてもよい。他のエキソソームｍｉＲＮＡは、腎線維症または心血管疾患の診断マーカーであってもよい。加えて、尿中エキソソームｍｉＲＮＡ  ｍｉＲ−３２０ｃおよびｍｉＲ−６０６８を、糖尿病性腎症患者で上方制御してもよい。進行性変性疾患に関して、ｍｉＲ−９、ｍｉＲ−１０７、ｍｉＲＮＡ−１２８、ｍｉＲＮＡ１３４およびｍｉＲＮＡ−１３７  ｍｉＲＮＡ１２４などのいくつかのｍｉＲＮＡの高発現レベルを、アルツハイマー病に関連付けてもよい。診断に役立つ他のｍｉＲＮＡとして、ｍｉＲ−２１、ｍｉＲ−１４１、ｍｉＲ−２００ａ、ｍｉＲ−２００ｂ、ｍｉＲ−２００ｃ、ｍｉＲ−２０３、ｍｉＲ−２０５、ｍｉＲ−２１４、ｍｉＲ−１７、ｍｉＲ−３ｐ、ｍｉＲ−２１、ｍｉＲ−２０ｂ、ｍｉＲ−２２３、ｍｉＲ−３０１、ｌｅｔ−７ｆ、ｍｉＲ−１４１、ｍｉＲ−３７５、ｍｉＲ−２１、ｍｉＲ−１２４６、ｍｉＲ−２１、およびＬｅｔ−７ファミリーｍｉＲＮＡが挙げられるが、これらに限定されない。
【０２５２】
一実施形態では、流体サンプルは、複数のタイプの生物学的ナノ粒子、例えば、２、３、４、５、６、７、８、９、１０、またはそれより多いタイプの生物学的ナノ粒子を含んでもよい。したがって、一定の実施形態では、流体サンプルは、複数の検出可能な薬剤を複数の検出可能な薬剤および複数の生物学的ナノ粒子を含む複数の複合体に変換するのに十分な条件下で各々が異なる特異性を有する複数の区別可能な検出可能な薬剤と同時に接触する。いくつかの実施形態では、複数の複合体は、例えば、複数の探測デバイスおよび／または複数の検出デバイスを含む装置を使用することによって、同時に検出される。
【０２５３】
例えば、２つ以上の区別可能な検出可能な薬剤が、生物学的ナノ粒子と会合して、各検出可能な薬剤が同時に検出される場合、検出可能な薬剤と会合した各生物学的ナノ粒子は、２つ以上の検出デバイスのうちの１つによって検出され得る。さらに、検出可能な薬剤が、蛍光部分を含む場合、２つ以上の探測デバイス（例えば、異なる蛍光部分の励起波長に対応する異なる波長で放射を生成する２つのレーザ）を使用してもよく、それぞれの蛍光発光強度は、２つの異なる検出デバイスによって検出されてもよい。したがって、一実施形態では、検出可能な薬剤は、異なる波長での蛍光によって区別可能である。
【０２５４】
さらに別の実施形態では、２つ以上の生物学的ナノ粒子が、連続して検出されてもよい。例えば、一実施形態では、方法は、装置の第１の場所で第１の生体ナノ粒子を検出することと、装置の第２の場所で第２の生物学的ナノ粒子を検出することと、を含んでもよい。このようにして、生体ナノ粒子は、第１の検出工程の後、第２の検出工程の後、または両方の検出工程の後にチャネリングされてもよい。
【０２５５】
本開示の一定の実施形態では、生物学的ナノ粒子からの特徴の検出は、同時または経時的に累積され得る。例えば、特性の検出は、生体ナノ粒子から一度に（「同時に」）生じ得る。方法が同時モードで実行される一定の実施形態では、生体ナノ粒子は、可変速度の流動によって搬送されてもよい。一例として、生体ナノ粒子は、それらが検出ボリュームを横断する際に、定常流動によって搬送されてもよい。あるいは、ナノ粒子が検出ボリュームを横断する際に、流動が、減速または加速されてもよい。流量は、検出ボリュームの上流または下流のいずれかで、次の、バルブ、気泡、電場、磁場、光学場、空気圧源、固体粒子、膜、非混和性液滴、重力差、またはチャネルの表面張力を変更するためのコーティング、のうちの１つを用いて調節されてもよい。
【０２５６】
本明細書で提供される方法のいくつかの実施形態では、検出工程は、流動チャネルを通した流体サンプルの連続的な流動の間に実行される。好ましい実施形態では、流動は、中断されない。一定の実施形態では、個々の生物学的ナノ粒子は、物理的に分離されるのではなく、光学的検出工程によって定義され、すなわち、生物学的ナノ粒子は、検出が行われる瞬間に検出ボリュームに存在する生物学的ナノ粒子と会合したバイオマーカーまたは検出可能な薬剤によって定義されてもよい。
【０２５７】
一定の実施形態では、検出イベントは、生物学的ナノ粒子の濃度と流体サンプルの流速との両方に依存する規則的な頻度で生じるようになっている。例えば、特定の流体サンプルの濃度が１００μＬあたり１，０００生体ナノ粒子であり、かつ流体サンプルが毎秒１００μＬの速度で装置を通して流動する場合、平均して１ミリ秒ごとに、または平均して１，０００Ｈｚの割合で、異なる生物学的ナノ粒子が検出されてもよい。
【０２５８】
好ましい実施形態では、少なくとも１つの検出イベントは、生物学的ナノ粒子によって放出された光強度の測定と、生物学的ナノ粒子へのサイズ値の割り当てと、に直接対応する。例えば、マイクロ流体チップ内を輸送中の生物学的ナノ粒子は、２つの探測ソースに曝露されてもよく、第１の探測ソースは、生物学的ナノ粒子に測定される光強度を放出させ、サイズ値を割り当てることができ、第２の探測ソースは、生物学的ナノ粒子と会合した検出可能な薬剤に検出される蛍光を放出させ、会合した検出可能なマーカーの識別を判定することができる。
【０２５９】
一定の実施形態では、装置の幾何学形状と処理される流体の体積とに応じて、離散した生体ナノ粒子は、０．１ｋＨｚ〜１００ＭＨｚの平均速度で検出ボリュームを横断する。別の実施形態では、離散した生体ナノ粒子は、約１０Ｈｚ〜約１０ＭＨｚの平均速度で検出ボリュームを横断する。他の実施形態では、離散した生体ナノ粒子は、約０．１ｋＨｚ〜約１００ｋＨｚ、または約１ｋＨｚ〜約１０ＭＨｚ、または約１ｋＨｚ〜約５ＭＨｚ、または約１ｋＨｚ〜約１ＭＨｚの平均周波数で検出ボリュームを横断してもよい。一定の実施形態では、生体ナノ粒子が検出ボリュームを横断する平均周波数は、少なくとも約０．１ｋＨｚ、または少なくとも約０．２、０．３、０．４、０．５、０．６、０．７、０．８、０．９、１、２、３、４、５、６、７、８、９、１０、１５、２０、２５、３０、３５、４０、４５、５０、６０、７０、８０、９０、１００、１２５、１５０、２００、２５０、３００、４００、５００、６００、７００、８００、または９００ｋＨｚ、または少なくとも約１ＭＨｚ、または少なくとも約２、３、４、５、６、７、８、９、１０、１５、２０、２５、３０、３５、４０、４５、５０、６０、７０、８０、９０、または１００ＭＨｚであってもよい。
【０２６０】
本開示のいくつかの実施形態では、流体サンプル、例えば生物学的流体サンプルは、生体ナノ粒子の検出前に安定化されてもよい。一定の実施形態では、流体は、抗凝集剤、クエン酸塩、ヘパリン、エチレンジアミン四酢酸（ＥＤＴＡ）、血清アルブミン、ポリエチレングリコール（ＰＥＧ）、ジエチレントリアミン五酢酸（ＤＴＰＡ）、１，２−ジアミノシクロヘキサン四酢酸（ＤＣＴＡ）、またはエチレンビス（オキシエチレンニトリロ）四酢酸（ＥＧＴＡ）などの抗凝固剤、メチロール、ホルムアルデヒドのアミンまたはアミドのヒドロキシメチル誘導体、ジアゾリニジニル尿素、イミダゾリジニル尿素、メテナミン、パラホルムアルデヒド、グルタルアルデヒド、またはグリオキサールなどのアルデヒドなどを含むがこれらに限定されない試薬で安定化されてもよい。
【０２６１】
この開示のさらに他の実施形態では、本明細書で提供される方法は、関心の生物学的ナノ粒子のチャネリング後に行われる二次プロセスにさらに結合されてもよい。本明細書で提供される方法に結合され得るプロセスおよび／または機能の例として、例えば、生体ナノ粒子の内容物（例えば、生体ナノ粒子内にカプセル化された、または生体ナノ粒子と複合体を形成したＤＮＡ、ＲＮＡ、マイクロＲＮＡ、脂質、代謝産物、炭水化物、またはタンパク質）を識別するための選択的反応が挙げられる。これらの反応として、ポリメラーゼ連鎖反応（ＰＣＲ）、逆転写ポリメラーゼ連鎖反応（ＲＴ−ＰＣＲ）、等温核酸増幅、ＤＮＡのエピジェネティックな状態を判定するための反応、ｍｉｃｒｏＲＮＡおよびｓｉＲＮＡの含有量を判定するための単一分子ハイブリダイゼーション反応、またはアプタマー（ＤＮＡの短い鎖）選択的反応が挙げられる。
【０２６２】
一定の実施形態では、本明細書で提供される方法は、生物学的ナノ粒子の選別または収集に続くアッセイプロトコルにさらに結合されてもよい。本明細書で提供される方法と組み合わされ得るアッセイの非限定的な例として、ＲＮＡ抽出（増幅ありまたはなし）、ｃＤＮＡ合成（逆転写）、遺伝子マイクロアレイ、ＤＮＡ抽出、ポリメラーゼ連鎖反応（ＰＣＲ）（単一、ネスト、定量的リアルタイム、またはリンカーアダプター）、またはＤＮＡメチル化分析などの核酸ベースの方法、蛍光ｉｎ  ｓｉｔｕハイブリダイゼーション（ＦＩＳＨ）、フローサイトメトリー、蛍光活性化選別、比較ゲノムハイブリダイゼーション（ＣＧＨ）研究などのサイトメトリー法、電気泳動、サザンブロット分析、酵素結合免疫吸着アッセイ（ＥＬＩＳＡ）、ｍｉｃｒｏＲＮＡおよびｓｉＲＮＡの含有量を判定するためのアッセイ、ＤＮＡ／ＲＮＡ含有量を判定するためのアッセイ、脂質含有量を判定するためのアッセイ、炭水化物含有量を判定するためのアッセイ、代謝産物含有量を判定するためのアッセイ、タンパク質含有量を判定するためのアッセイ、機能アッセイなどの化学的アッセイ方法などが挙げられる。
【０２６３】
いくつかの実施形態では、本明細書で提供される方法は、生物学的ナノ粒子の選別または収集に続く分析とさらに組み合わされてもよい。一定の実施形態では、分析は、核酸分析を含む。特定の実施形態では、核酸分析は、シーケンシング、ＰＣＲ、またはデジタルＰＣＲを含む。一定の実施形態では、分析は、タンパク質分析を含む。特定の実施形態では、タンパク質分析は、ＥＬＩＳＡ、デジタルＥＬＩＳＡ、または質量分析を含む。いくつかの実施形態では、分析は、脂質分析を含む。一定の実施形態では、分析は、小分子分析を含む。特定の実施形態では、小分子分析は、代謝産物の分析、シグナル伝達分子の分析、薬物の分析、質量分析、またはこれらの組み合わせを含む。一定の実施形態では、分析は、質量分析を含む。いくつかの実施形態では、分析は、核磁気共鳴分光法を含む。いくつかの実施形態では、分析は、炭水化物分析を含む。特有の実施形態では、炭水化物分析は、質量分析、核磁気共鳴、フーリエ変換分光法、またはこれらの組み合わせを含む。
【０２６４】
さらに別の実施形態では、本明細書で提供される方法は、例えば、流体サンプル中に存在する生物学的ナノ粒子をさらに分割または単離するために、フローサイトメトリーにさらに結合されてもよい。一実施形態では、本明細書で提供される方法に使用されるデバイスのチャネルは、フローサイトメータと流体連通してもよい。一定の実施形態では、デバイスとフローサイトメトリーとの結合により、選択された生物学的ナノ粒子をさらに検査または連続的に選別して、関心の生体ナノ粒子の集団をさらに濃縮することが可能になる。本明細書で提供される方法の一定の実施形態では、この構成は、時間、コスト、および／または労力を削減するために、生物学的ナノ粒子の上流での大選別を可能にし、所望のサイズ値を含む生物学的ナノ粒子、または特定の検出可能な薬剤と会合した生物学的ナノ粒子のみを、フローサイトメトリーなどの下流プロセスに方向付ける。
【０２６５】
生物学的ナノ粒子のランク付け
本明細書で提供される方法の一実施形態では、検出された生物学的ナノ粒子には、ナノ粒子が検出可能な薬剤と会合する場合の第１の値か、または生体ナノ粒子が検出可能な薬剤と会合しない場合の第２の値のいずれかが割り当てられる。本明細書で提供される方法の別の実施形態では、生物学的ナノ粒子には、ナノ粒子が閾値を上回って検出される光強度を放出する場合の第１の値か、またはナノ粒子が閾値を上回って検出される光強度を放出しない場合の第２の値のいずれかが割り当てられる。特定の実施形態では、ランク付け（すなわち、値の割り当て）は、バイナリである。例えば、検出可能な閾値を上回る光強度を放出する各生物学的ナノ粒子には、１の値が割り当てられる一方、検出可能な閾値を上回る光強度を放出しない各生体ナノ粒子には、０の値が割り当てられる。
【０２６６】
本明細書で提供される方法の別の実施形態では、生物学的ナノ粒子には、生物学的ナノ粒子と会合した検出可能な薬剤に従った値が割り当てられる。例えば、４つの検出可能な薬剤を含有する生物学的ナノ粒子には、４の値が割り当てられてもよい。あるいは、４つの検出可能な薬剤を含有する生物学的ナノ粒子には、特定の範囲の検出可能な薬剤量、例えば、０〜５個の検出可能な薬剤、１〜１０個の検出可能な薬剤、４〜６個の検出可能な薬剤などに対応する値が割り当てられてもよい。
【０２６７】
本明細書で提供される方法の別の実施形態では、生物学的ナノ粒子には、生物学的ナノ粒子によって放出された光強度に従った値が割り当てられる。例えば、閾値を３倍上回る光強度を放出する生物学的ナノ粒子には、３の値が割り当てられてもよい。あるいは、光強度を放出する生物学的ナノ粒子には、特定の範囲の光強度量、例えば、閾値の１〜５倍高、閾値の１〜１０倍高、閾値の２〜３倍高に対応する値が割り当てられてもよい。
【０２６８】
本明細書で提供される方法のさらに別の実施形態では、複数のタイプの生物学的ナノ粒子が、単一の流体サンプル中に存在する場合、生物学的ナノ粒子には、ナノ粒子サイズ値または生体ナノ粒子と会合した検出可能な薬剤の同一性に従った値が割り当てられる。例えば、流体サンプルが、２つのタイプの検出可能な薬剤ＡおよびＢを含有する場合、ＡともＢとも会合していない生物学的ナノ粒子には、０の値が割り当てられてもよく、Ａのみと会合した生物学的ナノ粒子には、１の値が割り当てられてもよく、Ｂのみと会合した生物学的ナノ粒子には、２の値が割り当てられてもよく、ＡとＢとの両方と会合した生物学的ナノ粒子には、３の値が割り当てられてもよく、本明細書で開示される方法を使用して、２の値が割り当てられたナノ粒子を選択的に単離し、検出可能な薬剤Ｂのみと特異的と会合した生物学的ナノ粒子の凝縮サンプルを結果として得ることができるしたがって、本明細書で提供される方法の一実施形態では、複数のタイプの検出可能な薬剤が、単一の流体サンプル中に存在する場合、ランク付け（すなわち、値の割り当て）はバイナリではない。
【０２６９】
本明細書で提供される方法のいくつかの実施形態では、複数のタイプの生物学的ナノ粒子が、流体サンプル中に存在する場合、生物学的ナノ粒子には、多数のパラメータに従った値が割り当てられる。多数のパラメータは、生物学的ナノ粒子のサイズ値、生物学的ナノ粒子によって放出された光強度、生物学的ナノ粒子と会合した検出可能な薬剤、生物学的ナノ粒子の同一性などを含み得る。ランク付け、または値の割り当ては、複数の変数を含んでもよい。例えば、流体サンプルが、２つのタイプの生物学的ナノ粒子を含有し、各タイプの生物学的ナノ粒子が、複数のサイズとして存在する場合、多数のパラメータを使用して、生物学的ナノ粒子にランク付けを割り当て得る。２つのタイプの生物学的ナノ粒子の各々は、検出可能な薬剤ＡまたはＢと会合してもよく、同様に、２つのタイプの生物学的ナノ粒子の各々は、流体力学的直径が２０〜５０ｎｍで変化するサイズ値に関連付けられた光強度を放出してもよい。したがって、ランク付けは、サイズ（例えば、２０〜３０ｎｍのサイズ値に１の値、３１〜４０ｎｍのサイズ値に２の値、および４１〜５０ｎｍのサイズ値に３の値を割り当てる）と、検出可能な薬剤の会合（例えば、ナノ粒子がＡと会合している場合は「Ａ」の検出可能な薬剤の値を割り当て、ナノ粒子がＢと会合している場合は「Ｂ」の検出可能な薬剤の値を割り当て、ナノ粒子がＡとＢとの両方に会合している場合は「ＡＢ」の検出可能な薬剤の値を割り当て、ナノ粒子がＡともＢとも会合していない場合は「Ｚ」の検出可能な薬剤の値を割り当てる）と、の両方を用いて適用され得る。多数のパラメータのランク付けは、生物学的ナノ粒子が、マイクロ流体チップ内を輸送中である間に、生物学的ナノ粒子に適用され得る。所望の生物学的ナノ粒子の集団を濃縮するために、多数のパラメータのいずれかにより、選別が適用されてもよい。例えば、上記の生物学的ナノ粒子の集団を使用して、「Ａ」値を有するすべての生物学的ナノ粒子に対してカウントまたは選別イベントが発生し得るか、またはより具体的には、２−Ａ値を有するすべての生物学的ナノ粒子（例えば、３１〜４０ｎｍの流体力学的直径に対応し、かつ検出可能な薬剤Ａと関連付けられたサイズ値を有するすべての生物学的ナノ粒子）に対してカウントまたは選別イベントが発生し得る。このようにして、集団濃縮、選別、および／またはカウントは、複数のパラメータによって行われてもよい。特有の実施形態では、生物学的ナノ粒子の複数のパラメータは、放出された光の強度、サイズ値、検出可能な薬剤との会合、同一性などを含む。
【０２７０】
一定の実施形態では、非ヌル割り当て値は、生物学的ナノ粒子の同一性または流体サンプル中の生物学的ナノ粒子の濃度のいずれかに依存してもよい。
【０２７１】
一定の実施形態では、同じ割り当て値を有する多数の生物学的ナノ粒子が、まとめてプールまたはチャネリングされる。
【０２７２】
本開示の方法の一実施形態では、生物学的ナノ粒子をランク付けするか、または生物学的ナノ粒子に値を割り当てるには、能動的な判定が必要である。一定の実施形態では、コンピュータ、コントローラ、集積回路を有するチップ、回路基板、電子的要素、ソフトウェア、および／またはアルゴリズムを使用して、生物学的ナノ粒子をランク付けするか、または生物学的ナノ粒子に値を割り当てる。
【０２７３】
いくつかの実施形態では、生物学的ナノ粒子に割り当てられた値のうちの少なくとも１つは、バイオマーカー値であってもよい。バイオマーカー値は、バイオマーカー同一性、バイオマーカーの数、特定のタイプのバイオマーカーの数、バイオマーカーのコピー数などであり得る。特定の実施形態では、生物学的ナノ粒子は、少なくとも１つのバイオマーカーを含む。いくつかの実施形態では、生物学的ナノ粒子は、少なくとも１つのバイオマーカーと会合する。本明細書に開示される方法は、生物学的ナノ粒子と会合した少なくとも１つのバイオマーカーを検出する工程と、生物学的ナノ粒子にバイオマーカー値を割り当てる工程と、を提供する。いくつかの実施形態では、バイオマーカー値は、バイナリシステムから割り当てられる。例えば、複数の生物学的ナノ粒子は、バイオマーカーと会合したナノ粒子の画分を含んでもよく、バイオマーカーと会合したナノ粒子を、バイオマーカーと会合していないナノ粒子から区別することができるように、生物学的ナノ粒子にＡ−バイナリバイオマーカー値を適用してもよい。
【０２７４】
いくつかの実施形態では、本開示は、生物学的ナノ粒子と会合した少なくとも１つのバイオマーカーの少なくとも１つのコピー数を判定することを含む方法を提供する。コピー数の判定は、生物学的ナノ粒子および／または生物学的ナノ粒子と会合したバイオマーカーを識別する少なくとも１つの選択肢を提供し得る。また、バイオマーカーおよび／または生体ナノ粒子の機能の獲得または喪失に関連し得る、コピー数の変動が分析されてもよい。例えば、タンパク質バイオマーカーまたは核酸などのバイオマーカーのコピー数の変動は、バイオマーカーと、バイオマーカーの生物学的ナノ粒子との会合と、に関する情報を提供し得る。いくつかの実施形態では、本開示は、少なくとも１つのバイオマーカーの少なくとも１つのコピー数を判定することであって、生物学的ナノ粒子が少なくとも１つのバイオマーカーを含む、判定すること、を含む方法を提供する。例えば、検出された生物学的ナノ粒子は、バイオマーカーに存在するトリヌクレオチド反復の数などのバイオマーカーのコピー数の値を提供してもよい。いくつかの実施形態では、コピー数の判定は、制限酵素を使用する。一定の実施形態では、コピー数の判定は、標準を使用する。特有の実施形態では、コピー数を判定するために使用される標準は、増幅されていない。いくつかの実施形態では、タンパク質バイオマーカーのコピー数および／またはコピー数変動が、判定される。いくつかの実施形態では、核酸のコピー数および／またはコピー数変動が、判定される。
【０２７５】
いくつかの実施形態では、バイオマーカーは、タンパク質バイオマーカーである。一定の実施形態では、タンパク質バイオマーカーは、上皮由来細胞、テトラスパニン（例えば、ＣＤ９、ＣＤ６３、およびＣＤ８１）、熱ショックタンパク質（例えば、ＨＳＣ７０、およびＨＳＣ９０）、膜輸送体（例えば、ＧＴＰａｓｅ）および脂質結合タンパク質、細胞接着タンパク質、脂質結合タンパク質、膜貫通タンパク質、酵素、汎サイトケラチンＡ４５Ｂ／Ｂ３、ＡＥ１／ＡＥ３、またはＣＡＭ５．２（サイトケラチン８（ＣＫ８）、サイトケラチン１８（ＣＫ１８）、またはサイトケラチン１９（ＣＫ１９）を認識する汎サイトケラチン抗体、および乳癌抗原ＮＹ−ＢＲ−１（Ｂ７２６Ｐ、ＡＮＫＲＤ３０Ａ、アンキリンリピートドメイン３０Ａとしても知られている）に対するもの、Ｂ３０５ＤアイソフォームＡまたはＣ（Ｂ３０５Ｄ−Ａ  ｒｏ  Ｂ３０５Ｄ−Ｃ；抗原Ｂ３０５Ｄとしても知られている）、Ｈｅｒｍｅｓ抗原（Ａｎｔｉｇｅｎ  ＣＤ４４、ＰＧＰ１としても知られている）、Ｅ−ｃａｄｈｅｒｉｎ（Ｕｖｏｍｏｒｕｌｉｎ、Ｃａｄｈｅｒｉｎ−１、ＣＤＨ１としても知られている）、Ｃａｒｃｉｎｏ−ｅｍｂｒｙｏｎｉｃ抗原（ＣＥＡ；ＣＥＡＣＡＭ５またはＣａｒｃｉｎｏ−ｅｍｂｒｙｏｎｉｃ抗原関連細胞接着分子５としても知られている）、β−ヒト絨毛性ゴナドトフィン（β−ＨＣＧ；ＣＧＢ、慢性性腺刺激ホルモン、βポリペプチドとしても知られている）、カテプシン−Ｄ（ＣＴＳＤとしても知られている）、ニューロペプチドＹ受容体Ｙ３（ＮＰＹ３Ｒとしても知られている；リポ多糖関連タンパク質３、ＬＡＰ３、Ｆｕｓｉｏｎ；ケモカイン（ＣＸＣモチーフ、受容体４）；ＣＸＣＲ４）、癌遺伝子ＥＲＢＢ１（ｃ−ｅｒｂＢ−１、上皮成長因子受容体、ＥＧＦＲとしても知られている）、Ｈｅｒ−２  Ｎｅｕ（ｃ−ｅｒｂＢ−２またはＥＲＢＢ２としても知られている）、ＧＡＢＡ受容体Ａ、ｐｉ（π）ポリペプチド（ＧＡＢＡＲＡＰ、ＧＡＢＡ−Ａ受容体、ｐｉ（π）ポリペプチド（ＧＡＢＡ  Ａ（π）、γ−アミノ酪酸Ａ型受容体ｐｉ（π）サブユニット）、またはＧＡＢＲＰとしても知られている）、ｐｐＧａｌＮａｃ−Ｔ（６）（β−１−４−Ｎ−アセチル−ガラクトサミニルトランスフェラーゼ６、ＧａｌＮＡｃトランスフェラーゼ６、ＧａｌＮＡｃＴ６、ＵＤＰ−Ｎ−アセチル−ｄ−ガラクトサミン：ポリペプチドＮ−アセチルガラクトサミニルトランスフェラーゼ６、またはＧＡＬＮＴ６としても知られている）、ＣＫ７（サイトケラチン７、サルコレクチン、ＳＣＬ、ケラチン７、またはＫＲＴ７としても知られている）、ＣＫ８（サイトケラチン８、ケラチン８、またはＫＲＴ８としても知られている）、ＣＫ１８（サイトケラチン１８、ケラチン１８、またはＫＲＴ１８としても知られている）、ＣＫ１９（サイトケラチン１９、ケラチン１９、またはＫＲＴ１９としても知られている）、ＣＫ２０（サイトケラチン２０、ケラチン２０、またはＫＲＴ２０としても知られている）、Ｍａｇｅ（メラノーマ抗原ファミリーＡサブタイプまたはＭＡＧＥ−Ａサブタイプとしても知られている）、Ｍａｇｅ３（メラノーマ抗原ファミリーＡ  ３またはＭＡＧＡ３としても知られている）、肝細胞増殖因子受容体（ＨＧＦＲ、腎細胞癌乳頭２、ＲＣＣＰ２、Ｐｒｏｔｏｏｎｃｏｇｅｎｅ  ｍｅｔ、またはＭＥＴとしても知られている）、ムチン−１（ＭＵＣ１、癌抗原１５．３、（ＣＡ１５．３）、癌抗原２７．２９（ＣＡ  ２７．２９）としても知られている）；ＣＤ２２７抗原、エピシアリン、上皮膜抗原（ＥＭＡ）、多形性上皮ムチン（ＰＥＭ）、ピーナッツ反応性尿ムチン（ＰＵＭ）、腫瘍関連糖タンパク質１２（ＴＡＧ１２））、総嚢胞性疾患流体タンパク質（ＧＣＤＦＰ−１５、プロラクチン誘発タンパク質、ＰＩＰとしても知られている）、ウロキナーゼ受容体（ｕＰＲ、ＣＤ８７抗原、プラスミノーゲン活性化受容体ウロキナーゼ型、ＰＬＡＵＲとしても知られている）、ＰＴＨｒＰ（副甲状腺ホルモン関連タンパク質；ＰＴＨＬＨとしても知られている）、ＢＳ１０６（Ｂ５１１Ｓ、小胸上皮ムチン、またはＳＢＥＭとしても知られている）、プロスタチン様リポフィリンＢ（ＬＰＢ、ＬＰＨＢ；抗原ＢＵ１０１、セクレトグロビンファミリー１−Ｄメンバー２、ＳＣＧＢ１−Ｄ２としても知られている）、マンマグロビン２（ＭＧＢ２；マンマグロビンＢ、ＭＧＢＢ、ラクリグロビン（ＬＧＢ）リポフィリンＣ（ＬＰＣ、ＬＰＨＣ）、セクレトグロビンファミリー２Ａメンバー１、またはＳＣＧＢ２Ａ１としても知られている）、マンマグロビン（ＭＧＢ；マンマグロビン１、ＭＧＢ１、マンマグロビンＡ、ＭＧＢＡ、セクレトグロビンファミリー２Ａメンバー２、またはＳＣＧＢ２Ａ２としても知られている）、乳腺セリンプロテアーゼ阻害剤（マスピン、セリン（またはシステイン）プロテイナーゼ阻害剤クレードＢ（オボアルブミン）メンバー５、またはＳＥＲＰＩＮＢ５としても知られている）、前立腺上皮特異的Ｅｔｓ転写因子（ＰＤＥＦ；無菌アルファモチーフ指向性ドメイン含有ｅｔｓ転写因子、またはＳＰＤＥＦとしても知られている）；腫瘍関連カルシウムシグナルトランスデューサー１（大腸癌抗原ＣＯ１７−１Ａ、上皮糖タンパク質２（ＥＧＰ２）、上皮糖タンパク質４０ｋＤａ（ＥＧＰ４０）、上皮細胞接着分子（ＥｐＣＡＭ）、上皮特異抗原（ＥＳＡ））、消化管腫瘍関連抗原７３３−２（ＧＡ７３３−２）、ＫＳ１／４抗原、染色体４表面マーカー１（Ｍ４Ｓ１）の膜成分、ＭＫ−１抗原、ＭＩＣ１８抗原、ＴＲＯＰ−１抗原、またはＴＡＣＳＴＤ１としても知られている）、テロメラーゼ逆転写酵素（テロメラーゼ触媒サブユニットまたはＴＥＲＴとしても知られている）、トレフォイル因子１（乳癌エストロゲン誘導性シーケンス、ＢＣＥＩ、消化管トレフォイルタンパク質、ＧＴＦ、ｐＳ２タンパク質、またはＴＦＦ１としても知られている）；葉酸；またはトレフォイル因子３（腸トレフォイル因子、ＩＴＦ、ｐ１．Ｂ、またはＴＦＦ３としても知られている）、ＨＳＰＡ８、アクチン、β（ＡＣＴＢ）、グリセルアルデヒド−３−リン酸デヒドロゲナーゼ（ＧＡＰＤＨ）、エノラーゼ１、α（ＥＮＯ１）、熱ショックタンパク質９０、α（細胞質）、クラスＡメンバー１（ＨＳＰ９０ＡＡ１）、ＣＤ９抗原（ＣＤ９）、ＣＤ８１抗原（ＣＤ８１）、チロシン３−モノオキシゲナーゼ／トリプトファン５−モノオキシゲナーゼ活性化タンパク質、ゼータポリペプチド��ＹＷＨＡＺ）、ピルビン酸キナーゼ、筋肉（ＰＫＭ２）、エステラーゼ、ホスファターゼ、またはリパーゼなどの酵素、に特異的なタンパク質から選択される。いくつかの実施形態では、バイオマーカーは、核酸バイオマーカーである。一定の実施形態では、核酸バイオマーカーは、ｍｉＲ−１４１、ｍｉＲ−３７５、ｍｉＲＮＡ−２１、ｍｉＲＮＡ−１２４６、ｍｉＲ−３２０ｃ、ｍｉＲ−６０６８、ｍｉＲ−９、ｍｉＲ−１０７、ｍｉＲＮＡ−１２８、ｍｉＲＮＡ１３４、ｍｉＲＮＡ−１３７、ｍｉＲＮＡ１２４、ｍｉＲ−２１、ｍｉＲ−１４１、ｍｉＲ−２００ａ、ｍｉＲ−２００ｂ、ｍｉＲ−２００ｃ、ｍｉＲ−２０３、ｍｉＲ−２０５、ｍｉＲ−２１４、ｍｉＲ−１７、ｍｉＲ−３ｐ、ｍｉＲ−２１、ｍｉＲ−２０ｂ、ｍｉＲ−２２３、ｍｉＲ−３０１、ｍｉＲ−１４１、ｍｉＲ−３７５、ｍｉＲ−２１、ｍｉＲ−１２４６、ｍｉＲ−２１、ｌｅｔ−７ｆ、または他のＬｅｔ−７  ｍｉＲＮＡを含むエキソソームｍｉＲＮＡなどのマイクロＲＮＡ（ｍｉＲＮＡまたはｍｉＲ−）からからなる群から選択される。
【０２７６】
いくつかの実施形態では、生物学的ナノ粒子に割り当てられる値のうちの少なくとも１つは、タグ値であってもよい。タグ値は、タグ同一性、タグのカウント、特定のタイプのタグのカウントなどであり得る。特定の実施形態では、生物学的ナノ粒子は、少なくとも１つのタグを含む。いくつかの実施形態では、生物学的ナノ粒子は、少なくとも１つのタグと会合する。本明細書に開示される方法は、生物学的ナノ粒子と会合した少なくとも１つのタグを検出する工程と、生物学的ナノ粒子にタグ値を割り当てる工程と、を提供する。いくつかの実施形態では、タグ値は、バイナリシステムから割り当てられる。例えば、複数の生物学的ナノ粒子は、タグと会合したナノ粒子の画分を含んでもよく、タグと会合したナノ粒子を、タグと会合していないナノ粒子から区別し得るように、生物学的ナノ粒子にＡ−バイナリタグ値が適用されてもよい。
【０２７７】
特有の実施形態では、本開示は、生物学的ナノ粒子と会合した少なくとも１つのタグの少なくとも１つの値を判定することを含む方法を提供する。いくつかの実施形態では、本開示は、少なくとも１つのタグの同一性を判定することを含む方法を提供し、生物学的ナノ粒子は、少なくとも１つのタグを含む。例えば、検出された生物学的ナノ粒子は、タグの同一性を提供してもよい。
【０２７８】
一定の実施形態では、タグ値は、複数の値から割り当てられる。例えば、複数の生物学的ナノ粒子は、６つのタグのいずれかと会合した集団を含んでもよく、その各々は、タグの同一性に依存する固有のタグ値を提供する。本明細書に開示される方法は、特異的なタグの検出と、タグ値に基づく選別と、を含む。いくつかの実施形態では、タグ値は、バイナリシステムから割り当てられる。特有の実施形態では、システムは、非ゼロ値およびゼロ値を含む。いくつかの実施形態では、システムは、正の値または負の値を含む（例えば、関心のタグと会合した生物学的ナノ粒子には、正の値が割り当てられ得る一方、タグと会合していないナノ粒子には、負の値が割り当てられることとなるため、関心のタグと会合した生物学的ナノ粒子の検出および／または選別が可能となる）。
【０２７９】
一定の実施形態において、タグは、生体ナノ粒子と会合したタンパク質マーカーに由来する信号、生体ナノ粒子のサイズに由来する信号、生体ナノ粒子と会合した膜色素に由来する信号、生体ナノ粒子と会合した体積色素に由来する信号、生体ナノ粒子の核酸と会合した色素に由来する信号、生体ナノ粒子の脂質と会合した色素に由来する信号、または生体ナノ粒子と会合した色素に由来する信号から選択される。
【０２８０】
いくつかの実施形態では、生物学的ナノ粒子は、細胞外小胞、オルガネラ、微小胞、細胞由来小胞、タンパク質凝集体、核酸凝集体、脂質凝集体、ウイルス、細菌、エキソソーム、またはこれらの組み合わせを含む。特定の実施形態では、生物学的ナノ粒子は、エキソソームを含む。特有の実施形態では、生物学的ナノ粒子は、エキソソームである。
【０２８１】
チャネリングおよび流体の流動
本開示の一定の実施形態では、生物学的ナノ粒子の流動または収集を方向付けることは、生物学的ナノ粒子に割り当てられた値に基づく。例えば、ヌルまたは「０」値が割り当てられた生物学的ナノ粒子は、第１のチャネル（チャネル化）または廃棄物排出口へと方向付けられてもよく、正または「１」値が割り当てられた生物学的ナノ粒子は、第２のチャネルまたは収集チャンバへと方向付けられてもよい。別の例として、複数のパラメータのいずれかによって割り当てられた値を有する生物学的ナノ粒子は、第１のチャネルまたは第２のチャネルのいずれかに方向付けられてもよい。
【０２８２】
本開示の一定の実施形態では、生物学的ナノ粒子の流動または収集を方向付けることは、サイズ値に基づく。本開示の他の実施形態では、生物学的ナノ粒子の流動または収集を方向付けることは、生物学的ナノ粒子の、検出可能な薬剤との会合に基づく。本開示のいくつかの実施形態では、生物学的ナノ粒子の流動または収集を方向付けることは、生物学的ナノ粒子のサイズ値と物学的ナノ粒子のバイオマーカー値とに基づく。いくつかの実施形態では、生物学的ナノ粒子の流動または収集の方向付けは、生物学的ナノ粒子を濃縮集団に選別する。好ましい実施形態では、濃縮された集団への生物学的ナノ粒子の選別は、生物学的ナノ粒子のサイズ値およびバイオマーカー値によって判定される。本開示の他の実施形態では、生物学的ナノ粒子の流動または収集を方向付けることは、生物学的ナノ粒子の、タグとの会合に基づく。本開示のいくつかの実施形態では、生物学的ナノ粒子の流動または収集を方向付けることは、生物学的ナノ粒子のサイズ値と生物学的ナノ粒子のタグ値とに基づく。一定の実施形態では、濃縮された集団への生物学的ナノ粒子の選別は、生物学的ナノ粒子のサイズ値およびタグ値によって判定される。いくつかの実施形態では、濃縮された集団への生物学的ナノ粒子の選別は、生物学的ナノ粒子のサイズ値によって判定される。特定の実施形態では、流動の方向付けは、生物学的ナノ粒子を収集に方向付け、サイズ値に基づいて生物学的ナノ粒子の収集を生成する。
【０２８３】
一定の実施形態では、バイオマーカー値は、複数の値から割り当てられる。例えば、複数の生物学的ナノ粒子は、４つのバイオマーカーのいずれかと会合した集団を含んでもよく、その各々は、バイオマーカーの同一性に依存する固有のバイオマーカー値を提供する。本明細書に開示される方法は、特異的なバイオマーカーの検出と、バイオマーカー値に基づく選別と、を含む。いくつかの実施形態では、バイオマーカー値は、バイナリシステムから割り当てられる。特有の実施形態では、システムは、非ゼロ値およびゼロ値を含む。いくつかの実施形態では、システムは、正の値または負の値を含む（例えば、関心のバイオマーカーと会合した生物学的ナノ粒子には、正の値が割り当てられ得る一方、バイオマーカーと会合していないナノ粒子には、負の値が割り当てられることとなるため、関心のバイオマーカーと会合した生物学的ナノ粒子の検出および／または選別が可能になる）。
【０２８４】
いくつかの実施形態では、本明細書で提供される方法は、少なくとも１つの生物学的ナノ粒子を濃縮集団に選別することをさらに含んでもよい。特定の実施形態では、生物学的ナノ粒子の濃縮集団への選別は、生体ナノ粒子のサイズ値、生体ナノ粒子と会合したバイオマーカーの存在、生体ナノ粒子によって放出される測定される光強度、生体ナノ粒子と会合した検出可能な薬剤によって放出される測定される光強度、生体ナノ粒子によって放出される光の波長、生体ナノ粒子と会合した検出可能な薬剤によって放出される光の波長、生体ナノ粒子によって放出される複数の波長、生体ナノ粒子と会合した検出可能な薬剤によって放出される複数の波長、生物学的ナノ粒子の識別、またはこれらの組み合わせによって判定される。例えば、４０〜１００ナノメートルの流体力学的直径を有する生物学的ナノ粒子は、それらのサイズ値によって選択的に濃縮されてもよく、したがって、４０〜１００ナノメートルの流体力学的直径を有する生物学的ナノ粒子のより凝縮された集団を含むサンプルを生成する。好ましい実施形態では、選別は、流動を方向付けるための機構を使用する。
【０２８５】
特定の実施形態では、生物学的ナノ粒子の濃縮集団への選別は、生物学的ナノ粒子のサイズ値によって判定される。いくつかの実施形態では、濃縮集団は、１０００％未満の直径ばらつき、９００％未満の直径ばらつき、８００％未満の直径ばらつき、７００％未満の直径ばらつき、６００％未満の直径ばらつき、５００％未満の直径ばらつき、４００％未満の直径ばらつき、３００％未満の直径ばらつき、２００％未満の直径ばらつき、１００％未満の直径ばらつき、直径７５％未満の直径ばらつき、５０％未満の直径ばらつき、または２５％未満の直径ばらつきを有する。好ましい実施形態では、濃縮集団は、１００％未満の直径ばらつきを有する。本明細書で提供されるように、「ばらつき」という用語は、示された値よりも大きいか、または小さい値のパラメータを表すことが意図されている。例えば、関心のサイズ値が１００ｎｍの直径である場合、２５％未満の直径ばらつきを有する濃縮集団であれば、７５ｎｍ超〜１２５ｎｍ未満の値を含む。当業者は、本明細書で使用されるように、ばらつきは、言及された値よりも大きいか、または小さい値を有する精度を測定するためのパラメータを提供することを理解するであろう（例えば、２０％未満のばらつきを有する値は、真値±２０％未満を提供する）。
【０２８６】
いくつかの実施形態では、濃縮集団が、直径値の５００％以内、直径値の４００％以内、直径値の３００％以内、直径値の２００％以内、直径値の１００％以内、直径値の５０％以内、または直径値の２５％以内の直径範囲を有する。特定の実施形態では、濃縮集団は、直径値の１００％以内の直径範囲を有する。いくつかの実施形態では、直径ばらつきまたは直径範囲を有する濃縮集団は、濃縮集団の信頼区間を追加的に有し、信頼区間は、９９％超、９８％超、９７％超、９６％超、９５％超、９０％超、８０％超、７０％超、または５０％超である。好ましい実施形態では、信頼区間は、９５％超である。信頼区間は、濃縮集団の直径ばらつきまたは直径範囲のいずれにも適用され得る。例えば、７５ｎｍである直径値の１００％以内の直径と、信頼区間が９５％である集団と、を有する集団は、濃縮集団の生物学的ナノ粒子が７５ｎｍの流体力学的直径の１００％以内の直径を有する確率が９５％であることを示す。
【０２８７】
いくつかの実施形態では、生物学的ナノ粒子の濃縮集団への選別は、少なくとも１つの検出可能な薬剤との会合によって判定される。いくつかの実施形態では、生物学的ナノ粒子の濃縮集団への選別は、複数の検出可能な薬剤との会合によって判定される。濃縮集団の特定の実施形態では、生物学的ナノ粒子の５０％超が、検出可能な薬剤と会合するか、生物学的ナノ粒子の６０％超が、検出可能な薬剤と会合するか、生物学的ナノ粒子の７０％超が、検出可能な薬剤と会合するか、生物学的ナノ粒子の７５％超が、検出可能な薬剤と会合するか、生物学的ナノ粒子の８０％超が、検出可能な薬剤と会合するか、生物学的ナノ粒子の８５％超が、検出可能な薬剤と会合するか、生物学的ナノ粒子の９０％が、検出可能な薬剤と会合するか、生物学的ナノ粒子の９３％超が、検出可能な薬剤と会合するか、生物学的ナノ粒子の９５％超が、検出可能な薬剤と会合するか、生物学的ナノ粒子の９７％超が、検出可能な薬剤と会合するか、生物学的ナノ粒子の９８％超が、検出可能な薬剤と会合するか、または生物学的ナノ粒子の９９％超が、検出可能な薬剤と会合する。好ましい実施形態では、濃縮集団の生物学的ナノ粒子の８０％超が、検出可能な薬剤と会合する。好ましい実施形態では、検出可能な薬剤は、同じタイプの検出可能な薬剤である。
【０２８８】
本明細書で使用される場合、流動の「チャネリング」および「方向付け」という用語は、互換的に使用され得る。流動を「チャネリングする」および「方向付ける」という用語は、生物学的ナノ粒子の目的地、軌道、または移動を強制し得る様式での流体運動の制御を示す。
【０２８９】
本開示のいくつかの実施形態では、２つ以上のタイプの生物学的ナノ粒子が、流体サンプル中に存在する場合、生体ナノ粒子は、生物学的ナノ粒子からの光強度の特定の放出に基づいてチャネリングされてもよい。一実施形態では、ナノ粒子が閾値未満の光強度を放出する場合、生物学的ナノ粒子は第１のチャネルまたは廃棄物排出口に方向付けられてもよく、生物学的ナノ粒子が第１のサイズに対応する閾値を上回る光強度を放出する場合、生物学的ナノ粒子は、第２のチャネルまたは第１の収集チャンバへと方向付けられてもよく、生物学的ナノ粒子が第２のサイズ値に対応する閾値を上回る光強度を放出する場合、生物学的ナノ粒子は、第３のチャネルまたは第２の収集チャンバへと方向付けられてもよい。
【０２９０】
本開示の別の実施形態では、２つ以上のタイプの生物学的ナノ粒子が流体サンプル中に存在する場合、生物学的ナノ粒子は、生体ナノ粒子と会合した特定の検出可能な薬剤に基づいてチャネリングされてもよい。一実施形態では、検出可能な薬剤と会合していない生物学的ナノ粒子は、第１のチャネルまたは廃棄物排出口へと方向付けられてもよく、第１のタイプの検出可能な薬剤と会合した生物学的ナノ粒子は、第２のチャネルまたは第１の収集チャンバへと方向付けられてもよく、第２のタイプの検出可能な薬剤と会合したナノ粒子は、第３のチャネルまたは第２の収集チャンバへと方向付けられてもよい。
【０２９１】
一定の実施形態では、複数のパラメータ値を含有する生物学的ナノ粒子は、特定の流動チャネルまたは収集チャンバへと方向付けられてもよい。あるいは、生物学的ナノ粒子は、混合または希釈チャンバへと方向付けられてもよく、その後、混合または希釈された生物学的ナノ粒子は、生物学的ナノ粒子が異なるアリコートに分割されるようにさらに分割されてもよい。次に、生体ナノ粒子が互いに分離され得るように、アリコート中の生物学的ナノ粒子が再び検出されてもよい。
【０２９２】
本明細書で提供される方法の一実施形態では、チャネリング（すなわち、生物学的ナノ粒子の流動または収集を方向付ける）は、外部場の使用によって、または流動撹乱を作成することによって実行されてもよい。特定の実施形態では、チャネリングは、流動を方向付けるための機構を使用する。
【０２９３】
本開示の一態様では、生体ナノ粒子がランク付けされると、外部場を使用して生体ナノ粒子の方向を変更してもよい。場として、電場、磁場、動電、電気泳動、電気浸透、誘電泳動、流体力、重力、空気圧、または光学力が挙げられる。あるいは、空気、非混和性有機液体、またはマイクロビーズなどの、懸濁液と非混和性の材料を導入することにより、外部の流動撹乱が誘起されてもよい。
【０２９４】
一定の実施形態では、流動は、例えば、機械的原理（例えば、外部シリンジポンプ、空気膜ポンプ、振動膜ポンプ、真空デバイス、遠心力、毛細管現象）、電気的または磁気的の原理（例えば、電気浸透流、動電ポンプ、圧電／超音波ポンプ、磁性流体プラグ、電気流体力学ポンプ、および電磁流体ポンプ）、熱力学的原理（例えば、気泡生成／相変化により誘起される体積膨張）、表面湿潤原理（例えば、エレクトロウェッティング、化学的、熱的、および放射性的に誘起された表面張力勾配）などに基づいて動作するものを含むがこれらに限定されない、流体力学的流体圧力を誘起する方法およびデバイスによって送達され得る。
【０２９５】
さらに他の実施形態では、流体は、重力送り、表面張力（毛細管現象のような）、静電力（動電流動）、電気浸透流、遠心流（コンパクトディスク上に配設されて回転される基板）、音響力、磁力（振動するイオンが流動を引き起こす）、電磁流体力、真空または圧力差、によって提供される流体駆動力によって送達またはチャネリングされ得る。
【０２９６】
一定の実施形態では、流体力学的流体圧力または流体駆動力を誘起するための方法およびデバイスに関して列挙されたものなどの流体流動制御デバイスは、本開示の入力ポートまたは出力ポートに結合され得る。一例では、注入口および排出口のいずれかまたは両方に多数のポートが設けられ、１つ以上のポートが、流体流動制御デバイスに結合される。
【０２９７】
いくつかの実施形態では、流動の方向付けは、流動変位を含む。本明細書で使用される場合、「流動変位」という用語は、「流体変位」と互換的に使用される。いくつかの実施形態では、流動変位は、正の変位、負の変位、またはこれらの組み合わせである。一定の実施形態では、流動変位は、生物学的ナノ粒子に対するストレスを減少させて流動を方向付けるための手段を提供する。流動変位は、流動撹乱を引き起こす場合があり、流動撹乱は、生物学的ナノ粒子を方向付けたり、生物学的ナノ粒子の軌道を調整したりする可能性がある。いくつかの実施形態では、上述の選別デバイスを使用して、流動変位を引き起こす。一定の実施形態では、選別は、流量−変位選別を含む。いくつかの実施形態では、選別は、音響選別または物理的障壁を使用しない。一定の実施形態において、選別は、選別が音響選別または物理的障壁の使用を含まないという条件を有する。
【０２９８】
特定の実施形態では、流動の方向付けは、電気浸透流を含む。いくつかの実施形態では、流動の方向付けは、圧力の印加を含む。
【０２９９】
いくつかの実施形態では、生物学的ナノ粒子の方向付けに、１００ｍｓ以下、５０ｍｓ以下、１０ｍｓ以下、５ｍｓ以下、３ｍｓ以下、１ｍｓ以下、５００μｓ以下、１００μｓ以下、５０μｓ以下、または１０μｓ以下かかる。好ましい実施形態では、生物学的ナノ粒子の方向付けに、１ｍｓ以下かかる。別の好ましい実施形態では、生物学的ナノ粒子の方向付けに、１００μｓ以下かかる。
【０３００】
一定の実施形態では、選別は、生体ナノ粒子のサイズ値、生体ナノ粒子と会合したバイオマーカーの存在、生体ナノ粒子によって放出される測定される光強度、生体ナノ粒子と会合した検出可能な薬剤によって放出される測定される光強度、生体ナノ粒子によって放出される光の波長、生体ナノ粒子と会合した検出可能な薬剤によって放出される光の波長、生体ナノ粒子によって放出される複数の波長、生体ナノ粒子と会合した検出可能な薬剤によって放出される複数の波長、生物学的ナノ粒子の識別、またはこれらの組み合わせによって判定される。
【０３０１】
本明細書で提供される方法のいくつかの実施形態では、生物学的ナノ粒子が単離される。特定の実施形態では、選別または方向付けを使用して、生物学的ナノ粒子を単離してもよい。いくつかの実施形態では、生物学的ナノ粒子は、単離チャンバで隔離される。単離チャンバは、例えば、マルチウェルプレートのウェル、エッペンドルフチューブ、バイアルなどであってもよい。いくつかの実施形態では、複数の生物学的ナノ粒子は、単一の単離チャンバ内に単離される。特有の実施形態では、生物学的ナノ粒子の濃縮集団は、単一の単離チャンバで単離される。例えば、流体力学的直径が４０〜１００ｎｍであるナノ粒子のみがバイアルへと方向付けられるように、複数の生物学的ナノ粒子を選別することができ、バイアルはさらなる処理または識別のために保留されてもよい。いくつかの実施形態では、単一の生物学的ナノ粒子は、単離される。
【０３０２】
生物学的ナノ粒子のカウント
本明細書で提供される方法のいくつかの実施形態では、生物学的ナノ粒子は、カウントされる。本明細書で使用される場合、「カウントされる」および「定量化される」という用語は互換的である。本明細書で使用される「カウントされる」という用語は、生物学的ナノ粒子が、カウントシステム（例えば、集計）などの量の測定に入力されたことを示す。例えば、本明細書に記載される方法で提供されるようにマイクロ流体デバイスに注入された特定のランク付けを有する４００個の生物学的ナノ粒子を含む流体サンプルは、４００個の生物学的ナノ粒子がカウントされるように、上記のランク付けを有する各生物学的ナノ粒子の個別のカウントまたは定量化を結果として生じ得る。いくつかの実施形態では、流体サンプル中のサイズ値を有する生物学的ナノ粒子をカウントして、サイズ値を有するサンプル中の生物学的ナノ粒子の量を提供し得る。
【０３０３】
いくつかの実施形態では、本明細書で提供される方法は、生物学的ナノ粒子の数を定量化することをさらに含む。特定の実施形態では、本明細書で提供される方法は、サイズ値を有する生物学的ナノ粒子の数を定量化することを含む。好ましい実施形態では、本明細書で提供される方法は、特定のサイズ値を有する生物学的ナノ粒子の数を定量化することを含む。いくつかの実施形態では、サイズ値は、流体サンプルをマイクロ流体デバイスに導入する前に選択される。
【０３０４】
一定の実施形態では、本明細書で提供される方法は、流体サンプル中の関心の生物学的ナノ粒子の濃度を判定することをさらに含む。いくつかの実施形態では、濃度の判定は、関心の生物学的ナノ粒子の数をカウントすることと、この値を流体サンプルの体積で除することと、を含む。非限定的な例として、３０〜５０ｎｍのサイズ値を有する複数の生物学的ナノ粒子を含む１μＬの体積を有するサンプル流体を、マイクロ流体チップに導入することができ、３０〜５０ｎｍのサイズ値を有する生物学的ナノ粒子の数を定量化することは、上記のサイズ値を共有する合計６，０００の検出された生物学的ナノ粒子のカウントを提供することができ、したがって、サンプル中の関心の生物学的ナノ粒子の濃度は、６，０００ナノ粒子／μＬと測定される。このように、本明細書で提供される方法は、流体サンプルの濃度を判定することを含み得る。
【０３０５】
いくつかの実施形態では、サンプル濃度を判定する方法は、流体サンプルのスパイク頻度をカウントすることを含む。本明細書で使用される場合、「スパイク頻度」という用語は、生物学的ナノ粒子からの発光の検出の頻度を指し、発光は、閾値を上回る（例えば、閾値を上回る発光を有する生体ナノ粒子が、検出ボリュームを通過するとき、検出器を含むシステムが、「スパイク」を観測および記録する）、または所望の値の範囲内にある。一定の実施形態では、流速は、既知である。いくつかの実施形態では、流速は、一定である。他の実施形態では、流速は、平均流速である。スパイク頻度は、ある期間にわたって検出ボリュームを通過する関心の生物学的ナノ粒子の数に対応する。例えば、マイクロチャネル内の流体サンプルが、検出ボリュームを通過して、１秒間にわたって１０個のスパイク（例えば、特定の値を有する１０個の放出信号）が検出された場合には、スパイク頻度は、１０スパイク／秒である。流速、検出領域を通過した液体サンプルの体積、および／またはサンプルの総体積が与えられると、濃度が判定され得る。例えば、上記の例の流速が、一定の１μＬ／秒であり、かつスパイク頻度が１０スパイク／秒であった場合には、関心の生物学的ナノ粒子の濃度は、１μＬあたり１０個の生体ナノ粒子である。
【０３０６】
本明細書で使用される場合、「スパイク」は、パラメータ内の観測された放出を表す。スパイクは、サイズ値、発光強度、検出可能な薬剤との会合などに対応し得る。例えば、所望の生物学的ナノ粒子が、閾値制限を４倍〜５倍上回る光強度を放出する場合には、これらの境界内で観測される生物学的ナノ粒子は、スパイクとして登録されよう。いくつかの実施形態では、スパイクの数は、カウントされる。特有の実施形態では、スパイクの数は、スパイク頻度を判定するために、ある期間にわたってカウントされる。スパイクの観測とスパイク頻度の計算とは、本開示に記載される装置を使用して実施され得る。
【０３０７】
一定の実施形態では、スパイク頻度は、生物学的ナノ粒子のパラメータ値と相関する。パラメータ値は、サイズ値、検出可能な薬剤の存在、発光強度などであり得る。例えば、検出可能な薬剤Ａで標識された生体ナノ粒子を標的とするスパイク頻度は、検出可能な薬剤Ａが観測される頻度を測定することによって、複数の生物学的ナノ粒子から判定され得る。
【０３０８】
いくつかの実施形態では、サンプルの濃度が、サンプルのスパイク頻度をカウントし、およびサンプルのスパイク頻度をサンプルの体積と比較することによって、判定される。いくつかの実施形態では、サンプルの濃度は、サンプルのスパイク頻度をカウントし、それを較正粒子標準のスパイク頻度と比較することによって、判定される。例えば、標準が、既知の１００ナノ粒子／μＬの濃度を有する関心の生物学的ナノ粒子を有し、かつ標準が、１０スパイク／ｍｓのスパイク頻度を提示する場合には、同じ条件を使用して分析され、かつ５スパイク／ｍｓのスパイク頻度を呈示する、未知の濃度の所望の生物学的ナノ粒子を有するサンプルが、５０ナノ粒子／μＬの濃度であると判定することができる。一定の実施形態において、サンプルの濃度は、サンプルのスパイク頻度をカウントし、それを較正粒子標準スパイク頻度と比較し、およびサンプルのスパイク頻度をサンプルの体積と比較することによって判定される。本開示にさらに記載されるように、複数の標準粒子のいずれかが使用され得る。いくつかの実施形態では、較正粒子標準は、金ナノ粒子を含む。一定の実施形態では、既知の濃度（したがってスパイク頻度）の金ナノ粒子標準を未知の濃度の生物学的ナノ粒子サンプルと混合して、１つのサンプル溶液を形成し、これにより、金ナノ粒子のスパイク頻度を生物学的ナノ粒子のスパイク頻度と比較することによって、サンプル溶液中の生物学的ナノ粒子の濃度が判定され得る。
【０３０９】
特定の態様では、生物学的ナノ粒子は、マイクロ流体チップを高速で通過する。特有の実施形態では、生物学的ナノ粒子が、毎時１００万粒子超、毎時２００万粒子超、毎時３００万粒子超、毎時４００万粒子超、毎時５００万粒子超、毎時６００万粒子超、毎時７００万粒子超、毎時８００万粒子超、毎時９００万粒子超、毎時１０００万粒子超、毎時１５００万粒子超、毎時２０００万粒子超、毎時２５００万粒子超、毎時３０００万粒子超、毎時３５００万粒子超、毎時４０００万粒子超、毎時４５００万粒子超、または毎時５０００万粒子超の速度でマイクロ流体チップを通過する。好ましい実施形態では、生物学的ナノ粒子は、毎時５００万ナノ粒子超の速度でマイクロ流体チップを通過する。
【０３１０】
生物学的ナノ粒子を捕捉する装置および方法
いくつかの実施形態では、本開示は、コーティングされた平面状の表面上の生物学的ナノ粒子の捕捉（吸着とも呼ばれる）、操作、および分析のための方法、システム、デバイス、および装置を提供する。一定の実施形態において、少なくとも、分析が捕捉に続いて迅速に行われ得るため、平面状の表面上の生物学的ナノ粒子の捕捉は、優先的な捕捉システムを提供する。生物学的ナノ粒子を含むサンプル流体に曝露され得る、コーティングされたビーズの使用は、この開示とは対照的であり、生物学的ナノ粒子を捕捉する。ビーズ上に捕捉された生体ナノ粒子は、迅速な分析を可能にするために、例えば、顕微鏡で容易に視覚化することができない。生体ナノ粒子を捕捉するビーズを使用する方法は、コーティングされた表面から生物学的ナノ粒子を解離または分離する工程を頻繁に必要とし、捕捉された生物学的ナノ粒子の収率を低下させる場合があったり、または生体ナノ粒子を損傷する場合がある。本開示は、迅速かつ容易に分析および／またはさらに処理され得る様式で生物学的ナノ粒子を捕捉するための方法、システム、デバイス、および装置を提供する。一定の実施形態では、本開示は、関心の生物学的ナノ粒子を、流体サンプルから平面状の表面上に捕捉する方法を提供する。
【０３１１】
一定の実施形態では、本開示は、平面状の表面上に生物学的ナノ粒子を捕捉するための方法を提供し、この方法は、（ａ）コーティングを有する少なくとも１つの平面状の表面を提供することと、（ｂ）複数の生物学的ナノ粒子を含む流体サンプルをコーティングと接触させることと、（ｃ）生物学的ナノ粒子とコーティングとの接触を容易にするために、少なくとも１つの平面状の表面と接触している流体サンプルに力を提供することと、（ｄ）コーティングで複数のナノ粒子のうちの少なくともいくつかを捕捉することと、を含む。
【０３１２】
特有の実施形態では、本開示は、コーティングされた平面状の表面上に生物学的ナノ粒子を捕捉するための方法を提供し、この方法は、（ａ）コーティングを有する少なくとも１つの平面状の表面を提供することであって、コーティングが、非特異的吸着抵抗材料と、複数の捕捉分子と、を含む、提供することと、（ｂ）複数の生物学的ナノ粒子を含む流体サンプルをコーティングと接触させることと、（ｃ）生物学的ナノ粒子とコーティングとの接触を容易にするために、少なくとも１つの平面状の表面と接触している流体サンプルを遠心分離することと、（ｄ）複数の捕捉分子のうちの少なくともいくつかで複数のナノ粒子のうちの少なくともいくつかを捕捉することと、を含む。
【０３１３】
他の特有の実施形態では、本開示は、コーティングされた平面状の表面上に生物学的ナノ粒子を捕捉するための方法を提供し、この方法は、（ａ）コーティングを有する少なくとも１つの平面状の表面を提供することであって、コーティングが、非特異的吸着抵抗材料と、複数の捕捉分子と、を含む、提供することと、（ｂ）複数の生物学的ナノ粒子を含む流体サンプルをコーティングと接触させることと、（ｃ）生物学的ナノ粒子とコーティングとの接触を容易にするために、少なくとも１つの平面状の表面と接触している流体サンプルを遠心分離することと、（ｄ）複数の捕捉分子のうちの少なくともいくつかで複数のナノ粒子のうちの少なくともいくつかを捕捉することと、（ｅ）蛍光顕微鏡法で、平面状の表面上の捕捉された生物学的ナノ粒子を撮像することと、を含む。
【０３１４】
本明細書で提供される方法、システム、デバイス、および装置は、生物学的ナノ粒子を捕捉し得る。生物学的ナノ粒子の詳細は、本明細書でさらに提供される。一定の実施形態では、生物学的ナノ粒子は、本明細書で提供されるように、検出可能な薬剤と会合する。いくつかの実施形態では、生物学的ナノ粒子は、本明細書で提供されるように、検出可能な薬剤を含む。いくつかの実施形態では、生物学的ナノ粒子は、本明細書で提供されるように、少なくとも１つの検出可能な薬剤と会合する。一定の実施形態では、生物学的ナノ粒子は、本明細書で提供されるように、結合標的を含む。いくつかの実施形態では、生物学的ナノ粒子は、本明細書で提供されるように、少なくとも１つの結合標的と会合する。いくつかの実施形態では、生物学的ナノ粒子は、本明細書で提供されるように、少なくとも１つのタグと会合する。輸送中のサイズを判定するために提供される生物学的ナノ粒子は、本開示で提供されるような特性を、コーティングされた平面状の表面で捕捉された生物学的ナノ粒子と何らかの方法で共有し得る。
【０３１５】
平面状の表面
本明細書に開示される方法は、コーティングされた平面状の表面上での生物学的ナノ粒子の捕捉を提供する。いくつかの実施形態では、平面状の表面は、事前に被着されたコーティングを具備する。一定の実施形態では、平面状の表面はコーティングを有して製造される。いくつかの実施形態では、平面状の表面が提供され、コーティングが別個の工程として被着される。当該技術分野で知られている複数の手段のいずれかを使用して、平面状の表面にコーティングを被着するか、または他の方法で提供してもよい。
【０３１６】
いくつかの実施形態では、平面状の表面の少なくとも一部分は、透明である。一定の実施形態では、平面状の表面の少なくとも一部分は、半透明である。いくつかの実施形態では、平面状の表面は、透明である。一定の実施形態では、平面状の表面は、半透明である。平面状の表面は、コーティングに付着された生物学的ナノ粒子が表面を通して観測され得るように、光が通過し得るプラットフォームを提供してもよい。例えば、生物学的ナノ粒子が一方側に付着された平面状の表面を探測処理用のソース（例えば、電球）の上方に配置されてもよく、光または探測処理体が、プレートを通過し、捕捉された生物学的ナノ粒子と相互作用し、および検出され続けることができる。一定の実施形態では、検出器は、カメラである（例えば、光学顕微鏡を使用する場合）。
【０３１７】
好ましい実施形態では、平面状の表面は、ガラスを含む。一定の実施形態では、平面状の表面は、ガラスである。いくつかの実施形態では、平面状の表面は、ガラススライドである。本明細書で使用される場合、「ガラススライド」および「ガラスカバースリップ」という用語は、互換的に使用され得る。
【０３１８】
この開示では、多様な平面状の表面が、使用され得る。いくつかの実施形態では、平面状の表面のサイズは、実験室、研究、および／または病院の設定での使いやすさを提供する。例えば、光学顕微鏡での分析に容易に対応できるスライドガラスのサイズである平面状の表面は、機器の改変、機器のカスタマイズ、および／または専用機器の購入を必要とせずに分析する手段を提供する。好ましい実施形態では、平面状の表面は、ユーザフレンドリーである寸法を有し、および／または当業者に知られているサイジング標準を使用して出荷および／または製造され得る。
【０３１９】
いくつかの実施形態では、ガラススライドは、円形、楕円形、長方形、正方形、菱形、三角形であるか、またはいくつかの他の多角形の寸法を有する。スライドガラスはまた、面取りされた、または丸みを帯びたコーナーを有することが可能であり、非対称の形状であることが可能である。特定の実施形態では、ガラス側は、円形である。いくつかの実施形態では、ガラススライドは楕円形である。いくつかの実施形態では、平面状の表面が、０．１ｍｍ〜１００ｃｍ、０．１ｍｍ〜２０ｃｍ、１ｍｍ〜２０ｃｍ、５ｍｍ〜１０ｃｍ、１ｍｍ〜５ｃｍ、１０ｍｍ〜１０ｃｍ、５ｍｍ〜５ｃｍ、または１ｃｍ〜５０ｃｍの直径を含む。好ましい実施形態では、平面状の表面は、１ｃｍ〜５０ｃｍの直径を含む。一定の実施形態では、平面状の表面は、９０ｃｍ超、８０ｃｍ超、７０ｃｍ超、６０ｃｍ超、５０ｃｍ超、４０ｃｍ超、３０ｃｍ超、２０ｃｍ超、１０ｃｍ超、５ｃｍ超、４ｃｍ超、３ｃｍ超、２ｃｍ超、１ｃｍ超、０．７５ｃｍ超、０．５ｃｍ超、０．２５ｃｍ超、または０．１ｃｍ超の直径を有する。好ましい実施形態では、平面状の表面は、１ｃｍ超の直径を含む。
【０３２０】
一定の実施形態では、平面状の表面は、正方形である。いくつかの実施形態では、平面状の表面は、長方形である。一定の実施形態では、平面状の表面は、１ｃｍ〜１００ｃｍ、１ｍｍ〜１ｃｍ、１ｍｍ〜２０ｃｍ、５ｍｍ〜２０ｃｍ、１０ｍｍ〜２０ｃｍ、１００ｍｍ〜２０ｃｍ、１ｃｍ〜２０ｃｍ、または１ｃｍ〜５０ｃｍの幅を有する。好ましい実施形態では、平面状の表面は、１ｃｍ〜５０ｃｍの幅を有する。いくつかの態様では、平面状の表面は、０．１ｍｍ〜１００ｃｍ、１ｍｍ〜２０ｃｍ、１ｍｍ〜１０ｃｍ、５ｍｍ〜２０ｃｍ，１０ｍｍ〜２０ｃｍ、１００ｍｍ〜２０ｃｍ、１ｃｍ〜２０ｃｍ、または１ｃｍ〜５０ｃｍの長さを有する。好ましい実施形態では、平面状の表面は、１ｃｍ〜５０ｃｍの長さを有する。
【０３２１】
この開示により提供されるように、平面状の表面は、表面積を含む。いくつかの態様では、表面積は、２００ｃｍ２〜１００ｃｍ２であるか、表面積は、１５０ｃｍ２〜８０ｃｍ２であるか、表面積は、１５０ｃｍ２〜１ｃｍ２であるか、表面積は、２００ｃｍ２〜１ｍｍ２であるか、表面積は、１２０ｃｍ２〜１ｍｍ２であるか、表面積は、８０ｃｍ２〜１ｍｍ２であるか、表面積は、５０ｃｍ２〜１ｍｍ２であるか、表面積は、２０ｃｍ２〜１ｍｍ２であるか、表面積は、１ｃｍ２〜１ｍｍ２であるか、表面積は、７５ｍｍ２〜１ｍｍ２であるか、表面積は、５０ｍｍ２〜１ｍｍ２であるか、表面積は、２５ｍｍ２〜１ｍｍ２であるか、または表面積は、１０ｍｍ２〜１ｍｍ２である。好ましい実施形態では、表面積は、１５０ｃｍ２〜５０ｃｍ２である。
【０３２２】
いくつかの実施形態では、平面状の表面は、マルチウェルプレートのベースを含む。
一定の実施形態では、平面状の表面は、カバースリップを含む。特有の実施形態では、平面状の表面は、カバースリップである。一定の実施形態では、平面状の表面は、顕微鏡検査と適合性である。好ましい実施形態では、平面状の表面は、蛍光顕微鏡法と適合性である。例えば、この開示は、コーティングされたガラスカバースリップ上に関心の生物学的ナノ粒子を捕捉し、捕捉された生物学的ナノ粒子を分析するために蛍光顕微鏡を使用してガラスカバースリップを分析する方法を提供する。
【０３２３】
平面状の表面コーティング
いくつかの態様では、本明細書で提供される方法は、少なくとも１つの平面状の表面にコーティングを提供することをさらに含み、コーティングは、非特異的吸着抵抗材料および複数の捕捉分子を含む。一定の実施形態において、平面状の表面は、非特異的吸着抵抗材料と複数の捕捉分子とを含むコーティングを有する。
【０３２４】
一定の実施形態において、コーティングは、１０μｍ未満、５μｍ未満、１μｍ未満、５００ｎｍ未満、４００ｎｍ未満、３００ｎｍ未満、２００ｎｍ未満、１００ｎｍ未満、９０ｎｍ未満、８０ｎｍ未満、７０ｎｍ未満、６０ｎｍ未満、５０ｎｍ未満、４０ｎｍ未満、３０ｎｍ未満、２０ｎｍ未満、１０ｎｍ未満、または５ｎｍ未満の厚さを有する。好ましい実施形態では、コーティング層は、１００ｎｍ未満の厚さを有する。
【０３２５】
いくつかの実施形態では、コーティングは、平面状の表面に直接付着される。他の実施形態では、コーティングは、バッファ層に取り付けられ、バッファ層は、コーティングと平面状の表面との両方に会合する。一定の実施形態では、コーティングは、物理吸着、化学吸着、共有グラフト、またはプラズマ重合を使用して平面状の表面に付着される。
【０３２６】
一定の実施形態では、コーティングは、平面状の表面の１００％を覆う。いくつかの実施形態では、コーティングは、平面状の表面の１００％未満を覆う。特有の実施形態では、コーティングは、平面状の表面の少なくとも９９％、平面状の表面の少なくとも９５％、平面状の表面の少なくとも９０％、平面状の表面の少なくとも８５％、平面状の表面の少なくとも８０％、平面状の表面の少なくとも７０％、平面状の表面の少なくとも６０％、平面状の表面の少なくとも５０％、平面状の表面の少なくとも４０％、平面状の表面の少なくとも３０％、平面状の表面の少なくとも２０％、平面状の表面の少なくとも１０％、平面状の表面の少なくとも５％、または平面状の表面の少なくとも１％を覆う。好ましい実施形態では、コーティングは、平面状の表面の少なくとも８０％を覆う。
【０３２７】
いくつかの態様では、コーティングは、非特異的吸着抵抗材料を含む。「非特異的吸着抵抗材料」という用語は、本明細書では「非汚染材料」と互換的に使用される場合がある。非特異的吸着抵抗材料は、コーティングへの生物学的ナノ粒子または他の物質の吸着および／または凝着を低減する。非汚染材料は、不要な物質の付着を防止する。様々な物質の吸着を防止することは、コーティングと会合する生物学的ナノ粒子をより正確かつ高精度に分析するための能力を増大させる。本開示に好適な多様な非汚染材料は、一般に当該技術分野で周知であり、例えば、雑誌記事（例えば、Ｈｕｃｋｎａｌｌ  ｅｔ  ａｌ．Ａｄｖ．Ｍａｔｅｒ．，２００９，２１（２３），２４４１−２４４６）に見つけることができる。
【０３２８】
いくつかの実施形態では、非汚染材料は、ＰＥＧ、ＰＥＧ含有コポリマー、自己組織化単層、双性イオン（例えば、カルボキシベタイン）、ウシ血清アルブミン（ＢＳＡ）、オリゴ（エチレングリコール）メタクリレート（ＯＥＧＭＡ）、ポリ（ＯＥＧＭＡ）、これらの誘導体、またはこれらの組み合わせを含む。
【０３２９】
特定の実施形態では、非特異的吸収抵抗材料は、ポリエチレングリコールを含む。一定の実施形態では、非特異的吸収抵抗材料は、双性イオンを含む。特有の実施形態では、非汚損材料は、双性イオン表面を含む。特定の実施形態では、非特異的吸収抵抗材料は、カルボキシベタインを含む。いくつかの実施形態では、非特異的吸収抵抗材料は、ウシ血清アルブミンを含む。
【０３３０】
いくつかの態様では、コーティングは、複数の捕捉分子を含む。捕捉分子は、関心の生物学的ナノ粒子の吸着および／または凝着を増大させる。捕捉分子は、それらの付着において選択的であり、非汚損材料と組み合わされると、流体サンプル中に存在し得る他の物質の凝着を減少させながら、所望の生物学的ナノ粒子の付着を増大させるコーティングを提供する。例えば、非特異的吸着抵抗材料と、「Ａ」に選択的に付着するように選択された複数の捕捉分子と、を含むコーティングと接触している生物学的ナノ粒子「Ａ」および「Ｂ」を含む流体サンプルは、「Ｂ」の凝着に抵抗しながら、「Ａ」の捕捉の増加を結果として生じる。いくつかの実施形態では、２つ以上のタイプの捕捉分子が、コーティング中に提供される。他の実施形態では、複数の捕捉分子は、同じタイプの捕捉分子を含む。
【０３３１】
一定の実施形態では、複数の捕捉分子は、抗体を含む。特有の実施形態では、複数の捕捉分子は、ビオチン化抗体を含む。いくつかの実施形態では、複数の捕捉分子は、ビオチンを含む。一定の実施形態では、複数の捕捉分子は、ストレプトアビジンを含む。いくつかの実施形態では、複数の捕捉分子は、核酸を含む。いくつかの実施形態では、複数の捕捉分子は、アプタマーを含む。いくつかの実施形態では、複数の捕捉分子は、ビオチン化アプタマーを含む。いくつかの実施形態では、複数の捕捉分子は、ペプチドを含む。いくつかの実施形態では、複数の捕捉分子は、タンパク質を含む。いくつかの実施形態では、複数の捕捉分子は、アフィボディを含む。いくつかの実施形態では、複数の捕捉分子は、ナノボディを含む。
【０３３２】
いくつかの実施形態では、複数の捕捉分子は、連結部分で平面状の表面に付着される。他の実施形態では、複数の捕捉分子は、平面状の表面に直接付着される。一定の実施形態において、複数の捕捉分子は、連結部分でコーティングに付着される。いくつかの実施形態では、複数の捕捉分子は、コーティングと直接会合する。本明細書で使用される場合、「会合する」および「付着される」という用語は互換的に使用され、捕捉分子、コーティング、および任意での連結部分の文脈では、共有、非共有、イオン、および／または非イオン相互作用を含む。例えば、捕捉分子は、コーティングに共有結合され得る。別の例として、捕捉分子は、連結部分に共有結合することができ、連結部分は、コーティングに共有結合することができる。
【０３３３】
一定の実施形態では、コーティングは、リガンドを含む。特有の実施形態では、コーティングは、ニトリロ三酢酸リガンドを含む。いくつかの実施形態では、コーティングは、イミノ二酢酸リガンドを含む。一定の実施形態では、コーティングは、ポリマーを含む。特有の実施形態では、ポリマーは、ポリアクリル酸、キトサン、温度感受性ポリマー、ｐＨ感受性ポリマー、またはこれらの組み合わせを含む。一定の実施形態では、コーティングは、抗体を含む。いくつかの実施形態では、コーティングは、酵素を含む。いくつかの実施形態では、コーティングは、無機金属を含む。特有の実施形態では、コーティングは、金を含む。
【０３３４】
サンプルとコーティングとの接触
いくつかの態様では、本開示は、複数の生物学的ナノ粒子を含む流体サンプルをコーティングと接触させることをさらに含む方法を提供する。接触は、流体サンプル内の生物学的ナノ粒子がコーティングと相互作用し、および捕捉分子に接着することを可能にし得る。
【０３３５】
いくつかの実施形態では、流体サンプルは、薄層をなして提供される。小さい層厚を有することは、生物学的ナノ粒子がコーティングと相互作用し、および捕捉分子に凝着する確率を増大させる。小さい層厚を有することは、コーティングと相互作用し、および捕捉分子に凝着するために、生物学的ナノ粒子が移動する必要がある距離（例えば、生物学的ナノ粒子が遠心力の影響下で層を通過する場合）を低減する。一定の実施形態では、流体サンプルの少なくとも一部分は、１０ｍｍ未満、９ｍｍ未満、５ｍｍ未満、１ｍｍ未満、９００μｍ未満、８００μｍ未満、７００μｍ未満、６００μｍ未満、５００μｍ未満、４００μｍ未満、３００μｍ未満、２００μｍ未満、または１００μｍ未満の層厚を有する。好ましい実施形態では、流体サンプルの少なくとも一部分は、１０ｍｍ未満の層厚を有する。他の好ましい実施形態では、流体サンプルの少なくとも一部分は、９ｍｍ未満の層厚を有する。好ましい実施形態では、流体サンプルの少なくとも一部分は、１ｍｍ未満の層厚を有する。他の好ましい実施形態では、流体サンプルの少なくとも一部分は、５００μｍ未満の層厚を有する。
【０３３６】
上記に開示されるように、本明細書で提供される方法は、薄い層厚を有する流体サンプルを含んでもよい。薄い層厚を有するサンプルは、蒸発の影響を受けやすい場合があり、これは、流体サンプル中の生物学的ナノ粒子の意図された移動を妨害または混乱させる可能性がある。一定の実施形態では、本開示は、流体サンプルを蒸発防止層で覆うことをさらに含む方法を提供する。一定の実施形態では、蒸発防止層は、テープである。いくつかの実施形態では、蒸発防止層は、油を含む。特有の実施形態では、蒸発防止層は、鉱油を含む。
【０３３７】
特定の態様では、本開示は、複数の区画を含む収容デバイスを提供することをさらに含む方法を提供し、複数の区画のうちの少なくとも１つは、少なくとも１つの平面状の表面および流体サンプルを含む。複数の流体サンプルが同じ平面状の表面のコーティングと接触し得るように、区画を使用して、流体サンプルとコーティングとの接触を容易にするか、または平面状の表面を複数の部分に分割してもよい。例えば、９６ウェルプレートは、上述したようにコーティングされた平面状の表面を含んでもよく、複数の流体サンプルを分析し、かつ複数の流体サンプルを同じコーティングと接触させるための手段を提供する。
【０３３８】
いくつかの実施形態では、収容デバイスは、ウェルプレートを含む。特有の実施形態では、複数の区画は、ウェルを含む。一定の実施形態では、収容デバイスは、マイクロ流体チップを含む。特有の実施形態では、複数の区画は、マイクロ流体チャネルを含む。
【０３３９】
いくつかの実施形態では、収容デバイスは、複数の穴を含むブロックであり、複数の区画は、複数の穴を含む。いくつかの態様では、ブロックは、平面状の表面とは別途提供される。
【０３４０】
いくつかの態様では、本開示は、収容デバイスをコーティングされた平面状の表面に取り付けることをさらに含む方法を提供する。一定の実施形態では、コーティングされた平面状の表面への収容デバイスの取り付けは、接着材料を使用する。特定の実施形態では、接着材料は、接着剤を含む。他の実施形態では、接着は、貼り付けにより達成される。
【０３４１】
一定の実施形態では、収容デバイスは、上部デバイスに取り付けられている。上部デバイスは、コーティングと接触している流体サンプルのカスタマイズを可能にしてもよい。例えば、収容デバイスにフィルタが取り付けられてもよく、フィルタに提供される不要な物質を含む流体サンプルが、フィルタを通過し、結果として、コーティングと接触している流体から不要な物質が除去される。いくつかの実施形態では、上部デバイスは、フィルタを含む。一定の実施形態では、上部デバイスは、マイクロ流体チップを含む。いくつかの実施形態では、上部デバイスは、マルチウェルプレートを含む。
【０３４２】
いくつかの態様では、本開示は、収容デバイスから平面状の表面を除去することをさらに含む方法を提供する。一定の実施形態では、除去することは、生物学的ナノ粒子がコーティングによって捕捉された後に行われる。例えば、収容デバイスは、各々が同じコーティングでコーティングされた４つの平面状の表面を含んでもよく、コーティングと流体サンプルとの接触と、生物学的ナノ粒子の捕捉と、に続いて、平面状の表面が、収容デバイスから除去され、さらに処理および／または分析されてもよい。
【０３４３】
遠心分離および捕捉
特定の態様では、本開示は、複数の捕捉分子のうちの少なくともいくつかで複数の生物学的ナノ粒子のうちの少なくともいくつかを捕捉することをさらに含む方法を提供する。
【０３４４】
いくつかの態様では、本開示は、生物学的ナノ粒子とコーティングとの接触を容易にするために、平面状の表面と接触している流体サンプルに力を提供することをさらに含む方法を提供する。いくつかの態様では、本開示は、平面状の表面と接触している流体に含有される生物ナノ粒子に力を提供して、生物学的ナノ粒子とコーティングとの接触を容易にすることをさらに含む方法を提供する。一定の実施形態では、流体サンプルとコーティングとの間の接触を容易にするための力は、遠心力、加えられた力、電気力、磁力、またはこれらの組み合わせを含む。一定の実施形態では、生物学的ナノ粒子とコーティングとの間の接触を容易にするための力は、遠心力、加えられた力、電気力、磁力、またはこれらの組み合わせを含む。好ましい実施形態では、力は、遠心力を含む。いくつかの実施形態では、力は、遠心力である。
【０３４５】
特定の態様では、本開示は、生物学的ナノ粒子とコーティングとの接触を容易にするために、少なくとも１つの平面状の表面と接触している流体サンプルを遠心分離することをさらに含む方法を提供する。遠心分離は、流体サンプル内の生物学的ナノ粒子とコーティングとの接触を増大させることができるため、関心の生物学的ナノ粒子と捕捉分子との相互作用を容易にし、凝着の増大につながる。遠心力は、前述の上部デバイスの有用性を追加的に高めることができる。特有の実施形態では、遠心力は、流体サンプルの流動を駆動することによって、前述の上部デバイスの有用性を補助することができる。例えば、複数の生物学的ナノ粒子および不要な物質を含むサンプルを、収容デバイスの上部上のフィルタに導入することができ、収容デバイスは、非汚染材料および複数の捕捉分子によるコーティングを有する平面状の表面を含む。生物学的ナノ粒子を含む流体サンプルが、コーティングを含む平面状の表面と接触している間、遠心力はサンプルを駆動してフィルタに通し、フィルタ内に不要な物質が保持され得る。遠心力は、生物学的ナノ粒子をコーティングに向けて駆動し、捕捉分子との相互作用の確率と、上記の捕捉分子への凝着と、を増大することができる。
【０３４６】
いくつかの態様では、本開示は、流体サンプルを濾過するための方法を提供する。特定の態様では、流体サンプルの濾過は、流体サンプルが少なくとも１つの平面状の表面と接触する前に行われる。いくつかの実施形態では、濾過は、不要な材料を除去するために使用される。特有の態様では、濾過は、遠心力によって駆動される。
【０３４７】
一定の実施形態では、遠心力は、複数の平面状の表面に同時に加えられる。例えば、４つのスウィングプレートキャリアを含む遠心分離機ロータに、２つ以上の平面状の表面が搭載されていてもよく、遠心力は、遠心分離機に配置された平面状の表面の各々に同時に加えられてもよい。
【０３４８】
本明細書に開示されるように、遠心分離は、生物学的ナノ粒子とコーティングとの間、より具体的には生物学的ナノ粒子と捕捉分子との間の、接触の増大を提供することができる。特定の態様では、本開示は、遠心分離が一定期間行われる方法を提供し、コーティングと会合した生物学的ナノ粒子の数は、遠心分離工程を省略した比較実験の、少なくとも１０％超、少なくとも２０％超、少なくとも３０％超、少なくとも４０％超、少なくとも５０％超、少なくとも６０％超、少なくとも７０％超、少なくとも８０％超、少なくとも９０％超、少なくとも１００％超、少なくとも１５０％超、少なくとも２００％超、少なくとも３００％超、少なくとも４００％超、少なくとも５００％超、または少なくとも１，０００％超であり、比較流体サンプルは同じ期間、コーティングと接触す。好ましい実施形態では、コーティングと会合した生物学的ナノ粒子の数は、、遠心分離工程を省略した比較実験の少なくとも１００％超であり、比較流体サンプルは同じ期間、コーティングと接触する。例えば、２つのウェルによって分割された１つのコーティングされた平面状の表面を有する収容デバイスは、ウェルのうちの１つ内に導入された流体サンプルからのアリコートを有することができ、デバイスは、３０分間遠心分離され、平面状の表面の分析は、１８０個の生物学的ナノ粒子が捕捉されていることを示す。同じサイズで同じ流体サンプルの第２のアリコートを第２のウェルに導入してベンチトップ上に３０分間放置することができ、平面状の表面の分析は、１００個の生物学的ナノ粒子が捕捉されていることを示す。この例では、遠心分離により、生物学的ナノ粒子の捕捉が同じ期間で８０％増加した。一定の実施形態では、期間は、１時間未満、３０分未満、１５分未満、１０分未満、５分未満、または１分未満である。
【０３４９】
一定の実施形態では、流体サンプルからの複数の生物学的ナノ粒子の、少なくとも５％、少なくとも１０％、少なくとも２０％、少なくとも３０％、少なくとも４０％、少なくとも５０％、少なくとも６０％、少なくとも７０％、少なくとも８０％、少なくとも９０％、少なくとも９５％、または少なくとも９９％が、コーティングで捕捉される。好ましい実施形態では、流体サンプルからの複数の生物学的ナノ粒子の少なくとも１０％が、コーティングで捕捉される。特有の実施形態では、流体サンプルからの複数の生物学的ナノ粒子の少なくとも１０％が、複数の捕捉分子と会合する。本明細書で定義されるように、生物学的ナノ粒子および捕捉分子の文脈での「会合する」は、共有、非共有、イオン、および／または非イオン相互作用を含む。例えば、生物学的ナノ粒子は、捕捉分子に共有結合し得る。いくつかの実施形態では、生物学的ナノ粒子は、捕捉分子にイオン結合し得る。いくつかの実施形態では、生物学的ナノ粒子は、ファンデルワールス相互作用を介して捕捉分子に付着され得る。いくつかの実施形態では、生物学的ナノ粒子は、静電相互作用とファンデルワールス相互作用の組み合わせを介して捕捉分子に付着され得る。いくつかの実施形態では、生物学的ナノ粒子は、抗体−抗原結合を介して捕捉分子に付着され得る。いくつかの実施形態では、生物学的ナノ粒子は、抗体−抗原結合を介して捕捉分子に付着される。本明細書で生物学的ナノ粒子および捕捉分子の文脈で使用される場合、「会合する」、「捕捉された」、「付着された」、「凝着された」などの用語は、互換的に使用され得る。本明細書で生物学的ナノ粒子およびコーティングの文脈で使用される場合、「と会合した」などの用語は、コーティングの捕捉分子「と会合した」と同じであると理解される。
【０３５０】
いくつかの態様では、本開示は、コーティングされた平面状の表面の安定性を増大させることをさらに含む方法を提供する。いくつかの実施形態では、安定性を増大させることは、凍結乾燥を含む。いくつかの実施形態では、コーティングされた平面状の表面の安定性の増大は、コーティングと会合した捕捉分子の組み込みの前に行われる。いくつかの実施形態では、コーティングされた平面状の表面の安定性の増大は、コーティングと会合した捕捉分子の組み込みの後に行われる。いくつかの実施形態では、コーティングされた平面状の表面の安定性の増大は、生物学的ナノ粒子の捕捉の前に、しかも捕捉分子のコーティング表面への、またはコーティングされた表面の一部としての組み込みの後に、行われる。特有の実施形態では、コーティングされた平面状の表面は、コーティングされた表面への、またはコーティングされた表面の一部としての、抗体の組み込みの後に、凍結乾燥される。コーティングの安定性を増大させること（例えば、凍結乾燥による）により、特にコーティングが抗体またはストレプトアビジンなどのタンパク質を含む場合、コーティングの貯蔵寿命が増加するのに対して、非凍結乾燥サンプルは、その時間内に劣化または解離する場合がある。いくつかの実施形態では、安定性の増大は、コーティングと会合した複数の捕捉分子のうちの少なくともいくつかで複数の生物学的ナノ粒子のうちの少なくともいくつかを捕捉した後に生じる。特有の実施形態では、コーティングされた平面状の表面は、コーティングによる生物学的ナノ粒子の捕捉に続いて凍結乾燥される。コーティングの安定性を増大させること（例えば、凍結乾燥による）により、コーティングとコーティングに凝着され得る生物学的ナノ粒子との貯蔵寿命が増加する。例えば、コーティングされた平面状の表面と会合した複数の生物学的ナノ粒子は、凍結乾燥されてもよく、結果として得られる凍結乾燥された平面状の表面は、後で保存および分析され得るのに対して、非凍結乾燥サンプルは、その時間内に劣化または解離する場合がある。
【０３５１】
捕捉された生物学的ナノ粒子の分析
いくつかの態様では、本開示は、平面状の表面を分析することをさらに含む方法を提供する。特有の実施形態では、本開示は、捕捉された生物学的ナノ粒子を分析することを含む方法を提供する。一定の実施形態では、分析は、顕微鏡法を使用して、コーティングと会合した生物学的ナノ粒子を撮像することを含む。いくつかの実施形態では、分析は、蛍光顕微鏡法を使用して、コーティングと会合した生物学的ナノ粒子を撮像することを含む。一定の実施形態では、分析は、コーティングと会合した生物学的ナノ粒子の数をカウントすることを含む。一定の実施形態では、分析は、生物学的ナノ粒子と会合したタンパク質バイオマーカーまたは核酸バイオマーカーの存在または不在を判定することを含む。いくつかの実施形態では、分析は、マルチカラー蛍光顕微鏡法を使用して、個々の生物学的ナノ粒子上のバイオマーカーの共局在を判定することを含む。一定の実施形態では、分析は、生物学的ナノ粒子と会合したバイオマーカーのコピー数を判定することを含む。いくつかの実施形態では、分析は、個々の生物学的ナノ粒子のサイズを判定することを含む。いくつかの実施形態では、個々の生物学的ナノ粒子のサイズの判定は、干渉撮像を使用することを含む。いくつかの実施形態では、個々の生物学的ナノ粒子のサイズの判定は、干渉反射撮像を使用することを含む。
【０３５２】
いくつかの実施形態では、分析は、コーティングと会合した生物学的ナノ粒子からの放出された光強度を測定することを含む。生物学的ナノ粒子からの放出された光強度を測定することのさらなる詳細は、本明細書で提供される。本明細書で提供されるように、放出された光強度の測定は、サイズ値の割り当てに対応し得る。
【０３５３】
一定の実施形態では、分析は、コーティングと会合した生物学的ナノ粒子を撮像することを含む。いくつかの態様では、本開示は、検出可能な薬剤を複数のナノ粒子のうちの少なくとも１つと会合させることをさらに含む方法を提供する。いくつかの実施形態では、会合は、生物学的ナノ粒子の捕捉の前に行われる。いくつかの実施形態では、会合は、生物学的ナノ粒子の捕捉の後に行われる。例えば、本明細書でさらに詳述されるように、複数の生物学的ナノ粒子をコーティング上に捕捉することができ、複数の検出可能な薬剤を含む流体をコーティングに導入することができ、検出可能な薬剤は、生物学的ナノ粒子と特異的に会合し、結果として、検出可能な薬剤と会合した生物学的ナノ粒子がコーティングに凝着される。これにより、例えば、検出可能なナノ粒子の検出およびカウントを補助することにより、または生物学的ナノ粒子と会合した関心のタンパク質を特異的に標的とし得る検出可能な薬剤の会合に関する情報を提供することにより、生物学的ナノ粒子の分析が容易になり得る。
【０３５４】
本明細書に開示されるように、捕捉分子は、連結部分を介して平面状の表面またはコーティングに付着されてもよい。特定の態様では、本開示は、連結部分を開裂することをさらに含む方法を提供する。連結部分を開裂することにより、事前に捕捉された生物学的ナノ粒子が解放され得、さらなる分析が容易になり得る。いくつかの態様では、本開示は、複数の生物学的ナノ粒子のうちの少なくともいくつかをコーティングから解放することをさらに含む方法を提供する。一定の実施形態では、少なくともいくつかの解放された生物学的ナノ粒子は、構造的に損傷していない。他の実施形態では、少なくともいくつかの脱離した生物学的ナノ粒子が溶解され、溶解物が分析のために収集される。特有の実施形態では、溶解物の分析は、核酸分析、シーケンシング、ポリメラーゼ連鎖反応、タンパク質分析、ＥＬＩＳＡ、質量分析、炭水化物分析、小分子分析、薬物分析、脂質分析、またはこれらの組み合わせを含む。特有の実施形態では、生物学的ナノ粒子は、コーティングと会合したストレプトアビジン分子に付着されたビオチン化抗体によって捕捉され、次に、生物学的ナノ粒子は、ビオチン化抗体のストレプトアビジン分子への結合を妨害することにより生物学的ナノ粒子を平面状の表面から脱離させる、コーティングされた表面への遊離ビオチン分子の添加によって、脱離し得る。
【０３５５】
一定の実施形態において、複数の生物学的ナノ粒子のうちの少なくともいくつかは、コーティングから脱離し得る。特有の実施形態では、コーティングからの複数の生物学的ナノ粒子のうちの少なくともいくつかの脱離は、ビオチンでの溶出を含む。
【０３５６】
本明細書で使用される場合、「捕捉された生物学的ナノ粒子」などの用語は、コーティングに付着された生物学的ナノ粒子、またはコーティングに事前に付着された生物学的ナノ粒子を指す。例えば、生物学的ナノ粒子を含む流体サンプルは、コーティングされた表面と接触しており、生物学的ナノ粒子が捕捉分子と会合するとすぐに、生物学的ナノ粒子は、捕捉された生物学的ナノ粒子である。さらなる処理、例えば連結部分を開裂することにより、生物学的ナノ粒子が脱離することとなるが、これらの生物学的ナノ粒子は依然として捕捉された生物学的ナノ粒子と呼ばれ、コーティングと会合していないナノ粒子と区別される。
【０３５７】
一定の実施形態では、捕捉された生物学的ナノ粒子の分析は、生物学的ナノ粒子がコーティングおよび／または平面状の表面に付着している間に行われる。他の実施形態では、捕捉された生物学的ナノ粒子の分析は、生物学的ナノ粒子がコーティングおよび／または平面状の表面から分離された後に行われる。
【０３５８】
いくつかの態様では、方開示は、複数の捕捉分子のうちの少なくともいくつかによって捕捉されなかった流体サンプルのうちの少なくともいくつかを除去するために平面状の表面を洗浄することをさらに含む方法を提供する。捕捉されていない材料を除去するために平面状の表面を洗浄することにより、捕捉された生物学的ナノ粒子の処理および分析が容易になる。例えば、洗浄は、コーティングと会合した関心の生物学的ナノ粒子ではない材料を除去し得るため、下流分析の正確さおよび精度が増大する。
【０３５９】
いくつかの実施形態では、コーティングで捕捉された複数の生物学的ナノ粒子のうちの少なくともいくつかが、撮像される。一定の実施形態では、撮像は、蛍光顕微鏡法を含む。特有の実施形態では、蛍光顕微鏡法は、超解像撮像である。特有の実施形態において、蛍光顕微鏡法は、ＴＩＲＦ顕微鏡法（全反射蛍光）である。いくつかの実施形態では、蛍光顕微鏡法は、生物学的ナノ粒子と会合した少なくとも１つの膜色素を使用する。特有の実施形態では、少なくとも１つの膜色素は、ＦＭ１４３、ＦＭ１４３ファミリーの色素、ＦＭ１４３の誘導体、またはこれらの組み合わせを含む。いくつかの実施形態では、少なくとも１つの膜色素は、ＡＮＥＰＰＳ色素、ＡＮＥＰ（アミノナフチルエテニルピリジニウム）ファミリーの色素、ＡＮＥＰ色素の誘導体、ジ−４−ＡＮＥＰＰＳ、ジ−８−ＡＮＥＰＰＳ、ＡＮＥＰＥＱ色素、ジ−２−ＡＮＥＰＥＱ、Ｄｉ−８−ＡＮＥＰＰＱ、ジ−１２−ＡＮＥＰＰＱ、スチリル色素、ＲＨ２３７、ＲＨ４１４、ＲＨ４２１、ＲＨ７９５、ＳｙｎａｐｔｏＧｒｅｅｎ（登録商標）色素、ＡＭ１−４３、ＡＭ１−４４、ＡＭ２−１０、ＡＭ３−２５、ＨＭ１−４３、ＳｙｎａｐｔｏＲｅｄ（登録商標）色素、Ｏｒｅｇｏｎ  Ｇｒｅｅｎ（登録商標）色素、Ｏｒｅｇｏｎ  Ｇｒｅｅｎ（登録商標）ジアセテート、ＡＭ４−６４、ＡＭ４−６５、ＡＭ４−６６、ＤｉＢＡＣ色素（例えば、ＤｉＢＡＣ４（３）（ビス−（１，３−ジブチルバルビツール酸）トリメチンオキソノール））、カルセイン（登録商標）色素、カルセイン（登録商標）エステル、カルセイン（登録商標）エステルの誘導体、フルオレセイン色素、フルオレセインエステル、またはフルオレセインエステルの誘導体、Ａｌｅｘａ（登録商標）、Ａｌｅｘａ（登録商標）エステル、またはＡｌｅｘａ（登録商標）エステルの誘導体、ＡＴＴＯ（登録商標）色素、ＡＴＴＯ（登録商標）エステル、またはＡＴＴＯ（登録商標）エステルの誘導体、シアニン色素、シアニンエステル、またはシアニンエステルの誘導体、ＤｉＯＣ２（３）（３，３’−ジエチルオキサカルボシアニンヨウ化物）、ＤｉＯＣ５（３）（３，３−ジペンチルオキシカルボシアニンヨウ化物）、ランタニド色素、ＴＭＲＥ（テトラメチルホダミンエチルエステル）、ＴＭＲＭ（テトラメチルローダミンメチルエステル）、それらの任意の誘導体、またはこれらの組み合わせを含む。一定の実施形態では、撮像は、原子間力顕微鏡法を含む。いくつかの実施形態では、撮像は、透過型電子顕微鏡法を含む。いくつかの実施形態では、撮像は、干渉顕微鏡法を含む。いくつかの実施形態では、撮像は、干渉反射顕微鏡法を含む。一定の実施形態では、撮像は、写真撮影を含む。いくつかの実施形態では、撮像は、リアルタイム監視および／またはビデオキャプチャを含む。
【０３６０】
いくつかの実施形態では、分析は、情報のセットを提供する。特有の実施形態では、撮像は、情報のセットを提供する。例えば、コーティングに付着された複数の生物学的ナノ粒子を撮像することは、捕捉された生物学的ナノ粒子のタイプ、検出可能な薬剤との相互作用、捕捉された生物学的ナノ粒子の数、生物学的ナノ粒子と会合したバイオマーカーのコピー数、生物学的ナノ粒子のサイズなどに関する情報を提供することができる。一定の実施形態では、情報のセットは、ナノ粒子上に存在するバイオマーカーを識別することを含む。いくつかの実施形態では、情報のセットは、生物学的ナノ粒子と会合した抗体を識別することを含む。いくつかの実施形態では、情報のセットは、生体ナノ粒子のサイズを識別することを含む。
【０３６１】
一定の実施形態では、コーティングに付着された生物学的ナノ粒子のサイズが、判定される。生物学的ナノ粒子のサイズを判定する方法が、本明細書に開示される。特有の実施形態では、生物学的ナノ粒子のサイズは、相対サイズ値であり、相対サイズ値は、測定された光強度の差によって判定される。いくつかの実施形態では、方法は、測定された光強度を標準で較正して、ナノ粒子の実際のサイズ値を判定することをさらに含む。いくつかの実施形態では、較正は、光強度の測定の前に行われる。いくつかの実施形態では、較正は、光強度の測定の後に行われる。いくつかの実施形態では、較正は、光強度の測定と同時に行われる。一定の実施形態では、生物学的ナノ粒子のサイズは、実際のサイズ値である。本明細書でさらに開示されるように、複数の標準のいずれかが、使用され得る。いくつかの実施形態では、光強度は、動的光散乱を含む。一定の実施形態では、標準のサイズは、動的光散乱で測定される。いくつかの実施形態では、標準のサイズは、透過型電子顕微鏡で測定される。一定の実施形態では、標準のサイズは、干渉顕微鏡法で測定される。いくつかの実施形態では、標準のサイズは、干渉反射顕微鏡法で測定される。
【０３６２】
本明細書にさらに記載されるように、生物学的ナノ粒子、検出可能な薬剤、タグなどは、特異的に測定されてもよい。いくつかの実施形態では、測定される光強度は、単一ナノ粒子感度を有する。一定の実施形態では、測定される光強度は、単一分子感度を有する。
【０３６３】
いくつかの実施形態では、測定される光強度は、多数の検出可能な薬剤を含む単一の抗体を検出する。一定の実施形態では、測定される光強度は、多数の検出可能な薬剤と会合した単一の抗体を検出する。例えば、捕捉された生物学的ナノ粒子は、抗体と会合することができ、抗体は、３つの検出可能な薬剤と会合し、測定される光強度は、検出可能な薬剤の各々を検出し得る。いくつかの実施形態では、多数の検出可能な薬剤は、同じである。他の実施形態では、多数の検出可能な薬剤は、異なる。一定の実施形態では、検出可能な薬剤は、色素タグ付き抗体である。いくつかの実施形態では、検出可能な薬剤は、色素である。
【０３６４】
いくつかの実施形態では、情報のセットは、サンプルの濃度を識別することを含む。特有の実施形態では、情報のセットは、サンプル中の関心の生物学的ナノ粒子の濃度を識別することを含む。
【０３６５】
本明細書にさらに記載されるように、いくつかの実施形態では、生物学的ナノ粒子は、少なくとも１つの生体分子を含む。一定の実施形態では、情報のセットは、生物学的ナノ粒子と会合した生体分子のコピー数を識別することを含む。いくつかの実施形態では、情報のセットは、少なくとも１つの生体分子のコピー数を識別することを含む。
【０３６６】
本明細書にさらに記載されるように、いくつかの実施形態では、生物学的ナノ粒子は、少なくとも１つの検出可能な薬剤と会合する。一定の実施形態では、生物学的ナノ粒子は、複数の検出可能な薬剤と会合する。いくつかの態様では、複数の検出可能な薬剤のうちの少なくとも１つは、生物学的ナノ粒子の表面に付着されるか、複数の検出可能な薬剤のうちの少なくとも１つは、生物学的ナノ粒子の表面内にあるか、複数の検出可能な薬剤のうちの少なくとも１つは、生物学的ナノ粒子の内部にあるか、またはこれらの組み合わせである。いくつかの実施形態では、複数の検出可能な薬剤は、２つ以上のタイプの検出可能な薬剤を含む。一定の実施形態では、複数の検出可能な薬剤は、異なる発光プロファイルを有する。いくつかの実施形態では、発光プロファイルは、異なるピーク波長を有する。
【０３６７】
本明細書にさらに記載されるように、いくつかの実施形態では、生物学的ナノ粒子は、少なくとも１つのバイオマーカーを含む。いくつかの実施形態では、検出可能な薬剤または複数の検出可能な薬剤は、バイオマーカーと会合する。一定の実施形態では、複数の検出可能な薬剤は、共局在する。好ましい実施形態では、共局在した検出可能な薬剤の存在は、情報のセットを提供する。特有の実施形態において、共局在した検出可能な薬剤の存在は、少なくとも１つのバイオマーカーの存在、少なくとも１つのバイオマーカーの不在、またはこれらの組み合わせを含む情報のセットを提供する。検出可能な薬剤と会合したバイオマーカーは、共局在した情報を提供することができ、例えば、同じ場所からの３つの異なる波長の光強度の放出は、３つの検出可能な薬剤が関心のバイオマーカーと会合していること、およびバイオマーカーの存在を示す。
【０３６８】
装置およびキット
一態様では、本開示は、生物学的ナノ粒子を捕捉するためのデバイスを提供する。一実施形態では、デバイスは、（ａ）コーティングを有する少なくとも１つの平面状の表面であって、コーティングは、非特異的吸着抵抗材料および複数の捕捉分子を含む、少なくとも１つの平面状の表面と、（ｂ）遠心分離と適合性である、流体サンプルとコーティングとの接触を容易にするための収容デバイスと、を含む。
【０３６９】
一定の実施形態では、少なくとも１つの平面状の表面は、ガラスを含む。いくつかの実施形態では、少なくとも１つの平面状の表面は、０．１ｍｍ〜１００ｃｍ、０．１ｍｍ〜２０ｃｍ、１ｍｍ〜２０ｃｍ、５ｍｍ〜１０ｃｍ、１ｍｍ〜５ｃｍ、１０ｍｍ〜１０ｃｍ、５ｍｍ〜５ｃｍ、または１ｃｍ〜５０ｃｍの直径を有する。好ましい実施形態では、少なくとも１つの平面状の表面は、１ｃｍ超の直径を有する。
【０３７０】
いくつかの実施形態では、少なくとも１つの平面状の表面は、１ｃｍ〜１００ｃｍ、１ｍｍ〜１ｃｍ、１ｍｍ〜２０ｃｍ、５ｍｍ〜２０ｃｍ、１０ｍｍ〜２０ｃｍ、１００ｍｍ〜２０ｃｍ、１ｃｍ〜２０ｃｍ、または１ｃｍ〜５０ｃｍの幅を有する。一定の実施形態では、少なくとも１つの平面状の表面は、０．１ｍｍ〜１００ｃｍ、１ｍｍ〜２０ｃｍ、１ｍｍ〜１０ｃｍ、５ｍｍ〜２０ｃｍ，１０ｍｍ〜２０ｃｍ、１００ｍｍ〜２０ｃｍ、１ｃｍ〜２０ｃｍ、または１ｃｍ〜５０ｃｍの長さを有する。
【０３７１】
一定の実施形態では、少なくとも１つの平面状の表面は、表面積を有し、表面積は、２００ｃｍ２〜１００ｃｍ２であるか、表面積は、１５０ｃｍ２〜８０ｃｍ２であるか、表面積は、１５０ｃｍ２〜１ｃｍ２であるか、表面積は、２００ｃｍ２〜１ｍｍ２であるか、表面積は、１２０ｃｍ２〜１ｍｍ２であるか、表面積は、８０ｃｍ２〜１ｍｍ２であるか、表面積は、５０ｃｍ２〜１ｍｍ２であるか、表面積は、２０ｃｍ２〜１ｍｍ２であるか、表面積は、１ｃｍ２〜１ｍｍ２であるか、表面積は、７５ｍｍ２〜１ｍｍ２であるか、表面積は、５０ｍｍ２〜１ｍｍ２であるか、表面積は、２５ｍｍ２〜１ｍｍ２であるか、または表面積は、１０ｍｍ２〜１ｍｍ２である。
【０３７２】
いくつかの実施形態では、非特異的吸着抵抗材料は、ポリエチレングリコール、双性イオン表面、カルボキシベタイン、ウシ血清アルブミン、またはこれらの組み合わせを含む。一定の実施形態では、捕捉分子は、抗体、ビオチン化抗体、ビオチン、ストレプトアビジン、アフィボディ、ナノボディ、ペプチド、核酸、アプタマー、またはこれらの組み合わせを含む。いくつかの実施形態では、捕捉分子は、連結部分を介してコーティングに付着される。
【０３７３】
一定の実施形態では、デバイスは、収容デバイスを受け入れるように装備された遠心分離機ロータをさらに含む。例えば、遠心分離機ロータは、収容デバイスを受け入れるように製造されることが可能であり、ロータは、遠心分離機に挿入されて、サンプルに遠心力を誘起する手段を提供し得る。
【０３７４】
特定の態様では、本開示は、本明細書で提供される方法または装置からの任意の態様をさらに含む、生物学的ナノ粒子を捕捉するためのデバイスを提供する。
【０３７５】
一定の実施形態において、デバイスは、少なくとも１つの探測処理用ソースを含む。他の実施形態では、デバイスは、捕捉された生物学的ナノ粒子の不在または存在を検出するように構成された少なくとも１つの検出器を含む。いくつかの実施形態では、デバイスは、少なくとも１つの探測処理用ソースと、捕捉された生物学的ナノ粒子の不在または存在を検出するように構成された少なくとも１つの検出器と、を含む。
【０３７６】
いくつかの実施形態では、探測処理用ソースは、電磁放射線源を含む。特有の実施形態では、探測処理用ソースは、固体レーザ、ダイオード励起レーザ、イオンレーザ、色素レーザ、発光ダイオード（ＬＥＤ）、ランプ、アーク放電、磁気パルス、および自然光からなる群から選択される。
【０３７７】
一定の実施形態では、検出器は、蛍光を検出する。いくつかの実施形態では、検出器は、ルミネセンス光を検出する。一定の実施形態では、検出器は、複数の異なる発光プロファイルを検出し得る。いくつかの実施形態では、検出器は、散乱光を検出し得る。一定の実施形態では、検出器は、単一ナノ粒子感度を有する。好ましい実施形態では、検出器は、単一分子感度を有する。
【０３７８】
本開示のいくつかの態様では、デバイスはまた、顕微鏡（例えば、蛍光顕微鏡法、共焦点顕微鏡、回転ディスク顕微鏡、多光子顕微鏡、平面照明顕微鏡、ベッセルビーム顕微鏡、微分干渉コントラスト顕微鏡、位相コントラスト顕微鏡、落射蛍光顕微鏡、ＴＩＲＦ（全反射蛍光）顕微鏡、透過型電子顕微鏡、原子間力顕微鏡、またはこれらの組み合わせ）などの撮像デバイスを含む。任意で、探測処理ソースは、撮像デバイスの構成要素であり、例えば、撮像のための照明を提供する。特定の態様では、撮像デバイスは、例えばコーティングによって捕捉されたときに、生物学的ナノ粒子の画像データを取得するために使用される。任意で、画像データは、生物学的ナノ粒子識別情報を割り当てるための基礎として使用される。いくつかの態様では、このプロセスは手動で行われ、例えば、ユーザは、画像データを見て指示を入力することにより、例えば生物学的ナノ粒子と会合した検出可能な薬剤、に基づく識別子を割り当てる。他の態様では、このプロセスは、自動的に行われ、例えば、デバイスは、コンピュータビジョンまたは画像解析アルゴリズムを使用することなどによって画像データを解析し、ユーザ入力を必要とせずに生物学的ナノ粒子にサイズ値を割り当てるための１つ以上のプロセッサを含む。代替の態様では、割り当ては、半自動化されており、例えば、いくつかのユーザ入力およびいくつかの自動処理を伴う。
【０３７９】
いくつかの態様では、本明細書に記載されるデバイスは、１つ以上のプロセッサと、実行可能な命令が記憶されたメモリデバイスと、を含むコンピュータを含む。いくつかの態様では、このコンピュータを使用して、本明細書に記載される方法を実行する。様々な態様では、上記に例示および記載されるデバイスまたは方法のうちのいずれかを実装するために、コンピュータが使用され得る。いくつかの態様では、コンピュータが、バスサブシステムを介していくつかの周辺サブシステムと通信するプロセッサを含む。これらの周辺サブシステムは、メモリサブシステムおよびファイルストレージサブシステムを含むストレージサブシステム、ユーザインターフェース入力デバイス、ユーザインターフェース出力デバイス、およびネットワークインターフェースサブシステムを含み得る。
【０３８０】
いくつかの態様では、バスサブシステムは、コンピュータの様々な構成要素およびサブシステムが意図したとおりに互いに通信できるようにするための機構を提供する。バスサブシステムは、単一のバスまたは多数のバスを含み得る。
【０３８１】
いくつかの態様では、ネットワークインターフェースサブシステムは、他のコンピュータおよびネットワークへのインターフェースを提供する。ネットワークインターフェースサブシステムは、コンピュータと他のシステムとの間でデータを送受信するためのインターフェースとして機能し得る。例えば、ネットワークインターフェースサブシステムにより、コンピュータをインターネットに接続し、かつインターネットを使用して通信を容易にすることが可能になり得る。
【０３８２】
いくつかの態様では、コンピュータは、キーボードと、マウス、トラックボール、タッチパッド、またはグラフィックタブレットなどのポインティングデバイスと、スキャナと、バーコードスキャナと、ディスプレイに組み込まれたタッチスクリーンと、音声認識システム、マイク、および他のタイプの入力デバイスなどのオーディオ入力デバイスと、などのユーザインターフェース入力デバイスを含む。一般に、「入力デバイス」という用語の使用は、コンピュータに情報を入力するためのすべての可能なタイプのデバイスおよび機構を含むことが意図されている。
【０３８３】
いくつかの態様では、コンピュータは、基本的なプログラミングおよびデータ構造を記憶するためのコンピュータ可読ストレージ媒体を提供するストレージサブシステムを含む。いくつかの態様では、ストレージサブシステムは、プロセッサによって実行されると、本明細書に記載される方法およびシステムの機能を提供するソフトウェア（プログラム、コードモジュール、命令）を記憶している。これらのソフトウェアモジュールまたは命令は、１つ以上のプロセッサによって実行され得る。ストレージサブシステムはまた、本開示に従って使用されるデータを記憶するためのリポジトリを提供し得る。ストレージサブシステムは、メモリサブシステムおよびファイル／ディスクストレージサブシステムを含み得る。
【０３８４】
ソフトウェアは、生物学的ナノ粒子を分析するために使用され得る。例えば、放出される検出可能な光強度の存在または不在に基づく識別、または生物学的ナノ粒子によって放出される光強度に基づく生物学的ナノ粒子のサイズ値の測定。
【０３８５】
いくつかの実施形態では、ソフトウェアは、特定のサイズ値を有する捕捉された生物学的ナノ粒子の数を定量化するために使用され得る。一定の実施形態では、ソフトウェアは、流体サンプルの濃度を判定するために使用され得る。特定の実施形態では、ソフトウェアは、流体サンプル中の特定の生物学的ナノ粒子の濃度を判定するために使用され得る。
【０３８６】
いくつかの実施形態において、ソフトウェアは、捕捉された生物学的ナノ粒子と会合したバイオマーカーの少なくとも１つのコピー数を判定するために使用され得る。いくつかの実施形態では、ソフトウェアは、捕捉された生物学的ナノ粒子と会合したバイオマーカーの存在、不在、および／または共局在を判定するために使用され得る。
【０３８７】
いくつかの態様では、コンピュータは、プログラム実行中に命令およびデータを記憶するための主ランダムアクセスメモリ（ＲＡＭ）と、固定命令が記憶される読み取り専用メモリ（ＲＯＭ）と、を含むいくつかのメモリを含み得るメモリサブシステムを含む。ファイルストレージサブシステムは、プログラムおよびデータファイル用の非一過性の永続的（不揮発性）ストレージを提供し、ハードディスクドライブ、ソリッドステートドライブ、コンパクトディスク読み取り専用メモリ（ＣＤ−ＲＯＭ）ドライブ、光学式ドライブ、リムーバブルメディアカートリッジ、および他の同様のストレージ媒体を含み得る。
【０３８８】
コンピュータは、パーソナルコンピュータ、ポータブルコンピュータ、タブレット、スマートフォン、ワークステーション、ネットワークコンピュータ、メインフレーム、キオスク、サーバ、または任意の他のデータ処理システムを含む様々なタイプのものであり得る。コンピュータおよびネットワークの絶えず変化する性質に起因して、本明細書に包含されるコンピュータの説明は、コンピュータの態様を例示する目的のための特定の例としてのみ意図されている。本明細書に記載されるシステムよりも多いまたは少ない構成要素を有する他の多くの構成が可能である。
【０３８９】
一定の実施形態では、デバイスは、複数の区画を含む収容デバイスを含む。いくつかの実施形態では、収容デバイスは、ウェルプレートである。一定の実施形態では、複数の区画は、ウェルを含む。いくつかの実施形態では、収容デバイスは、マイクロ流体チップである。一定の実施形態では、複数の区画は、マイクロ流体チップを含む。いくつかの実施形態では、収容デバイスは、ブロックであり、複数の区画は、複数の穴を含む。一定の実施形態では、収容デバイスは、蓋をさらに含む。いくつかの実施形態では、蓋は、蒸発を防止し得る。一定の実施形態では、蓋は、濾過デバイスを含み得る。いくつかの実施形態では、濾過デバイスは、不要な材料が平面状の表面およびコーティングと接触するのを防止し得る。
【０３９０】
特定の態様では、本開示は、生物学的ナノ粒子を捕捉するためのキットを提供し、キットは、（ａ）コーティングを有する少なくとも１つの平面状の表面であって、コーティングが、非特異的吸着抵抗材料と、複数の捕捉分子と、を含む、少なくとも１つの平面状の表面と、（ｂ）複数の区画を含む収容デバイスであって、遠心分離と適合性である、収容デバイスと、を含む。本明細書で使用される場合、「遠心分離と適合性で」という用語は、デバイスが、本明細書で開示される方法に必要な遠心力に耐えることができ、かつデバイスが、遠心分離用の開発プラットフォームと適合性であることを示す。
【０３９１】
収容デバイス、平面状の表面、コーティング、非特異的吸着抵抗材料、複数の捕捉分子、および複数の区画は、本明細書にさらに記載される。
【０３９２】
いくつかの態様では、本開示は、複数の生物学的ナノ粒子を含む流体サンプルをさらに含むキットを提供する。いくつかの実施形態では、複数の生物学的ナノ粒子は、細胞外小胞、オルガネラ、微小胞、細胞由来小胞、タンパク質凝集体、核酸凝集体、脂質凝集体、ウイルス、細菌、エキソソーム、またはこれらの組み合わせを含む。
【０３９３】
一定の実施形態では、キットは、説明書のセットをさらに含む。
いくつかの実施形態では、キットは、検出可能な薬剤をさらに含む。いくつかの実施形態では、キットは、複数の検出可能な薬剤を含む。検出可能な薬剤は、本明細書にさらに記載される。
【０３９４】
一定の実施形態では、キットは、較正のための標準をさらに含む。標準は、本明細書にさらに記載される。
【０３９５】
本開示の好ましい実施形態が本明細書に示され、および記載されているが、かかる実施形態が例としてのみ提供されていることは、当業者に明らかであろう。当業者は、本発明から逸脱することなく、多数の変形、変更、および置換を思い付くであろう。本明細書に記載される本開示の実施形態の様々な代替形態が、本開示を実施する際に用いられてもよいことを理解されたい。以下の特許請求の範囲が、本開示の範囲を定義し、これらの特許請求の範囲の範囲内の方法および構造ならびにそれらの均等物がそれにより含まれることが、意図されている。
【０３９６】
実施例
本開示の装置、デバイス、システム、およびそれらの構成要素のうちのいずれかの特定の寸法は、当業者に明らかであるように、本明細書における本開示を考慮して、意図される用途に応じて容易に変化し得る。さらに、本明細書に記載の実施例および態様が、例証目的のみのためであり、それを考慮して様々な修正または変更が当業者に提案されてもよく、本出願の趣旨および範囲内ならびに添付の特許請求の範囲の範囲内に含まれることが理解される。本明細書に記載の態様の多数の異なる組み合わせが可能であり、かかる組み合わせは本開示の一部とみなされる。加えて、本明細書におけるいずれか１つの態様に関連して考察されるすべての特徴は、本明細書における他の態様に使用するために容易に適合され得る。異なる態様における同様の特徴についての異なる用語または参照番号の使用は、明確に記載されるもの以外の相違点を必ずしも暗示しない。したがって、本開示は、添付の特許請求の範囲を参照することにより単独で説明されるよう意図されており、本明細書に開示される態様に限定されない。
【０３９７】
実施例１
光散乱による粒子サイズの判定
この実施例は、マイクロ流体デバイスにおいて観測された後方散乱の量を測定することによって、生物学的ナノ粒子のサイズを判定する方法について記載する。
【０３９８】
図１に示されるように、散乱光を検出するように構成された装置が、使用される。この装置は、光源、第１のレンズ（Ｌ１）、第２のレンズ（Ｌ２）、シリンドリカルレンズ（ＣＬ）、ダイクロイックミラー（ＤＭ）、対物レンズ（Ｏ）、ステージ（ＳＴ）、スリット（Ｓ１）、第３のレンズ（Ｌ３）、およびアバランシェフォトダイオード（ＡＰＤ）を含む。光源として、８５ｍＷのレーザビームが使用される。ビームは、レンズＬ１およびＬ２によって拡大される。その後、ビームは、シリンドリカルレンズを通過して光をラインに集束させ、その後、ダイクロイックミラーによって対物レンズの後側焦点面に伝送される。ビームが対物レンズを通過する際、ビームは１μｍ未満の小半径を有する細い楕円形の検出ビームに集束される。ビームは、マイクロ流体チャネル（ステージ）を通過する粒子に接触し、結果として散乱光の放出が生じる。後方散乱信号は、対物レンズおよびダイクロイックミラーを通過する。後方散乱信号は、次に、スリットおよび第３のレンズを通過し、第３のレンズは、信号をアバランシェフォトダイオード上に集束させる。後方散乱の量は、アバランシェフォトダイオードによって強度の読み取り値として観測され、粒子が検出ビームを通過するのに必要な時間、ならびに粒子のサイズに依存する。
【０３９９】
図２Ａ〜図２Ｃに示されるように、注入口、マイクロ流体チャネル、および排出口を含むマイクロ流体チャネルデバイスが、使用される。このデバイスは、流体力学的絞り込みを使用して、粒子の単一の流れの流動を誘起する。マイクロ流体チャネル内の流動は、実行ごとおよび経時的に、実質的に一定の速度を有するように制御される。既知の直径を有する５つのタイプの粒子を含む流体標準が、注入口に注入され、粒子は、個々に検出ビームを通過し、結果として光の散乱を生じる。実質的に一定の速度を有することによって、観測される後方散乱の量は、粒子のサイズに依存する。既知の直径の標準粒子に対応する明瞭なピーク高さクラスタを有するバーストトレースが、得られる。これは、観測された後方散乱の量が、粒子の直径に対応し、良好な信号対雑音比を有することを示す。
【０４００】
ヒストグラムは、長期間にわたってバーストを集計して生成される。５つのタイプの粒子を含む流体標準が注入口に注入され、結果として生じる後方散乱が、６０秒の期間にわたって観測される。結果として生じるバースト面積を衝突の数と比較するヒストグラムが、作成される。別個の粒子が、ヒストグラムで観測可能であり、各々がガウス曲線でフィッティングされる。バースト面積は、粒子サイズの関数としてプロットされ、結果として非線形方程式が形成される。この結果、粒子直径に対する後方散乱関係の数学関数が得られ、この方程式は、未知の直径を有する粒子の分析に使用される。
【０４０１】
粒子直径に対する後方散乱を判定する際のこの方程式の使用を確かなものとするために、既知の直径の粒子を含むサンプルが注入口に注入される。粒子が検出ビームを通過する際に、後方散乱が、定量化され、粒子直径が、上記に基づく式を使用して計算される。計算された粒子直径および衝突の数をグラフ化するヒストグラムが、作成される。ヒストグラムは、粒子の別個のサイズを表示し、これは、サンプル内の既知の粒子の直径と一致している。この結果は、粒子のサイズが、粒子が検出ビームを通過するときに生成する後方散乱の量に対応することを示す。
【０４０２】
実施例２
表面膜色素を用いる細胞外小胞サイズの判定
この実施例は、表面蛍光剤の放出光を測定することによって粒子のサイズを判定する方法について記載する（図３Ａ〜図３Ｅ）。
【０４０３】
細胞外小胞は、膜小胞であり、血液、尿、精液などの生体液が豊富であるため、臨床現場で注目されている。これらの膜小胞の存在は、バイオマーカーとして有用であり、臨床診断または治療標的の判定を補助する。伝統的に、慣用的なフローサイトメトリーは、光散乱で細胞のサイズを検出するために使用されたが、細胞外小胞からの散乱信号は、はるかに弱い。さらに、このプロセスは、ポリマービーズを使用してサイズ判定のための検量線を計算する必要があった。ポリマービーズとベシクルとは、実質的に異なる屈折率を有し、結果として得られる判定は、不正確であり得る。
【０４０４】
以前の方法の不正確さは現在、未知の小胞と実質的に同様の屈折率を有する細胞外小胞またはリポソームを標準として使用することによって、対処されている。加えて、ＦＭ４−６４（親油性色素）は、図３Ａに示されるように、既知の直径を有する細胞外小胞の外表面脂質膜を選択的に標識するために使用される。ＦＭ４−６４は、励起λｍａｘ＝５１５ｎｍ、発光λｍａｘ＝７３４ｎｍ、および脂質膜に付着された場合に水溶液中時の４０倍増加した量子収量、を伴う明信号を生成する。この強力な信号の生成は、検出における信号対雑音比を大きく向上させ、したがって、測定のスループット（すなわち、単位時間あたりに測定される細胞外小胞の数）を大幅に増加させる。
【０４０５】
図３Ｂに示されるように、親油性色素によって放出される信号は、細胞外小胞のサイズに対応する。脂質色素（Ｉ１）の強度は、直径Ｄを有する小胞の表面積に比例し、ここで、表面積＝π×Ｄ２である。放出されたシグナルの強度に基づいて細胞外小胞の直径を計算し得るように、補正係数（Ｃ１）が、使用される。次の式が、使用される。
【０４０６】
【数１】
2021521417.tif 000003
【０４０７】
３０ｎｍ〜１５０ｎｍのサイズ範囲のエキソソームを有する標準が、得られる。標準は、動的光散乱を伴うＭａｌｖｅｒｎ  Ｚｅｔａｓｉｚｅｒを使用して分析され、結果として得られる基準サイズ分布がグラフ化される（図３Ｃ）。標準のエキソソームは、ＦＭ  ４−６４色素で標識される。マイクロ流体チャネルデバイス（図２Ａ〜図２Ｃ）が、使用される。マイクロ流体チャネル内の流動は、実質的に一定である速度と、サンプルならびに標準を使用する測定に使用される同じ実質的に一定の速度と、を有するように制御される。染色されたエキソソームを含む標準液が、注入口に注入される。検出ビームの波長は、フルオロフォア励起を最大にするために５１５ｎｍに設定され、結果として生じる発光強度が測定される。発光強度を衝突の数と比較するヒストグラムが作成され、染色されたエキソソームの未補正強度分布が得られる（図３Ｄ）。ＦＭ  ４−６４ヒストグラムに、Ｚｅｔａｓｉｚｅｒ基準によって判定されたサイズ分布が重ね合わされ、補正係数Ｃ１が、計算される（図３Ｅ）。この実施例は、細胞外小胞のサイズが、表面膜蛍光色素の強度によって判定することができることを示す。
【０４０８】
実施例３
体積色素を用いる細胞外小胞サイズの判定
この実施例は、粒子に包含される蛍光剤の放出光を測定することによって粒子のサイズを判定する方法について記載する（図４Ａ〜図４Ｅ）。
【０４０９】
粒子の表面を標識することの代替形態は、粒子内の体積を標識することである。この技術は、未知の小胞と実質的に同様の屈折率を有する細胞外小胞またはリポソームを標準として使用する。図４Ａに示されるように、体積色素を使用して、既知の直径を有する細胞外小胞の内部体積を選択的に標識する。
【０４１０】
図４Ｂに示されるように、体積色素によって放出される信号は、細胞外小胞のサイズに対応する。体積色素（Ｉ２）の強度は、直径Ｄを有する小胞の体積に比例し、ここで、体積＝π×Ｄ３／６である。放出されたシグナルの強度に基づいて細胞外小胞の直径を計算し得るように、補正係数（Ｃ２）が、使用される。次の式が、使用される。
【０４１１】
【数２】
2021521417.tif 000004
【０４１２】
３０ｎｍ〜１５０ｎｍのサイズ範囲を有するエキソソームを有する標準が、得られる。標準は、動的光散乱を伴うＭａｌｖｅｒｎ  Ｚｅｔａｓｉｚｅｒを使用して分析され、結果として得られる基準サイズ分布がグラフ化される（図４Ｃ）。標準のエキソソームは、体積色素で標識される。マイクロ流体チャネルデバイス（図２Ａ〜図２Ｃ）が、使用される。マイクロ流体チャネル内の流動は、標準サンプルに使用されるのと実質的に同じ一定の速度を有するように制御される。染色されたエキソソームを含む標準液が、注入口に注入される。検出ビームの波長は、フルオロフォアの励起が最大になるように設定され、結果として生じる発光強度が測定される。発光強度を衝突の数と比較するヒストグラムが作成され、染色されたエキソソームの未補正強度分布が得られる（図４Ｄ）。体積色素ヒストグラムは、ゼータサイザー基準によって判定されたサイズ分布に重ね合わされ、補正係数Ｃ２が計算される（図４Ｅ）。この実施例は、細胞外小胞のサイズが、蛍光体積色素の強度によって判定され得ることを示す。
【０４１３】
実施例４
体積および表面色素を用いる細胞外小胞サイズの判定
この実施例は、粒子と会合した蛍光剤の放出光を測定することによって粒子のサイズを判定する方法について記載する。蛍光剤は、粒子に包含される体積色素と、粒子の外部に付着された表面色素と、を含む（図５Ａ〜図５Ｂ）。
【０４１４】
表面色素と体積色素との組み合わせにより、結果として、均一性を向上させる標識システムが得られる。この技術は、細胞外小胞またはリポソームを標準として使用し、それらは、他の細胞外小胞と比較するための標準として好適なものになる。細胞外小胞標準表面膜への付着のために親油性色素が選択され、標準小胞の内部を占める体積色素が選択される。図５Ａに示されるように、標準的な細胞外小胞は、既知の直径Ｄを有する。表面膜色素および体積色素は、実質的に重なり合わない発光帯域幅を有する。
【０４１５】
表面膜色素の強度（Ｉ１）は、放出された信号の強度に基づいて粒子の直径が計算されるような補正係数（Ｃ１）を有する直径Ｄを有する小胞の表面積に比例する。
【０４１６】
【数３】
2021521417.tif 000005
【０４１７】
補正係数Ｃ１は、上記の実施例２に記載される方法に従って、サンプル標準を使用して判定される。
【０４１８】
体積色素の強度（Ｉ２）は、放出された信号の強度に基づいて粒子の直径が計算されるような補正係数（Ｃ２）を有する直径Ｄを有する小胞の体積に比例する。
【０４１９】
【数４】
2021521417.tif 000006
【０４２０】
補正係数Ｃ２は、上記の実施例３に記載される方法に従って、サンプル標準を使用して判定される。
【０４２１】
粒子の表面積と体積との比率は、補正された蛍光強度を比較することによって計算される（図５Ｂ）。補正された表面積＝Ｉ１×Ｃ１２。補正された体積＝Ｉ２×Ｃ２３。粒子の体積に対する表面の比率は、次のとおりである。
【０４２２】
【数５】
2021521417.tif 000007
【０４２３】
未知の細胞外小胞のサイズは、体積色素の補正された強度と表面膜色素の補正された強度との比率によって判定される。未知の細胞外小胞は、表面膜色素および体積色素で標識される。マイクロ流体チャネルデバイス（図２Ａ〜図２Ｃ）が、使用される。マイクロ流体チャネル内の流動は、標準サンプルに使用されるのと実質的に同じ一定の速度を有するように制御される。体積色素および表面色素を含む小胞が、注入口に注入される。検出ビームの波長は、体積色素と表面色素との両方のフルオロフォア励起を最大にするように設定され、結果として生じる各々の発光強度が測定される。実質的に球形の小胞のサイズは、表面積および体積に次のように関連し、
【０４２４】
【数６】
2021521417.tif 000008
【０４２５】
体積および表面積の強度は、比率によって関連付けられ、
【０４２６】
【数７】
2021521417.tif 000009
【０４２７】
したがって、小胞の半径（ｒ）は、小胞の強度によって次のように計算される。
【０４２８】
【数８】
2021521417.tif 000010
【０４２９】
この実施例は、細胞外小胞のサイズが、蛍光表面膜色素と組み合わされた蛍光体積色素の補正強度によって判定され得ることを示す。この実施例は、表面膜色素から得られた信号の体積色素に対する比率（すなわち、表面対体積の比率）を分析することによって、非球状の細胞外デバイスの形状に関する情報も抽出され得ることをさらに示す。
【０４３０】
実施例５
デューティサイクルによる粒子サイズの判定
この実施例は、粒子が２つの励起ビームを通過するときに、粒子と会合した蛍光剤の放出光を測定することによって、粒子のサイズを判定する方法について記載する。
【０４３１】
蛍光剤の実質的に均一な分布を含む粒子は、その輸送経路によって測定される。粒子のサイズは、輸送経路によって判定され、異なる数の色素分子を有する実質的に同様のサイズの粒子は、この方法を使用して同じ測定を提供することになる。前の実施例のように、サイズの測定値は、発光強度測定値から直接計算されない。
【０４３２】
注入口、マイクロ流体チャネル、および排出口を含むマイクロ流体チャネルデバイスが、使用される。このデバイスは、流体力学的絞り込みを使用して、粒子の単一の流れの流動を誘起する。マイクロ流体チャネル内の流動は、実質的に一定の速度を有するように制御される。デバイスは、２つの検出ビームをさらに含み、ビームは、空間光変調器（ＳＬＭ）によって変調される。ＳＬＭは、図６に示されるように、規定された幅を有する光パターンにビームを成形し、半値全幅（ＦＷＨＭ）の幅は、１０ビンである。ＦＷＨＭでのビームの幅は、関心の最小粒子の幅以下である。２つのビーム間の距離は、関心の最大粒子の幅よりも大きい。
【０４３３】
流体サンプルが得られ、サンプルは、表面蛍光色素で均一にコーティングされた粒子を含む。粒子は、４００ｎｍ、３００ｎｍ、２００ｎｍ、８０ｎｍ、および４０ｎｍの直径を有する既知のサイズである。２つの検出ビームは、粒子蛍光色素の励起λｍａｘに対応する波長を有する。流体サンプルは、注入口に注入され、粒子は、２つの検出ビームを通して排出口に向けて流動する。
【０４３４】
粒子が第１の検出ビームを通過する際に、蛍光色素が励起され、その後の放出が検出される（図７）。粒子が第１の検出ビームに入る際に、最大強度に達するまで放出の強度が増加し、粒子が第１の検出ビームを出る際に、ベースラインと区別不能になるまで放出の強度が減少する。その後、粒子は、第２の検出ビームを通過し、同様のデータを提供する。
【０４３５】
デューティサイクル／オフサイクルは、放出の結果を使用して計算される。信号幅計算の閾値は、最大強度の半分として設定される。例えば、図８では、４００ｎｍの直径を有する粒子は、４００の最大強度を有するため、デューティサイクルの計算は、２００の強度を有するピークの幅を使用して実施される。第１の検出ビームと交差する際の４００ｎｍの粒子放出は、４０．５ビンの幅を有する。次に、粒子は「ゼロ長」に入り、いずれのビームによる励起もないため、放出は観測されない。４００ｎｍのゼロ長は、１９ビンとして測定される。その後、粒子は、第２の検出ビームを通過する。第２の検出ビームと交差する際の４００ｎｍの粒子の放出、４０．５ビンの幅を有する。デューティサイクル／オフサイクルの合計の長さは、強度が最初に閾値を超えるポイント（粒子が第１のビームに入る）から、強度が降下して最後の閾値を下回るポイント（粒子が第２のビームを出る）までである。デューティサイクルおよびオフサイクルは、合計の長さの一部として計算され、１の値の合計を有する。例えば、４００ｎｍの粒子のデューティサイクルは、１００ビンの合計長さに対して、その最大放出幅の半分を合わせて合計８１ビンであり、ゼロ長は１９ビンである。したがって、４００ｎｍ粒子のデューティサイクルは、０．８１であり、オフサイクルは、０．１９である。既知の直径を有する標準粒子についての計算されたデューティサイクルおよびオフサイクルを、表１に示す。
【０４３６】
【表１】
2021521417.tif 000011
【０４３７】
粒子が実質的に一定の速度で移動するように、流動が制御される。結果として、粒子放出が閾値を上回る時間の量は、放出が閾値を上回る図７のビンの数に比例する。同様に、粒子が「ゼロ長」領域にある時間の長さは、図７における粒子の「ゼロ長」領域のビンの数に比例する。これらの時間の測定値は、デューティサイクルの計算に使用される。デューティサイクルを粒子直径と比較するデータがグラフ化され、デューティサイクルを直径と相関させる方程式が計算される（図９）。蛍光剤の実質的に均一な分布を有する未知の直径の粒子が装置の注入口に注入され、結果として生じる放出のデューティサイクルが判定される。各粒子について観測された放出デューティサイクルを使用して、直径が計算される。
【０４３８】
上記の実施例では、各位置ビンは、５ｎｍであり、ビームのＦＷＨＭは、５０ｎｍであり、２つの励起線間の間隔は、６００ｎｍであり、球体の直径は、４０〜４００ｎｍの範囲をとる。デューティサイクルによってサイズを判定するこの方法は、異なる範囲を有する粒子に適用可能である。例えば、各位置ビンが、１００ｎｍの長さに設定されている場合、ビームのＦＷＨＭは、１０００ｎｍであり、２つの励起線間の間隔は、１２ミクロンであり、８００〜８０００ｎｍの直径を有する粒子が測定されることとなる。分離をさらに増大させることにより、直径が測定され得る粒子のサイズの上限が増大することとなる。デューティサイクルを判定する際には、検出の全長にわたる粒子の輸送中に、実質的に一定の流量が重要であるが、実際の速度は、最重要ではない。これは、粒子のサイズが、検出された蛍光放出に基づくデューティサイクルを使用して判定されることができることを示す。カバースリップ底部を有する平面状の幾何形状を有するマイクロ流体チップを使用することにより、レーザの焦点領域を成形するために高い開口数の対物レンズを使用することが、可能になる。
【０４３９】
実施例６
誘導放出抑制によって改変された単一ビームによるエキソソームサイズの判定
この実施例は、エキソソームが誘導放出抑制（ＳＴＥＤ）ビームによって改変された単一の励起ビームを通過する際に、エキソソームと会合した蛍光剤の放出光を測定することによって、エキソソームのサイズを判定する方法について記載する。
【０４４０】
エキソソームのサイズは、他の多くの関心の粒子よりも実質的に小さく、典型的な範囲は４０〜１００ｎｍである。エキソソームなどの小粒子の検出技術を強化した方法は、有益である。ＳＴＥＤ顕微鏡は、検出領域の解像度を向上させ、およそ３０ｎｍの焦点解像度を作成することができる。ＳＴＥＤ顕微鏡の使用により、回折限界に関する解像度の問題が克服される。
【０４４１】
ＳＴＥＤビームによって改変された単一のビームのプロファイル表現が、図１０に提供されている。励起ビームは、実施例５で詳述されるように生成される。この励起ビームは、励起ビームの波長（λＳＴＥＤ＞λ励起）よりも大きい波長を有する２つのＳＴＥＤビームと部分的に重なり合っている。励起ビーム領域内で吸収を受ける蛍光色素は、電子を励起状態Ｓ１に移行させるが、フルオロフォアがＳＴＥＤビーム内にある場合、電子は、誘導放出を受け、これにより、励起された電子は、Ｓ０のより高い振動状態に緩和するため、フルオロフォアの通常の発光波長を有する光子を放出しない。したがって、フルオロフォアは、ＳＴＥＤビーム内にあるときに選択的に非活性化される。この結果、励起ビームよりも実質的に細い実効励起が得られ、エキソソームの測定に有用である測定などの、より正確な測定が可能になる。
【０４４２】
実効励起領域を通過する粒子が測定され、粒子の輸送時間と局所速度とが既知である場合に、粒子の直径が計算される。この実施例は、粒子が代替の方法を使用して正確に測定されない場合でも、流動中の粒子のサイズを判定することができることを示す。
【０４４３】
実施例７
誘導放出抑制によって改変された２つのビームによるエキソソームサイズの判定
この実施例は、エキソソームが、誘導放出抑制（ＳＴＥＤ）ビームによって改変された２つの励起ビームを通過する際に、エキソソームと会合した蛍光剤の放出光を測定することによって、エキソソームのサイズを判定する方法について記載する。
【０４４４】
局所速度に依拠せずに流動の中の粒子のサイズを判定する方法の開発は、スクリーニングプロセスに有益である。ＳＴＥＤ顕微鏡法は、実施例６で上で考察されるように、検出領域の解像度を向上させることができ、ＳＴＥＤによって改変された２つの励起ビームの使用により、結果として、粒子の速度を知ることに依存しない粒子のサイズを判定する方法が得られる。
【０４４５】
ＳＴＥＤビームによって改変された２つのビームのプロファイル表現が、図１１に提供される。実施例５および６で詳述されるように、２つの励起ビームが生成される。これらの励起ビームは、励起ビームの波長よりも大きい波長（λＳＴＥＤ＞λ励起）を有する３つのＳＴＥＤビームと重なり合う。実施例６で上で考察されるように、フルオロフォアは、ＳＴＥＤビーム内にあるとき、選択的に非活性化される。この結果、励起ビームよりも実質的に細い実効励起ビームが得られ、エキソソームの測定に有用である測定などの、より正確な測定が可能になる。結果として得られる設定は、粒子がビームの細い実効励起領域に接触しており、かつ間に励起が生じていない場合にのみ、蛍光の放出を生成する。
【０４４６】
注入口、マイクロ流体チャネル、および排出口を含むマイクロ流体チャネルデバイスが得られる。このデバイスは、流体力学的絞り込みを使用して、粒子の単一の流れの流動を誘起する。マイクロ流体チャネル内の流動は、実質的に一定の速度を有するように制御される。デバイスは、２つの励起ビームをさらに含み、ビームは、２つの実効励起ビームを生成するためにＳＴＥＤビームによって変調される。実効励起ビームの幅は、関心の最小粒子の幅以下である。２つの実効励起ビーム間の距離は、関心の最大粒子の幅よりも大きい。
【０４４７】
流体サンプル標準が得られ、標準は、表面蛍光色素で均一にコーティングされたエキソソームを含む。エキソソームは、既知のサイズであり、３０ｎｍ、４０ｎｍ、５０ｎｍ、および７０ｎｍの直径を有する。２つの検出ビームは、表面蛍光色素の励起λｍａｘに対応する波長を有する。流体サンプル標準が、注入口に注入され、粒子は、２つの検出ビームを通して排出口に向けて流動する。
【０４４８】
エキソソームは、マイクロ流体チャネルを通して移動し、実効励起ビームを個々に通過する。励起ビームを通過するエキソソームとその間のゼロ長のスキームとを、図１２に示す。直径Ｄを有するエキソソームは、幅Ｗを有する第１の実効励起ビームと接触するまで蛍光（波長＝λｅｍ）を放出しない。エキソソームが第１の実効励起領域と接触している間、蛍光光子を放出する。その後、エキソソームは、第１の実効励起領域を出てゼロ長に入り、そこで蛍光は観測されず、ゼロ長はＳの幅を有する。次に、エキソソームは、幅Ｗを有する第２の実効励起ビームを通過し、エキソソームが第２の実効励起領域を完全に出るまで、再び蛍光光子を放出する。
【０４４９】
エキソソームの動きは、流体の速度Ｖによって支配される。球の中心が距離Ｄを移動する時間は、ＴＤ＝Ｄ／Ｖとして計算することができ、距離Ｗを移動する時間は、ＴＷ＝Ｗ／Ｖであり、距離Ｓを移動する時間は、ＴＳ＝Ｓ／Ｖである。エキソソームの先縁が第１の実効励起領域に最初に入るときから、エキソソームの後縁が第２の実効励起領域を出るまでの時間は、次のとおりである。
【０４５０】
【数９】
2021521417.tif 000012
【０４５１】
エキソソームが完全に暗領域内にあり、蛍光を放出しない時間の長さは、次のとおりである。
【０４５２】
【数１０】
2021521417.tif 000013
【０４５３】
蛍光がない時間を２つの実効励起領域間の総輸送時間で除した比率は、次のように計算できる。
【０４５４】
【数１１】
2021521417.tif 000014
【０４５５】
速度は、速度が各エキソソームに対して実質的に一定のままであるという仮定で方程式から約分されるが、各エキソソームが同じ速度を有することは必要でない。例えば、エキソソームは、輸送が最も速いマイクロ流体チャネルの中心に留まるか、またはエキソソームは、輸送がより遅いマイクロ流体チャネルの壁に沿って留まる。エキソソームは、実質的にチャネル内で横方向に移動しないものとする。
【０４５６】
既知の直径Ｄの標準が少なくとも２つあるため、実効励起ビーム領域の幅（Ｗ）とゼロ領域の幅（Ｓ）との実際の値が計算される。５０ｎｍのエキソソームまたはリポソームまたは他のナノ粒子を含む標準は、総検出領域を通る標準の輸送の７２．２％に対して蛍光を生成する（輸送の２７．８％に対して蛍光は観測されず、Ｒ＝０．２７８）。上記の比率方程式に代入すると、次の計算が得られ、
【０４５７】
【数１２】
2021521417.tif 000015
【０４５８】
実効ビーム幅Ｗを解くと、Ｗ＝１．３５×Ｓ−１１７．６ｎｍが与えられる。
３０ｎｍのエキソソームまたはリポソームまたは他のナノ粒子を含む第２の標準は、総検出領域（Ｒ＝０．４００）を通る第２の標準の輸送の６０．０％を通じて蛍光を生成する。上記の方程式に代入してＷを解くと、Ｗ＝０．７５×Ｓ−５２．５ｎｍが与えられる。これらの方程式を組み合わせると、ＷおよびＳの値が解かれ、Ｓ＝１０９ｎｍおよびＷ＝３０ｎｍとなる。
【０４５９】
上記のＳおよびＷの実際の値を解くと、未知のサイズのエキソソームを含むサンプルがマイクロ流体チャネル注入口に注入され、エキソソームの直径が、エキソソームが暗領域内にある時間（Ｔｄａｒｋ）対総輸送時間（Ｔｔｏｔａｌ）の比率に基づいて判定される。この実施例は、細い実効励起ビームを使用してエキソソームの直径を判定し得ることと、エキソソームの直径が、ＳＴＥＤによって改変された２つの励起ビームで容易に計算され得ることを示す。
【０４６０】
実施例８
エキソソームのサイズの判定およびエキソソームの選別
この実施例は、流動における光散乱を使用してエキソソームのサイズを判定する方法と、判定されたサイズとエキソソーム上に存在する検出可能な薬剤とによるその後のエキソソームの選別について記載する。
【０４６１】
流動中のエキソソームのサイズを判定するために開発された方法は、サイズによるエキソソームの選別に適用される。装置が使用され、この装置は、注入口と２つの流動絞り込みチャネルとを有するマイクロ流体チャネルを含み、マイクロ流体チャネルは、接合部に接続され、接合部は、２つの流体流動制御チャネルと、各々が排出口を有する２つの収集チャネルと、にさらに接続され、すべてが流体連通している（図１３）。この装置は、圧力と電気浸透流（ＥＯＦ）との両方を使用して流動を制御する。指向性流動は、電圧パルスを印加してＥＯＦを制御することによって、流体流動制御チャネルを使用して制御され、ＥＯＦは、流動を２つの収集チャネルのうちの一方に方向付ける。図１１に示されるように、装置は、２つの検出領域をさらに含む。１つの検出領域は注入口と接合部との間に位置し、１つの検出領域は、接合部と排出口との間に位置する。各検出領域は、観測可能な出力を発生するための光検出器に接続される。加えて、装置は、選別アルゴリズムを有する電子回路に接続されており、これにより、コンピュータを使用して観測されるよりも速い選別時間が可能になる。第１の検出器の出力に接続され、かつ２つの流体流動制御チャネルにさらに取り付けられた電子回路を使用して、１〜２μｓの立ち上がり時間を有する最大１ｋＶのパルスが実現される。
【０４６２】
検出領域は、実施例２で提供されるように、蛍光色素の実質的に均一な表面コーティングを有する既知の直径のエキソソームを使用して較正される。電子回路アルゴリズムは、指向性流動がデフォルトで第１の収集チャネルに向けて方向付けられるように調整されるが、蛍光色素コーティングおよび関心の直径を有するエキソソームが検出されると、流動は、短時間で第２の収集チャネルに向けて方向付けられ、次に第１の収集チャネルに向けて再度方向付けられる。第２の検出領域は、第２の収集チャネルに接続され、関心の直径を有するエキソソームが適切に選別されるかどうかを判定する。
【０４６３】
電子回路アルゴリズムは、４０〜６０ｎｍの直径を有するエキソソームを選択的に収集するように調整される。未知のサイズのエキソソームを含むサンプルが注入口に注入され、選別が実施される。１００μｓの選別パルス時間が使用され、流速は、毎秒１０，０００回の選別が実施されるようなものである。これらのパラメータを使用すると、４０〜６０ｎｍの直径を有するエキソソームの９０％が第２のチャネルに回収され、９５％の純度を有する。この例は、電気浸透流を使用してエキソソームを選別し得ることと、本明細書に記載されるエキソソームのサイズおよびバイオマーカー検出方法を使用してこの選別を実施して、関心のエキソソームを最初に検出し、かつ選別を確かなものにし得ることを示す。
【０４６４】
実施例９
個々のナノ粒子上の生体分子のコピー数の判定
この実施例は、Ａｕナノ粒子を内部標準として使用して、個々のナノ粒子上のバイオマーカーのコピー数を判定する方法について記載する。金ナノ粒子が使用されるのは、ｉ）金ナノ粒子が異なるサイズで容易に入手可能で、検出チャネルでの所望のスパイク強度のカスタマイズおよびマッチングを可能にする、ｉｉ）後方反射信号により、任意のレーザ励起波長、したがって任意のカラーチャネルで金ナノ粒子の使用が可能になる、ｉｉｉ）金ナノ粒子は、サイズが均一であり、強い散乱を示し、これにより、検出される強度分布が最小限に抑えられ、較正が容易になり、定量化精度が向上する、ｉｖ）金ナノ粒子の表面は、自己凝集したり、チャネル表面に非特異的に付着したりしないように、ＰＥＧなどで容易に改質される、ｖ）金ナノ粒子は、堅牢であり、長期間（数か月）の保管中でも劣化または凝集せず、およびｖｉ）金ナノ粒子は、他のナノ粒子と比較して安価である、からである。
【０４６５】
装置が使用され、この装置は、単一色素分子感度と較正のための内部標準としてのＡｕナノ粒子の使用とを可能にするために、高開口数対物レンズに近接したマイクロ流体チップを含む。図１７Ａは、単一色素分子からの蛍光と単一Ａｕナノ粒子の後方散乱との高感度および高スループットの検出のためのライン共焦点検出システムを用いた単一分子流動プラットフォームを例示している。マイクロ流体チャネルは、２μｍ幅および７５μｍ長の狭窄部を有するように製造された。サンプルの注入および流動のために、およそ１〜２ｍｍの直径を有する２つの穴が穿孔され、穴１は、およそ５μＬのサンプルをロードするために使用され、穴２は、廃棄物排出口として空のままとされた。サンプルをロードする前に、チャネルは、最初にバッファで満たされ、その後に両方のリザーバ内の残留溶液が取り出されおよそ約５μＬのサンプル溶液をピペッティングすると、２つのリザーバ間の液面の高さの差（およそ５〜１０ｍｍ）のために、外部ポンプなしで流動が容易に開始され、これにより操作が簡単になった。照明レーザラインの長さは、６３３ｎｍレーザについて２０μｍ付近であった（図１７Ａ）。６３３ｎｍのレーザラインは、チャネルの幅全体でレーザ照明が均一になるように、チャネルの幅の１０倍超の長さとなるように作製され、これは、分子が異なる横方向位置でチャネルを通過する際に、検出感度の変動を最小限に抑えるために、単一分子のカウントにとって重要であった。４０５ｎｍレーザは、より短く（〜５μｍ）製造された。２つの照明レーザラインは、同一直線上にあり、狭窄部チャネルの６μｍ付近に位置決めされたが、レーザラインは、空間的に約５μｍ離隔するように位置決めされた他の実験も実行された。
【０４６６】
６３３ｎｍおよび４０５ｎｍレーザによって励起された蛍光を検出するために使用される２つのＡＰＤ検出器に加えて、生体ナノ粒子からの検出された光強度を較正するための内部標準として使用されるＡｕナノ粒子からの後方散乱光を検出するために、第３のＡＰＤが使用される。図１７Ｂは、単一色素分子（ビオチン分子に付着されたＡｌｅｘａ６４７）の検出感度を示し、上部のトレースは、バッファのみであり、下部のトレースは、３つのビオチン−Ａｌｅｘａ６４７分子の検出を示す。
【０４６７】
さらに、上記および図１７Ａ〜図１７Ｂに記載されるマイクロ流体チップおよび装置を使用して、個々のナノ粒子と会合した生体分子の数をカウントした（図１８）。この実施例は、個々のナノ粒子のバイオマーカーのコピー数を正確にカウントし、かつ単一のナノ粒子のレベルでのバイオマーカーのコピー数の差またはばらつきを調べる能力を示す。この実施例はまた、内部標準の既知の調製濃度に対して個々の生体ナノ粒子のハイスループットカウントを実行することによって、すなわち、生体ナノ粒子のスパイク頻度を既知の調製濃度の金ナノ粒子のスパイク頻度と比較することによってサンプルの濃度を正確に測定する機能を示す。生体ナノ粒子に存在するバイオマーカーの同一性に加えて、各生体ナノ粒子に存在する各バイオマーカーのコピー数に関する情報は、ナノ粒子の機能、同一性、および／または生物学的状態に関する重要な情報を提供する。
【０４６８】
実施例１０
コーティングされた平面状の表面での生体ナノ粒子の捕捉
この実施例は、遠心分離を使用して、コーティングされた平面状の表面上に生物学的ナノ粒子を捕捉する方法について記載する（図１４）。
【０４６９】
平面状のガラスカバースリップは、非特異的な吸着耐性コーティングおよび捕捉分子で改質された。非特異的吸着耐性コーティングは、ＰＥＧを含み、捕捉分子は、ビオチン化抗体に結合し得るストレプトアビジンを含んでいた。改質されたガラスカバースリップは、高開口数（１．４の開口数）の蛍光撮像と適合性である厚さを有していた。改質されたガラスカバースリップは、ガラスカバースリップとの組み立ての前に、１ｃｍサイズの穴が穿孔されたＰＤＭＳブロックに取り付けられた（図１４、工程１）。ガラスカバースリップとＰＤＭＳブロックとを組み立てた後、エポキシ接着剤が塗布され、組み立てられたデバイスを５分間一体に保持して、遠心力に耐えることができる強力な取り付けを確保し（図１４、工程２）、カバースリップウェルアセンブリを形成した。
【０４７０】
別途、１）エキソソームを捕捉するためのビオチン化抗ヒトＣＤ６３（５μｇ／ｍｌ）、および２）陰性対照として使用するためのビオチン化抗マウスＩｇＧ（２ＡＢ）（５μｇ／ｍｌ）、という２つの抗体溶液が調製された。改質されたカバースリップのウェルは、２つの抗体溶液のうちの一方と１０分間インキュベートされ、それにより、ビオチン化抗体は、ストレプトアビジンに結合した（図１４、工程３）。ウェルの半分は、溶液１とインキュベートされ、ウェルの残りの半分は、溶液２とインキュベートされた。１０分間のインキュベーションに続いて、ウェルが、バッファ溶液で洗浄された。
【０４７１】
精液エキソソームを含むサンプルが、処理されたストレプトアビジン−抗体−ＰＥＧによりコーティングされたカバースリップウェルの各々の中に添加され、改質されたカバースリップアセンブリが、スピン回転する平面デバイスまたは基板と適合性であるプレート遠心分離機上にロードされた（図１４、工程４）。潜在的な蒸発を防止するために、ＰＤＭＳブロック中のウェルの開口部は、テープで閉じられた。他の実験では、蒸発を防止するためにサンプルの上部に鉱油（水より密度が低い）が添加された。次に、改質されたカバースリップアセンブリが、プレート遠心分離機内にロードされ（図１４、工程５）、２０００ｇで１０分間スピン回転された。未結合のエキソソームを除去するために、ウェルが、バッファ溶液で洗浄された。
【０４７２】
遠心分離されていない陰性対照として作用するように、第２の別個のカバースリップウェルアセンブリが、上記のように調製された。第２の改質されたカバースリップのウェルが、ビオチン化抗ヒトＣＤ６３（５μｇ／ｍｌ）溶液と１０分間インキュベートされた。インキュベーションに続いて、ウェルが、バッファ溶液で洗浄された。精液エキソソームを含むサンプルがウェルに加えられ、ウェルが、テープで閉じられ、１０分間静置させた。次に、未結合のエキソソームを除去するために、ウェルが、バッファ溶液で洗浄された。
【０４７３】
捕捉されたエキソソームを調べるために、捕捉されたエキソソームを含む改質されたカバーガラスが、撮像のために蛍光顕微鏡に移された（図１４、工程６）。改質されたカバースリップに結合したエキソソームが、分析された（図１５Ａ〜図１５Ｂ）。結合したエキソソームを検出するために、および捕捉されたエキソソームのサイズを判定するために、４μＭ ＦＭ  １−４３脂質色素（最大励起波長は〜４８０ｎｍ、最大発光波長は〜５７０ｎｍ）が、改質されたカバースリップに添加され、５分間インキュベートされた。エキソソームに特異的な結合を有する追加の蛍光抗体も、添加され得る。捕捉されたエキソソームの画像は、蛍光顕微鏡法（４８８ｎｍのレーザ励起および５１０〜５５０ｎｍの発光）を使用して撮影された（図１５Ａ）。標識されたエキソソームの数が、カウントされ、集約された（図１５Ｂ）。遠心分離された陰性対照（すなわち、エキソソームに選択的に結合することはできないが、遠心分離されたビオチン化抗マウスＩｇＧ（２ＡＢ））は、遠心分離されたビオチン化抗ヒトＣＤ６３を含むサンプルと比較した場合に、少量の信号しか示さなかった。同様に、遠心分離されていない陰性対照（すなわち、遠心分離されなかったビオチン化抗ヒトＣＤ６３）は、遠心分離されたビオチン化抗ヒトＣＤ６３を含むサンプルと比較した場合に、少量の信号しか示さなかった。特異的な捕捉抗体（ＣＤ６３に対するストレプトアビジン抗体）を遠心分離と併用すると、結果としてエキソソームの捕捉が増加する。
【０４７４】
実施例１１
個々の小胞上の異なるタンパク質バイオマーカーの共局在の判定
この実施例は、異なるレーザ励起を使用して個々の小胞上の異なるバイオマーカーの共局在を判定し、および異なる蛍光プローブでタグ付けされた異なる抗体で標識された単一の小胞からの異なる色放出を検出する方法について記載する。
【０４７５】
装置が使用され、この装置は、単一分子感度を可能にするために、高開口数の対物レンズに近接したマイクロ流体チップを含む。この装置は、４つの異なるレーザ励起と、異なる色チャネルに対する各々が特定のレーザ励起に対応する、２１個の異なるＡＰＤ（アバランシェフォトダイオード）検出器と、を有していた。図１９は、器具の光学レイアウトの概略図を示す。
【０４７６】
マイクロ流体チャネルは、他箇所では５０μｍ幅および５０μｍ高であるチャネルにおいて（すなわち、マイクロチャネルは、５０μｍの高さおよび５０μｍの幅を有していた）２μｍ幅、２μｍ高、および７５μｍ長の狭窄部を有するように製造された。サンプルの注入および流動のために、およそ１〜２ｍｍの直径を有する２つの穴が穿孔され、穴１は、およそ５μＬのサンプルをロードするために使用され、穴２は、廃棄物排出口として空のままとされた。サンプルをロードする前に、チャネルは最初にバッファで満たされ、その後に両方のリザーバ内の残留溶液が取り出された。およそ５μＬのサンプル溶液をピペッティングすると、２つのリザーバ間の液面の高さの差（およそ５〜１０ｍｍ）のため、外部ポンプなしで流動が容易に開始された。
【０４７７】
小胞サンプルが、小胞上の２つの異なるタンパク質に対する２つの異なる色の抗体と共にインキュベートされた。インキュベーション後、小胞サンプルが、１０，０００倍に希釈され、次に、マイクロ流体チャネル内に導入された。希釈されたサンプルは、マイクロ流体チャネルに導入された。図２０Ａは、小胞タンパク質ＶＧＬＵＴ１に対するＡｌｅｘａ５６１タグ付き抗体からの検出信号時間トレースを示し、５６１ｎｍのレーザ励起を使用して、Ａｌｅｘａ５６１タグを励起した。図２０Ｂは、小胞タンパク質ＶＡＴＰａｓｅに対するＡｌｅｘａ６４７タグ付き抗体からの検出信号時間トレースを示し、６４０ｎｍのレーザ励起を使用して、Ａｌｅｘａ６４７タグを励起した。これら２つのレーザ励起ラインは、空間的に互いにおよそ５μｍだけオフセットされた。
【０４７８】
図２０Ｃは、図２０Ａおよび図２０Ｂに示される２つの色チャネルからの信号の共局在分析（相互相関プロット）を示す。相互相関分析が実行され、相互相関プロットが、次の相互相関関数に基づいて作成された。
【０４７９】
【数１３】
2021521417.tif 000016
【０４８０】
したがって、この相互相関分析は、２つの時系列をシフトして、異なる遅延時間またはシフト時間τで２つの時系列間のオーバーラップを見い出す。
【０４８１】
両方の色チャネルで信号（光子スパイク）を放出する単一の小胞は、小胞上の両方の色抗体の存在、したがって、同じ小胞上の両方のタンパク質バイオマーカーの存在を報告する。個々の小胞上の異なるバイオマーカーの共局在を判定することにより、小胞の異なる亜集団の判定と、小胞の亜分類と、が可能になる。
【０４８２】
実施例１２
個々の小胞上の異なるタンパク質バイオマーカーと膜色素との共局在の判定
この実施例は、個々の小胞上の膜色素を伴う異なるバイオマーカーの共局在を判定する方法について記載する。この方法は、多数のレーザ励起を使用し、異なる蛍光プローブでタグ付けされた様々な抗体で標識され、および膜色素でも標識された単一の小胞からの異なる色の放出を検出することによる。
【０４８３】
単一分子感度を可能にするために、高開口数の対物レンズに近接したマイクロ流体チップを含む装置が、使用された。図１９はこの装置を示し、装置は、４つの異なるレーザ励起と、異なる色チャネルに対する各々が特定のレーザ励起に対応する、２１個の異なるＡＰＤ（アバランシェフォトダイオード）検出器と、を有していた。マイクロ流体チャネルは、他箇所では５０μｍ幅および５０μｍ高であるチャネルにおいて（すなわち、マイクロチャネルは、５０μｍの高さおよび５０μｍの幅を有していた）２μｍ幅、２μｍ高、および７５μｍ長の狭窄部を有するように製造された。サンプルの注入および流動のために、およそ１〜２ｍｍの直径を有する２つの穴が穿孔され、穴１は、およそ５μＬのサンプルをロードするために使用され、穴２は、廃棄物排出口として空のままとされた。サンプルをロードする前に、チャネルは最初にバッファで満たされ、その後に両方のリザーバ内の残留溶液が取り出された。およそ５μＬのサンプル溶液をピペッティングすると、２つのリザーバ間の液面の高さの差（およそ５〜１０ｍｍ）のため、外部ポンプなしで流動が容易に開始された。
【０４８４】
精液エキソソーム小胞サンプルが、最初に抗体とインキュベートされた。インキュベーション後、遊離抗体が除去され、小胞サンプルが１，０００倍に希釈され、次に、０．５μＭのＡＮＥＰＰＳ（４−［２−［６−（ジオクチルアミノ）−２−ナフタレニル］エテニル］−１−（３−スルホプロピル）−ピリジニウム）膜色素で標識された。膜色素との２時間のインキュベーションの後、サンプルが、マイクロ流体チャネル内に導入された。
【０４８５】
希釈されたサンプルは、マイクロ流体チャネルに導入された。図２１Ａは、ＡＮＥＰＰＳ標識されたエキソソームからの検出信号時間トレースを示し、４８８ｎｍのレーザ励起を使用して、ＡＮＥＰＰＳラベルを励起した。図２１Ｂは、エキソソームタンパク質ＣＤ６３に対するＡｌｅｘａ６４７タグ付き抗体からの検出信号時間トレースを示し、６４０ｎｍのレーザ励起を使用して、Ａｌｅｘａ６４７タグを励起した。これら２つのレーザ励起ラインは、空間的に互いにおよそ１５μｍだけオフセットされた。
【０４８６】
図２１Ｃは、図２１Ａおよび図２１Ｂに示される２つの色チャネルからの信号の共局在分析（相互相関プロット）を示す。共局在のこの相互相関分析は、同じ小胞上の膜色素ＡＮＥＰＰＳと抗ＣＤ６３蛍光抗体との共局在を示す。図２０Ｄは、小胞（膜色素と共局在している）からの、およびサンプルから完全には除去されていない遊離抗体からの検出された抗体シグナルの画分を示し、共局在率は、２３％であると計算された。小胞からの抗体シグナルを遊離抗体からの単一抗体シグナルによりデコンボリューションすることによって、単一小胞上の結合抗体のコピー数を得ることができた。
【０４８７】
両方の色チャネルで信号（光子スパイク）を放出する単一の小胞は、検出された抗体シグナルが小胞含有膜からのものであることを確認した。膜色素を伴う個々の小胞上の異なるバイオマーカーの共局在を判定することにより、小胞のサイズを有する異なるセットのバイオマーカーの存在の相関も可能になり、したがって小胞の異なる亜集団の判定と、小胞の亜分類と、が可能になる。膜色素の蛍光強度によって報告されるような小胞のサイズと共に、単一の小胞に結合した抗体からの蛍光強度を定量化することにより、小胞サイズの関数としての小胞バイオマーカー（例えば、ＣＤ６３などの、小胞上の表面タンパク質）のコピー数の判定も可能になる。
【０４８８】
実施例１３
個々の小胞上の異なるタンパク質バイオマーカーおよび体積色素の共局在の判定
この実施例は、異なるレーザ励起を使用し、かつ異なる蛍光プローブならびに体積色素でタグ付けされた異なる抗体で標識された単一の小胞からの異なる色の放出を検出することによって、体積色素を伴う異なるバイオマーカーの共局在を判定する方法について記載する。
【０４８９】
単一分子感度を可能にするために、高開口数の対物レンズに近接したマイクロ流体チップを含む装置が、使用された。図１９は、４つの異なるレーザ励起と２１個の異なるＡＰＤ（アバランシェフォトダイオード）検出器とを有する、使用された装置の概略図を描示する。マイクロ流体チャネルは、２μｍ幅、２μｍ高、および７５μｍ長の狭窄部を有するように製造された。サンプルの注入および流動のために、およそ１〜２ｍｍの直径を有する２つの穴が穿孔され、穴１は、およそ５μＬのサンプルをロードするために使用され、穴２は、廃棄物排出口として空のままとされた。サンプルをロードする前に、チャネルは最初にバッファで満たされ、その後に両方のリザーバ内の残留溶液が取り出された。およそ５μＬのサンプル溶液をピペッティングすると、２つのリザーバ間の液面の高さの差（およそ５〜１０ｍｍ）のため、外部ポンプなしで流動が容易に開始された。
【０４９０】
小胞サンプルが、最初に抗体と共にインキュベートされた。インキュベーション後、小胞サンプルは、５０μＭのオレゴングリーンジアセテートで、ｐＨ５のグリシン／クエン酸バッファ中で４０分間標識された。ジアセテート基が加水分解される前は、オレゴングリーンは蛍光性でなかった。色素の加水分解を開始するために、サンプルは、ｐＨ＝７．４のグリシン／ＨＥＰＥＳバッファ内に移された。１０分以内に、色素は、小胞内で蛍光性になった。次に、Ａｍｉｃｏｎ−１００Ｋフィルタを使用して、小胞サンプルを濾過して溶液中の遊離色素を除去した。最初に、アミコンフィルタが、５０００ｒｐｍ、１５分間の遠心分離を使用して、ｐＨ７．４の１％ＢＳＡでＨＥＰＥＳ系生理食塩水で不動態化された。ＢＳＡは、フィルタ表面への小胞の非特異的結合を阻止した。
【０４９１】
サンプル精製後、適切に希釈された小胞サンプルが、マイクロ流体チャネル内に導入された。図２２Ａは、オレゴングリーン体積色素からの検出信号時間トレースを示し、４８８ｎｍのレーザ励起を使用して、オレゴングリーン色素を励起した。図２２Ｂは、Ａｌｅｘａ６４７タグ付き抗体からの検出信号時間トレースを示し、６４０ｎｍのレーザ励起を使用して、Ａｌｅｘａ６４７タグを励起した。これら２つのレーザ励起ラインは、空間的に互いにおよそ１５μｍだけオフセットされた。
【０４９２】
図２２Ｃは、図２２Ａおよび図２２Ｂに示される２つの色チャネルからの信号の共局在分析（相互相関プロット）を示す。共局在の割合は、６８％であると分析および計算された。体積色素を伴う個々の小胞上の異なるバイオマーカーの共局在を判定することにより、バイオマーカーの異なるセットの存在と、小胞の損傷していない膜結合ボリュームの存在および／またはサイズに関して報告する体積色素と、の相関が可能になり、したがって小胞の異なる亜集団と小胞の亜分類との判定が可能になる。小胞色素の蛍光強度によって報告されるような小胞の体積と共に、単一の小胞に結合した抗体からの蛍光強度を定量化することにより、小胞の損傷していないボリュームの関数としての小胞バイオマーカー（例えば、ＣＤ６３またはＳＶ２Ａなどの、小胞上の表面タンパク質）のコピー数の判定も可能になる。
【０４９３】
実施例１４
金ナノ粒子からの後方散乱光を使用することを含む、小胞タンパク質のコピー数の判定および共局在分析
この実施例は、内部標準として使用される金ナノ粒子からの後方散乱光を使用して、個々の小胞からの測定された蛍光強度を較正する方法について記載する。
【０４９４】
単一分子感度を可能にするために、高開口数の対物レンズに近接したマイクロ流体チップを含む装置が、使用された。図１９は、４つの異なるレーザ励起と２１個の異なるＡＰＤ（アバランシェフォトダイオード）検出器とを有していた装置の概略図を描示する。マイクロ流体チャネルが、２μｍ幅、２μｍ高、および７５μｍ長の狭窄部を有するように製造された。サンプルの注入および流動のために、およそ１〜２ｍｍの直径を有する２つの穴が穿孔され、穴１は、およそ５μＬのサンプルをロードするために使用され、穴２は、廃棄物排出口として空のままとされた。サンプルをロードする前に、チャネルは最初にバッファで満たされ、その後に両方のリザーバ内の残留溶液が取り出された。およそ５μＬのサンプル溶液をピペッティングすると、２つのリザーバ間の液面の高さの差（およそ５〜１０ｍｍ）のため、外部ポンプなしで流動が容易に開始された。
【０４９５】
精液のエキソソームサンプルが、最初にＡＮＥＰＰＳ（４−［２−［６−（ジオクチルアミノ）−２−ナフタレニル］エテニル］−１−（３−スルホプロピル）−ピリジニウム）膜色素とインキュベートされて、各エキソソームの膜をマークした後、およそ１０８粒子／ｍＬの濃度のどの金ナノ粒子が精液のエキソソームサンプルに導入された。
【０４９６】
金ナノ粒子を含む精液エキソソーム小胞サンプルは、マイクロ流体チャネルに導入された。図２３Ａは、膜色素ＡＮＥＰＰＳからの検出信号時間トレースを示し、４８８ｎｍでのレーザ励起を使用して、ＡＮＥＰＰＳ膜色素を励起した。図２３Ｂは、金ナノ粒子からの後方散乱光からの検出信号時間トレースを示し、４つの異なるレーザ（４０５ｎｍ、４８８ｎｍ、５６１ｎｍ、または６４０ｎｍ）のいずれかでのレーザ励起を使用することができた。図２３Ｂは、６４０ｎｍ波長レーザを使用した、金ナノ粒子の後方散乱光からの検出信号時間トレースを描示する。
【０４９７】
図２３Ｃおよび図２３Ｄは、それぞれＡＮＥＰＰＳ標識されたエキソソーム（図２３Ｃ）および金ナノ粒子（図２３Ｄ）についての、検出された信号強度分布の例を示す。図２３Ｃは、膜色素標識小胞からの例示的な信号強度ヒストグラム（ｎ＝６３６イベント）を描示する。図２３Ｄは、同時に同じ実験で膜色素で標識されたエキソソームと共に測定された金ナノ粒子（ｎ＝５３８イベント）からの信号強度ヒストグラムの例を示す。内部強度標準として金ナノ粒子からの後方散乱光の検出および使用は、実行ごとまたはチップごとの測定変動を補正するように機能した。金ナノ粒子は、小胞サンプルと金ナノ粒子の既知の濃度との間のスパイク（検出された光子バースト）頻度を比較することによって、濃度標準としても機能することができ、サンプル中の小胞の濃度が判定され得る。
【０４９８】
実施例１５
平面状の表面上の捕捉された小胞中の膜色素を伴うバイオマーカーの共局在およびコピー数の判定
この実施例は、平面状の表面上に捕捉された小胞上のバイオマーカーおよび膜色素の共局在の定量化および判定について記載する。
【０４９９】
精液のエキソソームサンプルが、最初に抗体（ＣＤ６３に対する０．２μｇのＡｌｅｘａ６４７タグ付き抗体）で３０分間インキュベートされ、その後に、エキソソームサンプルは、０．１μＭのＡＮＥＰＰＳ膜色素とさらに１時間インキュベートされた。
【０５００】
精液のエキソソームサンプルは、改質されたカバースリップアセンブリのカバースリップウェルに添加され（図１４）、改質されたカバースリップアセンブリは、スピン回転する平面デバイスまたは基板と適合性であるプレート遠心分離機上にロードされた（図１４、工程４）。改質されたカバースリップアセンブリは、次に、プレート遠心分離機内にロードされ（図１４、工程５）、２０００ｇで１０分間スピン回転され、こうして、標識された精液エキソソームを平面状の表面上に捕捉した。未結合のエキソソームを除去するために、ウェルが、バッファ溶液で洗浄された。
【０５０１】
プレート表面は、蛍光撮像を使用して分析された。図２４Ａは、４８８ｎｍの光励起を使用してＡＮＥＰＰＳ膜色素を励起することによって可視化された、平面状の表面上の捕捉されたエキソソームの蛍光画像を示す。図２４Ｂは、ＡＮＥＰＰＳ膜色素からの３つの異なる測定強度によって報告されるように、３つの異なるサイズのエキソソームを示す挿入図を提供する（（１）での最大強度は大きな小胞であり、（２）での中程度の強度は中サイズの小胞であり、および（３）での小さな検出強度は小さな小胞である）。図２４Ｃは、（６４０ｎｍの光励起を使用して）Ａｌｅｘａ６４７タグを励起することによって可視化された、捕捉されたエキソソームの蛍光画像を示し、ＡＮＥＰＰＳによって報告されたような膜含有小胞のうちのいくつかが、Ａｌｅｘａ６４７タグ付き抗体を共局在したことをさらに示す。
【０５０２】
この実施例は、異なるサイズの小胞上に存在する膜色素の信号および量、ならびに、膜色素の共局在、および小胞サイズとエキソソーム上のタンパク質バイオマーカーに対する抗体の存在との相関を定量化するための蛍光撮像の使用を示す。
【図１】
2021521417.tif 000017
【図２Ａ】
2021521417.tif 000018
【図２Ｂ】
2021521417.tif 000019
【図２Ｃ】
2021521417.tif 000020
【図３Ａ】
2021521417.tif 000021
【図３Ｂ】
2021521417.tif 000022
【図３Ｃ】
2021521417.tif 000023
【図３Ｄ】
2021521417.tif 000024
【図３Ｅ】
2021521417.tif 000025
【図４Ａ】
2021521417.tif 000026
【図４Ｂ】
2021521417.tif 000027
【図４Ｃ】
2021521417.tif 000028
【図４Ｄ】
2021521417.tif 000029
【図４Ｅ】
2021521417.tif 000030
【図５Ａ】
2021521417.tif 000031
【図５Ｂ】
2021521417.tif 000032
【図６】
2021521417.tif 000033
【図７】
2021521417.tif 000034
【図８】
2021521417.tif 000035
【図９】
2021521417.tif 000036
【図１０】
2021521417.tif 000037
【図１１】
2021521417.tif 000038
【図１２】
2021521417.tif 000039
【図１３】
2021521417.tif 000040
【図１４】
2021521417.tif 000041
【図１５Ａ】
2021521417.tif 000042
【図１５Ｂ】
2021521417.tif 000043
【図１６】
2021521417.tif 000044
【図１７Ａ】
2021521417.tif 000045
【図１７Ｂ】
2021521417.tif 000046
【図１８】
2021521417.tif 000047
【図１９】
2021521417.tif 000048
【図２０Ａ】
2021521417.tif 000049
【図２０Ｂ】
2021521417.tif 000050
【図２０Ｃ】
2021521417.tif 000051
【図２１Ａ】
2021521417.tif 000052
【図２１Ｂ】
2021521417.tif 000053
【図２１Ｃ】
2021521417.tif 000054
【図２１Ｄ】
2021521417.tif 000055
【図２２Ａ】
2021521417.tif 000056
【図２２Ｂ】
2021521417.tif 000057
【図２２Ｃ】
2021521417.tif 000058
【図２３Ａ】
2021521417.tif 000059
【図２３Ｂ】
2021521417.tif 000060
【図２３Ｃ】
2021521417.tif 000061
【図２３Ｄ】
2021521417.tif 000062
【図２４Ａ】
2021521417.tif 000063
【図２４Ｂ】
2021521417.tif 000064
【図２４Ｃ】
2021521417.tif 000065
【国際調査報告】
2021521417.tif 000066
2021521417.tif 000067
2021521417.tif 000068